(57)【要約】      （修正有）【課題】音響発生モジュールの露出を防止して、表示装置の背面外郭デザインを改善し得る新しい構造の音響発生モジュールを含む表示装置を提供する。【解決手段】表示装置において、映像を表示する表示パネルを含む表示モジュール１００、表示モジュールの背面に配置された背面カバー３００および背面カバーに配置され表示モジュールを振動させて音響を発生させる音響発生モジュール５００を含む。音響発生モジュール５００の背面は、背面カバー３００によって覆われる表示装置とする。【選択図】図２
2020145674.tif 000002
【特許請求の範囲】
【請求項１】
映像を表示する表示パネルを含む表示モジュール、
前記表示モジュールの背面に配置された背面カバー、および
前記背面カバーに配置されて前記表示モジュールを振動させて音響を発生させる音響発生モジュールを含み、
前記音響発生モジュールの背面が、前記背面カバーによって覆われる、表示装置。
【請求項２】
前記音響発生モジュールが、
前記背面カバーに配置されたモジュール構造物、および
前記モジュール構造物に配置されて前記表示モジュールを振動させる振動装置を含む、請求項１に記載の表示装置。
【請求項３】
前記音響発生モジュールが、前記モジュール構造物と前記表示モジュールとの間の連結部材をさらに含む、請求項２に記載の表示装置。
【請求項４】
前記モジュール構造物と前記振動装置が、1つの構成にモジュール化された、請求項２に記載の表示装置。
【請求項５】
前記振動装置が、
前記モジュール構造物に配置されたベースプレート、
前記ベースプレート上に配置されて前記表示モジュールを振動させるボビン、
前記ボビンの内部または外部に設けられたマグネット、
前記ボビンに巻かれたコイル、
前記ベースプレートの外側に配置されたエッジフレーム、および
前記エッジフレームと前記ボビンの間に連結されたダンパーを含む、請求項２に記載の表示装置。
【請求項６】
前記振動装置と前記表示モジュールとの間の熱拡散部材をさらに含む、請求項２に記載の表示装置。
【請求項７】
前記音響発生モジュールが、
前記背面カバーに配置されたモジュール構造物、
前記モジュール構造物上に配置され前記表示モジュールと連結した振動伝達部材、
前記振動伝達部材と前記モジュール構造物との間の連結部材、および
前記モジュール構造物に配置されて前記振動伝達部材を振動させる振動装置を含む、請求項１に記載の表示装置。
【請求項８】
前記連結部材が、前記振動装置に向いたベント部および突起部のうちの少なくとも一つ以上を含む、請求項７に記載の表示装置。
【請求項９】
前記音響発生モジュールが、
前記背面カバーに配置されたモジュール構造物、
前記モジュール構造物上に配置されて前記表示モジュールと連結した振動伝達部材、
前記モジュール構造物に配置されて前記振動伝達部材を振動させる複数の振動装置、
前記振動伝達部材と前記モジュール構造物との間の連結部材、および
前記複数の振動装置間パーティションを含む、請求項１に記載の表示装置。
【請求項１０】
前記背面カバーが、少なくとも一つのモジュール収容部を含み、
前記少なくとも一つの音響発生モジュールは、前記少なくとも一つのモジュール収容部に収容された、請求項１に記載の表示装置。
【請求項１１】
前記少なくとも一つの音響発生モジュールを収容しない少なくとも一つのモジュール収容部を覆う少なくとも一つのカバーをさらに含む、請求項１０に記載の表示装置。
【請求項１２】
前記背面カバーが、
少なくとも一つのモジュール収容部を有する第1背面カバー、および
前記第1背面カバーの背面に配置された第2背面カバーを含む、請求項１０に記載の表示装置。
【請求項１３】
前記音響発生モジュールが、
前記第1背面カバーのモジュール収容部に収容されたモジュール構造物、
前記モジュール構造物に配置されて前記表示モジュールを振動させる振動装置、および
前記モジュール構造物と前記表示モジュールとの間の連結部材を含む、請求項１２に記載の表示装置。
【請求項１４】
前記モジュール構造物が、
前記連結部材を支持する枠部、および
前記枠部を除外した残りの部分から前記背面カバーの方に突出し、前記第1背面カバーのモジュール収容部に収容されて前記第2背面カバーに配置された収納部を含む、請求項１３に記載の表示装置。
【請求項１５】
前記振動装置が、圧電複合体を含む、請求項２に記載の表示装置。
【請求項１６】
前記背面カバーが、前記少なくとも一つの音響発生モジュールと重畳するホールを含む、請求項１から請求項１５のいずれか一項に記載の表示装置。
【請求項１７】
前記少なくとも一つの音響発生モジュールが、前記背面カバーのホールに収容された、請求項１６に記載の表示装置。
【請求項１８】
前記振動装置が、中空部をさらに含み、
前記モジュール構造物は、前記振動装置と重畳する溝を含む、請求項２から請求項９、請求項１３、および請求項１５のいずれか一項に記載の表示装置。
【請求項１９】
前記モジュール構造物が、前記振動装置に連結した信号ケーブルが通過するケーブルホールを含む、請求項２から請求項９、請求項１３、および請求項１５のいずれか一項に記載の表示装置。
【請求項２０】
第1領域、第2領域、第3領域、第4領域、および第5領域を含むプレート、
前記プレート背面の左側領域に対応して前記第1領域および前記第4領域に配置される第1音響発生モジュールおよび第4音響発生モジュール、
前記プレート背面の右側領域に対応して前記第2領域および前記第5領域に配置される第2音響発生モジュールおよび第5音響発生モジュール、
前記プレート背面の中央領域に対応して前記第3領域に配置される第3音響発生モジュールを含み、
前記第1から第5音響発生モジュール中の1つ以上の音響発生モジュールが、モジュール構造物を含み、前記一つ以上の音響発生モジュールは、前記モジュール構造物に配置される、表示装置。
【請求項２１】
前記プレートが、映像を表示する表示パネルを含むか、または、前記表示パネルの背面に配置された背面カバーを含む、請求項２０に記載の表示装置。
【請求項２２】
前記プレートが、ガラス、木材、プラスチック、および金属中のいずれか一つ以上を含む、請求項２０に記載の表示装置。
【請求項２３】
前記第1音響発生モジュールと前記第2音響発生モジュール中の一つ以上が、ウーファーを含む音響発生モジュールを含む、請求項２０に記載の表示装置。
【請求項２４】
前記第1音響発生モジュールと前記第2音響発生モジュールが、前記第3音響発生モジュールと同一ライン上に配置されるか、または同一ライン上に配置されない、請求項２３に記載の表示装置。
【請求項２５】
前記第1から第5音響発生モジュール中の一つ以上が、ウーファーを含む音響発生モジュールを含む、請求項２０に記載の表示装置。
【請求項２６】
前記第1領域と前記第2領域のうち少なくとも一つの下にある一つ以上のウーファーをさらに含む、請求項２０に記載の表示装置。
【請求項２７】
前記第4領域と前記第5領域との間の第6領域にある第6音響発生モジュール、
前記第1領域の下の第7領域にある第7音響発生モジュール、
前記第2領域の下の第8領域にある第8音響発生モジュール、
前記第7領域と前記第8領域との間の第9領域にある第9音響発生モジュール、
前記第1領域と前記第3領域との間の第10領域にある第10音響発生モジュール、および
前記第2領域と前記第3領域との間の第11領域にある第11音響発生モジュールを含む、請求項２０または請求項２１に記載の表示装置。
【請求項２８】
前記第6から第11音響発生モジュール中の1つ以上の音響発生モジュールが、モジュール構造物を含み、
前記第6から第11音響発生モジュール中の一つ以上が、前記のモジュール構造物に配置された、請求項２７に記載の表示装置。
【請求項２９】
前記第7領域および前記第8領域中の少なくとも一つの下にある少なくとも一つ以上のウーファーをさらに含む、請求項２７に記載の表示装置。
【請求項３０】
前記第7音響発生モジュールと前記第8音響発生モジュール中の一つ以上、前記第1音響発生モジュールと前記第2音響発生モジュール中の一つ以上、または前記第10音響発生モジュールと前記第11音響発生モジュール中の一つ以上は、ウーファーを含む音響発生モジュールを含む、請求項２７に記載の表示装置。
【請求項３１】
前記第4から第6音響発生モジュール中の一つ以上は、圧電複合体を含む音響発生モジュールを含むか、前記第4から第9音響発生モジュール中の一つ以上は、圧電複合体を含む音響発生モジュールを含む、請求項２７に記載の表示装置。
【請求項３２】
前記第1から第11音響発生モジュール中の一つ以上は、圧電複合体を含む音響発生モジュール、ボイスコイルを含む音響発生モジュール、またはウーファーを含む音響発生モジュールを含む、請求項２７に記載の表示装置。
【請求項３３】
前記第4領域と前記第5領域との間の第12領域にある第12音響発生モジュール、
前記第5領域と前記第6領域との間の第13領域にある第13音響発生モジュール、
前記第7領域と前記第9領域との間の第14領域にある第14音響発生モジュール、および
前記第8領域と前記第9領域との間の第15領域にある第15音響発生モジュールを含む、請求項２７に記載の表示装置。
【請求項３４】
前記第12から第15音響発生モジュール中の一つ以上が、モジュール構造物を含み、
前記第12から第15音響発生モジュール中の一つ以上は、前記モジュール構造物に配置される、請求項３３に記載の表示装置。
【請求項３５】
前記第7領域および前記第8領域中の一つ以上の下にある少なくとも一つ以上のウーファーをさらに含む、請求項３３に記載の表示装置。
【請求項３６】
前記第7音響発生モジュールと前記第8音響発生モジュール中の一つ以上、前記第1音響発生モジュールと前記第2音響発生モジュール中の一つ以上、前記第10音響発生モジュールと前記第11音響発生モジュール中の一つ以上、または前記第14音響発生モジュールと前記第15音響発生モジュール中の一つ以上は、ウーファーを含む音響発生モジュールを含む、請求項３３に記載の表示装置。
【請求項３７】
前記第4から第6音響発生モジュール中の一つ以上、前記第12音響発生モジュール、前記第13音響発生モジュール中の一つ以上は、圧電複合体を含む音響発生モジュールを含み、
または前記第4から第9音響発生モジュールおよび前記第12から第15音響発生モジュール中の一つ以上は、圧電複合体を含む音響発生モジュールを含み、
または前記第1から第15音響発生モジュール中の一つ以上は、圧電複合体を含む音響発生モジュール、ボイスコイルを含む音響発生モジュール、またはウーファーを含む音響発生モジュールを含む、請求項３３に記載の表示装置。
【請求項３８】
前記第1から第15音響発生モジュールを囲むパーティションをさらに含み、
前記パーティションと前記第1から第15音響発生モジュールが、前記モジュール構造物に配置された、請求項３３に記載の表示装置。
【請求項３９】
前記プレートが、映像を表示する表示パネルを含み、
前記表示装置は、前記表示パネルの背面に配置され、モジュール収容部を有する背面カバーをさらに含み、
前記一つ以上の音響発生モジュールは、前記背面カバーのモジュール収容部に収容された、請求項２０に記載の表示装置。
【発明の詳細な説明】
【技術分野】
【０００１】
本明細書は、表示装置に関するものであり、より詳細には、表示パネルを振動させて音響を発生させることができる表示装置に関するものである。
【背景技術】
【０００２】
表示装置は、テレビ、モニター、ノートパソコン、スマートフォン、タブレットコンピュータ、電子パッド、ウェアラブル機器、ウォッチフォン、携帯用情報機器、ナビゲーション、または車両の表示機器などの電子製品または家電製品に搭載され、映像を表示する画面に使用される。
【０００３】
表示装置は、映像を表示する表示パネル、および映像に関する音響を出力するための音響装置を含むことができる。
【０００４】
但し、一般的な表示装置は、音響装置から出力される音響が表示パネルの後方または下方に進行するので、壁または床から反射する音響間の干渉によって音質が低下し、これにより、正確な音響伝達が難しいという問題点があり、視聴者または使用者の没入感が低下するという問題がある。
【発明の概要】
【発明が解決しようとする課題】
【０００５】
本明細書の発明者らは、一般的な表示装置の問題点を認識し、表示パネルの前方から映像を視聴する時の音響の進行方向が表示パネルの前方になることができ、音質を向上させることができるいくつかの実験を行なった。複数の実験を経て、表示パネルの前方に進むことができる音響を発生することができ、音質を向上させることができる新しい構造の表示装置を発明した。
【０００６】
本明細書の実施例に係る解決課題は、表示パネルの前方に進むことができる音響を発生させることができる音響発生モジュールを含む表示装置を提供することである。
【０００７】
本明細書の実施例に係る解決課題は、表示モジュールと音響発生モジュール間の組立性を向上させることができる新しい構造の音響発生モジュールを含む表示装置を提供することである。
【０００８】
本明細書の実施例に係る解決課題は、音響発生モジュールの露出を防止して、表示装置の背面外郭デザインを改善し得る新しい構造の音響発生モジュールを含む表示装置を提供することである。
【０００９】
本明細書の実施例に係る解決課題は、部品共用化が可能な新しい構造の表示装置を提供することである。
【００１０】
本明細書の実施例に係る解決課題は、立体音響を実現できる音響発生モジュールを含む表示装置を提供することである。
【００１１】
本明細書の実施例に係る解決課題は、以上で言及した課題に限定されず、言及していないまた他の課題は、以下の記載から、この技術分野の通常の技術者に明確に理解されるだろう。
【課題を解決するための手段】
【００１２】
本明細書の実施例に係る表示装置は、映像を表示する表示パネルを含む表示モジュールの背面に背面カバーを配置する。表示モジュールを振動させて音響を発生させる音響発生モジュールが背面カバーに配置される。音響発生モジュールの背面が背面カバーによって覆われる。
【００１３】
本明細書の実施例に係る表示装置は、ギャップ空間を間に置いて表示モジュールの背面に背面カバーを配置する。音響発生モジュールをギャップ空間に配置して表示モジュールを振動させて音響を発生させる。背面カバーにモジュール構造物を配置する。モジュール構造物に配置した振動装置が表示モジュールを振動させる。モジュール構造物と振動装置が1つの部品としてモジュール化される。
【００１４】
本明細書の実施例に係る表示装置は、映像を表示する表示モジュールの背面に複数のモジュール収容部を有する背面カバーを配置する。少なくとも一つの音響発生モジュールが複数のモジュール収容部のうちの少なくとも一つに収容されて表示モジュールを振動させて音響を発生させる。複数のモジュール収容部のうち少なくとも1つがカバーによって覆われる。
【００１５】
本明細書の実施例に係る表示装置は、第1領域、第2領域、第3領域、第4領域、および第5領域を含むプレート、プレート背面の左側の領域に対応し、第1領域および第4領域に配置される第1音響発生モジュールおよび第4音響発生モジュールは、プレート背面の右側領域に対応し、第2領域および第5領域に配置される第2音響発生モジュールおよび第5音響発生モジュール、およびプレート背面の中央領域に対応し、第3領域に配置される第3音響発生モジュールを含む。第1〜第5音響発生モジュールの少なくとも一つ以上の音響発生モジュールは、モジュール構造物を含み、少なくとも一つ以上の音響発生モジュールは、モジュール構造物に配置される。
【００１６】
本明細書の多様な例の具体的な事項は、発明を実施するための具体的な内容および図面に含まれている。
【発明の効果】
【００１７】
本明細書の実施例に係る表示装置は、表示パネルを振動させて音響を発生させる音響発生モジュールを含むことにより、表示パネルの前方に音響を出力することができ、これにより、表示装置の映像を視聴する視聴者の没入感を向上させることができる。
【００１８】
本明細書の実施例に係る表示装置は、一つの部品のモジュール化された音響発生モジュールを表示モジュールと背面カバーの間に配置することによって表示モジュールと音響発生モジュール間の組立性を向上させることができる効果がある。
【００１９】
本明細書の実施例に係る表示装置は、少なくとも一つの音響発生モジュールと、少なくとも一つのカバーを背面カバーに設けられた複数のモジュール収容部に選択的に配置することで、背面カバーに対する部品共用化が可能であるという効果がある。
【００２０】
本明細書の効果は、以上で言及した効果に制限されず、言及していないまた他の効果は次の記載から当業者に明確に理解することができるだろう。
【図面の簡単な説明】
【００２１】
【図１】本明細書の実施例に係る表示装置を示す図である。
【図２】図2は、図1に示した線I-I’の断面図である。
【図３Ａ】図3Aは、本明細書の実施例に係る音響発生モジュールを示す図である。
【図３Ｂ】図3Bは、本明細書の実施例に係る音響発生モジュールを示す図である。
【図３Ｃ】図3Cは、本明細書の実施例に係る音響発生モジュールを示す図である。
【図３Ｄ】図3Dは、本明細書の実施例に係る音響発生モジュールを示す図である。
【図３Ｅ】図3Eは、本明細書の実施例に係る音響発生モジュールを示す図である。
【図４】図4は、図3A〜図3Eに示した連結部材を示す図である。
【図５Ａ】図5Aは、本明細書の実施例に係る振動装置のダンパー構造を説明するための図である。
【図５Ｂ】図5Bは、本明細書の実施例に係る振動装置のダンパー構造を説明するための図である。
【図６】図6は、本明細書の他の実施例に係る音響発生モジュールを示す図である。
【図７】図7は、図6に示した他の実施例に係る音響発生モジュールの背面を覆う背面カバーを示す図である。
【図８】図8は、図1に示した線I-I’の他の断面図である。
【図９】図9は、図8に示した連結部材と、パーティション部材を示す図である。
【図１０】図10は、図1に示した線I-I’の他の断面図である。
【図１１】図11は、図10に示した背面カバーを示す図である。
【図１２】図12は、本明細書の他の実施例に係る表示装置を示す図である。
【図１３】図13は、図12に示した線II-II’の断面図である。
【図１４】図14は、図12および図13に示した音響発生モジュールを示す図である。
【図１５】図15は、図14に示したモジュール構造を示す図である。
【図１６Ａ】図16Aは、本明細書の実施例に係る音響発生モジュールのモジュール構造物の背面を示した図である。
【図１６Ｂ】図16Bは、本明細書の実施例に係る音響発生モジュールのモジュール構造物に配置された振動装置とボイス信号ケーブルを示す図である。
【図１７】図17は、本明細書の実施例に係る背面カバーの背面を示す図である。
【図１８】図18は、本明細書の他の実施例に係る表示装置を示す図である。
【図１９】図19は、図18に示した線III-III’の断面図である。
【図２０】図20は、図18に示した線III-III’の他の断面図である。
【図２１】図21は、図18に示した線III-III’の他の断面図である。
【図２２】図22は、本明細書の他の実施例に係る表示装置を示す図である。
【図２３Ａ】図23Aは、本明細書の他の実施例に係るプレートを示す図である。
【図２３Ｂ】図23Bは、本明細書の他の実施例に係るプレートを示す図である。
【図２３Ｃ】図23Cは、本明細書の他の実施例に係るプレートを示す図である。
【図２３Ｄ】図23Dは、本明細書の他の実施例に係るプレートを示す図である。
【図２４Ａ】図24Aは、本明細書の実施例に係る音響発生モジュールを含む表示装置を示す図である。
【図２４Ｂ】図24Bは、本明細書の実施例に係る音響発生モジュールを含む表示装置を示す図である。
【図２５Ａ】図25Aは、本明細書の他の実施例に係る音響発生モジュールを示す図である。
【図２５Ｂ】図25Bは、本明細書の他の実施例に係る音響発生モジュールを示す図である。
【図２６Ａ】図26Aは、本明細書の他の実施例に係る音響発生モジュールを含む表示装置を示す図である。
【図２６Ｂ】図26Bは、本明細書の他の実施例に係る音響発生モジュールを含む表示装置を示す図である。
【図２７】図27は、本明細書の他の実施例に係る音響発生モジュールを含む表示装置を示す図である。
【図２８】図28は、本明細書の他の実施例に係る音響発生モジュールを含む表示装置を示す図である。
【図２９Ａ】図29Aは、本明細書の他の実施例に係る音響発生モジュールとパーティションを示す図である。
【図２９Ｂ】図29Bは、本明細書の他の実施例に係る音響発生モジュールとパーティションを示す図である。
【図２９Ｃ】図29Cは、本明細書の他の実施例に係る音響発生モジュールとパーティションを示す図である。
【図２９Ｄ】図29Dは、本明細書の他の実施例に係る音響発生モジュールとパーティションを示す図である。
【図２９Ｅ】図29Eは、本明細書の他の実施例に係る音響発生モジュールとパーティションを示す図である。
【図３０Ａ】図30Aは、本明細書の他の実施例に係る音響発生モジュールとパーティションを示す図である。
【図３０Ｂ】図30Bは、本明細書の他の実施例に係る音響発生モジュールとパーティションを示す図である。
【図３０Ｃ】図30Cは、本明細書の他の実施例に係る音響発生モジュールとパーティションを示す図である。
【図３０Ｄ】図30Dは、本明細書の他の実施例に係る音響発生モジュールとパーティションを示す図である。
【図３０Ｅ】図30Eは、本明細書の他の実施例に係る音響発生モジュールとパーティションを示す図である。
【図３１Ａ】図31Aは、本明細書の他の実施例に係る音響発生モジュールとパーティションを示す図である。
【図３１Ｂ】図31Bは、本明細書の他の実施例に係る音響発生モジュールとパーティションを示す図である。
【図３１Ｃ】図31Cは、本明細書の他の実施例に係る音響発生モジュールとパーティションを示す図である。
【図３１Ｄ】図31Dは、本明細書の他の実施例に係る音響発生モジュールとパーティションを示す図である。
【図３１Ｅ】図31Eは、本明細書の他の実施例に係る音響発生モジュールとパーティションを示す図である。
【図３２Ａ】図32Aは、本明細書の他の実施例に係る音響発生モジュールとパーティションを示す図である。
【図３２Ｂ】図32Bは、本明細書の他の実施例に係る音響発生モジュールとパーティションを示す図である。
【図３２Ｃ】図32Cは、本明細書の他の実施例に係る音響発生モジュールとパーティションを示す図である。
【図３２Ｄ】図32Dは、本明細書の他の実施例に係る音響発生モジュールとパーティションを示す図である。
【図３２Ｅ】図32Eは、本明細書の他の実施例に係る音響発生モジュールとパーティションを示す図である。
【図３３】図33は、本明細書の他の実施例に係る音響発生モジュールを示す図である。
【図３４】図34は、図33に示した線IV-IV’の断面図である。
【図３５Ａ】図35Aは、図33の圧電複合体の両端が上方に折られた状態を示す図である。
【図３５Ｂ】図35Bは、図33の圧電複合体の両端が下方に折られた状態を示す図である。
【図３６】図36は、本明細書の他の実施例に係る圧電複合体を含む音響発生モジュールを示す図である。
【図３７】図37は、本明細書の他の実施例に係る圧電複合体を含む音響発生モジュールを示す図である。
【図３８】図38は、本明細書の他の実施例に係る圧電複合体を含む音響発生モジュールを示す図である。
【図３９】図39は、本明細書の実施例に係る音響発生モジュールとパーティションを示す図である。
【図４０】図40は、本明細書の実施例に係る音響発生モジュールの音響出力特性を示す図である。
【図４１Ａ】図41Aは、本明細書の他の実施例に係る音響発生モジュールを含む表示装置を示す図である。
【図４１Ｂ】図41Bは、本明細書の他の実施例に係る音響発生モジュールを含む表示装置を示す図である。
【図４１Ｃ】図41Cは、本明細書の他の実施例に係る音響発生モジュールを含む表示装置を示す図である。
【図４２Ａ】図42Aは、本明細書の他の実施例に係る音響発生モジュールを含む表示装置を示す図である。
【図４２Ｂ】図42Bは、本明細書の他の実施例に係る音響発生モジュールを含む表示装置を示す図である。
【図４２Ｃ】図42Cは、本明細書の他の実施例に係る音響発生モジュールを含む表示装置を示す図である。
【図４３Ａ】図43Aは、本明細書の他の実施例に係る音響発生モジュールを含む表示装置を示す図である。
【図４３Ｂ】図43Bは、本明細書の他の実施例に係る音響発生モジュールを含む表示装置を示す図である。
【図４３Ｃ】図43Cは、本明細書の他の実施例に係る音響発生モジュールを含む表示装置を示す図である。
【図４４Ａ】図44Aは、本明細書の他の実施例に係る音響発生モジュールを含む表示装置を示す図である。
【図４４Ｂ】図44Bは、本明細書の他の実施例に係る音響発生モジュールを含む表示装置を示す図である。
【図４４Ｃ】図44Cは、本明細書の他の実施例に係る音響発生モジュールを含む表示装置を示す図である。
【図４５Ａ】図45Aは、本明細書の他の実施例に係る音響発生モジュールがモジュール化された図である。
【図４５Ｂ】図45Bは、本明細書の他の実施例に係る音響発生モジュールがモジュール化された図である。
【図４６Ａ】図46Aは、本明細書の他の実施例に係る音響発生モジュールがモジュール化された図である。
【図４６Ｂ】図46Bは、本明細書の他の実施例に係る音響発生モジュールがモジュール化された図である。
【発明を実施するための形態】
【００２２】
本明細書の利点と特徴、そしてそれらを達成する方法は添付の図と共に詳細に後述されている実施例を参照すると明確になるだろう。しかし、本明細書は、以下で開示される実施例に限定されるものではなく、異なる多様な形態で実現されるものであり、単に本実施例は、本明細書の開示を完全にし、本明細書が属する技術分野で通常の知識を有する者に発明の範疇を完全に知らせるために提供されるものであり、本明細書は、請求項の範疇によってのみ定義される。
【００２３】
本明細書に記載された処理工程および/または動作の実行は一例である。しかし、処理工程および/または動作のシーケンスは、明細書に記載に制限されず、特定の順序で発生する処理工程および/または動作を除いては、本明細書が属する技術分野で知られているように、変更し得る。同じ参照番号は、全体にわたって同一の構成要素を示す。以下の説明で使用される各構成要素の名称は、明細書を作成するための便宜のためにのみ選択されるので、実際の商品に使用されたものとは異なる場合があり得る。
【００２４】
本明細書の実施例を説明するための 図に開示した形状、大きさ、比率、角度、数などは例示的なものなので、本明細書は、図に示した事項に限定されるものではない。明細書全体にわたって同一参照符号は同一の構成要素を指す。また、本明細書を説明するにおいて、関連する公知技術に対する詳細な説明が本明細書の要旨を不必要に曖昧にすると判断された場合、その詳細な説明は省略する。
【００２５】
本明細書で言及した「含む」、「有する」、「からなる」などが使用されている場合は、「だけ」が使用されていない限り、他の部分を追加し得る。構成要素を単数で表現した場合に特に明示的な記載事項がない限り、複数が含まれる場合を含む。
【００２６】
構成要素を解釈するに当たり、別途の明示的な記載がなくても誤差の範囲を含むものと解釈する。位置関係の説明である場合、例えば、「上に（on）」、「上部に（over）」、「下部に（under）」、「横に（next）」など2つの部分の位置関係が説明されている場合、「すぐに（just）」または「直接（direct（ly））」が使用されていない限り、二つの部分の間に1つ以上の他の部分が位置することもできる。時間の関係についての説明である場合、例えば、「後に（after）」、「に続いて（subsequent）」、「次に（next）」、「前に（before）」などで時間的前後関係が説明されている場合、「すぐに（just）」または「直接（immediate（ly）or direct（ly））」が使用されていない以上、連続していない場合も含むことができる。
【００２７】
第1、第2などが多様な構成要素を記述するために使用されるが、これらの構成要素はこれらの用語によって制限されない。これらの用語は、ただ一つの構成要素を他の構成要素と区別するために使用されるものである。したがって、以下に記載されている第1構成要素は、本明細書の技術的思想内で第2構成要素であることもあり、同様に、第2構成要素も第1構成要素であり得る。
【００２８】
本明細書の構成要素を説明するにあたって、第1、第2、A、B、（a）、（b）などの用語を用いることができる。このような用語は、その構成要素を他の構成要素と区別するためのものであるだけで、その用語によって、その構成要素の本質、順序、順番または個数などが限定されない。ある構成要素が他の構成要素に「連結」、「結合」または「接続」と記載された場合、その構成要素は、その他の構成要素に直接連結するか、または接続することができるが、特に明示的な記載事項がない間接的に連結し、又は接続することができる各構成要素間に他の構成要素が「介在」することもあると理解されなければならない。
【００２９】
「少なくとも一つ」は、関連した構成要素の一つ以上のすべての組み合わせを含むものと理解されなければならない。例えば、「第1、第2、および第3構成要素の少なくとも一つ」の意味は、第1、第2、または第3構成要素だけではなく、第1、第2、および第3構成要素の二つ以上のすべての構成要素の組み合わせを含むとすることができる。
【００３０】
実施例の説明では、ある構造が他の構造の「上（on）または上に（above）」または「下（under）または下に（below）」に位置するものとして説明されるとき、この説明は、構造が互いに接触する場合と構造間に第3構造を配置する場合を含むものと解釈されなければならない。図に示した各構成要素の大きさおよび厚さは、説明の便宜のために提供されたものであり、本明細書の実施例で特別に明記されない限り、それに限定されない。
【００３１】
本明細書のいくつかの実施例のそれぞれの特徴が部分的または全体的に互いに結合または組み合わせ可能で、技術的に多様な連動と駆動が可能であり、各実施例が互いに独立して実施可能であり得、関連の関係で一緒に実施することもできる。
【００３２】
本明細書で「表示装置」は、表示パネルと表示パネルを駆動するための駆動部を含む液晶モジュール（Liquid Crystal Module; LCM）または有機発光表示モジュール（Organic Light Emitting Display Module; OLED Module）などを含むことができる。また、本明細書で「表示装置」は、LCM、OLEDモジュールなどを含む完成品（complete productまたはfinal product）であるラップトップコンピュータ、テレビ、コンピュータモニタ、自動車用装置（automotive apparatus）または車両（vehicle）の他の形態などを含む電装装置（equipment apparatus）、スマートフォンや電子パッドなどのモバイル電子機器（mobile electronic apparatus）などのセットの電子装置（set electronic apparatus）、またはセット装置（set deviceまたはset apparatus）も含むことができる。
【００３３】
したがって、本明細書での表示装置は、LCMとOLEDモジュールなどの表示装置自体、およびLCMとOLEDモジュールなどを含む応用製品またはエンドユーザー用の装置であるセット装置までを含むことができる。
【００３４】
また、他の例では、表示パネルと駆動部などで構成されるLCMとOLEDモジュールを「表示装置」と表現し、LCMとOLEDモジュールを含む完成品としての電子機器を「セット装置」と選択的に表現することもできる。例えば、表示装置は、液晶または有機発光の表示パネル、および表示パネルを駆動するための制御部であるソース印刷回路基板（source PCB）を含むことができる。セット装置は、表示装置、およびソースPCBに電気的に接続してセット装置全体を駆動するセット制御部であるセットPCBまたは制御PCBを含むことができる。
【００３５】
本明細書の実施例に使用される表示パネルは、液晶表示パネル、有機発光ダイオード（Organic Light Emitting Diode）表示パネル、および電界発光表示パネル（electroluminescent display panel）などのすべての形態の表示パネルを用いることができ、実施例に限定されるものではない。例えば、表示パネルは、音響発生モジュールによって振動することによって音響を発生することができるなんらかの表示パネルであり得る。また、本明細書の実施例に係る表示装置に適用される表示パネルは、表示パネルの形態や大きさに限定されない。
【００３６】
例えば、表示パネルが液晶表示パネルである場合には、表示パネルは、複数のゲートラインと複数のデータライン、およびゲートラインとデータラインによって定義される画素領域に形成される画素（pixel）（または副画素）を含む。また、表示パネルは、各画素の光透過度を調節するためのスイッチング素子である薄膜トランジスタを含むアレイ基板、カラーフィルタ、および/またはブラックマトリックスなどを備えた上部基板、およびアレイ基板と上部基板との間に形成される液晶層を含むことができる。
【００３７】
また、表示パネルが有機発光表示パネルである場合には、表示パネルは、複数のゲートラインと複数のデータライン、およびゲートラインとデータラインによって定義される画素領域に形成される画素（pixel）（または副画素）を含む。また、表示パネルは、各画素に選択的に電圧を印加するための素子である薄膜トランジスタを含むアレイ基板、アレイ基板上の有機発光素子の層、および有機発光素子層を覆うように、アレイ基板上に配置される封止基板（またはカプセル化（encapsulation）基板）などを含むことができる。封止基板は、外部の衝撃から薄膜トランジスタおよび有機発光素子層などを保護し、有機発光素子層に水分や酸素が侵入することを防止することができる。そして、アレイ基板上に形成される有機発光素子層は、無機発光（inorganic light emitting）素子層、量子ドット発光（quantum dot light emitting）素子層、またはマイクロ発光ダイオード素子に変更することができる。
【００３８】
本明細書で音響発生モジュールを含む表示装置は、自動車（automobile）での中央制御パネル（central control panel）などの使用者インターフェースモジュール（user interface module）で車両（vehicle）に適用することができる。例えば、このような表示パネルは、表示パネルの振動が車両の内部に向かって伝播されるように二つの前座席の搭乗者（occupants）間に実現し得る。したがって、車両内でのオーディオ体験は、車両内部の側面（interior sides）にのみスピーカーを有する場合に比べて改善し得る。
【００３９】
以下、添付の図および実施例を介して本明細書の実施例を詳しく見ると、次の通りである。添付の各図の構成要素に参照符号を付加するにおいて、同一の構成要素に対しては、たとえ他の図上に表示されていても、可能な限り同一の符号を有することができる。そして、添付の図に示した構成要素のスケールは、説明の便宜のために、実際と異なるスケールを有するので、図に示したスケールに限定されない。
【００４０】
図1は、本明細書の実施例に係る表示装置を示す図である。図2は、図1に示した線I-I’の断面図である。
【００４１】
図1および図2を参照すると、本明細書の実施例に係る表示装置は、表示モジュール１００、背面カバー３００、および少なくとも一つの音響発生モジュール５００を含むことができる。
【００４２】
表示モジュール１００は、映像を表示しながら、少なくとも一つの音響発生モジュール５００の駆動によって振動して音響（PVS）（またはパネルの振動音響）を前面方向（または前方）（FD）に直接出力する。または、表示モジュール１００は、映像を表示していない状態で、少なくとも一つの音響発生モジュール５００の駆動によって振動して音響（PVS）を前方（FD）に直接出力することができる。これにより、本明細書に係る表示モジュール１００は、映像の表示と音響（PVS）の発生（または出力）を兼ねることができる。
【００４３】
本明細書の実施例に係る表示モジュール１００は、映像を表示する表示パネル１１０を含む。例えば、映像は、電子映像（electronic image）またはデジタル映像（digital image）などを含むことができる。
【００４４】
表示パネル１１０は、有機発光ダイオード表示パネル（organic light emitting diode）、液晶表示パネル（liquid crystal display panel）、電界発光表示パネル（electroluminescent display panel）、マイクロ発光ダイオード表示パネル（micro light emitting diode display panel）、または量子ドット発光表示パネル（quantum dot light emitting display panel）など、あらゆる形態の表示パネルで実現し得る。表示パネル１１０は、音響発生モジュール５００の振動によって振動して音響（PVS）を前方（FD）に直接出力し、それによって、表示パネル１１０は、音響（PVS）を直接発生させる振動板またはスピーカーであり得る。例えば、表示モジュール１００が音響（PVS）を発生したとき、表示モジュール１００は、音響（PVS）を直接発生させる振動板、パネルスピーカー、またはフラットスピーカーであり得る。
【００４５】
本明細書のいくつかの実施例によると、表示パネル１１０は、基板（またはベース基板）上に配置された画素回路、および画素回路に接続してアノード電極とカソード電極および有機発光層を有するピクセルアレイ層（または表示部）を含む。表示パネル１１０は、ピクセルアレイ層の構造によって、トップエミッション（top emission）方式、ボトムエミッション（bottom emission）方式、またはデュアルエミッション（dual emission）方式などの形態で映像を表示することができる。例えば、アノード電極は、第1電極または画素電極などであり得、用語に限定されるものではない。カソード電極は、第2電極または共通電極などであり得、用語に限定されるものではない。
【００４６】
トップエミッション方式は、画素アレイ層で発生した光を表示パネル１１０の基板の前方（FD）に放出させて映像を表示し、ボトムエミッション方式は、画素アレイ層で発生した光を、基板を通じて外部に放出させて映像を表示する。
【００４７】
本明細書のいくつかの実施例に係る表示モジュール１００は、表示パネル１１０上に配置された機能性フィルム１３０をさらに含むことができる。
【００４８】
機能性フィルム１３０は、透明粘着部材を媒介として表示パネル１１０上に付着することができる。粘着部材は、PSA（pressure sensitive adhesive）、OCA（optical clear adhesive）またはOCR（optical clear resin）を含むことができ、これに限定されるものではない。
【００４９】
本明細書のいくつかの実施例によると、機能性フィルム１３０は、外部光の反射を防止して表示パネル１１０に表示される映像の屋外視認性とコントラスト比を向上させるための反射防止層（または反射防止フィルム）を含むことができる。例えば、反射防止層は、外部光が表示パネル１１０の画素アレイ層に配置された薄膜トランジスタおよび/またはラインなどによって反射する反射光が外部に進行することを遮断する円偏光層（または円偏光フィルム）を含むことができる。
【００５０】
本明細書のいくつかの実施例によると、機能性フィルム１３０は、表示パネル１１０の画素アレイ層から外部に向かって出光する光の経路を制御する光経路制御層（または光経路制御フィルム）をさらに含むことができる。光経路制御層は、高屈折層と低屈折層が交互に積層した構造を含むことにより、画素アレイ層から入射する光の経路を変更して、視野角によるカラーシフト現象を最小限に抑えることができ、例えば、低屈折層は、光経路制御層の最上層に配置することができる。
【００５１】
本明細書のいくつかの実施例に係る表示モジュール１００は、使用者のタッチを利用した使用者インターフェースのためのタッチ電極部をさらに含むことができる。タッチ電極部は、表示パネル１１０と機能性フィルム１３０との間に介在またはインセルタッチ（in-cell touch）方式に基づいて表示パネル１１０に内蔵し得る。例えば、インセルタッチ方式によるタッチ電極部は、相互静電容量方式のタッチ電極または自己（self）静電容量方式のタッチ電極を含むことができる。
【００５２】
背面カバー３００は、表示モジュール１００の背面（rear surface, 後面, または裏面）に配置される。背面カバー３００は、音響発生モジュール５００を支持し、または固定することができる。
【００５３】
本明細書のいくつかの実施例によると、背面カバー３００は、表示モジュール１００の背面と音響発生モジュール５００を覆う。背面カバー３００は、支持部材、ハウジング、システムカバー、セットカバー、バックカバー、カバーボトム、リアフレーム、またはシャーシなどで表現することができ、用語に限定されるものではない。また、表示モジュール１００の背面は、一面、第1面、背面、または下面などで表現することができ、用語に限定されるものではない。
【００５４】
本明細書のいくつかの実施例によると、背面カバー３００は、第1背面カバー３１０および第2背面カバー３５０を含むことができる。
【００５５】
第1背面カバー３１０は、表示モジュール１００の背面に配置され、表示モジュール１００、例えば、表示パネル１１０の背面を覆う。第1背面カバー３１０は、ギャップ空間（GS）を間に置いて表示モジュール１００の最背面から離隔する。第1背面カバー３１０は、音響発生モジュール５００を支持し、または固定することができる。第1背面カバー３１０は、外部の衝撃から表示モジュール１００の背面を保護することができる。そして、第1背面カバー３１０は、表示モジュール１００から発生する熱を放熱させるためのヒートシンクを兼ねることができる。
【００５６】
本明細書のいくつかの実施例によると、第1背面カバー３１０は、表示モジュール１００の最背面、例えば表示パネル１１０の背面全体を覆う板状の部材であり得る。例えば、第1背面カバー３１０の端部または角部は、面取り工程または角丸め工程によって斜面形態または曲面形態を有することができる。
【００５７】
本明細書のいくつかの実施例によれば、本明細書の一実施例に係る第1背面カバー３１０は、ガラス材質、金属材質、またはプラスチック材質からなり得る。例えば、ガラス材料の第1背面カバー３１０は、サファイアガラス（Sapphire Glass）およびゴリラガラス（Gorilla Glass）のいずれか、またはこれらの積層構造（または接合構造）を有することができる。例えば、金属材質の第1背面カバー３１０は、アルミニウム、アルミニウム合金、マグネシウム合金、鉄とニッケルの合金、およびステンレス鋼（stainless steel）のいずれかの材質、これらの合金材質、または接合構造を有することができる。
【００５８】
第2背面カバー３５０は、第1背面カバー３１０の背面に配置されて、第1背面カバー３１０の背面を覆う。本明細書のいくつかの実施例によると、第2背面カバー３５０は、第1背面カバー３１０の背面全体を覆う板状の部材であり得る。例えば、第2背面カバー３５０の端部または角部は、面取り工程または角丸め工程によって斜面形態または曲面形態を有することができる。
【００５９】
本明細書のいくつかの実施例によると、第2背面カバー３５０は、ガラス材質、金属材質、およびプラスチック材料のいずれかまたは第1背面カバー３１０と異なる材質からなり得る。例えば、第2背面カバー３５０は、ガラス材質からなり、第1背面カバー３１０は、熱伝導性に優れたアルミニウム（Al）材質などの金属材質からなり得る。例えば、表示装置は、最背面に配置されるガラス材料の第2背面カバー３５０によって外観デザインを改善することができ、表示装置の背面は、金属材質の第1背面カバー３１０を鏡面に用いることができる。
【００６０】
本明細書のいくつかの実施例によれば、本明細書の一例に係る第2背面カバー３５０は、製造工程上の誤差の範囲内で第1背面カバー３１０と同じ厚さを有し、または第1背面カバー３１０より相対的に薄い厚さを有することができる。例えば、音響発生モジュール５００をより安定的に支持して表示装置の重量を減らすために、第1背面カバー３１０は、第2背面カバー３５０よりも相対的に厚い厚さを有することができる。
【００６１】
本明細書のいくつかの実施例によると、第1背面カバー３１０と第2背面カバー３５０は、カバー連結部材３３０を介して互いに結合または連結することができる。例えば、カバー連結部材３３０は、接着樹脂、両面テープまたは両面接着フォームパッドであり得、衝撃吸収のために弾性を有することができる。
【００６２】
本明細書のいくつかの実施例によると、カバー連結部材３３０は、第1背面カバー３１０と第2背面カバー３５０の間の領域全体に介在することができる。
【００６３】
本明細書のいくつかの実施例によると、カバー連結部材３３０は、第1背面カバー３１０と第2背面カバー３５０の間にエアギャップを有する網目構造に形成することができる。例えば、エアギャップの一部は、音響発生モジュール５００に接続したケーブルまたは信号伝送部材の配置領域として用いることができる。
【００６４】
少なくとも一つの音響発生モジュール５００は、表示モジュール１００、例えば、表示パネル１１０を振動板にして、音響（PVS）を発生させることができる。
【００６５】
本明細書のいくつかの実施例に係る表示装置は、表示モジュール１００の背面中心部（または中央領域）に配置された一つの音響発生モジュールを含むことができる。例えば、一つの音響発生モジュールは、表示モジュール１００の背面中心部を振動させて表示モジュール１００の振動による音響（PVS）を発生させる。
【００６６】
本明細書の他の実施例によると、表示装置は、表示モジュール１００の背面中心部を基準に、表示モジュール１００の第1領域（または左側の領域）に配置された第1音響発生モジュール５００−１、および表示モジュール１００の第2領域（または右側領域）に配置された第2音響発生モジュール５００−２を含むことができる。例えば、第1音響発生モジュール５００−１は、表示モジュール１００の第1背面領域を振動させて表示モジュール１００の第1領域の振動による音響（PVS）を発生させる。第2音響発生モジュール５００−２は、表示モジュール１００の第2領域を振動させて表示モジュール１００の第2領域の振動による音響（PVS）を発生させる。このような本明細書の他の実施例に係る表示装置は、第1および第2音響発生モジュール５００−１、５００−２を介して左右の音響分離による2チャンネルモードのステレオ音響を出力することができる。例えば、第1音響発生モジュール５００−１は、左側の音響を出力するように構成し、第2音響発生モジュール５００−２は、右側の音響を出力するように構成することができる。
【００６７】
本明細書のいくつかの実施例によると、少なくとも一つの音響発生モジュール５００は、表示モジュール１００と背面カバー３００の間に配置され、表示モジュール１００を振動させて音響（PVS）を発生させる。少なくとも一つの音響発生モジュール５００の背面は、背面カバー３００によって覆われることによって表示装置の最外郭背面に直接露出しないで隠蔽される。これにより、本明細書の実施例に係る表示装置は、少なくとも一つの音響発生モジュール５００の背面が背面カバー３００によって覆われることによって、少なくとも一つの音響発生モジュール５００の背面または一部が露出しないか、または使用者の目につかないクリーンバックデザイン（clean back design）を有することができ、これによって、背面の外郭デザインを改善し得る。
【００６８】
本明細書のいくつかの実施例に係る少なくとも一つの音響発生モジュール５００は、背面カバー３００に配置されたモジュール構造物５１０およびモジュール構造物５１０に配置されて表示モジュール１００を振動させる振動装置５３０が一つの部品にモジュール化された単一の構造体、または単一の構造物であり得る。例えば、少なくとも一つの音響発生モジュール５００は、表示装置の組立工程ではなく、モジュール化工程（または組立工程）によって、モジュール構造物５１０と振動装置５３０が、単一の構造体、または単一の構造物などの完成品の形態で製作された後、表示装置の組立工程時に比較的単純な部品の取付（またはバッチ）工程により表示モジュール１００と背面カバー３００の間のギャップ空間（GS）に装着しまたは配置される。これにより、本明細書の実施例に係る表示装置は、モジュール間の組立工程で、少なくとも一つの音響発生モジュール５００の組立性を改善することができ、これによって生産歩留まりが向上し得る。
【００６９】
本明細書の実施例に係る少なくとも一つの音響発生モジュール５００は、表示モジュール１００を直接的に振動させ、または間接的に振動させることができる。例えば、少なくとも一つの音響発生モジュール５００は、表示パネル１１０に直接に連結して表示パネル１１０を直接的に振動させることができる。別の例として、少なくとも一つの音響発生モジュール５００は、表示パネル１１０に直接に連結した振動伝達部材を介して表示パネル１１０を間接的に振動させることができる。例えば、振動伝達部材は、該当する音響発生モジュール５００に実現しまたは表示モジュール１００に実現し得る。例えば、少なくとも一つの音響発生モジュール５００に実現された振動伝達部材は、表示モジュール１００に接触（または結合）した振動伝達板（または振動伝達シート）であり得る。また、表示モジュール１００に実現された振動伝達部材は、表示パネル１１０の背面に配置されたバックライトモジュール、または表示パネル１１０の背面に結合（または付着）した振動伝達板（または放熱プレート）であり得る。
【００７０】
本明細書の一実施例に係る表示装置は、ミドルフレーム７００をさらに含むことができる。
【００７１】
ミドルフレーム７００は、表示モジュール１００の背面の端と背面カバー３００の前面の端との間に配置される。ミドルフレーム７００は、表示モジュール１００と背面カバー３００それぞれの端を支持し、表示モジュール１００と背面カバー３００それぞれの側面を囲む。ミドルフレーム７００は、表示モジュール１００と背面カバー３００の間にギャップ空間（GS）を設ける。ギャップ空間（GS）は、エアギャップ、振動空間、または音響発生モジュールの配置空間などで表現することができ、用語に限定されるものではない。
【００７２】
本明細書のいくつかの実施例によると、ミドルフレーム７００は、第1接着部材７０１１を介して表示モジュール１００の背面の端に連結しまたは結合し、第2接着部材７０１３を媒介して背面カバー３００の前面の端に連結しまたは結合する。背面カバー３００の前面は、他面、第2面、上面、または、前面などで表現することができ、用語に限定されるものではない。そして、ミドルフレーム７００は、ミドルキャビネット、ミドルカバー、またはミドルシャーシなどで表現することができ、用語に限定されるものではない。
【００７３】
本明細書のいくつかの実施例によると、ミドルフレーム７００は、金属材質またはプラスチック材質からなり得る。例えば、ミドルフレーム７００は、表示装置の側面外観デザインを改善して表示装置の側面を保護するために金属材質からなり得る。
【００７４】
本明細書のいくつかの実施例に係るミドルフレーム７００は、支持部７１１０と側壁部７１３０を含むことができる。支持部７１１０は、第1部分、および側壁部７１３０は、第2部分であり得、用語に限定されるものではない。
【００７５】
支持部７１１０は、表示モジュール１００の背面の端と背面カバー３００の前面の端との間に介在することによって表示モジュール１００と背面カバー３００の間にギャップ空間（GS）を設ける。支持部７１１０の前面は、第1接着部材７０１１を介して表示モジュール１００の背面の端と結合し、支持部７１１０の背面は、第2接着部材７０１３を介して、背面カバー３００の前面の端と結合する。支持部７１１０は、音響発生モジュール５００の全体的なモジュールの厚さと対応する厚さ（または高さ）を有することができる。例えば、支持部７１１０の厚さは、表示モジュール１００と背面カバー３００の間に配置される音響発生モジュール５００のモジュールの厚さと、第1接着部材７０１１の厚さおよび第2接着部材７０１３の厚さによって設定し、または可変することができる。
【００７６】
本明細書のいくつかの実施例によると、支持部７１１０は、単一の四角（例えば、四角形）のフレーム構造を有し、必ずしもこれに限定されるものではない。例えば、支持部７１１０は、表示モジュール１００の背面の端と背面カバー３００の前面の端との間に介在する複数の分割バーの形態を有することもできる。
【００７７】
第1接着部材７０１１は、表示モジュール１００の背面の端と支持部７１１０の前面との間に配置される。例えば、第1接着部材７０１１は、接着樹脂、両面テープまたは両面接着フォームパッドであり得、これに限定されるものではない。
【００７８】
第2接着部材７０１３は、背面カバー３００の前面の端と支持部７１１０の背面との間に配置される。例えば、第2接着部材７０１３は、接着樹脂、両面テープまたは両面接着フォームパッドであり得、これに限定されるものではない。第2接着部材７０１３は、第1接着部材７０１１とは異なる材質からなり得る。
【００７９】
側壁部７１３０は、表示装置の厚さ方向（Z）と平行に支持部７１１０の外側面に垂直に結合される。側壁部７１３０は、表示モジュール１００の外側面（または外側壁）と背面カバー３００の外側面（または外側壁）の両方を囲むことによって、表示モジュール１００と背面カバー３００それぞれの外側面を保護し、表示装置の側面の外郭デザインを向上させることができる。本明細書のいくつかの実施例に係るミドルフレーム７００は、支持部７１１０と側壁部７１３０が、単一の筐体をなすように互いに結合することによって、「┣」形態の断面構造を有する額縁構造を有することができる。
【００８０】
本明細書の実施例に係る表示装置は、ミドルフレーム７００の代わりに接着部材を含むことができる。
【００８１】
接着部材は、表示モジュール１００の背面の端と背面カバー３００の前面の端との間に介在することによって、表示モジュール１００と背面カバー３００の間にギャップ空間（GS）を設ける。接着部材は、音響発生モジュール５００の全体的なモジュールの厚さと対応する厚さ（または高さ）を有することができる。例えば、接着部材の厚さは、表示モジュール１００と背面カバー３００の間に配置される音響発生モジュール５００のモジュールの厚さによって設定し、または可変することができる。このような接着部材は、ミドルフレーム７００の支持部７１１０と同じ機能をすることができる。
【００８２】
表示装置がミドルフレーム７００の代わりに接着部材を含む場合、背面カバー３００は、表示モジュール１００の外側面（または外側壁）と背面カバー３００の外側面（または外側壁）と接着部材の外側面（または外側壁）の両方を囲む側壁カバー部を含む。
【００８３】
側壁カバー部は、第2背面カバー３５０の先端から延長されて表示装置の厚さ方向（Z）と平行になるように垂直に曲げられる。本明細書のいくつかの実施例によると、側壁カバー部は、単一の側壁構造またはハミング（Hemming）構造を有する。ハミング構造は、ある部材の端部が曲面形態に折り曲げられて、互いに重なりまたは互いに平行に離隔した構造を意味する。例えば、ハミング構造を有する側壁カバー部は、第2背面カバー３５０の先端から延長されて表示装置の厚さ方向（Z）と平行になるように曲げた第1側壁、および第1側壁の先端から延長されて第1側壁と平行になるように曲げた第2側壁を含むことができる。第2側壁は、表示モジュール１００の外側面と第1側壁の間に配置することができ、例えば、第2側壁が表示装置の最外郭側面に露出せず、第1側壁によって覆われて表示装置の側面外郭デザインを改善し得る。
【００８４】
本明細書の例による表示装置では、表示モジュール１００は、熱拡散部材１５０をさらに含むことができる。
【００８５】
熱拡散部材１５０は、音響発生モジュール５００の振動装置５３０と表示モジュール１００の間に配置し得る。本明細書の例による熱拡散部材１５０は、音響発生モジュール５００と重畳するように表示モジュール１００の背面に付着し、音響発生モジュール５００の振動装置５３０と結合しまたは連結することができる。このような熱拡散部材１５０は、振動装置５３０と重畳するように表示モジュール１００の背面に配置して振動装置５３０の駆動時に発生する熱を表示モジュール１００の方に拡散させることで、熱による振動装置５３０の性能低下を防止する。また、熱拡散部材１５０は、振動装置５３０の中心部を中心に、振動装置５３０より相対的に広い大きさを有することにより、音響発生モジュール５００の駆動時に発生する熱を広い領域に拡散させ、これにより、音響発生モジュール５００と、重畳する表示モジュール１００の局部的な領域に熱が集中的に伝達されることを防止することができるので、表示モジュール１００の局部的な輝度ムラを防止し、または最小限に抑えることができる。
【００８６】
本明細書のいくつかの例によると、熱拡散部材１５０は、アルミニウム（Al）、銅（Cu）、銀（Ag）、およびマグネシウム（Mg）のいずれかの材質であるか、これらの合金などのように熱伝導率が高い金属材質で形成することができ、これに限定されるものではない。熱拡散部材１５０は、熱拡散シート、熱拡散層、熱拡散プレート、ヒートシンク、放熱シート、放熱層、または放熱板などの他の用語で表現することができ、用語に限定されるものではない。
【００８７】
したがって、本明細書の実施例に係る表示装置は、表示モジュール１００と背面カバー３００の間に配置された音響発生モジュール５００による表示モジュール１００、例えば、表示パネル１１０の振動によって音響（PVS）を前方（FD）に出力することができ、これにより、表示装置の映像を視聴する視聴者の没入感を向上させることができる。
【００８８】
また、本明細書の実施例に係る表示装置は、表示パネル１１０の振動によって音響（PVS）が発生することによって、別個のスピーカーを構成しなくても良いので、セット装置のデザインとスピーカーの配置に対する自由度を向上させることができる。
【００８９】
また、本明細書の実施例に係る表示装置は、音響発生モジュール５００が表示モジュール１００と背面カバー３００の間のギャップ空間（GS）に配置されることにより、音響発生モジュール５００の背面が背面カバー３００によって覆われることによって音響発生モジュール５００の背面または一部が露出しないか、または使用者の目につかないクリーンバックデザイン（clean back design）を有することができ、これによって表示装置の背面外郭デザインを改善し得る。
【００９０】
また、本明細書の実施例に係る表示装置は、音響発生モジュール５００のモジュール構造物５１０と振動装置５３０が一つの部品にモジュール化された状態で、比較的単純な部品装着工程によって表示モジュール１００と背面カバー３００の間のギャップ空間（GS）に装着することにより、表示装置の組立工程での音響発生モジュール５００の組立性が改善され、これにより、生産歩留まりが向上し得る。
【００９１】
図3A〜図3Eは、本明細書の一実施例に係る音響発生モジュールを示す図である。
【００９２】
図2〜図3Eを参照して説明すると、本明細書の一実施例に係る音響発生モジュール５００は、モジュール構造物５１０および振動装置５３０を含む。
【００９３】
モジュール構造物５１０は、背面カバー３００に配置し得る。例えば、モジュール構造物５１０は、背面カバー３００に配置して振動装置５３０を固定または支持することができる。本明細書のいくつかの例によると、モジュール構造物５１０は、金属材質で構成されながら平板形態を有する金属プレートであり得る。モジュール構造物５１０は、板状機構物、ベース構造物、ベース機構物、モジュール支持フレーム、またはモジュール支持プレートなどで表現することができ、用語に限定されるものではない。
【００９４】
モジュール構造物５１０は、第1部材４１０（またはモジュール固定部材）を介して、背面カバー３００に配置するか、または固定することができる。モジュール構造物５１０の背面は、背面カバー３００によって覆われることによって表示装置の最外郭背面に直接に露出しないで隠蔽される。例えば、モジュール構造物５１０の背面には、背面カバー３００によって完全に覆われることによって表示装置の最外郭背面に直接に露出しないで隠蔽される。
【００９５】
本明細書のいくつかの例による第1部材４１０は、モジュール構造物５１０と背面カバー３００の間に介在した両面接着部材であり得る。両面接着部材は、両面テープまたは両面フォームテープであり得、これに限定されるものではない。第1部材４１０の一面（または前面）は、モジュール構造物５１０の背面に結合または配置され、第1部材４１０の他面（または背面）は、背面カバー３００は、例えば、第1背面カバー３１０の前面に配置されるか、または固定される。例えば、第1部材４１０の他面は下部保護シートを剥離した状態で、第1背面カバー３１０の前面に固定しまたは配置することができる。
【００９６】
本明細書のいくつかの例によると、第1部材４１０は、音響発生モジュール５００と表示モジュール１００の間の組立の便宜上、一つの部品としてモジュール化された音響発生モジュール５００の最背面に結合（またはモジュール化）されていて、下部保護シートによって保護し得る。たとえば、下部保護シートは、下部剥離シートまたはボトムライナー（bottom liner）などで表現することができ、用語に限定されるものではない。
【００９７】
本明細書のいくつかの例によると、第1部材４１０の両面接着部材は、熱伝達物質をさらに含むことができる。熱伝達物質は、音響発生モジュール５００から発生する熱を、背面カバー３００の方に速く伝達することにより、音響発生モジュール５００の熱を背面カバー３００の方に放熱させ、音響発生モジュール５００の駆動時に発生する熱が音響発生モジュール５００と重畳する表示モジュール１００の領域に局部的に伝達されて発生する表示モジュール１００の局部的な輝度ムラを防止または最小限に抑える。本明細書のいくつかの例によると、熱伝達物質は、導電性粒子または導電層を含むことができ、これに限定されるものではない。例えば、熱伝達物質を含む両面接着部材は、熱伝導テープまたは放熱テープなどで表現することができ、用語に限定されるものではない。
【００９８】
振動装置５３０は、モジュール構造物５１０に配置されて表示モジュール１００を振動させる。例えば、振動装置５３０は、モジュール構造物５１０に配置されて表示パネル１１０を振動させることができる。振動装置５３０は、モジュール一体化部材５２０を介して、モジュール構造物５１０に固定しまたは一体化することができる。
【００９９】
振動装置５３０は、電気的信号によって表示モジュール１００の振動させることができる任意の音響機器または振動の発生装置を含むことができる。例えば、振動装置５３０は、フレミングの左手法則（Fleming's left hand rule）に基づいて印加される電流（またはボイス電流）によって表示モジュール１００を振動させるように構成することができる。振動装置５３０は、音響発生ユニット、音響発生モジュールは、振動発生モジュール、振動発生ユニット、アクチュエータ、エキサイター、またはトランスデューサなどで表現することができ、用語に限定されるものではない。
【０１００】
振動装置５３０は、表示モジュール１００の背面と接触するように配置されたアクチュエータ（またはエキサイター）を含む。例えば、アクチュエータからなる振動装置５３０は、ベースプレート５３１、マグネット５３２、センターポール５３３、ボビン５３４、コイル５３５、エッジフレーム５３６、およびダンパー５３７を含むことができる。例えば、振動装置５３０は、ボイスコイルを含む振動装置であり得、用語に限定されるものではない。
【０１０１】
ベースプレート５３１は、モジュール構造物５１０に配置されるか、または固定されているもので、振動装置５３０のメインボディであり得る。ベースプレート５３１は、マグネット５３２とセンターポール５３３およびエッジフレーム５３６をそれぞれ支持することができる。ベースプレート５３１は、鉄（Fe）のように磁性を有する金属物質からなり得るベースプレート５３１は、下部プレート、ベースフレーム、またはヨーク（yoke）などで表現することができ、用語に限定されるものではない。
【０１０２】
ベースプレート５３１は、マグネット５３２と、ボビン５３４を収容する溝部を含む。たとえば、溝部は、円形態を有するようにベースプレート５３１の上面から凹に形成し得る。
【０１０３】
ベースプレート５３１は、モジュール一体化部材５２０を介して、モジュール構造物５１０に配置するか、または一体化し得る。
【０１０４】
モジュール一体化部材５２０は、接着部材であり得る。接着部材は、ベースプレート５３１の延長部（または固定部）５３１aとモジュール構造物５１０の間に配置することによってベースプレート５３１をモジュール構造物５１０に配置させる。接着部材からなるモジュール一体化部材５２０は、接着剤または両面テープであり得、必ずしもこれに限定されるものではない。
【０１０５】
本明細書の他の実施例によると、モジュール一体化部材５２０は、複数のネジであり得る。複数のネジは、ベースプレート５３１の延長部５３１aを貫通して、モジュール構造物５１０に締結することによりベースプレート５３１をモジュール構造物５１０に配置させる。
【０１０６】
本明細書の他の実施例によると、モジュール一体化部材５２０は、ボルトとナットであり得る。ナットはベースプレート５３１の延長部５３１aと重畳するモジュール構造物５１０に配置するか、または固定される。ボルトは、ベースプレート５３１の延長部５３１aを貫通してナットに締結する。本明細書のいくつかの例によるナットは、モジュール構造物５１０に配置されたセルフクリンチングナット（self-clinching nut）であり得、これに限定されるものではない。セルフクリンチングナットはペムナット（PEMnut）であり得る。
【０１０７】
マグネット５３２、センターポール５３３、ボビン５３４、およびコイル５３５は、ベースプレート５３１に設置されて表示モジュール１００を振動させる磁気回路ユニットまたは磁気振動ユニットで表現することができる。
【０１０８】
本明細書のいくつかの例による磁気回路ユニットは、マグネット５３２がコイル５３５の外側に配置された外磁タイプ（external magnetic type）またはダイナミックタイプの構造を有するか、マグネット５３２がコイル５３５の内側に配置された内磁タイプ（internal magnetic type）またはマイクロタイプの構造を有することができる。内磁タイプの構造を有する磁気回路ユニットを含む振動装置５３０は、漏洩磁束が小さく、全体的に小さい大きさを有することができる利点を有する。本明細書のいくつかの例に係る振動装置５３０は、外磁タイプまたは内磁タイプの構造を有することができ、以下の説明では、内磁タイプの構造を有することに仮定して説明することにする。
【０１０９】
本明細書のいくつかの例によるマグネット５３２は、ベースプレート５３１の溝部に収容または挿入される。マグネット５３２は、ボビン５３４に収容または挿入可能な円柱形態を有する永久磁石であり得る。本明細書のいくつかの例によると、マグネット５３２は、バリウムフェライト（barium ferrite）などの焼結磁石を用いることができ、材質は酸化第二鉄（Fe2O3）、炭酸バリウム（BaCO3）、ネオジム磁石、磁力成分が改善されたストロンチウム（strontium）フェライト（Fe12O19Sr）、アルミニウム（Al）、ニッケル（Ni）、コバルト（Co）の合金鋳造磁石などの一つ以上を含むことができる。例えば、ネオジム磁石は、ネオジム-鉄-ホウ素（Nd-Fe-B）であり得、これに限定されるものではない。
【０１１０】
本明細書のいくつかの例によるボビン５３４は、マグネット５３２の周囲を囲むようにベースプレート５３１上に配置される。ボビン５３４は、円の形態または楕円形態（ellipse or oval）を有することができ、これに限定されるものではない。楕円形（oval shape）は、楕円形（elliptical shape）、先端が丸い四角形（rectangular shape with rounded corners）、または幅が高さと異なる非円形の曲線型（non-circular curved shape having a width different from its height）を含むことができ、実施例に限定されない。例えば、楕円形態のボビン５３４で、長軸の直径と短縮の直径の比率は、1.3：1〜2：1で構成することができる。このような楕円形態のボビン５３４は、円形態よりも高音域帯の音響を改善することができ、振動による熱の発生が少ないことがあるので、優れた放熱特性を有することができる。
【０１１１】
本明細書のいくつかの例によるコイル５３５は、ボビン５３４の外周面を取り囲むように巻き取られて、外部から音響発生用の電流（またはボイス電流）の供給を受ける。コイル５３５は、ボビン５３４と一緒に昇降する。コイル５３５は、ボイスコイルなどで表現し得る。このようなコイル５３５に電流が印加されると、コイル５３５の周囲に形成される磁場とマグネット５３２の周囲に形成される外部磁界に基づき、フレミングの左手法則に従ってボビン５３４全体が上下に移動するようになり、ボビン５３４の上下移動（または振動）による表示モジュール１００の振動によって音響（PVS）または音波が発生するようになる。
【０１１２】
本明細書のいくつかの例によると、コイル５３５がボビン５３４の外周面を囲むよう巻き取ることによってコイル５３５で発生する熱がボビン５３４に伝達され、このボビン５３４の熱により表示パネル１１０に影響を及ぼす画質不良を減らすために、コイル５３５は、相対的に放熱特性に優れた材料で構成することができる。また、ボビン５３４は、上下に振動するため、上下振動に起因する偏振動が発生することになり、ボビン５３４の偏振動はボビン５３４の重量に影響を受けることがあり、ボビン５３４の重量は、コイル５３５の重量に影響を受ける。これにより、コイル５３５の重量が減少する場合、ボビン５３４の偏振動を減少させることができる。したがって、ボビン５３４に伝達される熱とボビン５３４の偏振動を考慮すると、コイル５３５は、一般的なコイルの材質である銅よりも熱伝導率が優れていて、相対的に優れた放熱特性を有しながら、銅よりも相対的に軽いアルミ材質からなり得る。
【０１１３】
また、アルミニウムは空気中で酸化膜が形成され、振動装置５３０の製造時にはんだ付けが容易でないため、本明細書の例によるコイル５３５は、放熱のためのアルミニウム層（又は第1金属層）、およびアルミニウム層を囲む金属外皮層（または第2金属層）を含むことができる。例えば、金属外皮層は銅（Cu）、銀（Ag）、および金（Au）のいずれかの材質を含むことができる。例えば、コイル５３５は、銅で覆われたアルミニウム（copper clad aluminum wire）であり得る。金属外皮層は、第1金属層の外側に薄膜形態に形成されるので、コイル５３５の重量増加に大きな影響を与えないことがあり得る。このような本明細書の例によるコイル５３５は、銅材質または銅線のみからなるコイルより約60％程度の重量が減少し得る。
【０１１４】
本明細書のいくつかの例によると、ボビン５３４は、パルプまたは紙を加工した材質、アルミニウムやマグネシウムまたはその合金、ポリイミド（polyimide）などの合成樹脂などで形成された構造物であり得る。例えば、ボビン５３４は、コイル５３５で発生する熱による表示パネル１１０の局部的な画質不良を防止するために、相対的に放熱特性に優れ、相対的に軽いポリイミドフィルム（polyimide film）で実現し得る。
【０１１５】
ポリイミドフィルムは、氷点下273℃から摂氏400℃まで幅広い温度範囲で物性が変わらず、耐熱性、電気絶縁性、柔軟性、および不燃性などの特徴を有している。そして、ポリイミドフィルムは、熱的および機械的強度に優れていてボビン５３４の信頼性を向上させることができ、優れた放熱特性により、ボビン５３４の振動による熱の発生を減らすことができる効果がある。例えば、ポリイミドフィルムは、KAPTONであり得、パイロメリティックジアンハイドライド（pyromellitic dianhydride）と4,4'-オキシジアニリン（4,4'-oxydianiline）の縮合であり得る。
【０１１６】
センターポール５３３は、ボビン５３４に収容しまたは挿入してボビン５３４の昇降をガイドする。例えば、センターポール５３３は、ボビン５３４の内部に収容または挿入することによってセンターポール５３３の外周面は、ボビン５３４によって囲まれている。センターポール５３３は、昇降ガイドまたはポールピース（pole pieces）などで表現することができ、用語に限定されるものではない。
【０１１７】
エッジフレーム５３６は、ベースプレート５３１の前面の端に設置されてダンパー５３７を支持する。本明細書のいくつかの例によるエッジフレーム５３６は、ボビン５３４と同じ形態を有するようにベースプレート５３１の前面の端に一定の高さに形成し得る。本明細書の他の実施例によると、エッジフレーム５３６は、ベースプレート５３１の前面の端に一定の高さに形成されてボビン５３４と同じ形態を有する中空部を含むことができる。
【０１１８】
ダンパー５３７は、エッジフレーム５３６と磁気回路ユニットの間に配置するか、または連結することができる。例えば、ダンパー５３７は、エッジフレーム５３６とボビン５３４の間に連結することができる。ダンパー５３７は、スパイダー（spider）、サスペンション（suspension）、またはエッジ（edge）などの他の用語で表現することができ、用語に限定されるものではない。
【０１１９】
本明細書のいくつかの例によるダンパー５３７の一端（または一部分）は、エッジフレーム５３６と連結することができ、ダンパー５３７の他端（または他の部分）は、ボビン５３４の上部外側面と連結することができる。ダンパー５３７は、一端と他端の間に蛇腹構造で構成されてボビン５３４の上下運動によって収縮および弛緩しながらボビン５３４の振動を調節する。このようなダンパー５３７は、ボビン５３４とエッジフレーム５３６の間に連結することによって復元力を介してボビン５３４の振動距離を制限する。例えば、ボビン５３４が一定の距離以上に振動し、または一定の距離以下に振動する場合、ボビン５３４は、ダンパー５３７の復元力によって元の位置に原状復帰することができる。
【０１２０】
振動装置５３０は、表示モジュール１００と背面カバー３００の間に介在するので、表示装置の薄い厚みまたはスリム化のために、相対的に薄い厚さを有していなければならず、これにより、ボビン５３４の高さ（または厚さ）が低くなる場合、音圧が低くなる問題がある。そこで、本明細書の発明者らはボビン５３４の高さが低くなることに起因する音圧が低くなる問題点を解決するために、ボビン５３４の周辺に配置されたダンパー５３７の面積を広くする構造を設計した。ダンパー５３７の面積を大きくする場合、コイル５３５に電流を印加する配線の配置スペースが狭くなるので、配線とダンパー５３７の干渉が発生することを認識した。それでいくつかの実験を通じて、ダンパー５３７を導電体で構成してダンパー５３７が配線の機能を兼ねることができるように構成した。
【０１２１】
本明細書のいくつかの例によるダンパー５３７は、コイル５３５に電気的に接続した金属材質を含むことができる。例えば、ダンパー５３７は、ステンレス鋼（stainless steel）または銅（Cu）などで構成することができ、これに限定されるものではない。
【０１２２】
本明細書のいくつかの例に係る振動装置５３０は、ボビン保護部材５３８をさらに含むことができる。
【０１２３】
ボビン保護部材５３８は、ボビン５３４の前面（または先端部）に配置してボビン５３４の昇降（または振動）を表示モジュール１００の背面に伝達する。本明細書のいくつかの例によるボビン保護部材５３８は、ボビン５３４の前面に付着したリング形状、ボビン５３４の前面全体を覆う円板形状、またはボビン５３４の前面と上部外側面を包むキャップ形状を有することができる。ボビン保護部材５３８は、ボビンリングなどで表現することができ、用語に限定されるものではない。
【０１２４】
本明細書の一実施例に係る音響発生モジュール５００は、連結部材５５０をさらに含むことができる。
【０１２５】
連結部材５５０は、モジュール構造物５１０と表示モジュール１００の間に介在する。本明細書のいくつかの例による連結部材５５０は、モジュール構造物５１０の前面端部と表示モジュール１００の背面の端部の間に介在し得る。例えば、連結部材５５０は、両面テープまたは両面フォームテープであり得、これに限定されるものではない。連結部材５５０は、モジュール構造物５１０と表示モジュール１００の間に振動装置５３０を囲む振動空間を設けることができる。振動空間は、音圧空間、響胴、響き部、共鳴筒、または共鳴部で表現することもでき、用語に限定されるものではない。
【０１２６】
本明細書の実施例に係る音響発生モジュール５００は、振動伝達部材５７０をさらに含むことができる。
【０１２７】
振動伝達部材５７０は、連結部材５５０と振動装置５３０のそれぞれに連結しまたは結合して、振動装置５３０の振動によって振動して、振動装置５３０の振動を表示モジュール１００に伝達することができる。
【０１２８】
本明細書のいくつかの例によると、振動伝達部材５７０の背面の端部または背面の周辺部分は、連結部材５５０によって連結しまたは結合して、振動伝達部材５７０の背面中央部分は、振動装置５３０のボビン５３４の前面と結合し、または振動装置５３０のボビン保護部材５３８と結合することができる。
【０１２９】
本明細書のいくつかの例による振動伝達部材５７０は、アルミニウム（Al）、マグネシウム（Mg）合金、マグネシウム・リチウム（Mg-Li）合金、およびアルミニウム（Al）合金のいずれかまたは複数の材質からなり得、これに限定されるものではない。例えば、マグネシウム合金は、アルミニウムと亜鉛（Zn）およびマンガン（Mn）のうち少なくとも1つを含むことができる。マグネシウム合金は、スピーカーの振動板として用いることができる金属材料中の最軽量の材料であり、相対的に高い比剛性（強度/比重）と相対的に高い振動減衰能（振動を吸収して振動を徐々に小さくする能力）を有し、温度と時間の変化に対する寸法安定性が優れているという特性を有する。
【０１３０】
本明細書のいくつかの例によると、振動伝達部材５７０の前面は、第2部材４３０（またはモジュール接着部材）を介して表示モジュール１００の背面に結合しまたは連結することができる。
【０１３１】
第2部材４３０は、表示モジュール１００と振動伝達部材５７０の間に介在した両面接着部材であり得る。両面接着部材は、両面テープまたは両面フォームテープであり得、これに限定されるものではない。このような第2部材４３０の一面（または前面）は、表示モジュール１００の背面に配置しまたは結合して、第2部材４３０の他面（または背面）は、振動伝達部材５７０の前面に配置しまたは結合する。例えば、第2部材４３０の一面は、上部保護シートが剥離された状態で表示モジュール１００の背面に配置し、または固定することができる。
【０１３２】
本明細書のいくつかの例によると、第2部材４３０は、音響発生モジュール５００と表示モジュール１００の間の組立やすさのために、一つの部品としてモジュール化された音響発生モジュール５００の最上面に結合（またはモジュール化）されていて、上部保護シートによって保護し得る。たとえば、上部保護シートは、上部剥離シートまたはトップライナー（top liner）などで表現することができるが、用語に限定されるものではない。
【０１３３】
例えば、振動伝達部材５７０と第2部材４３０のそれぞれは、すべて省略することができる。例えば、音響発生モジュール５００は、連結部材５５０と振動装置５３０のそれぞれと結合するか連結した上部保護シートを含むことができる。上部保護シートは、連結部材５５０と振動装置５３０それぞれに結合しまたは連結して音響発生モジュール５００の前面全体を覆うことで一つの部品にモジュール化された音響発生モジュール５００のモジュール化工程の以後の輸送過程では、音響発生モジュール５００の振動装置５３０と連結部材５５０それぞれが外部に露出することを防止し、ほこりなどの異物が音響発生モジュール５００の内部に浸透することを防止する。このような上部保護シートは、音響発生モジュール５００と表示モジュール１００間の組立工程の直前に音響発生モジュール５００から剥離することができる。
【０１３４】
したがって、本明細書の実施例に係る音響発生モジュール５００は、モジュール構造物５１０と振動装置５３０が一つの部品にモジュール化された状態で表示モジュール１００と背面カバー３００の間に介在することによって、表示モジュール１００を振動板にして表示パネル１１０の振動による音響（PVS）を出力し、表示装置の最外郭背面に露出しないので表示装置の背面外観デザインを向上させることができる。
【０１３５】
図3Bおよび図3Cを参照すると、振動装置５３０とモジュール構造物５１０の間には、接着部材５２２を配置し得る。接着部材５２２は、両面テープ、両面フォームテープ、両面パッド、両面フォームパッド、およびボンドの中の1つ以上であり得、これに限定されるものではない。接着部材５２２で構成する場合、ネジ、またはナットおよびボルトと比較して組立工程が簡略化され得、ネジ、またはナットおよびボルトで締結するためのホールやプレートの延長部が必要なくなるので、よりスリムな振動装置を提供することができる。振動装置の説明は、図3Aで説明した内容と同じなので、ここでは説明を省略する。
【０１３６】
図3Bを参照すると、振動装置５３０は、非対称的に配置し得る。非対称に配置する場合、特定の周波数でのディープ現象を改善することができる。例えば、振動装置５３０を基準に上下左右からの定在波が発生することになる場合、上下左右からのディープ現象が発生することになるが、非対称的に配置する場合、上下左右での定在波が同時に発生する現象を減らすことができる。これにより、ディープ現象を改善することができるので、音響特性をより向上させることができる。
【０１３７】
図3Dおよび図3Eを参照すると、背面カバー３００は、第1背面カバー３１０および第2背面カバー３５０を含むことができる。第1背面カバー３１０および第2背面カバー３５０は、図2で説明した内容と同じなので、ここでは説明を省略する。
【０１３８】
図3Dを参照すると、振動装置５３０は、第1背面カバー３１０との間に収容し得る。例えば、第1背面カバー３１０の一部を除去した部分に振動装置５３０を配置することができる。第1背面カバー３１０と振動装置５３０は、接着部材５２２によって付着し得る。接着部材５２２は、振動装置５３０と第2背面カバー３５０の間に配置し得る。他の例としては、接着部材５２２は、振動装置５３０と第1背面カバー３１０の間に、さらに配置することもできる。例えば、接着部材５２２は、ベースプレート５３１の延長部５３１aと第1背面カバー３１０の間に、さらに配置し得る。接着部材５２２は、両面テープ、両面フォームテープ、両面パッド、両面フォームパッド、およびボンドの中の1つ以上であり得、これに限定されるものではない。第1背面カバー３１０の一部を除去し、除去した第1背面カバー３１０の領域に振動装置５３０を配置することで、振動装置５３０の厚さを減らすことができ、これにより、表示装置の厚さを減らすことができる。また、振動装置５３０と第1背面カバー３１０および/または第2背面カバー３５０が隣接するように配置する場合、振動装置５３０の振動時に異常振動が発生し得るので、間隔または距離（D）を置いて離隔することができる。例えば、振動装置５３０は、第1背面カバー３１０および/または第2背面カバー３５０との間隔または距離（D）を置いて離隔し得る。例えば、間隔または距離（D）は、1mm以上であり得、これに限定されるものではない。
【０１３９】
図3Eを参照すると、振動装置５３０は、第1背面カバー３１０と第2背面カバー３５０との間に収容し得る。例えば、振動装置５３０のベースプレート５３１を外函化することができる。振動装置５３０のベースプレート５３１は、第1背面カバー３１０と第2背面カバー３５０の間に配置し得る。第1背面カバー３１０と振動装置５３０の間には、接着部材５２２を配置し得る。例えば、接着部材５２２は、ベースプレート５３１の延長部５３１aと第1背面カバー３１０の一側に配置し得る。接着部材５２２は、両面テープ、両面フォームテープ、両面パッド、両面フォームパッド、およびボンドの中の1つ以上であり得、これに限定されるものではない。振動装置５３０のベースプレート５３１を外函化して構成することで、振動装置５３０の厚さを減らすことができ、これにより表示装置の厚さを減らすことができる。また、振動装置５３０と、第1背面カバー３１０および第2背面カバー３５０が隣接するように配置する場合、振動装置５３０の振動時に異常振動が発生し得るので、間隔または距離（D）を置いて離隔し得る。例えば、振動装置５３０は、第1背面カバー３１０および第2背面カバー３５０との間隔または距離（D）を置いて離隔し得る。例えば、間隔または距離（D）は、1mm以上であり得、これに限定されるものではない。
【０１４０】
図4は、図3A〜図3Eに示した連結部材を示す図である。
【０１４１】
図3A〜図3E、および図4を参照して説明すると、本明細書のいくつかの例による連結部材５５０は、第1〜第4連結部５５１、５５２、５５３、５５４を含むことができる。第1〜第4連結部５５１、５５２、５５３、５５４は、第1〜第4結合部であり得、用語に限定されるものではない。
【０１４２】
第1〜第4連結部５５１、５５２、５５３、５５４のそれぞれは、一定の幅と長さを有するライン形態を有し、モジュール構造物５１０と振動伝達部材５７０の間に配置される。
【０１４３】
本明細書のいくつかの例によると、図4に示したモジュール構造物５１０の平面図に基づいて、モジュール構造物５１０は、第1前面端（edge or periphery）部分（または左側辺）、第1前面端部分と平行な第2前面端部分（または右側辺）、第1および第2前面端部分のそれぞれの一側（または一部分）間の第3前面端部分（または上側辺）、および第3前面端部分と平行で第1および第2前面端部分のそれぞれの他側（または他の部分）間の第4前面端部分（または下側辺）を含むことができる。
【０１４４】
第1連結部５５１はモジュール構造物５１０の第1前面端部分に配置し、第2接続部５５２はモジュール構造物５１０の第2前面端部分に配置し、第3接続部５５３はモジュール構造物５１０の第3前面端部分に配置し、第4接続部５５４はモジュール構造物５１０の第4前面端部分に配置し得る。
【０１４５】
第1〜第4連結部５５１、５５２、５５３、５５４のそれぞれは、モジュール構造物５１０の各角の部分から分離した構造を有することができる。例えば、第1〜第4連結部５５１、５５２、５５３、５５４のそれぞれは、分離されていない四角（例えば、四角形）帯形態を有することができ、例えば、連結部材５５０を形成するするための原材料から連結部材５５０を除いた残りの部分の材料が浪費されることによって材料費が上昇することになる。
【０１４６】
第1〜第4連結部５５１、５５２、５５３、５５４それぞれの一部は、モジュール構造物５１０の各角部分に隣接した接続部５５１、５５２、５５３、５５４と接触するように配置することにより、連結部材５５０によって定義される振動空間で発生する音波が外部に漏洩することを最小限に抑えることができる。
【０１４７】
第1〜第4連結部５５１、５５２、５５３、５５４のうちの少なくとも一つは、振動装置５３０に向いたベント部（bent portion）５５３a、５５４aを含むことができる。
【０１４８】
振動装置５３０によって表示モジュール１００が振動して発生する音波は、振動装置５３０の中心部から放射状に広がりながら進行する。この音波を進行波（progressive wave）とすることができるが、この進行波が放射状に広がりながら進行して、連結部材５５０で反射して、進行波と逆方向に進行する反射波（reflected wave）を形成することになる。この反射波は、進行波と重畳および干渉して、重畳した音波が進行できないで一定の位置に停滞している定在波（standing wave）を形成することになる。この定在波によって音圧が減少して音響出力特性が悪くなり得る。これにより、ベント部５５３a、５５４aは、反射波と進行波の干渉によって発生する定在波による音圧の減少現象を減らすために、連結部材５５０に構成する。例えば、ベント部５５３a、５５４aは、第1〜第4連結部５５１、５５２、５５３、５５４のうち進行波と反射波の大きさが大きな地点または最も強い音波が到着する少なくとも一つの連結部に構成することができる。例えば、ベント部５５３a、５５４aは、振動装置５３０の中心部を向くように、例えば、振動装置５３０の中心部の延長線（EL）上に位置することにより、定在波による音圧の減少現象を最小限に抑えることができる。
【０１４９】
本明細書のいくつかの例によると、ベント部５５３a、５５４aは、第3および第4連結部５５３、５５４に構成し得る。また、ベント部５５３a、５５４aは、表示装置の水平方向（または横方向）（X）に対して一定の傾斜角（θ）を有することができる。本明細書のいくつかの例によるベント部５５３a、５５４aの傾斜角（θ）は、定在波の抑制の必要量によって異なることができ、例えば、10度〜30度に可変して設定し得る。例えば、振動装置５３０が低音域帯の音響を出力し、または振動装置５３０の出力が大きい時は、ベント部５５３a、５５４aは、相対的に大きな傾斜角（θ）を有することができる。例えば、振動装置５３０が高音域帯の音響を出力し、または振動装置５３０の出力が小さい時は、ベント部５５３a、５５４aは、相対的に小さな傾斜角（θ）を有することができる。
【０１５０】
第3および第4連結部５５３、５５４のそれぞれは、ベント部５５３a、５５４aを基準に左右対称の構造を有することができる。ベント部５５３a、５５４aは、振動装置５３０の中心部の延長線（EL）上で開いた構造を有することができるが、必ずしもこれに限定されず、「∨」字形態の塞がった構造を有することができる。ベント部５５３a、５５４aが振動装置５３０の中心部の延長線（EL）上で開いた構造を有する場合、塞がった構造を有する場合よりも材料費を削減することができる利点がある。そして、音響特性の実験によると、ベント部５５３a、５５４aが振動装置５３０の中心部の延長線（EL）上で開いた構造を有する場合と塞がった構造を有する場合に、音響特性の差が微々またはないことを確認した。
【０１５１】
そして、ベント部５５３a、５５４aは、第1および第2連結部５５１、５５２にも、同一または類似に適用することができる。
【０１５２】
第1〜第4連結部５５１、５５２、５５３、５５４のうちの少なくとも一つは、振動装置５３０に向かう少なくとも一つの突出部５５５、５５６を含むことができる。例えば、少なくとも一つの突出部５５５、５５６は、振動装置５３０の中心部を向くように、第1および第2連結部５５１、５５２それぞれに構成し得る。このような少なくとも一つの突出部５５５、５５６は、反射波をトラップすることができるので、定在波によるピークやディップを低減させ、それにより、音圧の減少現象を最小限に抑えることができる。
【０１５３】
図5Aおよび図5Bは、本明細書の一実施例に係る振動装置のダンパー構造を説明するための図である。
【０１５４】
図5Aは、シングルタイプ（single type）構造の振動装置を示す図であり、図5Bは、ツインタイプ（twin type）構造の振動装置を示す図である。ツインタイプの構造は、2アレイ（two array）構造で表現することもできる。本明細書による一つの振動装置は、2アレイ以上の構造で構成することができ、例えば、4アレイ構造または6アレイ構造で構成し得る。
【０１５５】
図3A〜図3E、および図5Aを参照して説明すると、本明細書の実施例に係る振動装置５３０において、ダンパー５３７は、ベースプレート５３１上に配置されたエッジフレーム５３６とボビン５３４の間に連結する。
【０１５６】
ダンパー５３７は、配線の役割をするように構成されるので、正極性電源（またはプラスボイス信号）を受信する第1ダンパー５３７−１、および負極性電源（またはマイナスボイス信号）を受信する第2ダンパー５３７−２を含むことができる。
【０１５７】
例えば、ダンパー５３７は、横方向（X）を基準に上下に分割することができ、例えば、ボビン５３４の中心部を通る横方向（X）の中心線を基準に、第1ダンパー５３７−１は、中心線の上の部分に配置され、第2ダンパー５３７−２は、中心線の下の部分に配置し得る。例えば、第1ダンパー５３７−１は、第1配線端子５３０pに電気的に接続し、第2ダンパー５３７−２は、第2配線端子５３０mに電気的に接続することができる。配線端子５３０p、５３０mは、配線パッドなどで表現することができ、用語に限定されるものではない。例えば、第1配線端子５３０pは、+（plus）端子であり得、第2配線端子５３０mは、-（minus）端子であり得る。
【０１５８】
本明細書のいくつかの例によると、第1ダンパー５３７−１と第2ダンパー５３７−２のそれぞれは、内側部５３７a、外側部５３７b、および複数のダンピング部５３７cを含むことができる。
【０１５９】
内側部５３７aは、半円形状（または楕円形）を有しボビン５３４と結合しまたは連結することができる。例えば、半円形状（または楕円形）を有する内側部５３７aの中心部は、ボビン５３４の中心部と同じであり得る。第1ダンパー５３７−１と第2ダンパー５３７−２それぞれの内側部５３７aは、ボビン５３４の中心部を通る横方向（X）の中心線上で互いに離隔（または分離）することにより電気的に互いに分離される。
【０１６０】
外側部５３７bは、内側部５３７aを囲むように半円形状（または楕円形）を有し、エッジフレーム５３６に配置するか、または結合することができる。例えば、半円形状（または楕円形）を有する外側部５３７bの中心部は、ボビン５３４の中心部と同じであり得る。第1ダンパー５３７−１と第2ダンパー５３７−２それぞれの外側部５３７bは、ボビン５３４の中心部を通る横方向（X）の中心線上で互いに離隔（または分離）することにより電気的に互いに分離される。
【０１６１】
複数のダンピング部５３７cのそれぞれは、一定の距離または間隔（または等間隔）を有するように内側部５３７aと外側部５３７bの間に連結される。本明細書のいくつかの例による複数のダンピング部５３７cのそれぞれは、S字型またはジグザグ形状を有することができる。このような複数のダンピング部５３７cのそれぞれは、ボビン５３４の上下振動による内側部５３７aの上下運動によって収縮および弛緩しながらボビン５３４の振動を調節する。ここで、複数のダンピング部５３７cのそれぞれは、エッジフレーム５３６とボビン５３４間の最短距離よりも相対的に長い距離を有し、これにより振動装置５３０の厚さを減少させてマグネット５３２の性能を向上させるために、ダンパー５３７の長さを長く設定することができる。
【０１６２】
本明細書のいくつかの例によると、複数のダンピング部５３７cのそれぞれの一端（または一部分）は、内側部５３７aに連結する。たとえば、複数のダンピング部５３７cそれぞれの一端（または一部分）と内側部５３７aとの間の連結部分は曲面形態に丸めることで、該当するダンピング部５３７cの上下運動に伴うダンピング部５３７cの破れを防止することができる。
【０１６３】
図3A〜図3E、および図5Bを参照して説明すると、本明細書の他の実施例に係る振動装置５３０は、ベースプレート５３１上に配置された2つのサブ振動装置５３０a、５３０bを含むことができる。このような2つのサブ振動装置５３０a、５３０bを含む振動装置５３０は、ツインタイプ（twin type）の振動装置と表現することができ、用語に限定されるものではない。
【０１６４】
ツインタイプの振動装置５３０において、2つのサブ振動装置５３０a、５３０bのそれぞれのダンパー５３７は、並列に連結することができる。 2つのサブ振動装置５３０a、５３０bのそれぞれのダンパー５３７は、配線の役割をするように構成されるので、正極性電源（またはプラスボイス信号）を受信する第1ダンパー５３７−１、および負極性電源（またはマイナスボイス信号）を受信する第2ダンパー５３７−２を含むことができる。
【０１６５】
本明細書のいくつかの例によると、2つのサブ振動装置５３０a、５３０bそれぞれのダンパー５３７は、横方向（X）を基準に上下に分割することができ、例えば、ボビン５３４の中心部を通る横方向（X）の中心線を基準として、第1ダンパー５３７−１は、中心線の上の部分に配置し、第2ダンパー５３７−２は、中心線の下の部分に配置することができる。例えば、第1ダンパー５３７−１は、第1配線端子５３０pに電気的に接続し、第2ダンパー５３７−２は、第2配線端子５３０mに電気的に接続することができる。
【０１６６】
本明細書のいくつかの例によると、第1ダンパー５３７−１と第2ダンパー５３７−２のそれぞれは、内側部５３７a、外側部５３７b、および複数のダンピング部５３７cを含むことができる。これらの第1ダンパー５３７−１と第2ダンパー５３７−２のそれぞれは、図5Aで説明した内容と同様であるため、これに対する重複説明は省略する。
【０１６７】
2つのサブ振動装置５３０a、５３０bそれぞれの第1ダンパー５３７−１は、ベースプレート５３１の中間領域で互いに電気的に接続し、2つのサブ振動装置５３０a、５３０bそれぞれの第2ダンパー５３７−２もベースプレート５３１の中間領域で互いに電気的に接続する。これにより、2つのサブ振動装置５３０a、５３０bそれぞれのダンパー５３７は、並列接続することができる。
【０１６８】
本明細書の他の形態に係る振動装置５３０において、第1配線端子５３０pと第2配線端子５３０mそれぞれは、信号ケーブル（または信号伝送部材）を介してオーディオアンプ（またはオーディオ処理部）と電気的に接続することができる。これにより、ベースプレート５３１上に露出する第1配線端子５３０pと第2配線端子５３０mそれぞれの位置は、信号ケーブルとの容易な電気的接続のためにベースプレート５３１の角の部分に変更し得る。
【０１６９】
他の実施例に係る振動装置５３０は、第1〜第4ブラケット５３９a、５３９b、５３９c、５３９dをさらに含むことができる。
【０１７０】
第1〜第4ブラケット５３９a、５３９b、５３９c、５３９dのそれぞれは、ベースプレート５３１のそれぞれの側面に配置するか、または結合することができる。例えば、第1ブラケット５３９aは、ベースプレート５３１の第1側面（または第1短辺）に配置し、第2ブラケット５３９bは、ベースプレート５３１の第2側（または第2短辺）に配置し、第3ブラケット５３９cは、ベースプレート５３１の第3側面（または第1長辺）に配置し、第4ブラケット５３９dは、ベースプレート５３１の第4側面（または第2長辺）に配置し得る。
【０１７１】
第1〜第4ブラケット５３９a、５３９b、５３９c、５３９dのそれぞれは、モジュール一体化部材５２０によって、モジュール構造物５１０に固定することにより、ベースプレート５３１をモジュール構造物５１０上に配置するか、または固定する。
【０１７２】
一例として、第1〜第4ブラケット５３９a、５３９b、５３９c、５３９dのそれぞれは、両面テープのようなモジュール一体化部材５２０を介して、モジュール構造物５１０に固定しまたは配置することができる。例えば、モジュール構造物５１０と向き合う第1〜第4ブラケット５３９a、５３９b、５３９c、５３９dのそれぞれの一面は、両面テープとの接着面積を増加させるために平坦面構造からなり得る。
【０１７３】
別の例として、第1〜第4ブラケット５３９a、５３９b、５３９c、５３９dのそれぞれは、接着剤（またはボンド）などのモジュール一体化部材５２０を介して、モジュール構造物５１０に配置するか、または固定し得る。例えば、モジュール構造物５１０と向き合う第1〜第4ブラケット５３９a、５３９b、５３９c、５３９dのそれぞれの一面は、接着剤の流れを拘束して流れあふれることを防止するための複数のリブパターン（RP）を有する凹凸構造からなり得る。
【０１７４】
別の例として、第1〜第4ブラケット５３９a、５３９b、５３９c、５３９dのそれぞれは、複数のネジのようなモジュール一体化部材５２０によって、モジュール構造物５１０に配置するか、または固定することができる。例えば、モジュール構造物５１０と向き合う第1〜第4ブラケット５３９a、５３９b、５３９c、５３９dのそれぞれは、少なくとも一つのネジが貫通する少なくとも一つのホール（SH）を含むことができる。
【０１７５】
第1〜第4ブラケット５３９a、５３９b、５３９c、５３９dのそれぞれは、基本的に、少なくとも一つのホール（SH）を含むことができ、モジュール一体化部材５２０を用いた振動装置５３０とモジュール構造物５１０間のモジュール化工程による互換性のために、第1〜第4ブラケット５３９a、５３９b、５３９c、５３９dのそれぞれの一面は、平坦面構造または凹凸構造を含むことができる。
【０１７６】
図6は、本明細書の他の実施例に係る音響発生モジュールを示す図である。
【０１７７】
図6は、図3A〜図3Eに示した実施例に係る音響発生モジュールに放熱構造を追加で構成したものである。これにより、以下の説明では、音響発生モジュールの放熱構造と関連する構成を除いた残りの同一の構成に対する説明は、簡略化しまたは省略する。
【０１７８】
図2および図6を参照して説明すると、本明細書の他の実施例に係る音響発生モジュール５００は、モジュール構造物５１０と振動装置５３０を含む。
【０１７９】
モジュール構造物５１０は、音響発生モジュール５００のベース構造物であって、第1部材４１０を介して、背面カバー３００に配置するか、または固定する。モジュール構造物５１０は、振動装置５３０と重畳するホーム５１０hを含む。
【０１８０】
本明細書の一実施例に係るホーム５１０hは、モジュール構造物５１０を垂直方向（Z）に垂直貫通するように形成して振動装置５３０の背面を背面カバー３００に露出させる。例えば、ホーム５１０hは、円、楕円、または多角形態を有することができ、これに限定されるものではない。ホーム５１０hは、貫通口またはホールなどで表現することができ、用語に限定されるものではない。
【０１８１】
本明細書の一実施例によると、ホーム５１０hは、振動装置５３０の背面よりも小さい大きさを有することができる。例えば、例えば、本明細書の一実施例に係るホーム５１０hは、振動装置５３０から発生する熱が背面カバー３００に向かって進行する熱放出通路であり得る。
【０１８２】
本明細書の他の実施例によると、ホーム５１０hは、振動装置５３０の背面の一部が収容可能なまたは挿入可能な大きさを有することができる。例えば、ホーム５１０hは、振動装置５３０の背面の一部を収容する収容ホールであり得、振動装置５３０から発生する熱が背面カバー３００の方に進行する熱放出通路を兼ねることができる。また、本明細書の他の実施例に係るホーム５１０hは、振動装置５３０の背面と背面カバー３００間の距離を減少させ、熱の放出効率を増加させることができる。
【０１８３】
このように、モジュール構造物５１０は、ホーム５１０hをさらに含むことを除いて、残りの構造は、図3A〜図3Eに示したモジュール構造物と同様であるため、これに対する重複説明は省略する。
【０１８４】
振動装置５３０は、モジュール構造物５１０のホーム５１０hと重畳するようにモジュール一体化部材５２０を介して、モジュール構造物５１０に配置するか、または一体化し得る。このような振動装置５３０は、表示モジュール１００の背面と接触するように配置されたアクチュエータ（またはエキサイター）を含む。例えば、アクチュエータからなる振動装置５３０は、ベースプレート５３１、マグネット５３２、センターポール５３３、ボビン５３４、コイル５３５、エッジフレーム５３６、ダンパー５３７ 、および中空部５３０hを含むことができる。
【０１８５】
ベースプレート５３１および中空部５３０hを除いた残りの振動装置５３０の構成は、図3A〜図3Eに示した振動装置と同様であるため、これに対する重複説明は省略する。
【０１８６】
本明細書の一実施例に係るベースプレート５３１の背面は、モジュール構造物５１０のホーム５１０hの上に位置することができる。例えば、モジュール構造物５１０のホーム５１０hがベースプレート５３１の大きさよりも小さい大きさを有するとき、ベースプレート５３１の最背面は、モジュール構造物５１０に安着してホーム５１０h上に位置することができる。
【０１８７】
本明細書の他の実施例によると、ベースプレート５３１の背面は、モジュール構造物５１０のホーム５１０h内に挿入しまたは収容し得る。例えば、モジュール構造物５１０のホーム５１０hがベースプレート５３１の大きさと同じか大きい大きさを有するとき、ベースプレート５３１の背面の一部は、モジュール構造物５１０のホーム５１０hに挿入しまたは収容し得る。例えば、ベースプレート５３１の最背面は、モジュール構造物５１０のホーム５１０hを通過して、モジュール構造物５１０の最背面の外部に突出せず、モジュール構造物５１０のホーム５１０h内部に位置することができる。これにより、音響発生モジュール５００の厚さは、モジュール構造物５１０のホーム５１０hに収容しまたは挿入されているベースプレート５３１の収容高さ（または深さ）または挿入高さ（または深さ）だけ減らすことができるので、音響発生モジュールをスリム化することができる。
【０１８８】
ベースプレート５３１の延長部５３１a（またはブラケット５３９a、５３９b、５３９c、５３９d）およびモジュール一体化部材５２０のうちの少なくとも一つは、ベースプレート５３１の背面の一部がモジュール構造物５１０のホーム５１０hに収容しまたは挿入されるように実現される。例えば、ベースプレート５３１の延長部５３１a（またはブラケット５３９a、５３９b、５３９c、５３９d）は、ベースプレート５３１の背面の一部がモジュール構造物５１０のホーム５１０hに収容または挿入されるようにベースプレート５３１の背面から最大限離間しているベースプレート５３１の上側面から延長し、または相対的に薄い厚さを有することができる。そして、モジュール一体化部材５２０の厚さは、ベースプレート５３１の背面の一部分をモジュール構造物５１０のホーム５１０hに収容しまたは挿入することができる範囲内で設定するか可変することができる。
【０１８９】
中空部５３０hは、モジュール構造物５１０のホーム５１０hと重畳するようにベースプレート５３１とマグネット５３２およびセンターポール５３３それぞれを垂直方向（Z）に貫通することができる。中空部５３０hは、振動装置５３０の駆動によって発生する熱が背面カバー３００の方に放出される熱放出通路であり得、振動装置５３０の駆動に伴う音圧を増加させることができ、振動装置５３０の重量を減少させることができる。また、連結部材５５０によって設けられる振動空間が密閉される場合、限られた密閉空間により振動装置５３０の駆動によって発生する音圧が不足することがあり得るが、振動空間が中空部５３０hにより外部に連通することで、振動装置５３０の駆動によって振動空間に発生する音圧が増加することができる。
【０１９０】
本明細書のいくつかの例によると、振動装置５３０は、モジュール構造物５１０のホーム５１０hと重畳しながらベースプレート５３１に形成された複数のプレートホール５３１hをさらに含むことができる。複数のプレートホール５３１hは、ベースプレート５３１を垂直方向（Z）に貫通することにより、ボビン５３４およびマグネット５３２のうちの少なくとも一つと重畳することができる。例えば、マグネット５３２と重畳するプレートホール５３１hは、振動装置５３０の製造過程で詰まる可能性があるので、プレートホール５３１hは、ボビン５３４と重畳するベースプレート５３１に形成し得る。たとえば、複数のプレートホール５３１hのそれぞれは、ベースプレート５３１の背面に放射状に形成し得るが、これに限定されるものではない。プレートホール５３１hは、通気ホール（vent hole）とも表現することができるが、用語に限定されるものではない。このような複数のプレートホール５３１hは、振動装置５３０に発生する熱をさらに放熱させ得る。
【０１９１】
したがって、本明細書の他の実施例に係る音響発生モジュール５００は、モジュール構造物５１０に形成されたホーム５１０hおよび振動装置５３０に形成された中空部５３０hとプレートホール５３１hを含むことにより、放熱機能が向上し得、振動装置５３０の駆動によって振動空間に発生する音圧が増加することができる。
【０１９２】
図7は、図6に示した本明細書の他の実施例に係る音響発生モジュールの背面を覆う背面カバーを示す図である。
【０１９３】
図7は、音響発生モジュールと重畳する背面カバーに複数のホール（または通気孔）をさらに構成したものである。これにより、以下の説明では、複数のホールに関連する構成を除いた残りの同一構成の重複説明は簡略かするかまたは省略する。
【０１９４】
図2、図6および図7を参照して説明すると、本明細書の他の実施例に係る背面カバー３００は、音響発生モジュール５００と重畳する複数のホール３００hを含むことができる。
【０１９５】
複数のホール３００hのそれぞれは、背面カバー３００の第2背面カバー３５０と第1背面カバー３１０の両方を厚さ方向（Z）に沿って垂直貫通するように形成して振動装置５３０と重畳することができる。
【０１９６】
複数のホール３００hは、振動装置５３０に形成された中空部５３０hと重畳するように放射状に配置し得る。本明細書のいくつかの例による複数のホール３００hは、振動装置５３０に形成された中空部５３０hの中心部を基準に一定の距離、または間隔（または等間隔）を有するように放射状に配置することができる。たとえば、複数のホール３００hは、振動装置５３０に形成された中空部５３０hと同心円形態をなす複数の同心円それぞれの円周上に一定の間隔を有するように離隔し得る。
【０１９７】
本明細書のいくつかの例によると、複数のホール３００hのそれぞれは、表示装置のクリーンバックデザインを低下させない範囲内で設定された一定の幅と一定の長さを有することができる。複数のホール３００hのそれぞれが、背面カバー３００から容易に識別可能な大きさのライン形態またはホール形態を有している場合、表示装置のクリーンバックデザインが実現されなくなる。それで、複数のホール３００hのそれぞれは、表示装置の外部の空気が音響発生モジュール５００の内部または振動装置５３０に形成された中空部５３０hに出入りすることができる程度の大きさを有することにより、表示装置のクリーンバックデザインを低下させない。
【０１９８】
図8は、図1に示した線I-I’の概略的な他の断面図であって、これは本明細書の他の実施例に係る表示装置を示す図である。
【０１９９】
図1および図8を参照して説明すると、本明細書の他の実施例に係る表示装置は、表示モジュール１００と背面カバー３００との間に1つの音響発生モジュール５００を含む。
【０２００】
表示モジュール１００と背面カバー３００のそれぞれは、図2、および図3A〜図3Eに示した表示モジュールと背面カバーと、それぞれ同様であるため、これに対する重複説明は省略する。
【０２０１】
1つの音響発生モジュール５００は、図2、および図3A〜図3Eに示した第1および第2音響発生モジュール５００−１，５００−２を一つの部品にモジュール化して構成することができる。
【０２０２】
本明細書のいくつかの例によると、一つの音響発生モジュール５００は、モジュール構造物１５１０、第1振動装置５３０−１、および第2振動装置５３０−２を含む。
【０２０３】
モジュール構造物１５１０は、第1部材４１０（または第1モジュール固定部材）を介して、背面カバー３００に配置または固定する。モジュール構造物１５１０の背面は、背面カバー３００によって完全に覆われることによって表示装置の最外郭背面に直接に露出しないで隠蔽される。このようなモジュール構造物１５１０は、図2、および図3A〜図3Eに示した第1および第2音響発生モジュール５００−１，５００−２それぞれのモジュール構造物５１０が一つの板状構造で構成されたことを除いては、図2、および図3A〜図3Eに示したモジュール構造物と同様であるため、これに対する重複説明は省略する。
【０２０４】
第1振動装置５３０−１は、モジュール構造物１５１０の第1領域上に配置するか、または固定して表示モジュール１００、例えば、表示パネル１１０の第1領域（または左側の領域）を振動させる。例えば、第1振動装置５３０−１は、モジュール一体化部材５２０を介して、モジュール構造物１５１０の第1領域に配置または固定しまたは一体化することができる。本明細書のいくつかの例によると、第1振動装置５３０−１は、モジュール構造物１５１０の第1領域の正中央部に配置するか、またはモジュール構造物１５１０の第1領域で端（または周辺）の部分の方に偏るように配置し得る。
【０２０５】
第2振動装置５３０−２は、モジュール構造物１５１０の第2領域上に配置するか、または固定して表示モジュール１００、例えば、表示パネル１１０の第2領域（または右側領域）を振動させる。例えば、第2振動装置５３０−２は、モジュール一体化部材５２０を介して、モジュール構造物１５１０の第2領域に配置または固定しまたは一体化することができる。本明細書のいくつかの例によると、第2振動装置５３０−２は、モジュール構造物１５１０の第2領域の正中央部に配置するか、またはモジュール構造物１５１０の第2領域で端（または周辺）の部分の方に偏るように配置し得る。例えば、第2振動装置５３０−２は、モジュール構造物１５１０の中心部を基準に、第1振動装置５３０−１と対称に配置し得る。
【０２０６】
第1および第2振動装置５３０−１、５３０−２のそれぞれは、単一のモジュール構造物１５１０上に一緒に配置することを除いては、図2、および図3A〜図3Eに示した振動装置と同じなので、これに対する重複説明は省略する。そして、第1および第2振動装置５３０−１、５３０−２のそれぞれは、図5Aに示したシングルタイプの構造を有するか、図5Bに示したツインタイプの構造を有することができる。
【０２０７】
図8に示した一つの音響発生モジュール５００は、2つの振動装置５３０−１、５３０−２を含む例を示したが、必ずしもこれに限定されず、3つ以上の振動装置を含むことことができ、この場合、表示装置は、一つの音響発生モジュール５００に内蔵された3つ以上の振動装置それぞれの振動によって3チャンネル以上のステレオ音響（PVS）を出力することができる。
【０２０８】
1つの音響発生モジュール５００は、連結部材５５０およびパーティション部材５６０をさらに含むことができる。
【０２０９】
連結部材５５０は、モジュール構造物１５１０と表示モジュール１００との間に介在し得る。例えば、連結部材５５０は、モジュール構造物１５１０の端（または周辺）部分と表示モジュール１００との間に介在し得る。例えば、連結部材５５０は、モジュール構造物１５１０上に配置するか、または固定された複数の振動装置５３０−１、５３０−２を全体的に取り囲むように構成し得る。
【０２１０】
パーティション部材５６０は、モジュール構造物１５１０上に固定された複数の振動装置５３０−１、５３０−２間に配置し、モジュール構造物１５１０の第1領域と第2領域を空間的に分離する。例えば、パーティション部材５６０は、モジュール構造物１５１０の第1領域と第2領域間の中央領域に互いに並んで配置された第1および第2パーティション５６１、５６２を含むことができる。第1および第2パーティション５６１，５６２は、モジュール構造物１５１０の第1領域と第2領域のそれぞれで発生する振動による表示モジュール１００、例えば、表示パネル１１０の第1および第2領域での中高音の共鳴振動数の差に起因する音響特性の影響を減少させることができる。
【０２１１】
1つの音響発生モジュール５００は、振動伝達部材１５７０および第2部材４３０をさらに含むことができる。
【０２１２】
振動伝達部材１５７０は、連結部材５５０とパーティション部材５６０および複数の振動装置５３０−１、５３０−２のそれぞれに配置するか、または結合して、複数の振動装置５３０−１、５３０−２それぞれの振動によって振動して、複数の振動装置５３０−１、５３０−２それぞれの振動を表示モジュール１００、例えば、表示パネル１１０に伝達する。振動伝達部材１５７０は、パーティション部材５６０と、複数の振動装置５３０−１、５３０−２それぞれと追加で結合することを除いては、図2、および図3A〜図3Eに示した振動装置と同じなので、これに対する重複説明は省略する。
【０２１３】
第2部材４３０は、表示モジュール１００と振動伝達部材５７０との間に介在した両面接着部材であり得る。両面接着部材は、両面テープまたは両面フォームテープであり得、これに限定されるものではない。このような第2部材４３０は、図2、および図3A〜図3Eに示した第2部材４３０と同様であるため、これに対する重複説明は省略する。
【０２１４】
したがって、本明細書の他の実施例に係る表示装置は、単一のモジュール構造物１５１０と、複数の振動装置５３０−１、５３０−２が一つの部品にモジュール化された単一の音響発生モジュール５００を含むことにより、モジュール間の組立工程で音響発生モジュール５００の組立性がさらに改善され、これにより、表示装置の生産歩留まりがさらに向上し得る。
【０２１５】
図9は、図8に示した連結部材およびパーティション部材を示す図である。
【０２１６】
図8および図9を参照して説明すると、本明細書の一実施例に係る連結部材５５０は、第1〜第4連結部１５５１、１５５２、１５５３，１５５４を含むことができる。
【０２１７】
第1〜第4連結部１５５１、１５５２、１５５３，１５５４のそれぞれは、モジュール構造物１５１０の前面の端（または周辺）部分と表示モジュール１００との間に介在し、またはモジュール構造物１５１０の前面端（または周辺）部分と振動伝達部材１５７０との間に配置し得る。
【０２１８】
本明細書のいくつかの例によると、第1〜第4連結部１５５１、１５５２、１５５３，１５５４のそれぞれは、一定の幅と長さを有するライン形態を有することができる。
【０２１９】
本明細書のいくつかの例によると、図9に示したモジュール構造物１５１０の平面図に基づいて、モジュール構造物１５１０は、第1前面の端（または周辺）部分（または左辺）、第1前面の端（または周辺）部分と平行な第2前面の端（または周辺）部分（または右側辺）、第1および第2前面の端（または周辺）部分それぞれの一側（または一部分）との間の第3前面の端（または周辺）部分（または上側辺）、および第3前面の端（または周辺）部分と平行な第1および第2前面の端（または周辺）部分それぞれの他側（または他の部分）との間の第4前面の端（または周辺）部分（または下側辺）を含むことができる。
【０２２０】
第1接続部１５５１は、モジュール構造物１５１０の第1前面端部分に配置し、第2接続部１５５２は、モジュール構造物１５１０の第2前面端部分に配置し、第3接続部１５５３は、モジュール構造物１５１０の第3前面端部分に配置し、第4接続部１５５４は、モジュール構造物１５１０の第4前面端部分に配置し得る。
【０２２１】
第1〜第4連結部１５５１、１５５２、１５５３，１５５４のそれぞれは、モジュール構造物５１０の各角の部分から分離した構造を有することができる。例えば、第1〜第4連結部１５５１、１５５２、１５５３，１５５４のそれぞれは、分離していない四角（例えば、四角形）帯形態を有することができ、例えば、連結部材５５０を形成するするための原材料から連結部材５５０を除いた残りの部分の材料が浪費になることによって材料費が上昇することになる。
【０２２２】
第1〜第4連結部１５５１、１５５２、１５５３，１５５４それぞれの一部は、モジュール構造物１５１０の各角部分で隣接した第1〜第4連結部１５５１、１５５２、１５５３，１５５４と接触するように配置することにより、連結部材５５０によって定義される振動空間で発生する音波が外部に漏洩することを減らし、または最小限に抑えることができる。
【０２２３】
第1〜第4連結部１５５１、１５５２、１５５３，１５５４のうちの少なくとも一つは、該当する第1および第2振動装置５３０−１、５３０−２に向かう複数のベント部１５５３a、１５５４aを含むことができる。
【０２２４】
複数のベント部１５５３a、１５５４aそれぞれは、第1〜第4連結部１５５１、１５５２、１５５３，１５５４の中で進行波と反射波の大きさが大きな地点または最も強い音波が到着する少なくとも一つの連結部に構成し得る。たとえば、複数のベント部１５５３a、１５５４aのそれぞれは、該当する第1および第2振動装置５３０−１、５３０−２の中心部を向くように、該当する第1および第2振動装置５３０−１、５３０−２の中心部の延長線（EL）上に位置することにより、定在波による音圧の減少現象を最小限に抑えることができる。
【０２２５】
本明細書のいくつかの例によると、複数のベント部１５５３a、１５５４aそれぞれは、第3および第4接続部１５５３、１５５４のうち少なくとも一つに構成し得る。そして、複数のベント部１５５３a、１５５４aそれぞれは、表示装置の水平方向（または横方向）（X）に対して一定の傾斜角（θ）を有することができる。本明細書のいくつかの例による複数のベント部１５５３a、１５５４aそれぞれの傾斜角（θ）は、定在波の抑制の必要量によって異なり得、例えば、10度〜30度に可変して設定し得る。
【０２２６】
複数のベント部１５５３a、１５５４aのそれぞれは、該当する第1および第2振動装置５３０−１、５３０−２の中心部の延長線（EL）上で開いた構造を有することができるが、必ずしもこれに限定されず、「∨」字形態の塞がった構造を有することができる。
【０２２７】
また、複数のベント部１５５３a、１５５４aそれぞれは、第1および第2接続部１５５１、１５５２のうちの少なくともいずれか一つにも同じか類似に適用することができる。
【０２２８】
第1〜第4連結部１５５１、１５５２、１５５３，１５５４のうちの少なくとも一つは、該当する第1および第2振動装置５３０−１、５３０−２に向かう少なくとも一つの第1突出部５５５，５５６を含むことができる。例えば、少なくとも一つの第1突出部５５５，５５６は、該当する第1および第2振動装置５３０−１、５３０−２の中心部を向くように、第1および第2接続部１５５１、１５５２それぞれに構成することができる。このような少なくとも一つの第1突出部５５５、５５６は、反射波をトラップすることができ、定在波によるピークやディップを低減させ、それによって音圧の減少現象を最小限に抑えることができる。
【０２２９】
パーティション部材５６０は、モジュール構造物１５１０の第1領域と第2領域との間の中央領域で互いに並んで配置された第1および第2パーティション５６１、５６２を含むことができる。
【０２３０】
第1および第2パーティション５６１、５６２のそれぞれは、第1および第2接続部１５５１、１５５２のそれぞれと平行するように、第3および第4接続部１５５３、１５５４との間に配置される。例えば、第1および第2パーティション５６１、５６２のそれぞれは、第1〜第4連結部１５５１、１５５２、１５５３，１５５４のそれぞれと同じ幅を有することができるが、これに限定されるものではない。
【０２３１】
第1および第2パーティション５６１、５６２のそれぞれの一側（または一部分）先端は、第3連結部１５５３と接触し、または非接触状態で近接することができる。第1および第2パーティション５６１、５６２それぞれの他側（他の部分）先端は、第4接続部１５５４と接触し、または非接触状態で近接することができる。このような第1および第2パーティション５６１、５６２は、モジュール構造物１５１０の第1領域と第2領域のそれぞれで発生する振動による表示モジュール１００、例えば、表示パネル１１０の第1および第2領域での中高音の共鳴振動数の差に起因する音響特性の影響を減少させることができる。
【０２３２】
本明細書のいくつかの例による第1および第2パーティション５６１、５６２のそれぞれは、少なくとも一つの第2突出部５６３，５６４を含むことができる。
【０２３３】
本明細書のいくつかの例によると、第1パーティション５６１に含また少なくとも一つの第2突出部５６３は、第1振動装置５３０−１の中心部を向くように、第1パーティション５６１に構成することができる。第2パーティション５６２に含また少なくとも一つの第2突出部５６４は、第2振動装置５３０−２の中心部を向くように、第2パーティション５６２に構成することができる。このような少なくとも一つの第2突出部５６３，５６４のそれぞれは、反射波をトラップすることができ、定在波によるピークやディップを低減させ、それによって、音圧の減少現象を最小限に抑えることができる。
【０２３４】
図10は、図1に示した線I-I’の他の断面図である。図11は、図10に示した背面カバーを示す図である。
【０２３５】
図10は、本明細書の実施例に係る背面カバーにモジュール収容部を追加で構成したものである。これにより、以下の説明では、モジュール収容部とこれに関連する構成を除いた残りの同じ構成に対する重複説明は省略または簡略にする。
【０２３６】
図10および図11を参照して説明すると、本明細書の実施例に係る背面カバー３００は、少なくとも一つの音響発生モジュール５００を収容する少なくとも一つのモジュール収容部３７０をさらに含む。
【０２３７】
少なくとも一つのモジュール収容部３７０は、背面カバー３００の第1背面カバー３１０に形成し、第2背面カバー３５０によって覆われる。例えば、少なくとも一つのモジュール収容部３７０は、背面カバー３００の第1背面カバー３１０を厚さ方向（Z）に沿って垂直に貫通するように形成し、第2背面カバー３５０によって覆われる。少なくとも一つのモジュール収容部３７０は、表示装置の厚さをスリム化して表示装置のクリーンバックデザインのために、第1背面カバー３１０にのみ形成して第2背面カバー３５０に形成しないことにより、背面カバー３００の外部に露出しない。少なくとも一つのモジュール収容部３７０は、背面カバー３００を完全に貫通しないので、モジュール収容溝とも表現することができる。少なくとも一つのモジュール収容部３７０は、モジュール挿入部、モジュール挿入溝、モジュール収納部、モジュール収納溝、またはホームなどで表現することもできるが、用語に限定されるものではない。
【０２３８】
本明細書のいくつかの例によると、背面カバー３００は、第1音響発生モジュール５００−１と第2音響発生モジュール５００−２がそれぞれ収容配置される2つのモジュール収容部３７０を含むことができる。
【０２３９】
本明細書のいくつかの例によると、2つのモジュール収容部３７０のそれぞれは、該当する音響発生モジュール５００が収容可能な大きさを有する。そして、2つのモジュール収容部３７０のそれぞれは、音響発生モジュール５００の全体の高さよりも低い高さ（または深さ）を有することができる。2つのモジュール収容部３７０のそれぞれは、第1背面カバー３１０を貫通して形成されるので、第1背面カバー３１０の厚さは、音響発生モジュール５００の全体の高さよりも低い高さ（または深さ）を有することができる。第1背面カバー３１０の厚さが音響発生モジュール５００の全体の高さよりも厚い場合、表示モジュール１００と背面カバー３００との間に配置されるギャップ空間（GS）の高さ不足によって、振動装置５３０の駆動によって振動する表示モジュール１００と第1背面カバー３１０間の物理的な接触により所望の音響が発生しないか、または摩擦音のようなノイズが発生し得る。これにより、第1背面カバー３１０の厚さ、またはモジュール収容部３７０の高さ（または深さ）は、振動装置５３０の駆動によって振動する表示モジュール１００と第1背面カバー３１０間の物理的な接触を防止することができる範囲内で設定することができる。
【０２４０】
本明細書のいくつかの例によると、少なくとも一つの音響発生モジュール５００は、第1部材４１０（またはモジュール固定部材）を介して、モジュール収容部３７０によって露出した第2背面カバー３５０に配置し、表示モジュール１００の背面に配置することを除いては、図2〜図5Bに示した音響発生モジュールと同様であるため、これに対する重複説明は省略する。
【０２４１】
本明細書の他の実施例によると、背面カバー３００は、図8および図9に示した単一の音響発生モジュール５００が収容配置される1つのモジュール収容部３７０を含むことができる。この場合にも、一つのモジュール収容部３７０は、背面カバー３００の第1背面カバー３１０を厚さ方向（Z）に沿って垂直に貫通するように形成され、第2背面カバー３５０によって覆われる。
【０２４２】
したがって、本明細書の他の実施例に係る表示装置は、少なくとも一つの音響発生モジュール５００が背面カバー３００に形成されたモジュール収容部３７０に収容配置されることで、モジュール収容部３７０の高さ（または深さ）だけ、厚さが減少し得、モジュール収容部３７０の大きさだけ重量が減少し得る。本明細書の他の実施例に係る表示装置は、音響発生モジュール５００が背面カバー３００に配置されたモジュール収容部３７０に収容配置されることにより、音響発生モジュール５００と背面カバー３００間の組立工程が単純になり得る。
【０２４３】
他の例としては、背面カバー３００は、少なくとも一つのモジュール収容部３７０と重畳する複数のホール３００hを含む。
【０２４４】
複数のホール３００hのそれぞれは、背面カバー３００の第2背面カバー３５０を厚さ方向（Z）に沿って垂直に貫通するように形成されて、少なくとも一つのモジュール収容部３７０と連通（または連結）する。複数のホール３００hは、少なくとも一つのモジュール収容部３７０に収容配置された音響発生モジュール５００と重畳するように放射状に配置し得る。このような複数のホール３００hのそれぞれの形状と大きさは、表示装置のクリーンバック設計のため、図7の説明が同様に適用されるので、これに対する重複説明は省略する。
【０２４５】
図12は、本明細書の他の実施例に係る表示装置を示す図である。図13は、図12に示した線II-II’の断面図である。
【０２４６】
図12および図13は、図10および図11に示した表示装置で音響発生モジュールの構造を変更したものである。これにより、以下の説明では、音響発生モジュールを除いた残りの構成に対する重複説明は省略または簡略にする。
【０２４７】
図12および図13を参照して説明すると、本明細書の他の実施例に係る表示装置は、表示モジュール１００と背面カバー３００間に配置され、表示モジュール１００を振動させる少なくとも一つの音響発生モジュール５００を含み、少なくとも一つの音響発生モジュール５００は、背面カバー３００に設けられた少なくとも一つのモジュール収容部３７０に収容配置される。
【０２４８】
背面カバー３００に設けられた少なくとも一つのモジュール収容部３７０は、図10および図11に示したモジュール収容部と同様であるため、これに対する重複説明は省略する。
【０２４９】
少なくとも一つの音響発生モジュール５００は、一つの部品としてモジュール化した状態で背面カバー３００に設けられた少なくとも一つのモジュール収容部３７０に収容配置される。本明細書のいくつかの例による少なくとも一つの音響発生モジュール５００は、背面カバー３００の第1背面カバー３１０に設けられた少なくとも一つのモジュール収容部３７０に収容して、第1背面カバー３１０の前面に支持される。例えば、少なくとも一つの音響発生モジュール５００は、一側が開口し枠を有する箱構造を有することができる。このような少なくとも一つの音響発生モジュール５００は、表示モジュール１００を直接的に振動させることで表示モジュール１００、例えば、表示パネル１１０の振動による音響（PVS）を発生させる。
【０２５０】
本明細書の一実施例によると、音響発生モジュール５００の背面中央部は、モジュール収容部３７０を通過して第1部材４１０（またはモジュール固定部材）を介して第2背面カバー３５０に配置または固定される。音響発生モジュール５００の枠の部分（または境界部分）は、第1背面カバー３１０の前面に支持（または安着）され、連結部材５５０を介して表示モジュール１００、例えば表示パネル１１０の背面と配置または結合し、または連結部材５５０を介して表示モジュール１００の最背面に配置された熱拡散部材１５０の背面に配置または結合する。
【０２５１】
本明細書の他の実施例によると、音響発生モジュール５００は、複数のネジによって第2背面カバー３５０に配置するか、または固定することができる。例えば、音響発生モジュール５００の枠の部分（または境界部分）は、複数のネジによって第1背面カバー３１０に配置するか、または締結し得る。たとえば、複数のネジのそれぞれは、連結部材５５０と音響発生モジュール５００の枠の部分を貫通して第1背面カバー３１０に配置するか、または締結し得る。
【０２５２】
本明細書の他の実施例によると、音響発生モジュール５００は、ボルトとナットによって第2背面カバー３５０に配置するか、または固定することができる。ナットは、音響発生モジュール５００の枠部分と重畳する第1背面カバー３１０の前面に配置するか、または固定する。ボルトは、連結部材５５０と音響発生モジュール５００の枠の部分を貫通してナットに締結し得る。本明細書の一実施例に係るナットは、第1背面カバー３１０の前面に固定されたセルフクリンチングナットであり得る。
【０２５３】
したがって、本明細書の他の実施例に係る表示装置は、少なくとも一つの音響発生モジュール５００を背面カバー３００に形成されたモジュール収容部３７０に収容配置することで、モジュール収容部３７０の高さ（または深さ）だけ、厚さを減少することができ、モジュール収容部３７０の大きさだけ重量を減少することができる。本明細書の他の実施例に係る表示装置は、音響発生モジュール５００を背面カバー３００に形成されたモジュール収容部３７０に収容配置することにより、音響発生モジュール５００と背面カバー３００との間の組み立て工程が単純になり得る。
【０２５４】
図14は、図12および図13に示した音響発生モジュールを示す図である。図15は、図14に示したモジュール構造を示す図である。
【０２５５】
図12〜図15を参照して説明すると、本明細書の他の実施例に係る音響発生モジュール５００は、モジュール構造物２５１０、振動装置５３０、連結部材５５０、およびモジュール接着部材４５０を含む。
【０２５６】
モジュール構造物２５１０は、背面カバー３００に形成したモジュール収容部３７０に収容配置して振動装置５３０を配置し、または固定（または支持）する。本明細書のいくつかの例によると、モジュール構造物２５１０は、フォーミング可能な金属材質からなり得る。
【０２５７】
本明細書のいくつかの例によるモジュール構造物２５１０は、枠部（または境界部）５１１、底部５１３、および傾斜部５１５を含むことができる。枠部５１１は、第1部、底部５１３は第2部、および傾斜部５１５は第3部で表現することができ、用語に限定されるものではない。
【０２５８】
枠部５１１は、四角（例えば、四角形）帯の形態を有し、モジュール収容部３７０に接した背面カバー３００、例えば、第1背面カバー３１０の前面に支持（または安着）する。例えば、枠部５１１は、モジュール構造物２５１０を形成するための母材である金属プレートの枠の部分（または端部または境界部分）になり得る。
【０２５９】
底部５１３は、モジュール収容部３７０によって露出した背面カバー３００の第2背面カバー３５０に配置するか、または固定する。例えば、底部５１３は、モジュール収容部３７０を通過して第1部材４１０（またはモジュール固定部材）を介して第2背面カバー３５０に配置するか、または固定することができる。
【０２６０】
傾斜部５１５は、枠部５１１と底部５１３間に傾斜するように形成することで、底部５１３上に収納空間を定義する。例えば、底部５１３と傾斜部５１５は、金型を用いた成形工程により金属プレートの枠の部分を除いた残りの部分が、背面カバー３００の方に突出した構造を有することができる。底部５１３と傾斜部５１５は、振動装置５３０を収納するための収納部、フォーミング部、またはポケット部などで表現することでき、用語に限定されるものではない。
【０２６１】
本明細書のいくつかの例によると、傾斜部５１５の高さ（H）または底部５１３の背面と枠部５１１の背面との間の高さ（H）は、第1背面カバー３１０の高さと同じか低いことがあり得る。傾斜部５１５の高さ（H）が、第1背面カバー３１０の高さよりも高い場合には、枠部５１１が第1背面カバー３１０の前面に安定的に支持されず、傾斜部５１５の一部と枠部５１１が第1背面カバー３１０の前面上に突出することにより、傾斜部５１５の一部と枠部５１１が表示モジュール１００の振動によって振動する問題点が発生し得る。これにより、枠部５１１が第1背面カバー３１０の前面に安定的に支持（または安着）するように傾斜部５１５の高さ（H）または底部５１３の背面と枠部５１１の背面との間の高さ（H）は、第1背面カバー３１０の高さと同じか低く設定しなければならない。
【０２６２】
振動装置５３０は、モジュール構造物２５１０の収納空間に収納される。本明細書のいくつかの例に係る振動装置５３０は、モジュール構造物２５１０の底部５１３に配置するか、または固定して表示モジュール１００、例えば、表示パネル１１０を振動させることができる。振動装置５３０は、モジュール一体化部材５２０を介して、モジュール構造物２５１０に配置または固定しまたは一体化し、これにより、振動装置５３０とモジュール構造物２５１０は、一つの部品としてモジュール化される。
【０２６３】
本明細書のいくつかの例に係る振動装置５３０は、電気的信号によって表示モジュール１００を振動させることができる任意の音響機器または振動発生装置を含むことができる。本明細書のいくつかの例によると、振動装置５３０は、表示モジュール１００の背面と接触するように配置されたアクチュエータ（またはエキサイター）を含む。例えば、アクチュエータからなる振動装置５３０は、ベースプレート５３１、マグネット５３２、センターポール５３３、ボビン５３４、コイル５３５、エッジフレーム５３６、およびダンパー５３７を含み、これは、図2〜図5Bに示した振動装置に関連する説明と同様であるため、これに対する重複説明は省略することにする。
【０２６４】
本明細書のいくつかの例に係る振動装置５３０の最上面は、モジュール構造物２５１０の枠部５１１と同じ水平線上（HL）に位置するか、枠部５１１の最上面延長線上に突出することことができる。例えば、振動装置５３０の最上面は枠部５１１の最上面延長線（HL）の下に位置して、モジュール構造物２５１０の収納空間に完全に収納された場合には、振動装置５３０を表示モジュール１００の背面と結合させ、または連結させる難しさがある。これにより、単純なモジュールの配置工程だけで、振動装置５３０を表示モジュール１００の背面と結合させ、または連結させるために、振動装置５３０の最上面は枠部５１１の最上面延長線（HL）上に突出し得る。
【０２６５】
連結部材５５０は、モジュール構造物２５１０の枠部５１１と表示モジュール１００の背面との間に介在することで表示モジュール１００の背面と背面カバー３００との間にギャップスペース（GS）を設け、モジュール構造物２５１０を表示モジュール１００の背面に配置し、または結合する。
【０２６６】
本明細書のいくつかの例によると、連結部材５５０の一面（または前面）は、表示モジュール１００、例えば、表示パネル１１０または表示パネル１１０の背面に結合している熱拡散部材１５０の背面に配置するか、または結合し、連結部材５５０の他面（または背面）は、モジュール構造物２５１０の枠部５１１に配置するか、または結合する。例えば、連結部材５５０は、両面テープまたは両面フォームテープであり得、これに限定されるものではない。連結部材５５０は、モジュール構造物２５１０と表示モジュール１００との間に振動装置５３０を囲む振動空間を設ける。
【０２６７】
モジュール接着部材４５０は、表示モジュール１００と振動装置５３０との間に介在した両面接着部材であり得る。両面接着部材は、両面テープまたは両面フォームテープであり得、これに限定されるものではない。モジュール接着部材４５０の一面（または前面）は、表示モジュール１００、例えば、表示パネル１１０または表示パネル１１０の背面に配置されている熱拡散部材１５０の背面に配置するか結合し、モジュール接着部材４５０の他面（または背面）は、振動装置５３０のボビン５３４またはボビン保護部材５３８に配置するか、または結合する。
【０２６８】
他の例としては、表示パネル１１０の背面に結合するか、または配置されている熱拡散部材１５０は、音響発生モジュール５００に一体化することができる。例えば、熱拡散部材１５０は、音響発生モジュール５００の連結部材５５０とモジュール接着部材４５０のそれぞれと結合するか配置されて音響発生モジュール５００の前面をカバーすることで一つの部品にモジュール化された音響発生モジュール５００のモジュール化工程後の輸送過程では、音響発生モジュール５００の振動装置５３０と連結部材５５０およびモジュール接着部材４５０それぞれが外部に露出することを防止して、ホコリなどの異物が音響発生モジュール５００の内部に浸透することを防止することができる。
【０２６９】
本明細書の他の実施例に係る音響発生モジュール５００は、振動装置５３０と重畳するようにモジュール構造物２５１０の底部５１３に設けられたホーム、ホームと重畳するように振動装置５３０のベースプレート５３１とマグネット５３２およびセンターポール５３３のそれぞれを垂直方向（Z）に貫通する中空部、およびベースプレート５３１に形成されて振動装置５３０のマグネット５３２とボビン５３４のそれぞれと重畳する複数のプレートホールの少なくとも一つをさらに含むことができる。例えば、ホームと中空部および、複数のプレートホールそれぞれは、図6に示した音響発生モジュール５００のホーム５１０hと中空部５３０hおよび、複数のプレートホール５３１hのそれぞれと実質的に対応するので、これに対する重複説明は省略する。例えば、図6に示した音響発生モジュール５００のホーム５１０hと中空部５３０hおよび、複数のプレートホール５３１hのそれぞれは、図14に示した音響発生モジュールの対応する構成と同じか、同様に適用することができる。
【０２７０】
図16Aは、本明細書の実施例に係る音響発生モジュールのモジュール構造物の背面を示した図である。図16Bは、本明細書の実施例に係る音響発生モジュールのモジュール構造物に配置された振動装置およびボイス信号ケーブルを示す図である。
【０２７１】
図16Aおよび図16Bを参照して説明すると、本明細書の実施例に係るモジュール構造物２５１０は、ホーム５１０hおよび、複数のケーブルホール５１７（またはケーブル通過ホール）を含む。
【０２７２】
ホーム５１０hは、振動装置５３０と重畳するようにモジュール構造物２５１０の底部５１３を垂直方向（Z）に貫通して形成される。ホーム５１０hは、振動装置５３０の背面の一部を収納することができる。例えば、ホーム５１０hは、振動装置５３０のベースプレート５３１と対応する四角（例えば、四角形）形態を有することができ、これに限定されない。例えば、ホーム５１０hは、円形か楕円形態を有することもできる。
【０２７３】
本明細書のいくつかの例によるホーム５１０hは、振動装置５３０の配線端子５３０p、５３０mをモジュール構造物２５１０の背面に露出させる。
【０２７４】
複数のケーブルホール５１７のそれぞれは、ホーム５１０hの各角部分から一定の大きさと形状を有するように延長され、ホーム５１０hの各角部分と連通する。たとえば、複数のケーブルホール５１７のそれぞれは、ホーム５１０hに露出した振動装置５３０の配線端子５３０p、５３０mに電気的に接続するボイス信号ケーブル５９０がモジュール構造物２５１０の収納空間の方に引き出される通路であり得る。これにより、ボイス信号ケーブル５９０は、ホーム５１０hに露出した振動装置５３０の配線端子５３０p、５３０mに電気的に接続した後、複数のケーブルホール５１７のうち該当するケーブルホール５１７を介してモジュール構造物２５１０の収納空間に引き出され、モジュール構造物２５１０の収納空間に引き出したボイス信号ケーブル５９０は、モジュール構造物２５１０の底部５１３と傾斜部５１５および枠部５１１を経由して、モジュール構造物２５１０の外部に引き出される。
【０２７５】
本明細書の実施例に係るモジュール構造物２５１０は、振動装置５３０の配線端子５３０p、５３０mに接続したボイス信号ケーブル５９０を収納することにより、一つの部品としてモジュール化した音響発生モジュール５００のモジュール化工程の後、輸送過程でボイス信号ケーブル５９０の断線などの不良を防止することができる。
【０２７６】
図17は、本明細書の実施例に係る背面カバーの背面を示した図である。
【０２７７】
図17は、音響発生モジュールにボイス信号を印加するボイス信号ケーブルの配置構造を説明するための図である。
【０２７８】
図12および図17を参照して説明すると、本明細書の実施例に係るボイス信号ケーブル５９０は、表示モジュール１００と音響発生モジュール５００との間に配置され、背面カバー３００に設けられたケーブル引き出し口３９０を介して外部に引き出すことができる。
【０２７９】
本明細書のいくつかの例によると、ボイス信号ケーブル５９０の一端（または一部分）は、該当する音響発生モジュール５００に設けられた配線端子に電気的に接続する。たとえば、ボイス信号ケーブル５９０の一端（または一部分）は、はんだ付けによって、対応する音響発生モジュール５００に設けられた配線端子と電気的に接続することができる。
【０２８０】
本明細書のいくつかの例によると、ボイス信号ケーブル５９０の他端（または他の部分）は、該当する音響発生モジュール５００の収納空間および表示モジュール１００および音響発生モジュール５００の間を経由して、該当する音響発生モジュール５００の収納空間の外部に引き出された後、表示モジュール１００と背面カバー３００との間を通って、ケーブル引き出し口３９０を通過して表示装置の外部に引き出すことことができる。図17において、点線の形態で表したボイス信号ケーブル５９０の一部分は、背面カバー３００によって隠されるので、背面カバー３００の背面から見えず、太い実線の形態で表したボイス信号ケーブル５９０の残りの部分は、ケーブル引き出し口３９０を通過して表示装置の外部に引き出しされるので、背面カバー３００の背面から見えるようになる。そして、ケーブル引き出し口３９０を介して引き出されたボイス信号ケーブル５９０は、表示装置の回路を覆う回路カバーまたはカバーシールドによって覆われる。
【０２８１】
したがって、本明細書の実施例に係る表示装置は、ボイス信号ケーブル５９０と音響発生モジュール５００が背面カバー３００によって覆われることによってクリーンバックデザインを有することができる。
【０２８２】
図18は、本明細書の他の実施例に係る表示装置を示す図である。図19は、図18に示した線III-III’の断面図である。図20は、図18に示した線III-III’の他の断面図である。図21は、図18に示した線III-III’の他の断面図である。
【０２８３】
図18および図19は、図12〜図17に示した表示装置を基に、本明細書の実施例に係る背面カバーの構造を変更したものである。これにより、以下では、背面カバーおよびこれに関連する構成を除く構成に対する重複説明は省略するか簡略に説明する。
【０２８４】
まず、図12〜図17に示した表示装置では、背面カバー３００は、一つの部品としてモジュール化された音響発生モジュール５００を収容または挿入する複数のモジュール収容部３７０を含む。表示装置の最終製品の構造によって、単一の音響発生モジュール５００のみを装着している表示装置の場合、1つのモジュール収容部３７０のみを含む背面カバー３００を用いる。また、表示装置の最終製品の構造によって音響発生モジュール５００を装着していない表示装置の場合、モジュール収容部３７０を含まない背面カバー３００を用いる。これにより、表示装置の最終製品の構造それぞれに対応する背面カバーを製作するのに多くの費用が発生し、これにより、表示装置の製造単価が増加する問題がある。これらの問題点を解決するために、本明細書の実施例に係る表示装置は、最終製品の構造に関係なく、共用で用いることができる背面カバーを含む。例えば、音響発生モジュール５００を含まない表示装置および音響発生モジュール５００を含む表示装置に関係なく、共用で用いることができる背面カバーを含むことにより、表示装置の最終製品に応じた背面カバーの製作にかかるコスト、例えば、金型コストを低減することができ、音響発生モジュールのモジュール化を通じ、最終製品の音響発生モジュールの配置有無に対する自由度を向上させることができる。
【０２８５】
図18および図19を参照して説明すると、本明細書の他の実施例に係る表示装置は、表示モジュール１００と背面カバー１３００の間に配置された第1〜第3音響発生モジュール５００−１、５００−２、５００−３を含む。
【０２８６】
表示モジュール１００は、図2、および図3A〜図3Eに示した表示モジュールと同様であるため、これに対する重複説明は省略する。
【０２８７】
背面カバー１３００は、共用背面カバーであって、複数のモジュール収容部３７０a、３７０b、３７０cを含む。複数のモジュール収容部３７０のそれぞれは、背面カバー１３００の中で、第1背面カバー３１０を垂直方向（Z）に貫通して形成される。例えば、背面カバー１３００は、表示モジュール１００の第1領域（または左側領域）と重畳する第1モジュール収容部３７０a、表示モジュール１００の第2領域（または右側領域）と重畳する第2モジュール収容部３７０b、および表示モジュール１００の第1領域と第2領域との間の第3領域（または中央領域）と重畳する第3モジュール収容部３７０cを含むことができる。
【０２８８】
第1〜第3音響発生モジュール５００−１、５００−２、５００−３のそれぞれは、複数のモジュール収容部３７０a、３７０b、３７０cのそれぞれに収容配置されて表示モジュール１００、例えば表示パネル１１０の第1〜第3領域それぞれを個別に振動させる。第1〜第3音響発生モジュール５００−１、５００−２、５００−３のそれぞれは、図3A〜図3E、図6、図10、図14〜図16Bに示した音響発生モジュールと同一であるので、これに対する重複説明は省略する。
【０２８９】
したがって、本明細書の他の実施例に係る表示装置は、第1〜第3音響発生モジュール５００−１、５００−２、５００−３のそれぞれの駆動による表示モジュール１００、例えば表示パネル１１０の振動によって、左側音響（LS）、右側音響（RS）、および中央音響（CS）による3チャンネルのステレオ音響を出力することができる。
【０２９０】
他の例としては、本明細書の他の実施例に係る表示装置は、最終製品の構造によって、第1〜第3音響発生モジュール５００−１、５００−２、５００−３の一部分を含めて、構成し得る。例えば、本明細書の他の実施例に係る表示装置は、第1〜第3音響発生モジュール５００−１、５００−２、５００−３の第3音響発生モジュール５００−３を含まずに、第1および第2音響発生モジュール５００−１，５００−２を含んで構成し得る。例えば、図18および図20に示すように、振動装置５３０を有する第1および第2音響発生モジュール５００−１，５００−２のそれぞれは、背面カバー１３００に設けられた第1および第2モジュール収容部３７０a、３７０bにそれぞれ収容配置して表示モジュール１００、例えば、表示パネル１１０の第1および第2領域のそれぞれを個別に振動させることで表示パネル１１０の第1および第2領域のそれぞれの振動によって、左側音響（LS）と右側音響（RS）による2チャンネルのステレオ音響を出力することができる。
【０２９１】
また、本明細書の他の実施例に係る表示装置は、背面カバー１３００に設けられた第3モジュール収容部３７０cに第3音響発生モジュール５００−３を収容または挿入せず、第3モジュール収容部３７０cを開放することで、第3モジュール収容部３７０cと重畳する表示モジュール１００と背面カバー１３００間のギャップ空間による音圧の変化に伴う問題点と第3モジュール収容部３７０cと重畳する表示モジュール１００での放熱特性が低下し得る。このような問題を防止するために、本明細書の他の実施例に係る表示装置は、カバー９００をさらに含むことができる。
【０２９２】
カバー９００は、第3音響発生モジュール５００−３を挿入（または収容）しないモジュール収容部を覆うためのカバー構造であり得る。本明細書のいくつかの例によるカバー９００は、音響発生モジュール５００−１、５００−２、５００−３のモジュール構造物２５１０と実質的に同じ構造で構成され、音響発生モジュール５００−１、５００−２、５００−３とは異なり、振動装置を含まないことがあり得る。例えば、カバー９００は、図15に示したモジュール構造物２５１０の枠部５１１、底部５１３、および傾斜部５１５を含むことができる。例えば、カバー９００の背面は、第1部材９１０（またはカバー固定部材）を介して第3モジュール収容部３７０cによって露出した第2背面カバー３５０に配置するか、または固定する。また、カバー９００の前面は、カバー接着部材９２０を介して表示モジュール１００の背面に連結する。これにより、カバー９００は、第3音響発生モジュール５００−３を収容していない第3モジュール収容部３７０cをカバーすることで、第3モジュール収容部３７０cの開放による問題を回避することができる。カバー９００は、ホールカバー（hole cover）、キャップ（cap）、またはリード（lid）などであり得、用語に限定されるものではない。
【０２９３】
他の例としては、本明細書の他の実施例に係る表示装置は、最終製品の構造によって、第1〜第3音響発生モジュール５００−１、５００−２、５００−３すべてを含まないように構成ことができる。例えば、図18および図21に示すように、本明細書の他の実施例に係る表示装置は、背面カバー３００に設けられた第1〜第3モジュール収容部３７０a、３７０b、３７０cに音響発生モジュール５００−１、５００−２、５００−３それぞれを収容せず、第1〜第3モジュール収容部３７０a、３７０b、３７０cそれぞれが開放されることで、第1〜第3モジュール収容部３７０a、３７０b、３７０cそれぞれと重畳する表示モジュール１００での放熱特性が低下し得る。このような問題を防止するために、本明細書の他の実施例に係る表示装置は、第1〜第3モジュール収容部３７０a、３７０b、３７０cのそれぞれに収容配置された第1〜第3カバー９００−１、９００−２、９００−３をさらに含む。
【０２９４】
第1〜第3カバー９００−１、９００−２、９００−３のそれぞれは、音響発生モジュール５００−１、５００−２、５００−３のモジュール構造物２５１０と実質的に同一構造で構成され、音響発生モジュール５００−１、５００−２、５００−３とは異なり、振動装置を含まない。例えば、第1〜第3カバー９００−１、９００−２、９００−３それぞれは、第1部材９１０（またはカバー固定部材）を介して、第1〜第3モジュール収容部３７０a、３７０b、３７０c のそれぞれによって露出した第2背面カバー３５０にそれぞれ配置するか、または固定する。そして、第1〜第3カバー９００−１、９００−２、９００−３それぞれの前面は、カバー接着部材９２０を介して表示モジュール１００の背面に配置するか、または結合する。これにより、第1〜第3カバー９００−１、９００−２、９００−３それぞれは、音響発生モジュール５００−１、５００−２、５００−３が収容または挿入されない第1〜第3モジュール収容部３７０a、３７０b、３７０cをそれぞれカバーすることで、第1〜第3モジュール収容部３７０a、３７０b、３７０cそれぞれの開放に起因する問題を防止することができる。したがって、本明細書の実施例に係る背面カバー１３００は、最終製品の構造によって音響発生モジュール５００−１、５００−２、５００−３とカバー９００を選択的に装着する複数のモジュール収容部３７０a、３７０b、３７０cを含むことにより、表示装置の最終的な製品構造にかかわらず、共用して用いることができる。
【０２９５】
図22は、本明細書の他の実施例に係る表示装置を示す図である。
【０２９６】
図22を参照すると、本明細書の他の実施例に係る表示装置は、背面カバー３００の背面に配置される少なくとも一つの音響発生モジュール５００を含むことができる。少なくとも一つの音響発生モジュール５００は、背面カバー３００に設けられた少なくとも一つのモジュール収容部３７０に収容配置し得る。少なくとも一つの音響発生モジュール５００は、背面カバー３００に付着することができる。
【０２９７】
背面カバー３００に設けられた少なくとも一つのモジュール収容部３７０は、図10および図11に示したモジュール収容部と同様であるため、これに対する重複説明は省略する。
【０２９８】
少なくとも一つの音響発生モジュール５００は、一つの部品としてモジュール化した状態で背面カバー３００に設けられた少なくとも一つのモジュール収容部３７０に収容配置し得る。本明細書のいくつかの例による少なくとも一つの音響発生モジュール５００は、背面カバー３００の第1背面カバー３１０に設けられた少なくとも一つのモジュール収容部３７０に収容して、第1背面カバー３１０の背面に支持し得る。例えば、少なくとも一つの音響発生モジュール５００は、一側を開口した枠（または境界）を有する箱構造を有することができる。少なくとも一つの音響発生モジュール５００は、表示モジュール１００を間接的に振動させることで表示モジュール１００、例えば表示パネル１１０の振動による音響（PVS）を発生させることができる。
【０２９９】
したがって、本明細書の他の実施例に係る表示装置は、少なくとも一つの音響発生モジュール５００を背面カバー３００に形成されたモジュール収容部３７０に収容配置することで、モジュール収容部３７０の高さ（または深さ）だけ、厚さを減少することができ、モジュール収容部３７０の大きさだけ、重量を減少することができる。本明細書の他の実施例に係る表示装置は、音響発生モジュール５００を背面カバー３００の背面に配置するので、音響発生モジュール５００と背面カバー３００間の組立工程が単純になり得る
【０３００】
図23A〜図23Dは、本明細書の他の実施例に係るプレートを示す図である。
【０３０１】
図23A〜図23Dを参照すると、プレートを振動板に適用して音響を発生させることができる。
【０３０２】
例えば、図23Aは、ガラス６０１であり得、ガラス６０１の背面に図3A〜図3E、図5、図6、図14〜図16Bの音響発生モジュールを配置して音響を出力することができるサウンドプレートを実現することができる。または、ガラス６０１の背面に後述する図24A〜図46Bの音響発生モジュールまたは音響発生装置を配置することができる。例えば、ガラス６０１は、額縁型で構成し得る。額縁には、写真または絵などが構成された額縁の背面に音響発生モジュールを構成して、写真や画像を見ながら音響を聞くことができる。
【０３０３】
他の例としては、図23Bに示すように、木６０２でサウンドプレートを実現することができる。例えば、木６０２の背面に図3A〜図3E、図5、図6、図14〜図16Bの音響発生モジュールを配置して音響を出力することができるサウンドプレートを実現することができる。または、木６０２の背面に後述する図24A〜図46Bの音響発生モジュールまたは音響発生装置を配置することができる。
【０３０４】
他の例としては、図23Cのように、プラスチック６０３でサウンドプレートを実現することができる。例えば、プラスチック６０３の背面に図3A〜図3E、図5、図6、図14〜図16Bの音響発生モジュールを配置して音響を出力することができるサウンドプレートを実現することができる。または、プラスチック６０３の背面に後述する図24A〜図46Bの音響発生モジュールまたは音響発生装置を配置することができる。
【０３０５】
他の例としては、図23Dのように、金属６０４でサウンドプレートを実現することができる。金属は、金属射出物などであり得、これに限定されるものではない。例えば、金属６０４の背面に図3A〜図3E、図5、図6、図14〜図16Bの音響発生モジュールを配置して音響を出力することができるサウンドプレートを実現することができる。または、金属６０４の背面に後述する図24A〜図46Bの音響発生モジュールまたは音響発生装置を配置することができる。
【０３０６】
他の例としては、プロジェクタースクリーンまたは映像再生装置、および/または図3A〜図3E、図5、図6、図14〜図16Bの音響発生モジュールを配置して音響を出力することができるので、ステレオ音響を使用者に提供することができる。他の例としては、ブルートゥース装置などの装置に図3a〜図3e、図5、図6、図14〜図16Bの音響発生モジュールを配置して音響を出力することができるので、音響を使用者に提供することができる。
【０３０７】
他の例としては、図23A〜図23Dとプロジェクタースクリーン、映像再生装置、またはブルートゥース装置などに後述する図24A〜図32Eのマルチチャンネルを有する音響発生モジュールを構成する場合、ステレオ音響および臨場感のある立体音響を使用者に提供することができる。
【０３０８】
他の例としては、図23A〜図23Dとプロジェクタースクリーン、映像再生装置、またはブルートゥース装置などに後述する図33〜図44Cのフィルム型または圧電複合体の音響発生モジュールを構成する場合、薄い厚さの振動装置を構成することができ、ステレオ音響および臨場感のある立体音響を使用者に提供することができる。
【０３０９】
したがって、本明細書による他の実施例によると、サウンドプレートとモジュール化された音響発生モジュールを適用することで、映像およびステレオ音響を提供して、使用者の没入感を向上させることができ、臨場感のある立体音響を提供することができる。
【０３１０】
図1〜図23Dを参照して説明した音響発生モジュールを表示装置に適用した場合、三つの領域のうちの少なくとも二つの領域に音響発生モジュールを構成することができる。例えば、音響発生モジュールは、表示装置の左側領域および右側領域に配置することができ、左右の音響を表示パネルの前方に出力し得る。例えば、表示パネルの左右方向の音響は出力し得るが、表示パネルの上下方向の音響は出力されない問題があることを認識した。表示パネルの上下方向の音響を向上させるために、複数の音響発生モジュールを配置することができるが、複数の音響発生モジュールを配置する場合、表示装置の厚さが厚くなる問題が生じる。また、立体音響を出力するための付加的なスピーカーを表示装置の周辺に配置することができる。スピーカーは、所望の周波数による使用者との距離を調整する必要があるので、使用者の位置または映像の位置によって、スピーカーを配置しなければなら問題があった。そこで、本明細書の発明者らは表示装置の厚さが厚くならず、映像にしたがった左右音響および上下音響を実現できる音響発生モジュールを実現するためにいくつかの実験を行った。複数の実験を通じて左右音響および上下音響を実現できる新しい構造の音響発生モジュールを含む表示装置を発明した。これに対して図24A〜図44Cを参照して説明する。
【０３１１】
図24Aおよび図24Bは、本明細書の実施例に係る音響発生モジュールを含む表示装置を示す図である。
【０３１２】
図24Aおよび図24Bを参照すると、第1領域１、第2領域２、第3領域３、第4領域４、および第5領域５を含むプレートを含むことができる。プレートは、映像を表示する表示パネルであり得、以下では、プレートが表示パネルであることを例に挙げて説明する。他の例としては、プレートは、図23A〜図23Dで説明したように、ガラス、木材、プラスチック、および金属の一つであり得る。他の例としては、第1領域１、第2領域２、第3領域３、第4領域４、および第5領域５を含む第2プレートをさらに含むことができ、第2プレートは、ガラス、木、プラスチック、および金属の一つであり得る。この場合には、プレートは、映像を表示する表示パネルであり得、第1領域１、第2領域２、第3領域３、第4領域４、および第5領域５を含む第2プレートに音響発生装置またが音響発生モジュールを配置し得る。このように構成する場合、プレートは映像を表示し、第2プレートは、音響を出力するサウンドプレートであり得る。
【０３１３】
表示パネル１１０の背面は、第1領域１〜第5領域５を含むことができる。例えば、第1領域１および第4領域４は、表示パネル１１０の背面の左側の領域であり得る。例えば、第2領域２および第5領域５は、表示パネル１１０の背面の右側領域であり得る。例えば、第3領域３は、表示パネル１１０の背面の中央領域であり得る。他の例としては、図22を参照して説明したように、背面カバー３００の背面に音響発生モジュールを配置する場合、第1領域１〜第5領域５は、背面カバー３００の背面の領域であり得る。これに対する説明は、図26A〜図32Eおよび図41A〜図44Cに同一または類似に適用することができる。以下の実施例は、音響発生モジュールを表示パネルの背面に配置することを例に説明し、これに限られず、背面カバーの背面に配置し得る。
【０３１４】
第1領域１、第2領域２、第3領域３、第4領域４、および第5領域５のうち少なくとも一つ以上の領域には、少なくとも一つの音響発生モジュールを配置し得る。少なくとも一つの音響発生モジュールは、図1〜図22で説明した音響発生モジュールまたは振動装置を配置し得る。振動装置は、ボイスコイルを含む振動装置であり得る。
【０３１５】
例えば、表示パネル１１０の背面の第4領域４に、第4音響発生モジュール１５００HLを配置し得る。表示パネル１１０の背面の第1領域１に第1ウーファー一体型音響発生モジュール（W1）を配置し得る。第5音響発生モジュール１５００HRは、表示パネル１１０の背面の第5領域５に配置することができ、第2ウーファー一体型音響発生モジュール（W2）は、表示パネル１１０の背面の第2領域２に配置し得る。第3音響発生モジュール１５００Cは、表示パネル１１０の背面の第3領域３に配置し得る。第4音響発生モジュール１５００HLは、表示パネル１１０の上左側（Height Left）チャンネルであり、第5音響発生モジュール１５００HR は、表示パネル１１０の上右側（Height Right）チャンネルであり得る。第3音響発生モジュール１５００Cは、表示パネル１１０の中央（center）チャンネルであり得る。
【０３１６】
第1ウーファー一体型音響発生モジュール（W1）および第2ウーファー一体型音響発生モジュール（W2）は、ウーファーと一体型に構成された音響発生モジュールなので、別個のウーファーを構成する必要がない利点がある。第1ウーファー一体型音響発生モジュール（W1）および第2ウーファー一体型音響発生モジュール（W2）は、ウーファーを含む音響発生モジュールであり得る。第1ウーファー一体型音響発生モジュール（W1）および第2ウーファー一体型音響発生モジュール（W2）は、図25Aおよび図25Bを参照して後述する。
【０３１７】
第1ウーファー一体型音響発生モジュール（W1）および第2ウーファー一体型音響発生モジュール（W2）は、60Hz〜40kHzの音響を出力することができ、第3音響発生モジュール１５００C、第4音響発生モジュール１５００HL、および第5音響発生モジュール１５００HRは、80Hz〜40kHzの音響を出力することができる。したがって、表示装置は、3.2チャンネルの音響を出力することができる。
【０３１８】
表示パネルの左右に配置された音響発生モジュールと比較して、表示パネルの上下に音響発生モジュールが構成されているので、左右音響および上下音響を向上させることができ、使用者に実際の音響と同じ音場感を与えることができる効果がある。例えば、第4音響発生モジュール１５００HLおよび第5音響発生モジュール１５００HRをさらに構成することで、表示パネル１１０の上側からの音響を出力することができるので、左右音響および上下音響を含む立体的な音響を実現できる表示装置を提供することができる。したがって、左右映像および上下映像に対する左右音響および上下音響を実現することができ、使用者に立体的な左右音響および上下音響を含む実際の音響（例えば、リアル（real）サウンド）のリアル立体音響を実現することができるので 、仮想（virtual）音響ではなく、リアル（real）サウンドを提供することができる。これにより、使用者に立体的な左右音響および上下音響を含む実際の音響（例えば、リアル（real）サウンド）のリアル立体音響またはサラウンド音響を実現することができるので、臨場感を向上させることができる。したがって、映画館、個人映画館、およびテレビなどの機器でも、使用者に現実と類似または同一に実感する音響と映像を一度に感じることができるように、例えば、実感するAV（Audio Visual）またはドルビー音響システムを感じることができようにすることができる。
【０３１９】
そして、図23A〜図23Dのサウンドプレートに、図24Aおよび図24Bのマルチチャンネルを有する音響発生モジュールを実現する場合、使用者に立体的な左右音響および上下音響を含む実際の音響（例えば、リアル（real）サウンド）のリアル立体音響またはサラウンド音響を実現することができるので、臨場感を向上させることができる。図23A〜図23Dのサウンドプレートに図24Aおよび図24Bのマルチチャンネルを有する音響発生モジュールと、プロジェクターまたは映像再生装置をそれぞれ構成する場合、使用者に現実と類似または同一にリアルサウンドと映像を一度に感じることができるように、例えば、実感するAV（Audio Visual）またはドルビー音響システムを提供することができ、没入感と臨場感のある立体音響を提供することができる。そして、図1〜図22を参照して説明したように、モジュール化された音響発生モジュールを適用することで、音響発生モジュールを配置する際に表示装置または背面カバーの設計の自由度が向上し得る。
【０３２０】
例えば、第4音響発生モジュール１５００HLは、第5音響発生モジュール１５００HRと対称に配置することができ、これに限定されるものではない。例えば、第4音響発生モジュール１５００HLは、第5音響発生モジュール１５００HRと同一線上に配置することができ、これに限定されるものではない。例えば、第1ウーファー一体型音響発生モジュール（W1）は、第2ウーファー一体型音響発生モジュール（W2）と対称に配置することができ、これに限定されるものではない。例えば、第1ウーファー一体型音響発生モジュール（W1）は、第2ウーファー一体型音響発生モジュール（W2）と同一線上に配置することができ、これに限定されるものではない。例えば、第1ウーファー一体型音響発生モジュール（W1）および第2ウーファー一体型音響発生モジュール（W2）は、第3音響発生モジュール１５００Cと対称に配置することができ、これに限定されるものではない。例えば、第1ウーファー一体型音響発生モジュール（W1）および第2ウーファー一体型音響発生モジュール（W2）は、第3音響発生モジュール１５００Cと同一線上に配置することができ、これに限定されるものではない。
【０３２１】
図24Bを参照すると、第1ウーファー一体型音響発生モジュール（W1）および第2ウーファー一体型音響発生モジュール（W2）は、第3音響発生モジュール１５００Cと非対称に配置され得るが、本明細書の実施例は、これに限定されるものではない。例えば、第1ウーファー一体型音響発生モジュール（W1）および第2ウーファー一体型音響発生モジュール（W2）は、第3音響発生モジュール１５００Cと異なる線上に配置し得るが、本明細書の実施例は、これに限定されるものではない。このように構成する場合、第1ウーファー一体型音響発生モジュール（W1）は、第4領域４の第4音響発生モジュール１５００HLと離れているので、表示パネル１１０の下側からの音響が第1ウーファー一体型音響発生モジュール（W1）で、より鮮明に実現することができ、第1ウーファー一体型音響発生モジュール（W1）と第4音響発生モジュール１５００HLとの距離により、第1ウーファー一体型音響発生モジュール（W1）の音響と第4音響発生モジュール１５００HLの音響の違いを区別することができる音響を実現することができる。そして、第2ウーファー一体型音響発生モジュール（W2）は、第5領域５にある第5音響発生モジュール１５００HRと離れているので、表示パネル１１０の下側からの音響を第2ウーファー一体型音響発生モジュール（W2）で、より鮮明に実現することができ、第2ウーファー一体型音響発生モジュール（W1）と第5音響発生モジュール１５００HRとの距離により、第2ウーファー一体型音響発生モジュール（W2）の音響と第5音響発生モジュール１５００HRの音響の違いを区別することができる音響を実現することができる。
【０３２２】
図24Aおよび図24Bを参照すると、第1ウーファー一体型音響発生モジュール（W1）は、第4音響発生モジュール１５００HLと非対称に配置し得る。第2ウーファー一体型音響発生モジュール（W2）は、第5音響発生モジュール１５００HRと非対称に配置し得る。このように構成する場合、第1ウーファー一体型音響発生モジュール（W1）が発生させる振動および定在波と、第4音響発生モジュール１５００HLが発生させる振動および定在波間の振動の干渉による音響補強または相殺を減らすことができる。再生する音源による振動の他に、外部干渉による不要な音響補強または相殺干渉は、音の歪みを発生させ、音質劣化の原因となり得るが、第1ウーファー一体型音響発生モジュール（W1）および第4音響発生モジュール１５００HLの非対称構造は、これを防止して、原音に近い自然な音の再生をすることができる。第2ウーファー一体型音響発生モジュール（W2）が発生させる振動および定在波と、第5音響発生モジュール１５００HRが発生させる振動および定在波間の振動の干渉による音響補強または相殺を減らすことができる。再生する音源による振動の他に、外部干渉による不要な音響補強または相殺干渉は、音の歪みを発生させ、音質劣化の原因となり得るが、第2ウーファー一体型音響発生モジュール（W2）および第5音響発生モジュール１５００HRの非対称構造は、これを防止して、原音に近い自然な音の再生をすることができる。他の例としては、第1ウーファー一体型音響発生モジュール（W1）は、第4音響発生モジュール１５００HLと対称的に配置し得る。第2ウーファー一体型音響発生モジュール（W2）は、第5音響発生モジュール１５００HRと対称的に配置し得る。このように構成する場合、音の再生位置を同一線上に整列し得るので、非対称構造に比べて、同じ位置から音が再生されるような効果を与えることができる。これにより、音の位置に対する認知感が向上し得るので、音響の定位感を向上し得る。
【０３２３】
他の例としては、第4音響発生モジュール１５００HLおよび第5音響発生モジュール１５００HR中の少なくとも1つ以上は、ウーファーを含む音響発生モジュールで構成することができる。例えば、第4領域４に第1ウーファー一体型音響発生モジュール（W1）および第5領域５に第2ウーファー一体型音響発生モジュール（W2）を構成することができる。例えば、第4領域４および第5領域５のいずれか一つ以上にウーファーを含む音響発生モジュールを構成することができる。他の例としては、第3領域３にウーファーを含む音響発生モジュールを構成することができる。例えば、第3音響発生モジュール１５００Cは、ウーファーを含む音響発生モジュールで構成することができる。したがって、第1領域１、第2領域２、第3領域３、第4領域４、および第5領域５のいずれか一つ以上の領域にウーファーを含む音響発生モジュールを配置して低音域帯の音響を出力することができるので、低中高音域帯の音響を出力することができる表示装置を提供することができる。このように構成する場合、音響発生モジュールは、同じ信号またはモノラル信号を印加して駆動することができる。
【０３２４】
図25Aおよび図25Bは、本明細書の他の実施例に係る音響発生モジュールを示す図である。
【０３２５】
本明細書の他の実施例に係る音響発生モジュール１８００は、ウーファー一体型音響発生モジュール、ハイブリッド音響発生モジュール、およびウーファーを含む音響発生モジュールであり得、用語に限定されるものではない。図25Aは、音響発生モジュールの正面図であり、図25Bは、音響発生モジュールの断面図である。
【０３２６】
図25Aおよび図25Bを参照すると、音響発生モジュール１８００は、第1音響発生装置１８０１および第2音響発生装置１８０２を含むことができる。例えば、第1音響発生装置１８０１は、表示パネルの背面に配置することができ、第2音響発生装置１８０２は、表示パネルの背面から離隔し得る。
【０３２７】
音響発生モジュール１８００は、第1音響発生装置１８０１および第2音響発生装置１８０２を収容することができるフレームを含むことができる。フレームは、第1音響発生装置１８０１および第2音響発生装置１８０２の下側を支持する下部フレーム１６１０aおよび下部フレーム１６１０aと連結する側面フレーム１６１０bを含むことができる。フレームはヨークであり得、用語に限定されるものではない。
【０３２８】
下部フレーム１６１０aは、マグネット１６２０を支持することができる。マグネット１６２０は、第1音響発生装置１８０１および第2音響発生装置１８０２を共有することができる。例えば、第1音響発生装置１８０１のボビン１６５０a、およびボビン１６５０aの周囲にあるコイル１６６０aは、マグネット１６２０の周囲に配置し得る。例えば、第2音響発生装置１８０２の第2ボビン１６５０b、および第2ボビン１６５０bの周囲にある第2コイル１６６０bは、マグネット１６２０の周囲に配置し得る。例えば、下部フレーム１６１０aおよびプレート１６１１のそれぞれは、マグネット１６２０の下側および上側のそれぞれに配置され、マグネット１６２０と、コイル１６６０aおよび第2コイル１６６０bを介して形成される磁束密度を増加させて振動特性を向上させることができる。下部フレーム１６１０aは、ヨーク（yoke）であり得、用語に限定されるものではない。
【０３２９】
側面フレーム１６１０bは、下部フレーム１６１０aと連結し、音響排出のための少なくとも一つのホール２１７を含むことができる。例えば、ホール２１７は、通気口であり得る。例えば、ホール２１７は、音響発生モジュール１８００の内部にあるエアギャップで、第2音響発生装置１８０２の振動板２１４bによって発生した低音域帯の音響を表示パネル１１０の後方に出力することができる。
【０３３０】
側面フレーム１６１０bは、導電性物質で構成されてマグネット１６２０で生成される磁束を制御することができる。例えば、側面フレーム１６１０bは、マグネット１６２０を離隔するように囲むことにより、マグネット１６２０で発生する磁束を第2ボビン１６５０b内に集中させ、漏洩磁束を抑制することができる。側面フレーム１６１０bは、ヨーク（yoke）であり得、用語に限定されるものではない。ホール２１７は、側面フレーム１６１０bに形成するだけでなく、下部フレーム１６１０aに形成することができ、側面フレーム１６１０bおよび下部フレーム１６１０aが連結する領域に形成し得る。側面フレーム１６１０bは、ナット等の連結部材１７１０を介して背面カバーに連結しまたは表示パネル１１０との間に配置し得る。
【０３３１】
第1音響発生装置１８０１は、フレーム上に配置されるマグネット１６２０、マグネット１６２０の周囲にあるボビン１６５０a、およびボビン１６５０aの周囲にあるコイル１６６０aおよびダンパー１６７０aなどを含むことができる。例えば、これに対する説明は、図3A〜図3E、図6、および図14で説明した内容と同様なので、ここでは詳細な説明を省略または簡略にする。
【０３３２】
マグネット１６２０は、下部フレーム１６１０a上に配置し得る。例えば、マグネット１６２０は、プレート１６１１および下部フレーム１６１０aの間に介在し得る。下部フレーム１６１０aおよびプレート１６１１は、マグネット１６２０で生成される磁束を制御することができる。例えば、マグネット１６２０は、下部フレーム１６１０aおよびプレート１６１１によって囲まれることにより、マグネット１６２０で発生する磁束がボビン１６５０a内に集中して漏洩磁束を抑制し得る。
【０３３３】
ボビン１６５０aは、ボビンリング１６５２aの背面に付着することができる。例えば、ボビン１６５０aの外周面に巻かれれたコイル１６６０aに音響発生用の電流が印加され、第1音響発生装置１８０１内に磁場が形成されると、磁場によってボビンリング１６５２aを媒介にして表示パネルを振動させることができる。ボビンリング１６５２aは、ボビン１６５０aおよび表示パネル間に介在して、ボビン１６５０aの振動を表示パネルに伝達することができる。第1音響発生装置１８０１は、中高音域の音響を出力することができる。
【０３３４】
第2音響発生装置１８０２は、フレーム上に配置されるマグネット１６２０、マグネット１６２０上にあるプレート１６１１、マグネット１６２０の周囲にある第2ボビン１６５０b、および第2ボビン１６５０bの周囲にある第2コイル１６６０bおよび第2ダンパー１６７０bなどを含むことができる。
【０３３５】
第2ボビン１６５０b上には、振動板２１４bを配置し得る。例えば、振動板２１４bは、表示パネルの背面から離隔することができ、第2ボビン１６５０bで発生する熱が表示パネルに伝達されないように遮断することができる。
【０３３６】
第2ボビン１６５０bは、第2ボビン１６５０bの外周面に巻かれたコイル１６６０bに音響発生用の電流が印加され、第2音響発生装置１８０２内に磁場が形成されると、磁場によって振動板２１４bを介して振動板周辺部の空気層またはエアギャップを振動させて音響を出力することができる。例えば、第2ボビン１６５０bの前面（Front Surface）は、振動板２１４bに接触して電流の印加および非印加の状態によって、振動板２１４bを振動させることができる。第2音響発生装置１８０２は、振動板２１４bの前方および後方に音響を出力することができる。例えば、第2音響発生装置１８０２は、低音域帯の音響を出力することができる。例えば、第2音響発生装置１８０２の振動板２１４bによって発生した音響は、振動板２１４bの上側に伝播される第1低音および振動板２１４bの下側に伝播される第2低音を含むことができる。例えば、第2音響発生装置１８０２は、ウーファー（Woofer）であり得、用語に限定されない。
【０３３７】
マグネット１６２０は、下部フレーム１６１０a上に配置し得る。プレート１６１１は、振動板２１４bと離隔し得る。第2ボビン１６５０bは、振動板２１４bの背面に配置し得る。例えば、第2ボビン１６５０bは、マグネット１６２０およびプレート１６１１を囲むことができる。
【０３３８】
第2ダンパー１６７０bは、第1音響発生装置１８０１と第2音響発生装置１８０２との間に配置し得る。例えば、第2ダンパー１６７０bは、第1音響発生装置１８０１のダンパー１６７０aおよび第2音響発生装置１８０２の第2ボビン１６５０bとの間に配置し得る。例えば、第2ダンパー１６７０bは、第1音響発生装置１８０１と第2音響発生装置１８０２の振動板２１４bとの間に配置し得る。振動板２１４bは、第1音響発生装置１８０１と物理的に接触しないことがあり得る。例えば、第2ダンパー１６７０bは、第1音響発生装置１８０１と第2音響発生装置１８０２との音響干渉を防止することができる。振動板２１４b上にはエッジ１６７０cを配置し得る。エッジ１６７０cは、振動板２１４bが上下運動する時、振動板２１４bのゆがみなどの変形を防止することができるので、クリアな音質を提供することができ、音響発生モジュール１８００の信頼性を向上させることができる。第2ダンパー１６７０bは、第1サスペンションであり得、エッジ１６７０cは、第2サスペンションであり得る。
【０３３９】
第1音響発生装置１８０１のマグネット１６２０および第2音響発生装置１８０２のマグネット１６２０は、互いに反対方向の磁界を有することができる。第1音響発生装置１８０１は、表示パネルを直接に振動させて高音域帯の音響を表示パネルの前方に出力することができ、第2音響発生装置１８０２は、低音域帯の音響を表示パネルの後方に出力することができる。したがって、第1音響発生装置１８０１および第2音響発生モジュールは、互いに逆方向の磁界を有することで、第1音響発生装置１８０１および第2音響発生装置１８０２の振動を独立して駆動し、または制御することができる。
【０３４０】
したがって、ウーファー一体型音響発生モジュールは、音響発生モジュールの周辺に配置さるウーファーを含むことができる。音響発生モジュールは、表示パネルの背面に配置されて中高音域の音響を発生させることができ、ウーファーは表示パネルの背面に離隔して配置され、上下振動によって低音域帯の音響を発生させることができる。例えば、音響発生モジュールとウーファーは、異なる音響信号またはボイス信号を印加して駆動することができる。したがって、ウーファー一体型音響発生モジュールによって低音域帯の音響が向上し得る。
【０３４１】
図26Aおよび図26Bは、本明細書の他の実施例に係る音響発生モジュールを含む表示装置を示す図である。
【０３４２】
図26Aおよび図26Bを参照すると、第1領域１、第2領域２、第3領域３、第4領域４、および第5領域５のうち少なくとも一つの領域には、少なくとも一つの音響発生モジュールを配置し得る。例えば、第1音響発生モジュール１５００Lは、表示パネル１１０の背面の第1領域１に配置することができ、第4音響発生モジュール１５００HLは、表示パネル１１０の背面の第4領域４に配置し得る。第2音響発生モジュール１５００Rは、表示パネル１１０の背面の第2領域２に配置することができ、第5音響発生モジュール１５００HRは、表示パネル１１０の背面の第5領域５に配置し得る。第3音響発生モジュール１５００Cは、表示パネル１１０の背面の第3領域３に配置し得る。他の例としては、第1〜第5音響発生モジュールは、図22で説明したように、背面カバー３００の背面に配置し得る。例えば、第1〜第5音響発生モジュールは、モジュール構造物に配置し得る。
【０３４３】
第1音響発生モジュール１５００Lは、表示パネル１１０の左側（Left）チャンネルであり、第4音響発生モジュール１５００HLは、表示パネル１１０の上左側（Height Left）チャンネルであり得る。第2音響発生モジュール１５００Rは、表示パネル１１０の右側（Right）チャンネルであり、第5音響発生モジュール１５００HRは、表示パネル１１０の上右側（Height Right）チャンネルであり得る。第3音響発生モジュール１５００Cは、表示パネル１１０の中央（center）チャンネルであり得る。
【０３４４】
図26Aおよび図26Bを参照すると、第1音響発生モジュール１５００Lは、第4音響発生モジュール１５００HLと対称に配置することができ、これに限定されるものではない。例えば、第1音響発生モジュール１５００Lは、第4音響発生モジュール１５００HLと同一線上に配置することができ、これに限定されるものではない。このように構成する場合、音の再生位置が同一線上に配置され得るので、同じ位置から音が再生されるような効果を与えることができる。これにより、音の位置に対する認知感が向上し得るので、音響の定位感が向上し得る。例えば、第2音響発生モジュール１５００Rは、第5音響発生モジュール１５００HRと対称に配置することができ、これに限定されるものではない。例えば、第2音響発生モジュール１５００Rは、第5音響発生モジュール１５００HRと同一線上に配置することができ、これに限定されるものではない。このように構成する場合、音の再生位置が同一線上に配置され得るので、同じ位置から音が再生されるような効果を与えることができる。これにより、音の位置に対する認知感が向上し得るので、音響の定位感が向上し得る。例えば、第1音響発生モジュール１５００Lおよび第4音響発生モジュール１５００HLは、第2音響発生モジュール１５００Rおよび第5音響発生モジュール１５００HRと対称に配置することができ、これに限定されるものではない。第1音響発生モジュール１５００Lおよび第4音響発生モジュール１５００HLは、第2音響発生モジュール１５００Rおよび第5音響発生モジュール１５００HRと同一線上に配置し得るが、本明細書の実施例は、これに限定されるものではない。
【０３４５】
図26Aを参照すると、第1音響発生モジュール１５００Lおよび第2音響発生モジュール１５００Rは、第3音響発生モジュール１５００Cと同一線上に配置し得るが、本明細書の実施例は、これに限定されるものではない。このように構成する場合、音の再生位置が同一線上に配置され得るので、同じ位置から音が再生されるような効果を与えることができる。これにより、音の位置に対する認知感が向上し得るので、音響の定位感が向上し得る。
【０３４６】
図26Bを参照すると、第1音響発生モジュール１５００Lおよび第2音響発生モジュール１５００Rは、第3音響発生モジュール１５００Cと非対称に配置することができるが、本明細書の実施例は、これに限定されるものではない。例えば、第1音響発生モジュール１５００Lおよび第2音響発生モジュール１５００Rは、第3音響発生モジュール１５００Cと、異なる線上に配置し得るが、本明細書の実施例は、これに限定されるものではない。例えば、第1音響発生モジュール１５００Lと第2音響発生モジュール１５００Rは、同じ線上に配置し得る。例えば、第3音響発生モジュール１５００Cは、第1音響発生モジュール１５００Lと異なる線上に配置し得る。例えば、第3音響発生モジュール１５００Cは、第2音響発生モジュール１５００Rと異なる線上に配置し得る。このように構成する場合、第1音響発生モジュール１５００Lは、第4領域４の第4音響発生モジュール１５００HLと離れているので、表示パネル１１０の下側からの音響が第1音響発生モジュール１５００Lで、より鮮明に実現することができ、第1音響発生モジュール１５００Lと第4音響発生モジュール１５００HLとの距離により、第1音響発生モジュール１５００Lの音響と第4音響発生モジュール１５００HLの音響の差を区別することができる音響を実現することができる。そして、第2音響発生モジュール１５００Rは、第5領域５の第5音響発生モジュール１５００HRと離れているので、表示パネル１１０の下側からの音響を第2音響発生モジュール１５００Rより鮮明に実現することができ、第2音響発生モジュール１５００Rと第5音響発生モジュール１５００HRとの距離により、第2音響発生モジュール１５００Rの音響と第5音響発生モジュール１５００HRの音響の差を区別することができる音響を実現することができる。
【０３４７】
第4領域４に、第4音響発生モジュール１５００HLおよび第5領域５に第5音響発生モジュール１５００HRを構成し、第4領域４と第5領域５との間の第6領域６には、音響発生モジュールを構成しないことができる。これによって、第4音響発生モジュール１５００HLおよび第5音響発生モジュール１５００HRの振動を表示パネル１１０の第6領域６で減衰または吸収するので、第4領域４からの音響が第5領域５に伝達することを遮断または軽減することができ、第5領域５からの音響が第4領域４に伝達することを遮断または軽減することができる。したがって、第4音響発生モジュール１５００HLおよび第5音響発生モジュール１５００HRで発生する音響の干渉に起因する音質劣化を減少させることができ、中高音域の音響特性をより向上させることができる効果がある。
【０３４８】
したがって、第1音響発生モジュール１５００Lおよび第4音響発生モジュール１５００HLは、表示パネル１１０背面の左側領域である第1領域１および第4領域４に配置されて表示パネル１１０の左側領域を振動させることができる。第2音響発生モジュール１５００Rおよび第5音響発生モジュール１５００HRは、表示パネル１１０背面の右側領域である第2領域２および第5領域５に配置されて表示パネル１１０の右側領域を振動させることができる。第3音響発生モジュール１５００Cは、表示パネル１１０の背面の中央領域である第3領域３に配置されて表示パネル１１０の中央領域を振動させることができる。第1音響発生モジュール１５００L、第2音響発生モジュール１５００R、第3音響発生モジュール１５００C、第4音響発生モジュール１５００HL、および第5音響発生モジュール１５００HRそれぞれは、互いに異なる振動信号を受信して独立して駆動することができる。例えば、第1音響発生モジュール１５００Lおよび第4音響発生モジュール１５００HLは、表示パネル１１０の背面の左側領域を振動板として用いることにより、音響を発生させることができ、第2音響発生モジュール１５００Rおよび第5音響発生モジュール１５００HRは、表示パネル１１０の背面の右側領域を振動板として用いることにより、音響を発生させることができる。そして、第3音響発生モジュール１５００Cは、表示パネル１１０の中央領域を振動板として用いることにより、音響を発生させることができる。
【０３４９】
本明細書の実施例に係る表示装置は、低音域帯の音響をより向上させるためにウーファーを配置し得る。例えば、第1音響発生モジュール１５００Lおよび第2音響発生モジュール１５００Rのうち少なくとも一つの下側には、少なくとも一つ以上のウーファーをさらに配置し得る。例えば、第1領域１および第2領域２のうち少なくとも一つの下側には、少なくとも一つ以上のウーファーをさらに配置し得る。例えば、第1ウーファー（W3）は、表示パネル１１０の第1領域１の下側（または下）に配置することができる。例えば、第1ウーファー（W3）は、第1音響発生モジュール１５００Lの下側（または下）に配置することができる。例えば、第2ウーファー（W4）は、表示パネル１１０の第2領域２の下側（または下）に配置することができる。例えば、第2ウーファー（W4）は、第2音響発生モジュール１５００Rの下側（または下）に配置することができる。したがって、第1ウーファー（W3）および第2ウーファー（W4）は、低音域帯の音響を出力することができる。第1音響発生モジュール１５００L、第2音響発生モジュール１５００R、第3音響発生モジュール１５００C、第4音響発生モジュール１５００HL、および第5音響発生モジュール１５００HRは、80Hz〜40kHzの音響を出力することができ、第1ウーファー（W3）および第2ウーファー（W4）は、80Hz以下の音響を出力することができる。したがって、表示装置は、5.1チャンネルの音響を出力することができる。
【０３５０】
そして、左右に配置された音響発生モジュールと比較して表示パネルの横方向を基準に上下に音響発生モジュールがさらに構成されているので、左右音響および上下音響を向上させることができ、使用者に実際の音響と同じ音場感を与えることができる効果がある。例えば、第4音響発生モジュール１５００HLおよび第5音響発生モジュール１５００HRをさらに構成することで、表示パネル１１０の上側からの音響を出力し、または表示パネル１１０の上側に音響を出力することができるので、左右音響および上下音響を含む立体的な音響を実現できる表示装置を提供することができる。したがって、左右映像および上下映像に対する左右音響および上下音響を実現することができ、使用者に立体的な左右音響および上下音響を含む実際の音響（例えば、リアル（real）サウンド）のリアル立体音響を実現することができるので、仮想（virtual）音響ではなく、リアル（real）サウンドを提供することができる。これにより、使用者に立体的な左右音響および上下音響を含む実際の音響（例えば、リアル（real）サウンド）のリアル立体音響またはサラウンド音響を実現することができるので、臨場感を向上させることができる。したがって、映画館、個人映画館、およびテレビなどの機器でも、使用者に現実と類似または同一にリアルサウンドと映像を一度に感じることができるように、例えば、実感するAV（Audio Visual）またはドルビー音響システムを感じることができようにすることができる。
【０３５１】
そして、図23A〜図23Dのサウンドプレートに図24Aおよび図24Bのマルチチャンネルを有する音響発生モジュールを実現する場合は、使用者に立体的な左右音響および上下音響を含む実際の音響（例えば、リアル（real）サウンド）のリアル立体音響またはサラウンド音響を実現することができるので、臨場感を向上させることができる。図23A〜図23Dのサウンドプレートに図24Aおよび図24Bのマルチチャンネルを有する音響発生モジュールと、プロジェクターまたは映像再生装置をそれぞれ構成する場合、使用者に現実と類似または同一にリアルサウンドと映像を一度に感じることができるように、例えば、実感するAV（Audio Visual）またはドルビー音響システムを提供することができ、没入感と臨場感のある立体音響を提供することができる。そして、図1〜図22を参照して説明したように、モジュール化された音響発生モジュールを適用することで、音響発生モジュールを配置する際に表示装置または背面カバーの設計に対する自由度が向上し得る。
【０３５２】
図27は、本明細書の他の実施例に係る音響発生モジュールを含む表示装置を示す図である。
【０３５３】
図27を参照すると、表示パネル１１０は、第1領域１〜第11領域１１を含むことができる。例えば、第1領域１、第4領域４、および第7領域７は、表示パネル１１０の背面の左側領域であり得る。例えば、第2領域２、第5領域５、および第8領域８は、表示パネル１１０の背面の右側領域であり得る。例えば、第3領域３、第6領域６、および第9領域９は、表示パネル１１０の背面の中央領域であり得る。例えば、第6領域６は、第4領域４と第5領域５との間の領域であり得る。例えば、第9領域９は、第7領域７と第8領域８との間の領域であり得る。例えば、第10領域１０は、第1領域１と第3領域３との間の領域であり得る。例えば、第11領域１１は、第2領域２と第3領域３との間の領域であり得る。例えば、第7領域７は、第1領域１の下側であり得、第8領域８は、第2領域２の下側であり得る。例えば、第10領域１０は、第1領域１、第4領域４、および第7領域７と、第3領域３、第6領域６、および第9領域９との間の領域であり得る。例えば、第11領域１１は、第2領域２、第5領域５、および第8領域８と、第3領域３、第6領域６、および第9領域９との間の領域であり得る。第1領域〜第11領域で領域を表示する数字1〜11は、任意に表示したものであり、数字1〜11および第1領域〜第11領域の区分が明細書の内容を限定するものではない。これに対する説明は、図28〜図44Cに同一または類似に適用することができる。
【０３５４】
第1領域１〜第11領域１１のうち少なくとも一つの領域には、少なくとも一つの音響発生モジュールを配置し得る。例えば、第1音響発生モジュール１５００Lは、表示パネル１１０の背面の第1領域１に配置することができ、第4音響発生モジュール１５００HLは、表示パネル１１０の背面の第4領域４に配置することができ、第7音響発生モジュール１５００BLは、表示パネル１１０の背面の第7領域７に配置し得る。第2音響発生モジュール１５００Rは、表示パネル１１０の背面の第2領域２に配置することができ、第5音響発生モジュール１５００HRは、表示パネル１１０の背面の第5領域５に配置することができ、第8音響発生モジュール１５００BRは、表示パネル１１０の背面の第8領域８に配置し得る。第3音響発生モジュール１５００Cは、表示パネル１１０の背面の第3領域３に配置することができ、第6音響発生モジュール１５００HCは、表示パネル１１０の背面の第6領域６に配置することができ、第9音響発生モジュール１５００BCは、表示パネル１１０の背面の第9領域９に配置し得る。第10音響発生モジュール１５００LCは、表示パネル１１０の背面の第10領域１０に配置することができ、第11音響発生モジュール１５００RCは、表示パネルの背面の第11領域１１に配置することができる。他の例としては、第1〜第11音響発生モジュールは、図22で説明したように、背面カバーの背面に配置し得る。例えば、第1〜第11音響発生モジュールは、モジュール構造物に配置し得る。
【０３５５】
第1音響発生モジュール１５００Lは、表示パネル１１０の左側（Left）チャンネルであり、第4音響発生モジュール１５００HLは、表示パネル１１０の上左側（Height Left）チャンネルであり、第7音響発生モジュール１５００BLは、表示パネル１１０の下左側（Bottom Left）チャンネルであり得る。第10音響発生モジュール１５００LCは、表示パネル１１０の左側中央（Left Center）チャンネルであり得る。第2音響発生モジュール１５００Rは、表示パネル１１０の右側（Right）チャンネルであり、第5音響発生モジュール１５００HRは、表示パネル１１０の上右側（Height Right）チャンネルであり、第8音響発生モジュール１５００BRは、表示パネル１１０の下右側（Bottom Right）チャンネルであり得る。第11音響発生モジュール１５００RCは、表示パネル１１０の右側中央（Right Center）チャンネルであり得る。第3音響発生モジュール１５００Cは、表示パネル１１０の中央（center）チャンネルであり、第6音響発生モジュール１５００HCは、表示パネル１１０の上側中央（Height Center）チャンネルであり、第9音響発生モジュール１５００BCは、表示パネル１１０の下側中央（Bottom Center）チャンネルであり得る。
【０３５６】
例えば、第1音響発生モジュール１５００Lは、第4音響発生モジュール１５００HLおよび/または第7音響発生モジュール１５００BLと対称に配置することができ、これに限定されるものではない。例えば、第1音響発生モジュール１５００Lは、第4音響発生モジュール１５００HLおよび/または第7音響発生モジュール１５００BLと同一線上に配置することができ、これに限定されるものではない。このように構成する場合、音の再生位置が同一線上に整列され得るので、同じ位置から音が再生されるような効果を与えることができる。これにより、音の位置に対する認知感が向上し得るので、音響の定位感が向上し得る。
【０３５７】
例えば、第2音響発生モジュール１５００Rは、第5音響発生モジュール１５００HRおよび/または第8音響発生モジュール１５００BRと対称に配置することができ、これに限定されるものではない。例えば、第2音響発生モジュール１５００Rは、第5音響発生モジュール１５００HRおよび/または第8音響発生モジュール１５００BRと同一線上に整列することができ、これに限定されるものではない。このように構成する場合、音の再生位置が同一線上に整列され得るので、同じ位置から音が再生されるような効果を与えることができる。これにより、音の位置に対する認知感が向上し得るので、音響の定位感が向上し得る。
【０３５８】
例えば、第3音響発生モジュール１５００Cは、第6音響発生モジュール１５００HCおよび/または第9音響発生モジュール１５００BCと対称に配置することができ、これに限定されるものではない。例えば、第3音響発生モジュール１５００Cは、第6音響発生モジュール１５００HCおよび/または第9音響発生モジュール１５００BCと同一線上に整列することができ、これに限定されるものではない。このように構成する場合、音の再生位置が同一線上に整列され得るので、同じ位置から音が再生されるような効果を与えることができる。これにより、音の位置に対する認知感が向上し得るので、音響の定位感が向上し得る。
【０３５９】
例えば、第10音響発生モジュール１５００LCおよび第11音響発生モジュール１５００RCは、第1音響発生モジュール１５００L、第2音響発生モジュール１５００R、および第3音響発生モジュール１５００Cのうちの少なくとも一つと対称的に配置することができ、これに限定されるものではない。例えば、第10音響発生モジュール１５００LCおよび第11音響発生モジュール１５００RCは、第1音響発生モジュール１５００L、第2音響発生モジュール１５００R、および第3音響発生モジュール１５００Cの少なくとも一つと同一線上に整列することができ、これに限定されるものではない。このように構成する場合、音の再生位置が同一線上に整列され得るので、同じ位置から音が再生されるような効果を与えることができる。これにより、音の位置に対する認知感が向上し得るので、音響の定位感が向上し得る。
【０３６０】
例えば、第4音響発生モジュール１５００HLおよび第5音響発生モジュール１５００HR中の一つは、第6音響発生モジュール１５００HCと対称に配置することができ、これに限定されるものではない。例えば、第4音響発生モジュール１５００HLおよび第5音響発生モジュール１５００HR中の一つは、第6音響発生モジュール１５００HCと同一線上に整列することができ、これに限定されるものではない。このように構成する場合、音の再生位置が同一線上に整列され得るので、同じ位置から音が再生されるような効果を与えることができる。これにより、音の位置に対する認知感が向上し得るので、音響の定位感が向上し得る。例えば、第1音響発生モジュール１５００L、第2音響発生モジュール１５００R、第10音響発生モジュール１５００LC、および第11音響発生モジュール１５００RC中の一つは、第3音響発生モジュール１５００Cと対称に配置することができ、これに限定されるものではない。例えば、第1音響発生モジュール１５００L、第2音響発生モジュール１５００R、第10音響発生モジュール１５００LC、および第11音響発生モジュール１５００RC中の一つは、第3音響発生モジュール１５００Cと同一線上に整列することができ、これに限定されるものではない。このように構成する場合、音の再生位置が同一線上に整列され得るので、同じ位置から音が再生されるような効果を与えることができる。これにより、音の位置に対する認知感が向上し得るので、音響の定位感が向上し得る。例えば、第7音響発生モジュール１５００BLおよび第8音響発生モジュール１５００BR中の一つは、第9音響発生モジュール１５００BCと対称に配置することができ、これに限定されるものではない。例えば、第7音響発生モジュール１５００BLおよび第8音響発生モジュール１５００BR中の一つは、第9音響発生モジュール１５００BCと同一線上に整列することができ、これに限定されるものではない。このように構成する場合、音の再生位置が同一線上に整列され得るので、同じ位置から音が再生されるような効果を与えることができる。これにより、音の位置に対する認知感が向上し得るので、音響の定位感が向上し得る。
【０３６１】
したがって、第1音響発生モジュール１５００L、第4音響発生モジュール１５００HL、および第7音響発生モジュール１５００BLは、表示パネル１１０背面の左側領域である第1領域１、第4領域４、および第7領域７に配置して、表示パネル１１０の背面の左側領域を振動させることができる。第2音響発生モジュール１５００R、第5音響発生モジュール１５００HR、および第8音響発生モジュール１５００BRは、表示パネル１１０の背面の右側領域である第2領域２、第5領域５、および第8領域８に配置して、表示パネル１１０の背面の右側領域を振動させることができる。第3音響発生モジュール１５００C、第6音響発生モジュール１５００HC、および第9音響発生モジュール１５００BCは、表示パネル１１０の背面の中央領域である第3領域３、第6領域６、および第9領域９に配置して表示パネル１１０の背面の中央領域を振動させることができる。第10音響発生モジュール１５００LCおよび第11音響発生モジュール１５００RCは、表示パネル１１０の第10領域１０および第11領域１１に配置して、表示パネル１１０の背面の左側領域、中央領域、および右領域を振動させることができる。第1音響発生モジュール１５００L、第2音響発生モジュール１５００R、第3音響発生モジュール１５００C、第4音響発生モジュール１５００HL、第5音響発生モジュール１５００HR、第6音響発生モジュール１５００HC、第7音響発生モジュール１５００BL、第8音響発生モジュール１５００BR、第9音響発生モジュール１５００BC、第10音響発生モジュール１５００LC、および第11音響発生モジュール１５００RCそれぞれは、互いに異なる振動信号を受信して独立して駆動することができる。例えば、第1音響発生モジュール１５００L、第4音響発生モジュール１５００HL、および第7音響発生モジュール１５００BLは、表示パネル１１０の背面の左側領域を振動板として用いることにより、音響を発生させることができる。第2音響発生モジュール１５００R、第5音響発生モジュール１５００HR、および第8音響発生モジュール１５００BRは、表示パネル１１０の背面の右側領域を振動板として用いることにより、音響を発生させることができる。第3音響発生モジュール１５００C、第6音響発生モジュール１５００HC、および第9音響発生モジュール１５００BCは、表示パネル１１０の中央領域を振動板として用いることにより、音響を発生させることができる。第10音響発生モジュール１５００LCおよび第11音響発生モジュール１５００RCは、表示パネル１１０の背面の左側領域、中央領域、および右領域を振動板として用いることにより、音響を発生させることができる。例えば、第6音響発生モジュール１５００HCは、表示パネル１１０の上側に音響を発生させることができる。例えば、第4音響発生モジュール１５００HL、第5音響発生モジュール１５００HR、および第6音響発生モジュール１５００HCは、表示パネル１１０の上側に音響を発生させることができるので、表示パネル１１０の上側からの音響を向上させることができる。例えば、第7音響発生モジュール１５００BL、第8音響発生モジュール１５００BR、および第9音響発生モジュール１５００BCは、表示パネル１１０の下側に音響を発生させることができるので、表示パネル１１０の下側からの音響を向上させることができる。
【０３６２】
そして、低音域帯の音響をさらに向上させるためにウーファーを配置し得る。例えば、第7領域７と第8領域８のうち少なくとも一つの下側に少なくとも一つ以上のウーファーをさらに配置し得る。例えば、第7音響発生モジュール１５００BLと第8音響発生モジュール１５００BRのうち少なくとも一つの下側に少なくとも一つ以上ウーファーをさらに含むことができる。例えば、第1ウーファー（W3）は、表示パネル１１０の第7領域７の下側（または下）に配置することができる。例えば、第1ウーファー（W3）は、第7音響発生モジュール１５００BLの下側（または下）に配置することができる。例えば、第2ウーファー（W4）は、表示パネル１１０の第8領域８の下側（または下）に配置することができる。例えば、第2ウーファー（W4）は、第8音響発生モジュール１５００BRの下側（または下）に配置することができる。したがって、第1ウーファー（W3）および第2ウーファー（W4）は、低音域帯の音響を出力することができる。
【０３６３】
他の例としては、第1ウーファー（W3）および第2ウーファー（W4）を構成せずに、第7音響発生モジュール１５００BLおよび第8音響発生モジュール１５００BR中の少なくとも1つは、ウーファーを含む音響発生モジュールで構成することができる。例えば、第7領域７に第1ウーファー一体型音響発生モジュール（W1）および第8領域８に第2ウーファー一体型音響発生モジュール（W2）を構成することができる。例えば、第7領域７および第8領域８中の一つ以上にウーファーを含む音響発生モジュールを構成することができる。第1ウーファー一体型音響発生モジュール（W1）および第2ウーファー一体型音響発生モジュール（W2）は、図24A〜図25Bで説明した内容と同じなので、ここでは説明を省略する。
【０３６４】
第1ウーファー一体型音響発生モジュール（W1）を第7領域７に配置する場合には、第1ウーファー一体型音響発生モジュール（W1）は、第1音響発生モジュール１５００Lおよび第4音響発生モジュール１５００HLのいずれかと対称的に配置し得る。例えば、第1ウーファー一体型音響発生モジュール（W1）は、第1音響発生モジュール１５００Lおよび第4音響発生モジュール１５００HLのいずれかと同一線上に整列し得る。第2ウーファー一体型音響発生モジュール（W2）を第8領域８に配置する場合、第2ウーファー一体型音響発生モジュール（W2）は、第2音響発生モジュール１５００Rおよび第5音響発生モジュール１５００HRのいずれかと対称的に配置し得る。例えば、第2ウーファー一体型音響発生モジュール（W2）は、第2音響発生モジュール１５００Rおよび第5音響発生モジュール１５００HRのいずれかと同一線上に整列し得る。このように構成する場合、音の再生位置が同一線上に整列され得るので、同じ位置から音が再生されるような効果を与えることができる。これにより、音の位置に対する認知感が向上し得るので、音響の定位感が向上し得る。
【０３６５】
他の例としては、第1ウーファー一体型音響発生モジュール（W1）を第7領域７に配置する場合、第1ウーファー一体型音響発生モジュール（W1）は、第1音響発生モジュール１５００Lおよび第4音響発生モジュール１５００HLのいずれかと非対称に配置し得る。例えば、第1ウーファー一体型音響発生モジュール（W1）は、第1音響発生モジュール１５００Lおよび第4音響発生モジュール１５００HLのいずれかと異なる線上に配置し得る。第2ウーファー一体型音響発生モジュール（W2）が第8領域８に配置する場合、第2ウーファー一体型音響発生モジュール（W2）は、第2音響発生モジュール１５００Rおよび第5音響発生モジュール１５００HRのいずれかと非対称に配置し得る。例えば、第2ウーファー一体型音響発生モジュール（W2）は、第2音響発生モジュール１５００Rおよび第5音響発生モジュール１５００HRのいずれかと異なる線上に配置し得る。例えば、第1ウーファー一体型音響発生モジュール（W1）および第2ウーファー一体型音響発生モジュール（W2）は、第3音響発生モジュール１５００Cと異なる線上に配置することができ、これに限定されるものではない。このように構成する場合、第1ウーファー一体型音響発生モジュール（W1）が発生させる振動および定在波と、第4音響発生モジュール１５００HLまたは第7音響発生モジュール１５００BLが発生させる振動および定在波間の振動の干渉による音響補強または相殺を減らすことができる。再生する音源による振動の他、外部干渉による不要な音響補強または相殺干渉は音の歪みを発生させ、音質劣化の原因となり得るが、第4音響発生モジュール１５００HLおよび第7音響発生モジュール１５００BLのいずれかと第1ウーファー一体型音響発生モジュール（W1）の非対称構造は、これを防止して、原音に近い自然な音響を再生することができる。第2ウーファー一体型音響発生モジュール（W2）が発生させる振動および定在波と第5音響発生モジュール１５００HRまたは第8音響発生モジュール１５００BRが発生させる振動および定在波間の振動の干渉による音響補強または相殺を減らすことができる。再生する音源による振動の他、外部干渉による不要な音響補強または相殺干渉は音の歪みを発生させて音質劣化の原因となるが、第5音響発生モジュール１５００HRおよび第8音響発生モジュール１５００BRのいずれかと第2ウーファー一体型音響発生モジュール値（W2）の非対称構造は、これを防止して、原音に近い自然な音響を再生することができる。
【０３６６】
他の例としては、第1ウーファー（W3）および第2ウーファー（W4）を構成せずに、第1音響発生モジュール１５００Lおよび第2音響発生モジュール１５００R中の少なくとも1つ以上は、ウーファーを含む音響発生モジュールで構成することができる。例えば、第1領域１に第1ウーファー一体型音響発生モジュール（W1）および第2領域２に第2ウーファー一体型音響発生モジュール（W2）を構成することができる。例えば、第1領域１および第2領域２の一つ以上にウーファーを含む音響発生モジュールを構成することができる。第1ウーファー一体型音響発生モジュール（W1）および第2ウーファー一体型音響発生モジュール（W2）は、図24A〜図25Bで説明した内容と同じなので、ここでは説明を省略する。これに対する説明は、第1ウーファー一体型音響発生モジュール（W1）および第2ウーファー一体型音響発生モジュール（W2）を第7領域７および第8領域８に配置した内容と同じなので、ここでは説明を省略する。
【０３６７】
他の例としては、第1ウーファー（W3）および第2ウーファー（W4）を構成せずに、第10音響発生モジュール１５００LCおよび第11音響発生モジュール１５００RC中の少なくとも1つ以上は、ウーファーを含む音響発生モジュールで構成することができる。例えば、第10領域１０に第1ウーファー一体型音響発生モジュール（W1）および第11領域１１に第2ウーファー一体型音響発生モジュール（W2）を構成することができる。例えば、第10領域１０および第11領域１１中の一つ以上にウーファーを含む音響発生モジュールを構成することができる。
【０３６８】
他の例としては、第1ウーファー（W3）および第2ウーファー（W4）を構成せずに、第4音響発生モジュール１５００HLおよび第5音響発生モジュール１５００HR中の少なくとも1つ以上は、ウーファーを含む音響発生モジュールで構成することができる。例えば、第4領域４に第1ウーファー一体型音響発生モジュール（W1）および第5領域５に第2ウーファー一体型音響発生モジュール（W2）を構成することができる。例えば、第4領域４と第5領域５中の一つ以上にウーファーを含む音響発生モジュールを構成することができる。
【０３６９】
他の例としては、第1ウーファー（W3）および第2ウーファー（W4）を構成せずに、第6音響発生モジュール１５００HCおよび第9音響発生モジュール１５００BC中の少なくとも1つ以上は、ウーファーを含む音響発生モジュールで構成することができる。例えば、第6領域６に第1ウーファー一体型音響発生モジュール（W1）および第9領域９に第2ウーファー一体型音響発生モジュール（W2）を構成することができる。例えば、第6領域６および第9領域９中の一つ以上にウーファーを含む音響発生モジュールを構成することができる。他の例としては、第3領域３にウーファーを含む音響発生モジュールを構成することができる。例えば、第3音響発生モジュール１５００Cは、ウーファーを含む音響発生モジュールで構成することができる。
【０３７０】
したがって、ウーファーを別個に構成せずに、ウーファー一体型音響発生モジュールが第1領域１〜第11領域１１中の少なくとも一つ以上の領域にウーファー一体型音響発生モジュールを配置して低音域帯の音響を出力することができるので、低中高音域帯の音響を出力することができる表示装置を提供することができる。このように構成する場合、音響発生モジュールは、同じ信号またはモノラル信号を印加して駆動することができる。
【０３７１】
第1音響発生モジュール１５００L、第2音響発生モジュール１５００R、第3音響発生モジュール１５００C、第4音響発生モジュール１５００HL、第5音響発生モジュール１５００HR、第6音響発生モジュール１５００HC、第7音響発生モジュール１５００BL、第8音響発生モジュール１５００BR、第9音響発生モジュール１５００BC、第10音響発生モジュール１５００LC、および第11音響発生モジュール１５００RCは、80Hz〜40kHzの音響を出力することができる。第1ウーファー（W3）および第2ウーファー（W4）は、80Hz以下の音響を出力することができる。したがって、表示装置は、11.1チャンネルの音響を出力することができる。
【０３７２】
本明細書の実施例に係る表示装置は、左右映像および上下映像に対する左右音響および上下音響を実現することができ、使用者に立体的な左右音響および上下音響を含む実際の音響（例えば、リアル（real）サウンド）のリアル立体音響を実現することができるので、仮想（virtual）音響ではなく、リアル（real）サウンドを提供することができる。これにより、使用者に立体的な左右音響および上下音響を含む実際の音響（例えば、リアル（real）サウンド）のリアル立体音響またはサラウンド音響を実現することができるので、臨場感を向上させることができる。したがって、映画館、個人映画館、およびテレビなどの機器でも、使用者に現実と類似または同一にリアルサウンドと映像を一度に感じることができるように、例えば、実感するAV（Audio Visual）またはドルビー音響システムを感じることができようにすることができる。
【０３７３】
そして、図23A〜図23Dのサウンドプレートに図24Aおよび図24Bのマルチチャンネルを有する音響発生モジュールを実現する場合、使用者に立体的な左右音響および上下音響を含む実際の音響（例えば、リアル（real）サウンド）のリアル立体音響またはサラウンド音響を実現することができるので、臨場感を向上させることができる。図23A〜図23Dのサウンドプレートに図24Aおよび図24Bのマルチチャンネルを有する音響発生モジュールと、プロジェクターまたは映像再生装置をそれぞれ構成する場合、使用者に現実と類似または同一にリアルサウンドと映像を一度に感じることができるように、例えば、実感するAV（Audio Visual）またはドルビー音響システムを提供することができ、没入感と臨場感のある立体音響を提供することができる。そして、図1〜図22を参照して説明したように、モジュール化された音響発生モジュールを適用するので、音響発生モジュールを配置する際に表示装置または背面カバーに対する設計の自由度が向上し得る。
【０３７４】
図28は、本明細書の他の実施例に係る音響発生モジュールを含む表示装置を示す図である。
【０３７５】
図28を参照すると、表示パネル１１０は、第1領域１〜第15領域１５を含むことができる。第1領域１〜第15領域１５は、同じ面積を有することができ、これに限定されるものではない。例えば、第1領域１〜第15領域１５は、同じ間隔を有するように配置することができ、これに限定されるものではない。例えば、第1領域１、第4領域４、および第7領域７は、表示パネル１１０の背面の左側の領域であり得る。例えば、第2領域２、第5領域５、および第8領域８は、表示パネル１１０の背面の右側の領域であり得る。例えば、第3領域３、第6領域６、および第9領域９は、表示パネル１１０の背面の中央領域であり得る。例えば、第12領域１２は、第4領域４と第6領域６との間の領域であり得る。例えば、第13領域１３は、第5領域５と第6領域６との間の領域であり得る。例えば、第14領域１４は、第7領域７と第9領域９との間の領域であり得る。例えば、第15領域１５は、第8領域８と第9領域９との間の領域であり得る。例えば、第10領域１０、第12領域１２、および第14領域１４は、第1領域１、第4領域４、および第7領域７と、第3領域３、第6領域６、および第9領域９との間の領域であり得る。例えば、第11領域１１、第13領域１３、および第15領域１５は、第2領域２、第5領域５、および第8領域８と、第3領域３、第6領域６、および第9領域９との間の領域であり得る。第1領域１〜第15領域１５で領域を表示する数字1〜15は、任意に表示したものであり、数字の1〜15および第1領域〜第15領域の区分が明細書の内容を限定するものではない。これに対する説明は、図29〜図44Cに同一または類似に適用することができる。
【０３７６】
第1領域１〜第15領域１５のうち少なくとも一つの領域には、少なくとも一つの音響発生モジュールを配置し得る。例えば、第1音響発生モジュール１５００Lは、表示パネル１１０の背面の第1領域１に配置することができ、第4音響発生モジュール１５００HLは、表示パネル１１０の背面の第4領域４に配置することができ、第7音響発生モジュール１５００BLは、表示パネル１１０の背面の第7領域７に配置し得る。第2音響発生モジュール１５００Rは、表示パネル１１０の背面の第2領域２に配置することができ、第5音響発生モジュール１５００HRは、表示パネル１１０の背面の第5領域５に配置することができ、第8音響発生モジュール１５００BRは、表示パネル１１０の背面の第8領域８に配置し得る。第3音響発生モジュール１５００Cは、表示パネル１１０の背面の第3領域３に配置することができ、第6音響発生モジュール１５００HCは、表示パネル１１０の背面の第6領域６に配置することができ、第9音響発生モジュール１５００BCは、表示パネル１１０の背面の第9領域９に配置し得る。第10音響発生モジュール１５００LCは、表示パネル１１０の背面の第10領域１０に配置することができ、第12音響発生モジュール１５００HLCは、表示パネル１１０の背面の第12領域１２に配置することができ、第14音響発生モジュール１５００BLCは、表示パネル１１０の背面の第14領域１４に配置し得る。第11音響発生モジュール１５００RCは、表示パネル１１０の背面の第11領域１１に配置することができ、第13音響発生モジュール１５００HRCは、表示パネル１１０の背面の第13領域１３に配置することができ、第15音響発生モジュール１５００BRCは、表示パネル１１０の背面の第15領域１５に配置し得る。他の例としては、第1〜第15音響発生モジュールは、図22で説明したように、背面カバーの背面に配置し得る。第1〜第15音響発生モジュールは、モジュール構造物に配置し得る。
【０３７７】
第1音響発生モジュール１５００Lは、表示パネル１１０の左側（Left）チャンネルであり、第4音響発生モジュール１５００HLは、表示パネル１１０の上左側（Height Left）チャンネルであり、第7音響発生モジュール１５００BLは、表示パネル１１０の下左側（Bottom Left）チャンネルであり得る。第10音響発生モジュール１５００LCは、表示パネル１１０の左側中央（Left Center）チャンネルであり、第12音響発生モジュール１５００HLCは、表示パネル１１０の上左側中央（Height Left Center）チャンネルであり、第14音響発生モジュール１５００BLCは、表示パネル１１０の下左中央（Bottom Left Center）チャンネルであり得る。第2音響発生モジュール１５００Rは、表示パネル１１０の右側（Right）チャンネルであり、第5音響発生モジュール１５００HRは、表示パネル１１０の上右側（Height Right）チャンネルであり、第8音響発生モジュール１５００BRは、表示パネル１１０の下右側（Bottom Right）チャンネルであり得る。第11音響発生モジュール１５００RCは、表示パネル１１０の右側中央（Right Center）チャンネルであり、第13音響発生モジュール１５００HRCは、表示パネル１１０の上右側中央（Height Right Center）チャンネルであり、第15音響発生モジュール１５００BRCは、表示パネル１１０の下左中央（Bottom Right Center）チャンネルであり得る。第3音響発生モジュール１５００Cは、表示パネル１１０の中央（center）チャンネルであり、第6音響発生モジュール１５００HCは、表示パネル１１０の上側中央（Height Center）チャンネルであり、第9音響発生モジュール１５００BCは、表示パネル１１０の下側中央（Bottom Center）チャンネルであり得る。
【０３７８】
例えば、第1音響発生モジュール１５００Lは、第4音響発生モジュール１５００HLおよび/または第7音響発生モジュール１５００BLと対称に配置することができ、これに限定されるものではない。例えば、第1音響発生モジュール１５００Lは、第4音響発生モジュール１５００HLおよび/または第7音響発生モジュール１５００BLと同一線上に整列することができ、これに限定されるものではない。例えば、第2音響発生モジュール１５００Rは、第5音響発生モジュール１５００HRおよび/または第8音響発生モジュール１５００BRと対称に配置することができ、これに限定されるものではない。例えば、第2音響発生モジュール１５００Rは、第5音響発生モジュール１５００HRおよび/または第8音響発生モジュール１５００BRと同一線上に整列することができ、これに限定されるものではない。例えば、第3音響発生モジュール１５００Cは、第6音響発生モジュール１５００HCおよび/または第9音響発生モジュール１５００BCと対称に配置することができ、これに限定されるものではない。例えば、第3音響発生モジュール１５００Cは、第6音響発生モジュール１５００HCおよび/または第9音響発生モジュール１５００BCと同一線上に整列することができ、これに限定されるものではない。このように構成する場合、音の再生位置が同一線上に整列され得るので、同じ位置から音が再生されるような効果を与えることができる。これにより、音の位置に対する認知感が向上し得るので、音響の定位感が向上し得る。
【０３７９】
例えば、第10音響発生モジュール１５００LCは、第12音響発生モジュール１５００HLCおよび/または第14音響発生モジュール１５００BLCのいずれかと対称的に配置することができ、これに限定されるものではない。例えば、第10音響発生モジュール１５００LCは、第12音響発生モジュール１５００HLCおよび/または第14音響発生モジュール１５００BLCのいずれかと同一線上に整列することができ、これに限定されるものではない。例えば、第11音響発生モジュール１５００RCは、第13音響発生モジュール１５００HRCおよび/または第15音響発生モジュール１５００BRCのいずれかと対称的に配置することができ、これに限定されるものではない。例えば、第11音響発生モジュール１５００RCは、第13音響発生モジュール１５００HRCおよび/または第15音響発生モジュール１５００BRCのいずれかと同一線上に整列することができ、これに限定されるものではない。このように構成する場合、音の再生位置が同一線上に整列され得るので、同じ位置から音が再生されるような効果を与えることができる。これにより、音の位置に対する認知感が向上し得るので、音響の定位感が向上し得る。
【０３８０】
例えば、第4音響発生モジュール１５００HL、第5音響発生モジュール１５００HR、および第6音響発生モジュール１５００HC中の一つは、第12音響発生モジュール１５００HLCおよび第13音響発生モジュール１５００HRCのいずれかと対称的に配置することができ、これに限定されるものではない。例えば、第4音響発生モジュール１５００HL、第5音響発生モジュール１５００HR、および第6音響発生モジュール１５００HC中の一つは、第12音響発生モジュール１５００HLCおよび第13音響発生モジュール１５００HRCのいずれかと同一線上に整列することができ、これに限定されるものではない。例えば、第1音響発生モジュール１５００L、第2音響発生モジュール１５００R、および第3音響発生モジュール１５００C中の一つは、第10音響発生モジュール１５００LCおよび第11音響発生モジュール１５００RCのいずれかと対称的に配置することができ、これに限定されるものではない。例えば、第1音響発生モジュール１５００L、第2音響発生モジュール１５００R、および第3音響発生モジュール１５００C中の一つは、第10音響発生モジュール１５００LCおよび第11音響発生モジュール１５００RCのいずれかと同一線上に整列することができ、これに限定されるものではない。例えば、第7音響発生モジュール１５００BL、第8音響発生モジュール１５００BR、および第9音響発生モジュール１５００BC中の一つは、第14音響発生モジュール１５００BLCおよび第15音響発生モジュール１５００BRCのいずれかと対称的に配置することができ、これに限定されるものではない。例えば、第7音響発生モジュール１５００BL、第8音響発生モジュール１５００BR、および第9音響発生モジュール１５００BC中の一つは、第14音響発生モジュール１５００BLCおよび第15音響発生モジュール１５００BRCのいずれかと同一線上に整列することができ、これに限定されるものではない。このように構成する場合には、音の再生位置が同一線上に整列され得るので、同じ位置から音が再生されるような効果を与えることができる。これにより、音の位置に対する認知感が向上し得るので、音響の定位感が向上し得る。
【０３８１】
そして、低音域帯の音響をより向上させるためにウーファーを配置し得る。例えば、第1領域１〜第15領域１５のうち少なくとも一つの下側には、ウーファーを配置し得る。例えば、第1音響発生モジュール１５００L〜第15音響発生モジュール１５００BRCのうち少なくとも一つの下側には、ウーファーをさらに含むことができる。例えば、第1ウーファー（W3）は、表示パネル１１０の第7領域７の下側（または下）に配置することができる。例えば、第2ウーファー（W4）は、第7音響発生モジュール１５００BLの下側（または下）に配置することができる。例えば、第1ウーファー（W3）は、第7領域７と第14領域１４との間に配置し得る。例えば、第2ウーファー（W4）は、表示パネル１１０の第8領域８の下側（または下）に配置することができる。例えば、第2ウーファー（W4）は、第8音響発生モジュール１５００BRの下側（または下）に配置することができる。例えば、第2ウーファー（W4）は、第8領域（8）と第15領域１５との間に配置し得る。したがって、第1ウーファー（W1）および第2ウーファー（W2）は、低音域帯の音響を出力することができる。
【０３８２】
他の例としては、第1ウーファー（W3）および第2ウーファー（W4）を構成せずに、第7音響発生モジュール１５００BLおよび第8音響発生モジュール１５００BR中の少なくとも1つ以上は、ウーファーを含む音響発生モジュールで構成することができる。例えば、第7領域７に第1ウーファー一体型音響発生モジュール（W1）および第8領域８に第2ウーファー一体型音響発生モジュール（W2）を構成することができる。例えば、第7領域７および第8領域８中の一つ以上にウーファーを含む音響発生モジュールを構成することができる。第1ウーファー一体型音響発生モジュール（W1）および第2ウーファー一体型音響発生モジュール（W2）は、図24A〜図25Bで説明した内容と同じなので、ここでは説明を省略する。
【０３８３】
第1ウーファー一体型音響発生モジュール（W1）を第7領域７に配置する場合、第1ウーファー一体型音響発生モジュール（W1）は、第1音響発生モジュール１５００Lおよび第4音響発生モジュール１５００HLのいずれかと対称的に配置し得る。例えば、第1ウーファー一体型音響発生モジュール（W1）は、第1音響発生モジュール１５００Lおよび第4音響発生モジュール１５００HLのいずれかと同一線上に整列し得る。第2ウーファー一体型音響発生モジュール（W2）を第8領域８に配置する場合には、第2ウーファー一体型音響発生モジュール（W2）は、第2音響発生モジュール１５００Rおよび第5音響発生モジュール１５００HRのいずれかと対称的に配置し得る。例えば、第2ウーファー一体型音響発生モジュール（W2）は、第2音響発生モジュール１５００Rおよび第5音響発生モジュール１５００HRのいずれかと同一線上に整列し得る。このように構成する場合、音の再生位置が同一線上に整列され得るので、同じ位置から音が再生されるような効果を与えることができる。これにより、音の位置に対する認知感が向上し得るので、音響の定位感が向上し得る。
【０３８４】
他の例としては、第1ウーファー一体型音響発生モジュール（W1）を第7領域７に配置する場合、第1ウーファー一体型音響発生モジュール（W1）は、第1音響発生モジュール１５００Lおよび第4音響発生モジュール１５００HLのいずれかと非対称に配置し得る。例えば、第1ウーファー一体型音響発生モジュール（W1）は、第1音響発生モジュール１５００Lおよび第4音響発生モジュール１５００HLのいずれかと異なる線上に配置し得る。第2ウーファー一体型音響発生モジュール（W2）を第8領域８に配置する場合には、第2ウーファー一体型音響発生モジュール（W2）は、第2音響発生モジュール１５００Rおよび第5音響発生モジュール１５００HRのいずれかと非対称に配置し得る。例えば、第2ウーファー一体型音響発生モジュール（W2）は、第2音響発生モジュール１５００Rおよび第5音響発生モジュール１５００HRのいずれかと異なる線上に配置し得る。例えば、第1ウーファー一体型音響発生モジュール（W1）および第2ウーファー一体型音響発生モジュール（W2）は、第3音響発生モジュール１５００Cと異なる線上に配置することができ、これに限定されるものではない。このように構成する場合、第1ウーファー一体型音響発生モジュール（W1）が発生させる振動および定在波と、第4音響発生モジュール１５００HLまたは第7音響発生モジュール１５００BLが発生させる振動および定在波間の振動の干渉による音響補強または相殺を減らすことができる。再生する音源による振動の他、外部干渉による不要な音響補強または相殺干渉は、音の歪みを発生させ、音質劣化の原因となり得るが、第4音響発生モジュール１５００HLおよび第7音響発生モジュール１５００BLのいずれかと第1ウーファー一体型音響発生モジュール（W1）の非対称構造は、これを防止して、原音に近い自然な音響を再生することができる。第2ウーファー一体型音響発生モジュール（W2）が発生させる振動および定在波と第5音響発生モジュール１５００HRまたは第8音響発生モジュール１５００BRが発生させる振動および定在波間の振動の干渉による音響補強または相殺を減らすことができる。再生する音源による振動の他、外部干渉による不要な音響補強または相殺干渉は、音の歪みを発生させて音質劣化の原因となるが、第5音響発生モジュール１５００HRおよび第8音響発生モジュール１５００BRのいずれかと第2ウーファー一体型音響発生モジュール値（W2）の非対称構造は、これを防止して、原音に近い自然な音響を再生することができる。
【０３８５】
他の例としては、第1ウーファー（W3）および第2ウーファー（W4）を構成せずに、第1音響発生モジュール１５００Lおよび第2音響発生モジュール１５００R中の少なくとも1つ以上は、ウーファーを含む音響発生モジュールで構成することができる。例えば、第1領域１に第1ウーファー一体型音響発生モジュール（W1）および第2領域２に第2ウーファー一体型音響発生モジュール（W2）を構成することができる。例えば、第1領域１および第2領域２中の一つ以上にウーファーを含む音響発生モジュールを構成することができる。第1ウーファー一体型音響発生モジュール（W1）および第2ウーファー一体型音響発生モジュール（W2）は、図24A〜図25Bで説明した内容と同じなので、ここでは説明を省略する。これに対する説明は、第1ウーファー一体型音響発生モジュール（W1）および第2ウーファー一体型音響発生モジュール（W2）が第1領域１および第2領域２に配置された内容と同じなので、ここでは説明を省略する。
【０３８６】
他の例としては、第1ウーファー（W3）および第2ウーファー（W4）を構成せずに、第10音響発生モジュール１５００LCおよび第11音響発生モジュール１５００RC中の少なくとも1つ以上は、ウーファーを含む音響発生モジュールで構成することができる。例えば、第10領域１０に第1ウーファー一体型音響発生モジュール（W1）および第11領域１１に第2ウーファー一体型音響発生モジュール（W2）を構成することができる。例えば、第10領域１０および第11領域１１中の一つ以上にウーファーを含む音響発生モジュールを構成することができる。第1ウーファー一体型音響発生モジュール（W1）および第2ウーファー一体型音響発生モジュール（W2）は、図24A〜図25Bで説明した内容と同じなので、ここでは説明を省略する。これに対する説明は、第1ウーファー一体型音響発生モジュール（W1）および第2ウーファー一体型音響発生モジュール（W2）が第10領域１０および第11領域１１に配置された内容と同じなので、ここでは説明を省略する。
【０３８７】
他の例としては、第1ウーファー（W3）および第2ウーファー（W4）を構成せずに、第14音響発生モジュール１５００BLCおよび第15音響発生モジュール１５００BRC中の少なくとも1つ以上は、ウーファーを含む音響発生モジュールで構成することができる。例えば、第14領域１４に第1ウーファー一体型音響発生モジュール（W1）および第15領域１５に第2ウーファー一体型音響発生モジュール（W2）を構成することができる。例えば、第14領域１４および第15領域１５中の一つ以上にウーファーを含む音響発生モジュールを構成することができる。第1ウーファー一体型音響発生モジュール（W1）および第2ウーファー一体型音響発生モジュール（W2）は、図24A〜図25Bで説明した内容と同じなので、ここでは説明を省略する。これに対する説明は、第1ウーファー一体型音響発生モジュール（W1）および第2ウーファー一体型音響発生モジュール（W2）が第14領域１４および第15領域１５に配置された内容と同じなので、ここでは説明を省略する。
【０３８８】
他の例としては、第1ウーファー（W3）および第2ウーファー（W4）を構成せずに、第4音響発生モジュール１５００HLおよび第5音響発生モジュール１５００HR中の少なくとも1つ以上は、ウーファーを含む音響発生モジュールで構成することができる。例えば、第4領域４に第1ウーファー一体型音響発生モジュール（W1）および第5領域５に第2ウーファー一体型音響発生モジュール（W2）を構成することができる。例えば、第4領域４と第5領域５中の一つ以上にウーファーを含む音響発生モジュールを構成することができる。
【０３８９】
他の例としては、第1ウーファー（W3）および第2ウーファー（W4）を構成せずに、第12音響発生モジュール１５００HLCおよび第13音響発生モジュール１５００HRC中の少なくとも1つ以上は、ウーファーを含む音響発生モジュールで構成することができる。例えば、第12領域１２に第1ウーファー一体型音響発生モジュール（W1）および第13領域１３に第2ウーファー一体型音響発生モジュール（W2）を構成することができる。例えば、第12領域１２および第13領域１３中の一つ以上にウーファーを含む音響発生モジュールを構成することができる。
【０３９０】
他の例としては、第1ウーファー（W3）および第2ウーファー（W4）を構成せずに、第6音響発生モジュール１５００HCおよび第9音響発生モジュール１５００BC中の少なくとも1つ以上は、ウーファーを含む音響発生モジュールで構成することができる。例えば、第6領域６に第1ウーファー一体型音響発生モジュール（W1）および第9領域９に第2ウーファー一体型音響発生モジュール（W2）を構成することができる。例えば、第6領域６および第9領域９中の一つ以上にウーファーを含む音響発生モジュールを構成することができる。他の例としては、第3領域３にウーファーを含む音響発生モジュールを構成することができる。例えば、第3音響発生モジュール１５００Cは、ウーファーを含む音響発生モジュールで構成することができる。
【０３９１】
したがって、ウーファーを別個に構成せずに、ウーファー一体型音響発生モジュールを第1領域１〜第15領域１５のうち少なくとも一つ以上の領域に配置して低音域帯の音響を出力することができるので、低中高音域帯の音響を出力することができる表示装置を提供することができる。このように構成する場合、音響発生モジュールは、同じ信号またはモノラル信号を印加して駆動することができる。
【０３９２】
したがって、第1音響発生モジュール１５００L、第2音響発生モジュール１５００R、第3音響発生モジュール１５００C、第4音響発生モジュール１５００HL、第5音響発生モジュール１５００HR、第6音響発生モジュール１５００HC、第7音響発生モジュール１５００BL、第8音響発生モジュール１５００BR、第9音響発生モジュール１５００BC、第10音響発生モジュール１５００LC、第11音響発生モジュール１５００RC、第12音響発生モジュール１５００HLC、第13音響発生モジュール１５００HRC、第14音響発生モジュール１５００BLC、および第15音響発生モジュール１５００BRCは、80Hz〜40kHzの音響を出力することができる。第1ウーファー（W3）および第2ウーファー（W4）は、80Hz以下の音響を出力することができる。したがって、表示装置は、15.1チャンネルの音響を出力することができる。
【０３９３】
本明細書の実施例に係る表示装置は、左右映像および上下映像に対する左右音響および上下音響を実現することができ、使用者に立体的な左右音響および上下音響を含む実際の音響（例えば、リアル（real）サウンド）のリアル立体音響を実現することができるので、仮想（virtual）音響ではなく、リアル（real）サウンドを提供することができる。これにより、使用者に立体的な左右音響および上下音響を含む実際の音響（例えば、リアル（real）サウンド）のリアル立体音響またはサラウンド音響を実現することができるので、臨場感を向上させることができる。したがって、映画館、個人映画館、およびテレビなどの機器でも、使用者に現実と類似または同一にリアルサウンドと映像を一度に感じることができるように、例えば、実感するAV（Audio Visual）またはドルビー音響システムを感じることができようにすることができる。
【０３９４】
そして、図23A〜図23Dのサウンドプレートに図24Aおよび図24Bのマルチチャンネルを有する音響発生モジュールを実現する場合、使用者に立体的な左右音響および上下音響を含む実際の音響（例えば、リアル（real）サウンド）のリアル立体音響またはサラウンド音響を実現することができるので、臨場感を向上させることができる。図23A〜図23Dのサウンドプレートに図24Aおよび図24Bのマルチチャンネルを有する音響発生モジュールと、プロジェクターまたは映像再生装置をそれぞれ構成する場合、使用者に現実と類似または同一にリアルサウンドと映像を一度に感じることができるように、例えば、実感するAV（Audio Visual）またはドルビー音響システムを提供することができ、没入感と臨場感のある立体音響を提供することができる。そして、図1〜図22を参照して説明したように、モジュール化された音響発生モジュールを適用するので、音響発生モジュールを配置する際に表示装置または背面カバーに対する設計の自由度が向上し得る。
【０３９５】
図29A〜図29Eは、本明細書の他の実施例に係る音響発生モジュールとパーティションを示す図である。
【０３９６】
図29A〜図29Eを参照すると、表示パネル１１０は、第1領域１〜第6領域６を含むことができる。第1領域１〜第6領域６は、同じ面積を有することができ、これに限定されるものではない。例えば、第1領域１〜第6領域６は、同じ間隔または距離で配置し得る。このように構成する場合、第1領域１〜第6領域６に配置する音響発生モジュールのすべてのチャンネルが同じ周波数領域（または範囲）を再生し、または出力することができるので、チャンネル間の音響の調和を均等に構成し得る。これにより、音響効果があるとき（例えば、音場が広くなる場合）と音響効果がない場合（例えば、音場が広くない場合）の音質の差が小さくなり得、均一または、一定の音質を実現することができる。他の例としては、第1領域１、第2領域２、第3領域３が、第4領域４、第5領域５、および第6領域６よりも大きい面積を有することができる。このように構成する場合、左右のステレオの低音領域を強化することができるので、音響効果がない一般音響の音質を向上させることができる。他の例としては、第4領域４、第5領域５、および第6領域６が、第1領域１、第2領域２、および第3領域３よりも小さい面積を有することができる。このように構成する場合、音響効果を担当するチャンネルの低音領域を強化することができるので、音響効果のある音を再生する場合、音を表現する空間である音場が広くなり得るので、音の位置を表現する音響効果を向上し得る。したがって、第1領域１〜第6領域６は、所望の音域によって大きさを調節することができる。
【０３９７】
図29A〜図29Eを参照すると、音響発生モジュールの周辺にパーティションを設定し得る。パーティションは、音響発生モジュールによって表示パネル１１０が振動するときの音響が発生するエアギャップ（air gap）またはスペース（space）であり得る。音響を発生させ、または音響を提供するエアギャップまたはスペースをパーティションとすることができる。パーティションは、音響を分離し、またはチャンネルを分離することができ、音響の干渉に起因する不鮮明な音響発生を遮断または軽減することができる。パーティションは、エンクロージャ（enclosure）またはバッフル（baffle）とすることができ、用語に限定されない。以下の実施例は、パーティションを背面カバーに配置することを例に挙げて説明するが、本明細書の実施例は、これに限定されず、表示パネルの背面に配置し得る。音響発生モジュールおよびパーティションを示すために、背面カバーに配置されていることを例に挙げて説明する。例えば、パーティションが背面カバーに配置されている場合、表示パネルに配置されるパーティションにより表示パネルに与える画質の影響を軽減することができる。図22で説明したように、音響発生モジュールを背面カバーに配置した場合、パーティションは、背面カバーに配置し得る。
【０３９８】
図29Aを参照すると、パーティションは、表示パネル１１０の背面に配置する音響発生モジュールから出力される左側音声と右側音響を分離するために配置することができる。例えば、パーティションは、表示パネル１１０の第1領域１〜第6領域６に対応する表示パネル１１０と、背面カバー３００との間に配置し得る。例えば、第4パーティション１７０１は、第1領域１および第4領域４と、第3領域３との間に配置し得る。例えば、第4パーティション１７０１は、第1領域１および第4領域４と、第3領域３および第6領域６との間に配置し得る。第5パーティション１７０２は、第2領域２および第5領域５と、第3領域３との間に配置し得る。例えば、第5パーティション１７０２は、第2領域２および第5領域５と、第3領域３および第6領域６との間に配置し得る。第4パーティション１７０１および第5パーティション１７０２は、第1ウーファー一体型音響発生モジュール（W1）および第4音響発生モジュール１５００HLと、第2ウーファー一体型音響発生モジュール（W2）および第5音響発生モジュール１５００HRで発生する左右の音響または左右のチャンネルを分離することができる。
【０３９９】
ステレオ音響または立体音響を実現するために、第4音響発生モジュール１５００HLおよび第5音響発生モジュール１５００HRをさらに構成して、第4音響発生モジュール１５００HLおよび第5音響発生モジュール１５００HRで発生する音響またはチャンネルと第1ウーファー一体型音響発生モジュール（W1）、第2ウーファー一体型音響発生モジュール（W2）、および第3音響発生モジュール１５００Cで発生する音響またはチャンネルを分離するために、パーティションを構成しなければならない。第4パーティション１７０１および第5パーティション１７０２を配置する場合には、左右の音響または左右のチャンネルを分離することができる。上側音響または上側チャンネルを分離し、表示パネル１１０の背面の領域に配置する音響発生モジュールが各領域で独立した音響を実現するために、各音響発生モジュールの音響を発生させることができるパーティションを構成しなければならない。
【０４００】
パーティションは、表示パネル１１０の上側のチャンネルと表示パネル１１０の下側のチャンネルを分離することができるように構成することができる。例えば、第1パーティション１７２１は、表示パネル１１０の上側のチャンネルと表示パネル１１０の下側のチャンネルを分離することができる。例えば、第1パーティション１７２１は、表示パネル１１０の上側に配置される第4音響発生モジュール１５００HLおよび第5音響発生モジュール１５００HRと、表示パネル１１０の下側（または下）に配置される第1ウーファー一体型音響発生モジュール（W1）、第2ウーファー一体型音響発生モジュール（W2）、および第3音響発生モジュール１５００Cで発生する音響またはチャンネルを分離することができる。第2パーティション１７２２は、表示パネル１１０の下側（または下）に配置して表示パネル１１０を駆動するための駆動部と分離することができる。例えば、第2パーティション１７２２は、第1ウーファー一体型音響発生モジュール（W1）、第2ウーファー一体型音響発生モジュール（W2）、および第3音響発生モジュール１５００Cの下側（または下）に配置することができる。例えば、第2パーティション１７２２は、第1ウーファー一体型音響発生モジュール（W1）、第2ウーファー一体型音響発生モジュール（W2）、および第3音響発生モジュール１５００Cと、表示パネル１１０を駆動するための駆動部と分離することができる。
【０４０１】
第1パーティション１７２１、第2パーティション１７２２、第4パーティション１７０１、および第5パーティション１７０２は、背面カバー３００に配置し得る。例えば、第1パーティション１７２１、第2パーティション１７２２、第4パーティション１７０１、および第5パーティション１７０２は、背面カバー３００の前面に配置し得る。例えば、第1パーティション１７２１、第2パーティション１７２２、第4パーティション１７０１、および第5パーティション１７０２は、表示パネル１１０と背面カバー３００との間に配置することができる。例えば、第1パーティション１７２１、第2パーティション１７２２、第4パーティション１７０１、および第5パーティション１７０２は、表示パネル１１０の背面と背面カバー３００の前面との間に配置することができる。
【０４０２】
第1パーティション１７２１、第2パーティション１７２２、第4パーティション１７０１、および第5パーティション１７０２は、両面テープ、両面フォームテープ、両面フォームパッド、片面テープ、片面フォームテープ、片面フォームパッド、接着剤、およびボンド中のいずれか一つ以上で構成することができ、これに限定されるものではない。両面テープまたは両面フォームパッドで構成する場合、表示パネル１１０の背面と背面カバー３００の前面を付着する際に接着力を向上させることができる。例えば、第1パーティション１７２１、第2パーティション１７２２、第4パーティション１７０１、および第5パーティション１７０２は、一定程度圧縮することができる弾性を有する材質で実現し得る。例えば、第1パーティション１７２１、第2パーティション１７２２、第4パーティション１７０１、および第5パーティション１７０２は、ポリウレタン（polyurethane）、ポリオレフィン（polyolefin）、およびポリエチレン（polyethylene）材質で構成することができ、これに限定されるものではない。
【０４０３】
図29Bを参照すると、第1パーティション１７２１、第4パーティション１７０１、および第5パーティション１７０２を構成し、背面カバー３００と表示パネル１１０との間にパーティション１７５０を配置し得る。例えば、パーティション１７５０は、背面カバー３００の端または周辺に配置することができる。例えば、パーティション１７５０は、背面カバー３００の前面の端または周辺に配置することができる。パーティション１７５０は、背面カバー３００の前面の外郭の四辺の全体領域であり得る。他の例としては、パーティション１７５０は、表示パネル１１０の背面の端または周辺に配置することができる。パーティション１７５０は、表示パネル１１０の背面の外郭の四辺全体の領域であり得る。パーティション１７５０は、表示パネル１１０の背面または背面カバーの全体の領域であり得る。例えば、パーティション１７５０は、第3音響発生モジュール１５００C、第4音響発生モジュール１５００HL、第5音響発生モジュール１５００HRを囲むように配置し得る。パーティション１７５０は、表示パネル１１０のウェーブ現象を防止するために、表示パネル１１０の形状に沿って配置し得る。ウェーブ現象は、表示パネルを構成する基板の厚さが薄くなる場合、図4または図9で説明した連結部の形状などが表示パネルの画面に目立つ現象であり、表示パネルが平らでない、または背面カバーが平らでない、凸凹に視認される問題であり得る。例えば、パーティション１７５０が、図8、図10、および図19〜図21で説明した表示パネルと背面カバーを付着するための接着部材である場合には、図8、図10、および図19〜図21で説明した接着部材を省略することができ、パーティション１７５０は、接着部材の役割をすることができる。本明細書の実施例は、これに限られず、表示パネルと背面カバーを付着するための接着部材を表示パネルの背面または背面カバーに構成することもできる。
【０４０４】
第1パーティション１７２１、第4パーティション１７０１、第5パーティション１７０２、およびパーティション１７５０を配置する際に、第1パーティション１７２１を配置し、パーティション１７５０を配置した後に、第4パーティション１７０１および第5パーティション１７０２を配置することができる。他の例としては、第1パーティション１７２１を配置し、第4パーティション１７０１および第5パーティション１７０２を配置した後に、パーティション１７５０を配置することができる。しかし、パーティションを配置する順序は、本明細書の実施例の説明に限定するものではない。パーティション１７５０は、背面カバーの縦方向に最初に配置した後に、横方向に配置することができる。他の例としては、背面カバーの縦方向に最初に配置した後に、横方向に配置することができる。しかし、パーティションを配置する順序は、本明細書の実施例の説明に限定するものではない。以下の実施例では、第1パーティション１７２１を配置し、パーティション１７５０を配置した後に、第4パーティション１７０１および第5パーティション１７０２を配置することを例に挙げて示したが、本明細書の実施例は、これに限定されるものではない。これに対する説明は、以下の実施例でも同じかまたは類似に適用することができる。
【０４０５】
図29Cを参照すると、第1パーティション１７２１および第2パーティション１７２２の形状を異なって構成することができる。第1パーティション１７２１および第2パーティション１７２２は、表示パネル１１０の形状とは異なる形状で構成することができる。例えば、第1パーティション１７２１および第2パーティション１７２２は、平らでない形状、または線形状ではないことがあり得る。パーティションが平らでない形状、または線形状でない場合、定在波を分散させることができる。例えば、パーティションが鋸歯形状、三角形形状、および先端が丸い三角形状で実現する場合、鋸歯形状、三角形形状、および先端が丸い三角形形状によって定在波が複数の方向に分散され得るので、音響出力特性がさらに向上し得る。例えば、第1パーティション１７２１および第2パーティション１７２２は、鋸歯形状、三角形形状、および先端が丸い三角形形状を有することができる。例えば、パーティションの鋸歯が位置する方向は、音響発生モジュールを向くように配置することができる。例えば、パーティションが三角形形状である場合、三角形の先端が位置する方向は、音響発生モジュールを向くように配置することができる。例えば、パーティションが、先端が丸い三角形形状である場合、先端が丸い三角形の先端が位置する方向は、音響発生モジュールを向くように配置することができる。例えば、図29Cを参照すると、第1パーティション１７２１が、先端が丸い三角形形状である場合、先端が丸い三角形の先端は、第4音響発生モジュール１５００HLおよび第5音響発生モジュール１５００HRを向くように構成し得る。例えば、図29Cを参照すると、第2パーティション１７２２が、先端が丸い三角形形状である場合、先端が丸い三角形の先端は、第1ウーファー一体型音響発生モジュール（W1）、第2ウーファー一体型音響発生モジュール（W2）、および第3音響発生モジュール１５００Cを向くように構成し得る。したがって、パーティションの形状が少なくとも一つ以上の音響発生モジュールを向くように構成することにより、音響発生モジュールの定在波によるピークやディップ現象を制御することができ、表示パネルのウェーブ現象を減らすことができる。そして、パーティションの形状を変更することにより、音響発生モジュールの乱反射などの音響干渉を解決することができる。
【０４０６】
図29Dおよび図29Eを参照すると、パーティションの少なくとも一つの辺にパッドをさらに構成することができる。音圧の減少現象を引き起こす定在波は、進行波と反射波の大きさが大きな地点で多く発生し得る。したがって、パッドは、音響発生モジュールから到達する音波が最大の位置に配置することができる。例えば、パッドは、パーティションの辺の中で最も強い音波が到着する1つ以上の辺に配置し、音響発生モジュールを向くように構成することができる。
【０４０７】
図29Dを参照すると、第4パーティション１７０１の少なくとも一つの辺に第1ウーファー一体型音響発生モジュール（W1）および第4音響発生モジュール１５００HLを向くようにパッドを配置することができる。例えば、第4パーティション１７０１の少なくとも一つの辺に第1ウーファー一体型音響発生モジュール（W1）を向くように、第1-3パッド７１３を配置し得る。第1-3パッド７１３と向かい合う辺に、第1-1パッド７１１を配置し得る。第1-1パッド７１１および第1-3パッド７１３は、それぞれ一つで構成することができ、これに限られず、第1-1パッド７１１および第1-3パッド７１３中の一つは、二つ以上で構成することもできる。例えば、第4パーティション１７０１の少なくとも一つの辺に第4音響発生モジュール１５００HLを向くように、第4-3パッド７２３および第4-4パッド７２４を配置し得る。第4-3パッド７２３および第4-4パッド７２４と向かい合う辺に第4-1パッド７２１および第4-2パッド７２２を配置し得る。第4-1パッド７２１〜第4-4パッド７２４は、それぞれ2つで構成することができ、これに限られず、第4-1パッド７２１〜第4-4パッド７２４中中の一つは、1つまたは3つ以上で構成することもできる。例えば、第4パーティション１７０１の少なくとも他の辺に第3音響発生モジュール１５００Cを向くように、第3-1パッド９１１を配置し得る。第3-1パッド９１１は、一つ以上配置することができる。
【０４０８】
第5パーティション１７０２の少なくとも一つの辺に第2ウーファー一体型音響発生モジュール（W2）および第5音響発生モジュール１５００HRを向くようにパッドを配置することができる。例えば、第5パーティション１７０２の少なくとも一つの辺に第2ウーファー一体型音響発生モジュール（W2）を向くように、第2-1パッド８１１を配置し得る。第2-1パッド８１１と向かい合う辺に第2-3パッド８１３を配置し得る。図29Dは、第2-1パッド８１１および第2-3パッド８１３は、それぞれ一つで構成することができ、これに限られず、第2-1パッド８１１および第2-3パッド８１３中の一つは、2つ以上で構成することもできる。例えば、第5パーティション１７０２の少なくとも一つの辺に第5音響発生モジュール１５００HRを向くように、第5-1パッド８２１および第5-2パッド８２２を配置し得る。第5-1パッド８２１および第5-2パッド８２２と向かい合う辺に第5-3パッド８２３および第5-4パッド８２４を配置し得る。第5-1パッド８２１〜第5-4パッド８２４は、それぞれ2つで構成することができ、これに限られず、第5-1パッド８２１〜第5-4パッド８２４のいずれか1つまたは3つ以上で構成することもできる。例えば、第5パーティション１７０２の他の辺に第3音響発生モジュール１５００Cを向くように、第3-3パッド９１３を配置し得る。第3-1パッド９１１と向かい合う辺に第3-3パッド９１３を配置し得る。第3-1パッド９１１および第3-3パッド９１３のいずれか1つ以上配置することができる。
【０４０９】
第1パーティション１７２１の少なくとも一つの辺に第1ウーファー一体型音響発生モジュール（W1）、第2ウーファー一体型音響発生モジュール（W2）、および第3音響発生モジュール１５００Cを向くようにパッドを配置することができる。例えば、第1パーティション１７２１の少なくとも一つの辺に第1ウーファー一体型音響発生モジュール（W1）を向くように、第1-5パッド７１５を配置し得る。例えば、第1パーティション１７２１の少なくとも一つの辺に第2ウーファー一体型音響発生モジュール（W2）を向くように、第2-5パッド８１５を配置し得る。例えば、第1パーティション１７２１の少なくとも一つの辺に第3音響発生モジュール１５００Cを向くように、第3-5パッド９１５を配置し得る。例えば、第1パーティション１７２１の少なくとも一つの辺に第4音響発生モジュール１５００HLを向くように、第4-6パッド７２６を配置し得る。例えば、第1パーティション１７２１の少なくとも一つの辺に第5音響発生モジュール１５００HRを向くように、第5-6パッド８２６を配置し得る。例えば、第4-6パッド７２６と向かい合う辺に第4-5パッド７２５を配置することができ、第4-5パッド７２５は、第4音響発生モジュール１５００HLを向くように配置し得る。第5-6パッド８２６と向かい合う辺に第5-5パッド８２５を配置することができ、第5-5パッド８２５は、第5音響発生モジュール１５００HRを向くように配置することができる。第1-5パッド７１５、第2-5パッド８１５、第3-5パッド９１５、第4-5パッド７２５、第4-6パッド７２６、第5-5パッド８２５、および第5-6パッド８２６は、それぞれ一つで構成し得る。他の例としては、第1-5パッド７１５、第2-5パッド８１５、第3-5パッド９１５、第4-5パッド７２５、第4-6パッド７２６、第5-5パッド８２５、および第5-6パッド８２６のいずれか一つは、2つ以上で構成することもできる。
【０４１０】
例えば、第2パーティション１７２２の少なくとも一つの辺に第1ウーファー一体型音響発生モジュール（W1）を向くように、第1-6パッド７１６を配置し得る。例えば、第2パーティション１７２２の少なくとも一つの辺に第2ウーファー一体型音響発生モジュール（W2）を向くように、第2-6パッド８１６を配置し得る。例えば、第2パーティション１７２２の少なくとも一つの辺に第3音響発生モジュール１５００Cを向くように、第3-6パッド９１６を配置し得る。例えば、第1-6パッド７１６と向かい合う辺に第1-5パッド７１５を配置することができ、第1-5パッド７１５は、第1ウーファー一体型音響発生モジュール（W1）を向くように配置し得る。第2-6パッド８１６と向かい合う辺に第2-5パッド８１５を配置することができ、第2-5パッド８１５は、第2ウーファー一体型音響発生モジュール（W2）を向くように配置ことができる。第3-6パッド９１６と向かい合う辺に第3-5パッド９１５を配置することができ、第3-5パッド９１５は、第3音響発生モジュール１５００Cを向くように配置することができる。第1-5パッド７１５、第1-6パッド７１６、第2-5パッド８１５、第2-6パッド８１６、第3-5パッド９１５、および第3-6パッド９１６は、一つで構成し得る。他の例としては、第1-5パッド７１５、第1-6パッド７１６、第2-5パッド８１５、第2-6パッド８１６、第3-5パッド９１５、および第3-6パッド９１６のいずれか一つは、二つ以上で構成することもできる。
【０４１１】
本明細書の実施例では、第1-1パッド７１１および第1-3パッド７１３の大きさが、第1-5パッド７１５および第1-6パッド７１６のそれぞれの大きさよりも大きく示されているが、パッドの大きさが、本明細書の内容を限定するものではない。例えば、第1-1パッド７１１、および1-3パッド７１３の大きさが、第1-5パッド７１５および第1-6パッド７１６のそれぞれの大きさよりも小さいか同じであり得る。これに対しては、他のパッドにも同様に適用することができる。図29Dで背面カバー３００の周辺には、パーティションを配置しないことがあり得る。背面カバー３００の周辺には、図8、図10、および図19〜図21で説明した表示パネルと背面カバーを付着するための接着部材によって、背面カバー３００と表示パネル１１０を接着することができ、接着部材は、パーティションであり得る。
【０４１２】
図29Eを参照すると、第1パーティション１７２１および第2パーティション１７２２は、少なくとも一つのベント部を含むことができる。ベント部は、反射波と進行波の干渉によって発生する定在波による音圧の減少現象を減らすために配置し得る。ベント部のパーティションの辺の中で最も強い音波が到着する1つ以上の辺に形成し、音響発生モジュールを向くように構成することができる。
【０４１３】
第1パーティション１７２１は、一つ以上のベント部を含むことができる。例えば、第1パーティション１７２１は、第1ウーファー一体型音響発生モジュール（W1）を向くように、第1ベント部７０１を含むことができ、第2ウーファー一体型音響発生モジュール（W2）を向くように第2ベント部７０２を含むことができる。そして、第1パーティション１７２１は、第3音響発生モジュール１５００Cを向くように、第3ベント部７０３を含むことができる。そして、第4音響発生モジュール１５００HLおよび第5音響発生モジュール１５００HRの定在波による音圧の減少は、第4-5パッド７２５および第5-5パッド８２５によって減らすことができる。
【０４１４】
第2パーティション１７２２は、一つ以上のベント部を含むことができる。例えば、第2パーティション１７２２は、第1ウーファー一体型音響発生モジュール（W1）を向くように、第4ベント部７０４を含むことができ、第2ウーファー一体型音響発生モジュール（W2）を向くように第5ベント部７０５を含むことができる。そして、第2パーティション１７２２は、第3音響発生モジュール１５００Cを向くように、第6ベント部７０６を含むことができる。ベント部の音響発生モジュールの中心部で「V」字型の塞がった構造を有することができる。これに限定されず、ベント部は音響発生モジュールの中心部で開いた構造を有することができる。ベント部の音響発生モジュールの中心部で開いた構造を有する場合、塞がった構造を有する場合よりも材料費を削減することができる利点がある。音響特性の実験によると、ベント部の音響発生モジュールの中心部で開いた構造を有する場合と塞がった構造を有する場合に、音響特性の違いが微々またはないことを確認した。したがって、第1パーティション１７２１および第2パーティション１７２２は、一つ以上のベント部を含むことにより、音響発生モジュールの定在波による音圧の減少現象を減らすことができる。
【０４１５】
図29Eを参照すると、第1パーティション１７２１および第2パーティション１７２２は、一つ以上のベント部を含み、パーティション１７５０を配置することができる。例えば、パーティション１７５０の辺には、1つ以上のパッドを含むことができる。パーティション１７５０の一つの辺には、第4音響発生モジュール１５００HLを向くように第4-5パッド７２５を配置することができ、第5音響発生モジュール１５００HRを向くように第5-5パッド８２５を配置することができる。パーティション１７５０を構成することにより、表示パネルの背面に配置される音響発生モジュールの固定力を向上させることができ、表示パネルの端からの音響の漏れが減少し得るので、音響出力特性が向上し得る。
【０４１６】
図30A〜図30Eは、本明細書の他の実施例に係る音響発生モジュールとパーティションを示す図である。
【０４１７】
図30Aおよび図30Bを参照すると、図29Aおよび図29Bで説明した内容と同一または類似の内容であるため、ここでは説明を省略する。
【０４１８】
図30Cを参照すると、第1パーティション１７２１は、2つのパーティションで構成することができ、これに限定されるものではない。例えば、第1パーティション１７２１は、第1-1パーティション１７２１aおよび第1-2パーティション１７２１bを含むことができ、先端が丸い三角形形状で構成することができる。第1-1パーティション１７２１aの三角形または先端が丸い三角形状の先端は、第4音響発生モジュール１５００HLおよび第5音響発生モジュール１５００HRを向くように構成し得る。第1-2パーティション１７２１bの三角形または先端が丸い三角形状の先端は、第1音響発生モジュール１５００L、第2音響発生モジュール１５００R、および第3音響発生モジュール１５００Cを向くように構成ことができる。第2パーティション１７２２の三角形または先端が丸い三角形状の先端は、第1音響発生モジュール１５００L、第2音響発生モジュール１５００R、および第3音響発生モジュール１５００Cを向くように構成することができる。これにより、音響発生モジュールの定在波によるピークやディップ現象を制御することができ、表示パネルのウェーブ現象を減らすことができる。残りの構成は、図29Cと同一または類似であるので、詳細な説明を省略する。図29Cの実施例は、図30Cのパーティションでも同じように適用することができる。図30Cの実施例は、図29Cのパーティションでも同じように適用することができる。
【０４１９】
図30Dを参照すると、第1パーティション１７２１、第4パーティション１７０１、第5パーティション１７０２、およびパーティション１７５０を含むことができる。例えば、パーティション１７５０は、第1音響発生モジュール１５００L〜第5音響発生モジュール１５００HRを囲むように配置し得る。例えば、パーティション１７５０の辺には、1つ以上のパッドを含むことができる。パーティション１７５０の一つの辺には、第4音響発生モジュール１５００HLを向くように第4-5パッド７２５を配置することができ、第5音響発生モジュール１５００HRを向くように第5-5パッド８２５を配置することができる。パーティション１７５０のもう一つの辺には、第1音響発生モジュール１５００Lを向くように第1-6パッド７１６を配置することができ、第3音響発生モジュール１５００Cを向くように第3-6パッド９１６を配置することができ、第2音響発生モジュール１５００Rを向くように第2-6パッド８１６を配置することができる。パーティション１７５０を構成することにより、表示パネルの背面に配置する音響発生モジュールの固定力を向上させることができ、表示パネルの端からの音響の漏れが減少し得るので、音響出力特性が向上し得る。図29Dで背面カバー３００の周辺には、パーティションを配置しないことがあり得る。背面カバー３００の周辺には、図8、図10、および図19〜図21で説明した表示パネルと背面カバーを付着するための接着部材によって背面カバー３００と表示パネル１１０を接着することができ、接着部材は、パーティションであり得る。残りの構成は、図29Dと同じか類似しているので、詳細な説明を省略する。図29Dの実施例は、図30Dのパーティションでも同じように適用することができる。図30Dの実施例は、図29Dのパーティションでも同じように適用することができる。
【０４２０】
図30Eを参照すると、第1パーティション１７２１は、一つ以上のベント部を含むことができる。例えば、第1パーティション１７２１は、第1音響発生モジュール１５００Lを向くように第1ベント部７０１を含むことができ、第2音響発生モジュール１５００Rを向くように第2ベント部７０２を含むことができる。そして、第1パーティション１７２１は、第3音響発生モジュール１５００Cを向くように第3ベント部７０３を含むことができる。そして、第4音響発生モジュール１５００HLおよび第5音響発生モジュール１５００HRの定在波による音圧の減少現象は、第4-5パッド７２５および第5-5パッド８２５によって減らすことができる。
【０４２１】
第2パーティション１７２２は、一つ以上のベント部を含むことができる。例えば、第2パーティション１７２２は、第1音響発生モジュール１５００Lを向くように第4ベント部７０４を含むことができ、第2音響発生モジュール１５００Rを向くように第5ベント部７０５を含むことができる。そして、第2パーティション１７２２は、第3音響発生モジュール１５００Cを向くように第6ベント部７０６を含むことができる。ベント部は、音響発生モジュールの中心部で「V」字形態の塞がった構造を有することができる。これに限定されず、開いた構造を有することができる。ベント部の音響発生モジュールの中心部で開いた構造を有する場合、塞がった構造を有する場合よりも材料費を削減することができる利点がある。音響特性の実験によると、ベント部の音響発生モジュールの中心部で開いた構造を有する場合と塞がった構造を有する場合に、音響特性の違いが微々またはないことを確認した。したがって、第1パーティション１７２１および第2パーティション１７２２は、一つ以上のベント部を含むことにより、音響発生モジュールの定在波による音圧の減少現象を減らすことができる。残りの構成は、図29Eと同一または類似するので、詳細な説明を省略する。図29Eの実施例は、図30Eのパーティションでも同じように適用することができる。図30Eの実施例は、図29Eのパーティションでも同じように適用することができる。
【０４２２】
図31A〜図31Eは、本明細書の他の実施例に係る音響発生モジュールとパーティションを示す図である。
【０４２３】
図31A〜図31Eを参照すると、表示パネル１１０の背面は、第1領域１〜第15領域１５を含むことができる。第1領域１〜第15領域１５は、同じ面積を有することができ、これに限定されるものではない。例えば、第1領域１〜第15領域１５は、同じ間隔を有するように配置することができ、これに限定されるものではない。第1領域１〜第15領域１５は、所望の音域帯によって大きさを調節することができる。例えば、第1領域１、第4領域４、および第7領域７は、表示パネル１１０の背面の左側の領域であり得る。例えば、第2領域２、第5領域５、および第8領域８は、表示パネル１１０の背面の右側の領域であり得る。例えば、第3領域３、第6領域６、および第9領域９は、表示パネル１１０の背面の中央領域であり得る。例えば、第6領域６は、第4領域４と第5領域５との間の領域であり得る。例えば、第9領域９は、第7領域７と第8領域８との間の領域であり得る。例えば、第10領域１０は、第1領域１と第3領域３との間の領域であり得る。例えば、第11領域１１は、第2領域２と第3領域３との間の領域であり得る。例えば、第7領域７は、第1領域１の下側であり得、第8領域８は、第2領域２の下側であり得る。例えば、第10領域１０、第12領域１２、および第14領域１４は、第1領域１、第4領域４、および第7領域７と、第3領域３、第6領域６、および第9領域９の間の領域であり得る。例えば、第11領域１１、第13領域１３、および第15領域１５は、第2領域２、第5領域５、および第8領域８と、第3領域３、第6領域６、および第9領域９の間の領域であり得る。第1領域〜第15領域で領域を表示する数字1〜15は、任意に表示したものであり、数字の1〜15および第1領域〜第15領域の区分が明細書の内容を限定するものではない。これに対する説明は、図31B〜図43Cに同一または類似に適用することができる。
【０４２４】
図31Aを参照すると、音響発生モジュールの周辺にパーティションをさらに構成することができる。例えば、パーティションは、表示パネル１１０の第1領域１〜第11領域１１に対応する表示パネル１１０と、背面カバー３００との間に配置し得る。例えば、第4パーティション１７１３は、第1領域１、第4領域４、および第7領域７と、第3領域３、第6領域６、および第9領域９との間に配置し得る。第4パーティション１７１３は、第1音響発生モジュール１５００L、第4音響発生モジュール１５００HL、および第7音響発生モジュール１５００BLと、第3音響発生モジュール１５００C、第6音響発生モジュール１５００HC、および第9音響発生モジュール１５００BCで発生する音響またはチャンネルを分離することができる。例えば、第5パーティション１７１４は、第2領域２、第5領域５、および第8領域８と、第3領域３、第6領域６、および第9領域９との間に配置し得る。第5パーティション１７１４は、第2音響発生モジュール１５００R、第5音響発生モジュール１５００HR、および第8音響発生モジュール１５００BRと、第3音響発生モジュール１５００C、第6音響発生モジュール１５００HC、および第9音響発生モジュール１５００BCで発生する音響またはチャンネルを分離することができる。したがって、第4パーティション１７１３および第5パーティション１７１４は、左側音響と右側音響を分離することができる。
【０４２５】
第1パーティション１７２１は、表示パネル１１０の上側のチャンネルと表示パネル１１０の下側のチャンネルを分離することができる。例えば、第1パーティション１７２１は、表示パネル１１０の上側に配置する第4音響発生モジュール１５００HLおよび第5音響発生モジュール１５００HRと、表示パネル１１０の下側（または下）に配置する第7音響発生モジュール１５００BL、第8音響発生モジュール１５００BR、および第9音響発生モジュール１５００BCで発生する音響またはチャンネルを分離することができる。
【０４２６】
ステレオ音響または立体音響を実現するために、第10音響発生モジュール１５００LCおよび第11音響発生装置１５００RCをさらに構成して、第10音響発生モジュール１５００LCで発生する音響またはチャンネルと、第7音響発生モジュール１５００BL、第8音響発生モジュール１５００BR、および第9音響発生モジュール１５００BCで発生する音響またはチャンネルを分離するためにパーティションを構成しなければならない。そして、第11音響発生モジュール１５００RCで発生する音響またはチャンネルと、第7音響発生モジュール１５００BL、第8音響発生モジュール１５００BR、および第9音響発生モジュール１５００BCで発生する音響またはチャンネルを分離するためにパーティションを構成しなければならない。第4パーティション１７１３および第5パーティション１７１４は、左右の音響または左右のチャンネルを分離することができる。ステレオ音響または立体音響を実現するために、第10音響発生モジュール１５００LCおよび第11音響発生モジュール１５００RCをさらに構成して、第10音響発生モジュール１５００LCで発生する音響またはチャンネルと第1音響発生モジュール１５００L、第4音響発生モジュール１５００HL、および第7音響発生モジュール１５００BLで発生する音響またはチャンネルを分離するためにパーティションを構成しなければならない。そして、第11音響発生モジュール１５００RCで発生する音響またはチャンネルと第2音響発生モジュール１５００R、第5音響発生モジュール１５００HR、および第8音響発生モジュール１５００BRで発生する音響またはチャンネルを分離するためにパーティションを構成しなければならない。第1パーティション１７２１を配置する場合には、上下の音響または上下のチャンネルを分離することができるが、上下の音響または上下のチャンネルと、中央音響または中央チャンネルを分離することができないので、そのためにパーティションを構成しなければならない。第4パーティション１７１３および第5パーティション１７１４を配置する場合には、左右の音響または左右のチャンネルを分離することができるが、左右の音響または左右のチャンネルと、中央音響または中央チャンネルを分離することができないので、そのためにパーティションを構成しなければならない。
【０４２７】
例えば、第6パーティション１７１１は、第1領域１、第4領域４、および第7領域７と、第10領域１０との間に配置し得る。例えば、第6パーティション１７１１は、第1音響発生モジュール１５００L、第4音響発生モジュール１５００HL、および第7音響発生モジュール１５００BLと、第10音響発生モジュール１５００LCで発生する音響またはチャンネルを分離することができるので、音響出力特性を向上させることができる。例えば、第6パーティション１７１１は、第1音響発生モジュール１５００L、第4音響発生モジュール１５００HL、および第7音響発生モジュール１５００BLと、第3音響発生モジュール１５００C、第6音響発生モジュール１５００HC、および第9音響発生モジュール１５００BCで発生する音響またはチャンネルを分離することができるので、音響出力特性を向上させることができる。例えば、第6パーティション１７１１は、左側の音響または左側のチャンネル、左側の中央音響または左側の中央チャンネル、および中央音響または中央チャンネルを分離することができるので、音響出力特性を向上させることができる。
【０４２８】
例えば、第7パーティション１７１２は、第2領域２、第5領域５、および第8領域８と、第11領域１１との間に配置し得る。例えば、第7パーティション１７１２は、第2音響発生モジュール１５００R、第5音響発生モジュール１５００HR、および第8音響発生モジュール１５００BRと、第11音響発生モジュール１５００RCで発生する音響またはチャンネルを分離することができるので、音響出力特性を向上させることができる。例えば、第7パーティション１７１２は、第2音響発生モジュール１５００R、第5音響発生モジュール１５００HR、および第8音響発生モジュール１５００BRと、第3音響発生モジュール１５００C、第6音響発生モジュール１５００HC、および第9音響発生モジュール１５００BCで発生する音響またはチャンネルを分離することができるので、音響出力特性を向上させることができる。例えば、第7パーティション１７１２は、右側の音響または右側のチャンネル、右側の中央音響または右側の中央チャンネル、および中央音響または中央チャンネルを分離することができるので、音響出力特性を向上させることができる。
【０４２９】
例えば、第4パーティション１７１３は、第3領域３、第6領域６、および第9領域９と、第10領域１０との間に配置し得る。第4パーティション１７１３は、第3音響発生モジュール１５００C、第6音響発生モジュール１５００HC、および第9音響発生モジュール１５００BCと、第10音響発生モジュール１５００LCで発生する音響またはチャンネルを分離することができるので、音響出力特性を向上させることができる。例えば、第5パーティション１７１４は、第3領域３、第6領域６、および第9領域９と、第11領域１１との間に配置し得る。第5パーティション１７１４は、第3音響発生モジュール１５００C、第6音響発生モジュール１５００HC、および第9音響発生モジュール１５００BCと、第11音響発生モジュール１５００RCで発生する音響またはチャンネルを分離することができるので、音響出力特性を向上させることができる。例えば、第4パーティション１７１３は、中央領域の音響またはチャンネルと左側の中央領域の音響またはチャンネルを分離することができる。例えば、第5パーティション１７１４は、中央領域の音響またはチャンネルと右側の中央領域の音響またはチャンネルを分離することができる。
【０４３０】
第1パーティション１７２１は、表示パネル１１０の上側のチャンネルと表示パネル１１０の下側のチャンネルを分離することができる。例えば、第1パーティション１７２１は、第4音響発生モジュール１５００HL、第5音響発生モジュール１５００HR、および第6音響発生モジュール１５００HCと、第7音響発生モジュール１５００BL、第2音響発生モジュール１５００R、第8音響発生モジュール１５００BR、第9音響発生モジュール１５００BC、および第11音響発生モジュール１５００RCで発生する音響またはチャンネルを分離することができる。第1パーティション１７２１は、表示パネル１１０の上側のチャンネルと表示パネル１１０の中央のチャンネルを分離することができる。例えば、第1パーティション１７２１は、第4音響発生モジュール１５００HL、第5音響発生モジュール１５００HR、および第6音響発生モジュール１５００HCと、第1音響発生モジュール１５００L、第2音響発生モジュール１５００R、第3音響発生モジュール１５００C、第10音響発生モジュール１５００LC、および第11音響発生モジュール１５００RCで発生する音響またはチャンネルを分離することができる。
【０４３１】
第2パーティション１７２２は、表示パネル１１０の中央のチャンネルと表示パネル１１０の下側のチャンネルを分離することができる。例えば、第2パーティション１７２２は、第1音響発生モジュール１５００L、第2音響発生モジュール１５００R、第3音響発生モジュール１５００C、第10音響発生モジュール１５００LC、および第11音響発生モジュール１５００RCと、第7音響発生モジュール１５００BL、第8音響発生モジュール１５００BR、および第9音響発生モジュール１５００BCで発生する音響またはチャンネルを分離することができる。第3パーティション１７２３は、表示パネル１１０の下側のチャンネルとウーファーを分離することができる。例えば、第3パーティション１７２３は、第7音響発生モジュール１５００BL、第8音響発生モジュール１５００BR、および第9音響発生モジュール１５００BCの下側（または下）に配置することができる。例えば、第3パーティション１７２３は、第7音響発生モジュール１５００BL、第8音響発生モジュール１５００BR、および第9音響発生モジュール１５００BCと、第1ウーファー（W3）および第2ウーファー（W4）で発生する音響またはチャンネルを分離することができる。
【０４３２】
第1パーティション１７２１、第2パーティション１７２２、第3パーティション１７２３、第4パーティション１７１３、第5パーティション１７１４、第6パーティション１７１１、および第7パーティション１７１２は、背面カバー３００に配置し得る。例えば、第1パーティション１７２１、第2パーティション１７２２、第3パーティション１７２３、第4パーティション１７１３、第5パーティション１７１４、第6パーティション１７１１、および第7パーティション１７１２は、背面カバー３００の前面に配置し得る。例えば、第1パーティション１７２１、第2パーティション１７２２、第3パーティション１７２３、第4パーティション１７１３、第5パーティション１７１４、第6パーティション１７１１、および第7パーティション１７１２は、表示パネル１１０と背面カバー３００との間に配置し得る。例えば、第1パーティション１７２１、第2パーティション１７２２、第3パーティション１７２３、第4パーティション１７１３、第5パーティション１７１４、第6パーティション１７１１、および第7パーティション１７１２は、表示パネル１１０の背面と背面カバー３００の前面との間に配置し得る。
【０４３３】
第1パーティション１７２１、第2パーティション１７２２、第3パーティション１７２３、第4パーティション１７１３、第5パーティション１７１４、第6パーティション１７１１、および第7パーティション１７１２は、両面テープ、両面フォームテープ、両面フォームパッド、片面テープ、片面フォームテープ、片面フォームパッド、接着剤、およびボンドのいずれかで形成することができ、これに限定されるものではない。パーティションを両面テープ、両面フォームテープまたは両面フォームパッドで形成するとき、表示パネル１１０の背面と背面カバー３００の前面を付着する際、接着力を向上させることができる。例えば、第1パーティション１７２１、第2パーティション１７２２、第3パーティション１７２３、第4パーティション１７１３、第5パーティション１７１４、第6パーティション１７１１、および第7パーティション１７１２は、一定程度圧縮することができる弾性を有する材質で実現し得る。例えば、第1パーティション１７２１、第2パーティション１７２２、第3パーティション１７２３、第4パーティション１７１３、第5パーティション１７１４、第6パーティション１７１１、および第7パーティション１７１２は、ポリウレタン（polyurethane）、ポリオレフィン（polyolefin）、およびポリエチレン（polyethylene）材質で構成することができ、これに限定されるものではない。
【０４３４】
図31A〜図31Eを参照すると、第4領域４に第4音響発生モジュール１５００HLおよび第6領域６に第6音響発生モジュール１５００HCを構成し、第12領域１２には、音響発生モジュールを構成しないことができる。これによって、第4音響発生モジュール１５００HL第6音響発生モジュール１５００HCの振動が、表示パネル１１０の第12領域１２で減衰または吸収されるので、第4領域４での音響が第6領域６に伝達することを遮断または軽減することができ、第6領域６での音響が第4領域４に伝達することを遮断または軽減することができる。したがって、第4領域４および第6領域６で発生する音響の干渉に起因する音質劣化を減少させることができ、中高音域の音響特性をより向上させることができる効果がある。例えば、第5領域５に第5音響発生モジュール１５００HRおよび第6領域６に第6音響発生モジュール１５００HCを構成し、第13領域１３には、音響発生モジュールを構成しないことができる。これによって、第5音響発生モジュール１５００HR第6音響発生モジュール１５００HCの振動が、表示パネル１１０の第13領域１３で減衰または吸収されるので、第5領域５での音響が第6領域６に伝達することを遮断または軽減することができ、第6領域６での音響が第5領域５に伝達することを遮断または軽減することができる。したがって、第5領域５と第6領域６で発生する音響の干渉に起因する音質劣化を減少させることができ、中高音域の音響特性をより向上させることができる効果がある。
【０４３５】
第7領域７に第7音響発生モジュール１５００BLおよび第9領域９に第9音響発生モジュール１５００BCを構成し、第14領域１４には、音響発生モジュールを構成しないことができる。これによって、第7音響発生モジュール１５００BL第9音響発生モジュール１５００BCの振動が表示パネル１１０の第14領域１４で減衰または吸収されるので、第7領域７での音響が第9領域９に伝達することを遮断または軽減することができ、第9領域９での音響が第7領域７に伝達することを遮断または軽減することができる。したがって、第7領域７および第9領域９で発生する音響の干渉に起因する音質劣化を減少させることができ、中高音域の音響特性をより向上させることができる効果がある。例えば、第8領域８に第8音響発生モジュール１５００BRおよび第9領域９に第9音響発生モジュール１５００BCを構成し、第15領域１５には、音響発生モジュールを構成しないことができる。これによって、第8音響発生モジュール１５００BR第9音響発生モジュール１５００BCの振動が表示パネル１１０の第15領域１５で減衰または吸収されるので、第8領域８での音響が第9領域９に伝達することを遮断または軽減することができ、第9領域９での音響が第8領域８に伝達することを遮断または軽減することができる。したがって、第8領域８および第9領域９で発生する音響の干渉に起因する音質劣化を減少させることができ、中高音域の音響特性をより向上させることができる効果がある。
【０４３６】
図31Aで背面カバー３００の周辺には、パーティションを配置しないことがあり得る。背面カバー３００の周辺には、図8、図10、および図19〜図21で説明した表示パネルと背面カバーを付着するための接着部材によって背面カバー３００と表示パネル１１０を接着することができ、接着部材は、パーティションであり得る。
【０４３７】
第1パーティション１７２１、第2パーティション１７２２、第3パーティション１７２３、第4パーティション１７１３、第5パーティション１７１４、第6パーティション１７１１、および第7パーティション１７１２を配置する際に、第1パーティション１７２１、第2パーティション１７２２、および第3パーティション１７２３を配置した後、第4パーティション１７１３、第5パーティション１７１４、第6パーティション１７１１、および第7パーティション１７１２を配置することができる。他の例としては、第4パーティション１７１３、第5パーティション１７１４、第6パーティション１７１１、および第7パーティション１７１２を配置した後、第1パーティション１７２１、第2パーティション１７２２、および第3パーティション１７２３を配置することができる。しかし、パーティションを配置する順序は、本明細書の実施例の説明に限定されるものではない。以下の実施例では、第1パーティション１７２１、第2パーティション１７２２、および第3パーティション１７２３を配置した後、第4パーティション１７１３、第5パーティション１７１４、第6パーティション１７１１、および第7パーティション１７１２を配置することを例に挙げて示したが、本明細書の実施例は、これに限定されるものではない。これに対する内容は、以下の実施例でも同じか類似に適用することができる。
【０４３８】
図31Bを参照すると、第1パーティション１７２１、第2パーティション１７２２、第4パーティション１７１３、第5パーティション１７１４、第6パーティション１７１１、および第7パーティション１７１２を構成し、背面カバー３００と表示パネル１１０との間にパーティション１７５０を配置し得る。例えば、パーティション１７５０は、背面カバー３００の端（または周辺）に配置し得る。パーティション１７５０は、背面カバー３００の前面の外郭の四辺全体の領域であり得る。他の例としては、パーティション１７５０は、表示パネル１１０の背面の端（または周辺）に配置し得る。パーティション１７５０は、表示パネル１１０の背面の外郭の四辺全体の領域であり得る。パーティション１７５０は、表示パネル１１０の背面または背面カバー３００全体の領域であり得る。パーティション１７５０は、表示パネル１１０のウェーブ現象を防止するために、表示パネル１１０の形状に沿って配置し得る。例えば、パーティション１７５０が、図8、図10、および図19〜図21で説明した表示パネルと背面カバーを付着するための接着部材である場合には、図8、図10、および図19〜図21で説明した接着部材を省略し得る。しかし、本明細書の実施例は、これに限られず、表示パネルと背面カバーを付着するための接着部材を表示パネルの背面または背面カバーに構成することもできる。残りの構成は、図31Aと同一または類似するので、詳細な説明を省略する。
【０４３９】
図31Cを参照すると、第1パーティション１７２１、第2パーティション１７２２、および第3パーティション１７２３の形状を異なって構成することができる。第1パーティション１７２１、第2パーティション１７２２、および第3パーティション１７２３は、表示パネル１１０の形状とは異なる形状で構成することができる。例えば、第1パーティション１７２１、第2パーティション１７２２、および第3パーティション１７２３は、平らでない形状、または線形状ではないことができる。パーティションが平らでない形状、または線形状でない場合、定在波を分散させることができる。例えば、鋸歯形状、三角形形状、および先端が丸い三角形状で実現する場合、鋸歯形状、三角形形状、および先端が丸い三角形形状により定在波が複数の方向に分散され得るので、音響出力特性がより向上し得る。例えば、第1パーティション１７２１、第2パーティション１７２２、および第3パーティション１７２３は、鋸歯形状、三角形形状、および先端が丸い三角形形状を有することができる。例えば、パーティションの鋸歯が位置する方向は、音響発生モジュールを向くように配置することができる。例えば、パーティションが三角形形状である場合には、三角形の先端が位置する方向は、音響発生モジュールを向くように配置することができる。例えば、パーティションが先端の丸い三角形形状である場合、先端の丸い三角形の先端が位置する方向は、音響発生モジュールを向くように配置することができる。例えば、図31Cを参照すると、第1パーティション１７２１が、先端が丸い三角形の形状である場合には、先端が丸い三角形の先端は、第4音響発生モジュール１５００HL、第5音響発生モジュール１５００HR、および第6音響発生モジュール１５００HCを向くように構成し得る。例えば、第2パーティション１７２２が先端の丸い三角形の形状である場合には、先端の丸い三角形の先端は、第1音響発生モジュール１５００L、第2音響発生モジュール１５００R、第3音響発生モジュール１５００C、第10音響発生モジュール１５００LC、および第11音響発生モジュール１５００RCを向くように構成し得る。例えば、第3パーティション１７２３が先端の丸い三角形の形状である場合、先端の丸い三角形の先端は、第7音響発生モジュール１５００BL、第8音響発生モジュール１５００BR、および第9音響発生モジュール１５００BCを向くように構成し得る。したがって、パーティションの形状が少なくとも一つ以上の音響発生モジュールを向くように構成することにより、音響発生モジュールの定在波によるピークやディップ現象を制御することができ、表示パネルのウェーブ現象を減らすことができる。そして、パーティションの形状を変更することにより、音響発生モジュールの乱反射などの音響干渉を解決することができる。
【０４４０】
図31Dを参照すると、第6パーティション１７１１の少なくとも一つの辺に、第1音響発生モジュール１５００L、第4音響発生モジュール１５００HL、および第7音響発生モジュール１５００BLを向くようにパッドを配置することができる。例えば、第6パーティション１７１１の少なくとも一つの辺に、第1音響発生モジュール１５００Lを向くように、第1-3パッド７１３を配置し得る。第1-3パッド７１３と向かい合う辺に、第1-1パッド７１１を配置し得る。第1-1パッド７１１および第1-3パッド７１３は、それぞれ一つで構成することができ、これに限られず、第1-1パッド７１１および第1-3パッド７１３中の一つは、二つ以上で構成することもできる。例えば、第6パーティション１７１１の少なくとも一つの辺に、第4音響発生モジュール１５００HLを向くように、第4-3パッド７２３を配置し得る。第4-3パッド７２３と向かい合う辺に、第4-1パッド７２１を配置し得る。第4-1パッド７２１および第4-3パッド７２３は、それぞれ一つで構成することができ、これに限られず、第4-1パッド７２１および第4-3パッド７２３中の一つは、二つ以上で構成することもできる。例えば、第6パーティション１７１１の少なくとも一つの辺に、第7音響発生モジュール１５００BLを向くように、第7-3パッド７３３を配置し得る。第7-3パッド７３３と向かい合う辺に、第7-1パッド７３１を配置し得る。第7-1パッド７３１および第7-3パッド７３３は、それぞれ一つで構成することができ、これに限られず、第7-1パッド７３１および第7-3パッド７３３中の一つは、二つ以上で構成することができる。
【０４４１】
第6パーティション１７１１の少なくとも一つの異なる辺に、第10音響発生モジュール１５００LCを向くようにパッドを配置することができる。例えば、第6パーティション１７１１の少なくとも一つの異なる辺に、第10音響発生モジュール１５００LCを向くように、第10-1パッド７４１を配置し得る。第10-1パッド７４１は、一つで構成することができ、これに限られず、二つ以上で構成するもことができる。
【０４４２】
第7パーティション１７１２の少なくとも一つの辺に、第2音響発生モジュール１５００R、第5音響発生モジュール１５００HR、および第8音響発生モジュール１５００BRを向くようにパッドを配置することができる。例えば、第7パーティション１７１２の少なくとも一つの辺に、第2音響発生モジュール１５００Rを向くように、第2-1パッド８１１を配置し得る。第2-1パッド８１１と向かい合う辺に、第2-3パッド８１３を配置し得る。第2-1パッド８１１および第2-3パッド８１３は、それぞれ一つで構成することができ、これに限られず、第2-1パッド８１１および第2-3パッド８１３中の一つは、二つ以上で構成することもできる。例えば、第7パーティション１７１２の少なくとも一つの辺に、第5音響発生モジュール１５００HRを向くように、第5-1パッド８２１を配置し得る。第5-1パッド８２１と向かい合う辺に、第5-3パッド８２３を配置し得る。第5-1パッド８２１および第5-3パッド８２３は、それぞれ一つで構成することができ、これに限られず、第5-1パッド８２１および第5-3パッド８２３中の一つは、二つ以上で構成することもできる。例えば、第7パーティション１７１２の少なくとも一つの辺に、第8音響発生モジュール１５００BRを向くように、第8-1パッド８３１を配置し得る。第8-1パッド８３１と向かい合う辺に、第8-3パッド８３３を配置し得る。第8-1パッド８３１および第8-3パッド８３３は、それぞれ一つで構成することができ、これに限られず、第8-1パッド８３１および第8-3パッド８３３中の一つは、二つ以上で構成することもできる。
【０４４３】
第7パーティション１７１２の少なくとも一つの異なる辺に、第11音響発生モジュール１５００RCを向くようにパッドを配置することができる。例えば、第7パーティション１７１２の少なくとも一つの異なる辺に、第11音響発生モジュール１５００RCを向くように、第11-3パッド８４３を配置し得る。第11-3パッド８４３は、一つで構成することができ、これに限られず、二つ以上で構成することもできる。
【０４４４】
第4パーティション１７１３の少なくとも一つの辺および第5パーティション１７１４の少なくとも一つの辺に、第3音響発生モジュール１５００C、第6音響発生モジュール１５００HC、および第9音響発生モジュール１５００BCを向くようにパッドを配置することができる。例えば、第4パーティション１７１３の少なくとも一つの辺に、第3音響発生モジュール１５００Cを向くように、第3-1パッド９１１を配置し得る。例えば、第5パーティション１７１４の少なくとも一つの辺に、第3音響発生モジュール１５００Cを向くように、第3-3パッド９１３を配置し得る。第3-1パッド９１１は、第3-3パッド９１３と向き合って配置し得る。例えば、第3-1パッド９１１と向かい合う第5パーティション１７１４の辺に、第3-3パッド９１３を配置し得る。第3-1パッド９１１および第3-3パッド９１３は、それぞれ一つで構成することができ、これに限られず、第3-1パッド９１１および第3-3パッド９１３中の一つは、二つ以上で構成することもできる。例えば、第4パーティション１７１３の少なくとも一つの辺に、第6音響発生モジュール１５００HCを向くように、第6-1パッド９２１を配置し得る。例えば、第5パーティション１７１４の少なくとも一つの辺に第6音響発生モジュール１５００HCを向くように、第6-3パッド９２３を配置し得る。第6-1パッド９２１は、第6-3パッド９２３と向き合って配置し得る。例えば、第6-1パッド９２１と向かい合う辺に、第6-3パッド９２３を配置し得る。第6-1パッド９２１および第6-3パッド９２３は、それぞれ一つで構成することができ、これに限られず、第6-1パッド９２１および第6-3パッド９２３中の一つは、二つ以上で構成することもできる。例えば、第4パーティション１７１３の少なくとも一つの辺に、第9音響発生モジュール１５００BCを向くように、第9-1パッド９３１を配置し得る。例えば、第5パーティション１７１４の少なくとも一つの辺に、第9音響発生モジュール１５００BCを向くように、第9-3パッド９３３を配置し得る。第9-1パッド９３１は、第9-3パッド９３３と向き合って配置し得る。例えば、第9-1パッド９３１と向かい合う辺に、第9-3パッド９３３を配置し得る。第9-1パッド９３１および第9-3パッド９３３は、それぞれ一つで構成することができ、これに限られず、第9-1パッド９３１および第9-3パッド９３３中の一つは、二つ以上で構成することもできる。
【０４４５】
例えば、第4パーティション１７１３の少なくとも一つの異なる辺に、第10音響発生モジュール１５００LCを向くように、第10-3パッド７４３を配置し得る。例えば、第5パーティション１７１４の少なくとも一つの異なる辺に、第11音響発生モジュール１５００RCを向くように、第11-1パッド８４１を配置し得る。第10-3パッド７４３および第11-1パッド８４１は、それぞれ一つで構成することができ、これに限られず、第10-3パッド７４３および第11-1パッド８４１中の一つは、二つ以上で構成することもできる。
【０４４６】
第1パーティション１７２１の少なくとも一つの辺に、第4音響発生モジュール１５００HL、第5音響発生モジュール１５００HR、および第6音響発生モジュール１５００HCを向くようにパッドを配置することができる。例えば、第1パーティション１７２１の少なくとも一つの辺に第4音響発生モジュール１５００HLを向くように、第4-6パッド７２６を配置し得る。第4-6パッド７２６と向かい合う辺に、第4-5パッド７２５を配置することができ、第4-5パッド７２５は、第4音響発生モジュール１５００HLを向くように配置することができる。第4-5パッド７２５および第4-6パッド７２６は、それぞれ一つで構成することができ、これに限られず、第4-5パッド７２５および第4-6パッド７２６中の一つは、二つ以上で構成することもできる。
【０４４７】
例えば、第1パーティション１７２１の少なくとも一つの辺に、第5音響発生モジュール１５００HRを向くように、第5-6パッド８２６を配置し得る。第5-6パッド８２６と向かい合う辺に、第5-5パッド８２５を配置することができ、第5-5パッド８２５は、第5音響発生モジュール１５００HRを向くように配置することができる。第5-5パッド８２５および第5-6パッド８２６は、それぞれ一つで構成することができ、これに限られず、第5-5パッド８２５および第5-6パッド８２６中の一つは、二つ以上で構成することもできる。
【０４４８】
例えば、第1パーティション１７２１の少なくとも一つの辺に、第6音響発生モジュール１５００HCを向くように、第6-6パッド９２６を配置し得る。第6-6パッド９２６と向かい合う辺に、第6-5パッド９２５を配置することができ、第6-5パッド９２５は、第6音響発生モジュール１５００HCを向くように配置することができる。第6-5パッド９２５および第6-6パッド９２６は、それぞれ一つで構成することができ、これに限られず、第6-5パッド９２５および第6-6パッド９２６中の一つは、二つ以上で構成することもできる。
【０４４９】
例えば、第1パーティション１７２１の少なくとも一つの異なる辺に、第1音響発生モジュール１５００L、第2音響発生モジュール１５００R、第3音響発生モジュール１５００C、第10音響発生モジュール１５００LC、および第11音響発生モジュール１５００RCを向くようにパッドを配置し得る。例えば、第1パーティション１７２１の少なくとも一つの異なる辺に、第1音響発生モジュール１５００Lを向くように、第1-5パッド７１５を配置し得る。例えば、第1パーティション１７２１の少なくとも一つの異なる辺に、第2音響発生モジュール１５００Rを向くように、第2-5パッド８１５を配置し得る。例えば、第1パーティション１７２１の少なくとも一つの異なる辺に、第3音響発生モジュール１５００Cを向くように、第3-5パッド９１５を配置し得る。例えば、第1パーティション１７２１の少なくとも一つの異なる辺に、第10音響発生モジュール１５００LCを向くように、第10-5パッド７４５を配置し得る。例えば、第1パーティション１７２１の少なくとも一つの辺に、第11音響発生モジュール１５００RCを向くように、第11-5パッド８４５を配置し得る。第1-5パッド７１５、第2-5パッド８１５、第3-5パッド９１５、第10-5パッド７４５、および第11-5パッド８４５は、それぞれ一つで構成することができ、これに限られず、第1-5パッド７１５、第2-5パッド８１５、第3-5パッド９１５、第10-5パッド７４５、および第11-5パッド８４５中の一つは、2つ以上で構成することもできる。
【０４５０】
例えば、第2パーティション１７２２の少なくとも一つの辺に、第1音響発生モジュール１５００L、第2音響発生モジュール１５００R、第3音響発生モジュール１５００C、第10音響発生モジュール１５００LC、および第11音響発生モジュール１５００RCを向くようにパッドを配置し得る。例えば、第2パーティション１７２２の少なくとも一つの辺に、第1音響発生モジュール１５００Lを向くように、第1-6パッド７１６を配置し得る。例えば、第2パーティション１７２２の少なくとも一つの辺に、第2音響発生モジュール１５００Rを向くように、第2-6パッド８１６を配置し得る。例えば、第2パーティション１７２２の少なくとも一つの辺に、第3音響発生モジュール１５００Cを向くように、第3-6パッド９１６を配置し得る。例えば、第2パーティション１７２２の少なくとも一つの辺に、第10音響発生モジュール１５００LCを向くように、第10-6パッド７４６を配置し得る。例えば、第2パーティション１７２２の少なくとも一つの辺に、第11音響発生モジュール１５００RCを向くように、第11-6パッド８４６を配置し得る。第1-6パッド７１６、第2-6パッド８１６、第3-6パッド９１６、第10-6パッド７４６、および第11-6パッド８４６は、それぞれ一つで構成するすることができ、これに限定されない。例えば、第1-6パッド７１６、第2-6パッド８１６、第3-6パッド９１６、第10-6パッド７４６、および第11-6パッド８４６中の一つは、2つ以上で構成することもできる。
【０４５１】
第1-5パッド７１５は、第1-6パッド７１６と向き合って配置し得る。例えば、第1-5パッド７１５と向かい合う第2パーティション１７２２の辺に、第1-6パッド７１６を配置し得る。第2-5パッド８１５は、第2-6パッド８１６と向き合って配置し得る。例えば、第2-5パッド８１５と向かい合う第2パーティション１７２２の辺に、第2-6パッド８１６を配置し得る。第3-5パッド９１５は、第3-6パッド９１６と向き合って配置し得る。例えば、第3-5パッド９１５と向かい合う第2パーティション１７２２の辺に、第3-6パッド９１６を配置し得る。第10-5パッド７４５は、第10-6パッド７４６と向き合って配置し得る。例えば、第10-5パッド７４５と向かい合う第2パーティション１７２２の辺に、第10-6パッド７４６を配置し得る。第11-5パッド７１５は、第11-6パッド７１６と向き合って配置し得る。例えば、第11-5パッド７１５と向かい合う第2パーティション１７２２の辺に、第11-6パッド７１６を配置し得る。
【０４５２】
例えば、第2パーティション１７２２の少なくとも一つの異なる辺に、第7音響発生モジュール１５００BL、第8音響発生モジュール１５００BR、および第9音響発生モジュール１５００BCを向くようにパッドを配置し得る。例えば、第2パーティション１７２２の少なくとも一つの異なる辺に、第7音響発生モジュール１５００BLを向くように、第7-5パッド７３５を配置し得る。例えば、第2パーティション１７２２の少なくとも一つの異なる辺に、第8音響発生モジュール１５００BRを向くように、第8-5パッド８３５を配置し得る。例えば、第2パーティション１７２２の少なくとも一つの異なる辺に、第9音響発生モジュール１５００BCを向くように、第9-5パッド９３５を配置し得る。第7-5パッド７３５、第8-5パッド８３５、および第9-5パッド９３５は、それぞれ一つで構成することができ、これに限定されない。例えば、第7-5パッド７３５、第8-5パッド８３５、および第9-5パッド９３５中の一つは、2つ以上で構成することもできる。
【０４５３】
例えば、第3パーティション１７２３の少なくとも一つの辺に、第7音響発生モジュール１５００BL、第8音響発生モジュール１５００BR、および第9音響発生モジュール１５００BCを向くようにパッドを配置し得る。例えば、第3パーティション１７２３の少なくとも一つの辺に、第7音響発生モジュール１５００BLを向くように、第7-6パッド７３６を配置し得る。例えば、第3パーティション１７２３の少なくとも一つの辺に、第8音響発生モジュール１５００BRを向くように、第8-6パッド８３６を配置し得る。例えば、第3パーティション１７２３の少なくとも一つの辺に、第9音響発生モジュール１５００BCを向くように、第9-6パッド９３６を配置し得る。第7-6パッド７３６、第8-6パッド８３６、および第9-6パッド９３６は、それぞれ一つで構成することができ、これに限定されない。例えば、第7-6パッド７３６、第8-6パッド８３６、および第9-6パッド９３６中の一つは、2つ以上で構成することもできる。
【０４５４】
本明細書の実施例で、第1-1パッド７１１および第1-3パッド７１３の大きさが、第1-5パッド７１５および第1-6パッド７１６のそれぞれの大きさよりも大きく示されているが、パッドの大きさが、本明細書の内容を限定するものではない。例えば、第1-1パッド７１１および第1-3パッド７１３の大きさが、第1-5パッド７１５および第1-6パッド７１６のそれぞれの大きさよりも小さいか同じことができる。他のパッドにも同様に適用することができる。図31Dで背面カバー３００の周辺には、パーティションが配置されないことがあり得る。図8、図10、および図19〜図21で説明した接着部材によって背面カバー３００と表示パネル１１０が接着し得る。
【０４５５】
図31Eを参照すると、第1パーティション１７２１は、一つ以上のベント部を含むことができる。例えば、第1パーティション１７２１は、第1音響発生モジュール１５００Lを向くように、第1ベント部７０１を含むことができ、第10音響発生モジュール１５００LCを向くように、第7ベント部７０７を含むことができる。第1パーティション１７２１は、第2音響発生モジュール１５００Rを向くように、第2ベント部７０２を含むことができ、第11音響発生モジュール１５００RCを向くように、第8ベント部７０８を含むことができる。第1パーティション１７２１は、第3音響発生モジュール１５００Cを向くように、第3ベント部７０３を含むことができる。そして、第4音響発生モジュール１５００HL、第5音響発生モジュール１５００HR、および第6音響発生モジュール１５００HCの定在波による音圧の減少現象は、第4-5パッド７２５、第5-5パッド８２５、および第6-5パッド９２５によって減らすことができる。
【０４５６】
第2パーティション１７２２は、一つ以上のベント部を含むことができる。例えば、第2パーティション１７２２は、第1音響発生モジュール１５００Lを向くように、第4ベント部７０４を含むことができ、第10音響発生モジュール１５００LCを向くように、第9ベント部７０９を含むことができる。第2パーティション１７２２は、第2音響発生モジュール１５００Rを向くように、第5ベント部７０５を含むことができ、第11音響発生モジュール１５００RCを向くように、第10ベント部７１０を含むことができる。第2パーティション１７２２は、第3音響発生モジュール１５００Cを向くように、第6ベント部７０６を含むことができる。
【０４５７】
パーティション１７５０を構成しない場合、第3パーティション１７２３を構成し得る。第3パーティション１７２３は、図30Dで説明したように、パッドを構成することができる。これに限られず、第3パーティション１７２３は、第2パーティション１７２２のように一つ以上のベント部を含むことができる。例えば、第2パーティション１７２２の形状に沿ってベント部を含むことができる。例えば、図30Eで説明したように、図31Eで第3パーティション１７２３がベント部を含む場合、第7音響発生モジュール１５００BL、第9音響発生モジュール１５００BC、および第8音響発生モジュール１５００BRを向くようにベント部を含むことができる。
【０４５８】
図32A〜図32Eは、本明細書の他の実施例に係る音響発生モジュールとパーティションを示す図である。
【０４５９】
図32A〜図32Eを参照すると、音響発生モジュールの周辺にパーティションをさらに構成することができる。パーティションは、表示パネル１１０の第1領域１〜第15領域１５に対応する表示パネル１１０と、背面カバー３００との間に配置し得る。例えば、第4パーティション１７１３は、第1領域１、第4領域４、および第7領域７と、第3領域３、第6領域６、および第9領域９との間に配置し得る。第4パーティション１７１３は、第1音響発生モジュール１５００L、第4音響発生モジュール１５００HL、および第7音響発生モジュール１５００BLと、第3音響発生モジュール１５００C、第6音響発生モジュール１５００HC、および第9音響発生モジュール１５００BCで発生する音響またはチャンネルを分離することができる。例えば、第5パーティション１７１４は、第2領域２、第5領域５、および第8領域８と、第3領域３、第6領域６、および第9領域９との間に配置し得る。第5パーティション１７１４は、第2音響発生モジュール１５００R、第5音響発生モジュール１５００HR、および第8音響発生モジュール１５００BRと、第3音響発生モジュール１５００C、第6音響発生モジュール１５００HC、および第9音響発生モジュール１５００BCで発生する音響またはチャンネルを分離することができる。したがって、第4パーティション１７１３および第5パーティション１７１４は、左側音響と右側音響を分離することができる。
【０４６０】
例えば、第1パーティション１７２１は、表示パネル１１０の上側のチャンネルと表示パネル１１０の下側のチャンネルを分離することができる。例えば、第1パーティション１７２１は、第4音響発生モジュール１５００HL、第5音響発生モジュール１５００HR、第6音響発生モジュール１５００HC、第12音響発生モジュール１５００HLC、第13音響発生モジュール１５００HRCと、第7音響発生モジュール１５００BL、第8音響発生モジュール１５００BR、第9音響発生モジュール１５００BC、第14音響発生モジュール１５００BLC、および第15音響発生モジュール１５００BRCで発生する音響またはチャンネルを分離することができる。ステレオ音響または立体音響を実現するために、第10音響発生モジュール１５００LCおよび第11音響発生モジュール１５００RCをさらに構成して、第10音響発生モジュール１５００LCで発生する音響またはチャンネルと、第7音響発生モジュール１５００BL、第8音響発生モジュール１５００BR、および第9音響発生モジュール１５００BCで発生する音響またはチャンネルを分離するためにパーティションを構成しなければならない。そして、第11音響発生モジュール１５００RCで発生する音響またはチャンネルと、第7音響発生モジュール１５００BL、第8音響発生モジュール１５００BR、および第9音響発生モジュール１５００BCで発生する音響またはチャンネルを分離するためにパーティションを構成しなければならない。第4パーティション１７１３および第5パーティション１７１４は、左右の音響または左右のチャンネルを分離することができる。ステレオ音響または立体音響を実現するために、第12音響発生モジュール１５００HLCおよび第14音響発生モジュール１５００BLCをさらに構成して、第10音響発生モジュール１５００LC、第12音響発生モジュール１５００HLC、および第14音響発生モジュール１５００BLCで発生する音響またはチャンネルと、第1音響発生モジュール１５００L、第4音響発生モジュール１５００HL、および第7音響発生モジュール１５００BLで発生する音響またはチャンネルを分離するためにパーティションを構成しなければならない。そして、ステレオ音響または立体音響を実現するために、第13音響発生モジュール１５００HRCおよび第15音響発生モジュール１５００BRCをさらに構成して、第11音響発生モジュール１５００RC、第13音響発生モジュール１５００HRC 、および第15音響発生モジュール１５００BRCで発生する音響またはチャンネルと、第2音響発生モジュール１５００R、第5音響発生モジュール１５００HR、および第8音響発生モジュール１５００BRで発生する音響またはチャンネルを分離するためにパーティションを構成しなければならない。第1パーティション１７２１を配置する場合には、上下の音響または上下のチャンネルを分離することができるが、上下の音響または上下のチャンネルと、中央音響または中央チャンネルを分離することができないので、パーティションを構成しなければならない。第4パーティション１７１３および第5パーティション１７１４を配置する場合には、左右の音響または左右のチャンネルを分離することができるが、左右の音響または左右のチャンネルと、中央音響または中央チャンネルを分離することができないので、パーティションを構成なければならない。
【０４６１】
例えば、第6パーティション１７１１は、表示パネル１１０の第1領域１、第4領域４、および第7領域７と、第10領域１０、第12領域１２、および第14領域１４との間に配置し得る。第6パーティション１７１１は、第1音響発生モジュール１５００L、第4音響発生モジュール１５００HL、および第7音響発生モジュール１５００BLと、第10音響発生モジュール１５００LC、第12音響発生モジュール１５００HLC、および第14音響発生モジュール１５００BLCで発生する音響またはチャンネルを分離することができるので、音響出力特性を向上させることができる。例えば、第6パーティション１７１１は、第1音響発生モジュール１５００L、第4音響発生モジュール１５００HL、および第7音響発生モジュール１５００BLと、第3音響発生モジュール１５００C、第6音響発生モジュール１５００HC、および第9音響発生モジュール１５００BCで発生する音響またはチャンネルを分離することができるので、音響出力特性を向上させることができる。例えば、第6パーティション１７１１は、左側音響または左側チャンネル、左側中央音響または左側中央チャンネル、および中央音響または中央チャンネルを分離することができるので、音響出力特性を向上させることができる。
【０４６２】
例えば、第7パーティション１７１２は、表示パネル１１０の第2領域２、第5領域５、および第8領域８と、第11領域１１、第13領域１３、および第15領域１５との間に配置し得る。例えば、第7パーティション１７１２は、第2音響発生モジュール１５００R、第5音響発生モジュール１５００HR、および第8音響発生モジュール１５００BRと、第11音響発生モジュール１５００RC、第13音響発生モジュール１５００HRC、および第15音響発生モジュール１５００BRCで発生する音響またはチャンネルを分離することができるので、音響出力特性を向上させることができる。例えば、第7パーティション１７１２は、第2音響発生モジュール１５００R、第5音響発生モジュール１５００HR、および第8音響発生モジュール１５００BRと、第3音響発生モジュール１５００C、第6音響発生モジュール１５００HC、および第9音響発生モジュール１５００BCで発生する音響またはチャンネルを分離することができるので、音響出力特性を向上させることができる。例えば、第7パーティション１７１２は、右側音響または右側チャンネル、右側中央音響または右側中央チャンネル、および中央音響または中央チャンネルを分離することができるので、音響出力特性を向上させることができる。
【０４６３】
例えば、第4パーティション１７１３は、表示パネル１１０の第3領域３、第6領域６、および第9領域９と、第10領域１０、第12領域１２、および第14領域１４との間に配置し得る。第4パーティション１７１３は、第3音響発生モジュール１５００C、第6音響発生モジュール１５００HC、および第9音響発生モジュール１５００BCと、第10音響発生モジュール１５００LC、第12音響発生モジュール１５００HLC、および第14音響発生モジュール１５００BLCで発生する音響またはチャンネルを分離することができるので、音響出力特性を向上させることができる。例えば、第5パーティション１７１４は、表示パネル１１０の第3領域３、第6領域６、および第9領域９と、第11領域１１は、第13領域１３、および第15領域１５との間に配置し得る。第5パーティション１７１４は、第3音響発生モジュール１５００C、第6音響発生モジュール１５００HC、および第9音響発生モジュール１５００BCと、第11音響発生モジュール１５００RC、第13音響発生モジュール１５００HRC、および第15音響発生モジュール１５００BRCで発生する音響またはチャンネルを分離することができるので、音響出力特性を向上させることができる。例えば、第4パーティション１７１３は、中央領域の音響またはチャンネルと左側中央領域の音響またはチャンネルを分離することができる。例えば、第5パーティション１７１４は、中央領域の音響またはチャンネルと右側中央領域の音響またはチャンネルを分離することができる。
【０４６４】
第1パーティション１７２１は、表示パネル１１０の上側のチャンネルと表示パネル１１０の中央のチャンネルを分離することができる。例えば、第1パーティション１７２１は、第4音響発生モジュール１５００HL、第5音響発生モジュール１５００HR、第6音響発生モジュール１５００HC、第12音響発生モジュール１５００HLC、第13音響発生モジュール１５００HRCと、第1音響発生モジュール１５００L、第2音響発生モジュール１５００R、第3音響発生モジュール１５００C、第10音響発生モジュール１５００LC、および第11音響発生モジュール１５００RCで発生する音響またはチャンネルを分離することができる。
【０４６５】
第2パーティション１７２２は、表示パネル１１０の中央のチャンネルと表示パネル１１０の下側のチャンネルを分離することができる。例えば、第2パーティション１７２２は、第1音響発生モジュール１５００L、第2音響発生モジュール１５００R、第3音響発生モジュール１５００C、第10音響発生モジュール１５００LC、および第11音響発生モジュール１５００RCと、第7音響発生モジュール１５００BL、第8音響発生モジュール１５００BR、第9音響発生モジュール１５００BC、第14音響発生モジュール１５００BLC、および第15音響発生モジュール１５００BRCで発生する音響またはチャンネルを分離することができる。
【０４６６】
第3パーティション１７２３は、表示パネル１１０の下側のチャンネルとウーファーを分離することができる。例えば、第3パーティション１７２３は、第7音響発生モジュール１５００BL、第8音響発生モジュール１５００BR、第9音響発生モジュール１５００BC、第14音響発生モジュール１５００BLC、および第15音響発生モジュール１５００BRCと、第1ウーファー（W3）および第2ウーファー（W4）で発生する音響またはチャンネルを分離することができる。
【０４６７】
第1パーティション１７２１、第2パーティション１７２２、第3パーティション１７２３、第4パーティション１７１３、第5パーティション１７１４、第6パーティション１７１１、および第7パーティション１７１２は、背面カバー３００に配置し得る。例えば、第1パーティション１７２１、第2パーティション１７２２、第3パーティション１７２３、第4パーティション１７１３、第5パーティション１７１４、第6パーティション１７１１、および第7パーティション１７１２は、背面カバー３００の前面に配置し得る。他の例としては、第1パーティション１７２１、第2パーティション１７２２、第3パーティション１７２３、第4パーティション１７１３、第5パーティション１７１４、第6パーティション１７１１、および第7パーティション１７１２は、表示パネル１１０の背面に配置し得る。例えば、第1パーティション１７２１、第2パーティション１７２２、第3パーティション１７２３、第4パーティション１７１３、第5パーティション１７１４、第6パーティション１７１１、および第7パーティション１７１２は、表示パネル１１０と背面カバー３００との間に配置し得る。例えば、第1パーティション１７２１、第2パーティション１７２２、第3パーティション１７２３、第4パーティション１７１３、第5パーティション１７１４、第6パーティション１７１１、および第7パーティション１７１２は、表示パネル１１０の背面と背面カバー３００の前面との間に配置し得る。
【０４６８】
第1パーティション１７２１、第2パーティション１７２２、第3パーティション１７２３、第4パーティション１７１３、第5パーティション１７１４、第6パーティション１７１１、および第7パーティション１７１２は、両面テープ、両面フォームテープ、両面フォームパッド、片面テープ、片面フォームテープ、片面フォームパッド、接着剤、およびボンド中の一つ以上で形成することができ、これに限定されるものではない。パーティションを両面テープ、両面フォームテープ、または両面フォームパッドに形成するとき、表示パネル１１０の背面と背面カバーの前面を付着する際、接着力を向上させることができる。例えば、第1パーティション１７２１、第2パーティション１７２２、第3パーティション１７２３、第4パーティション１７１３、第5パーティション１７１４、第6パーティション１７１１、および第7パーティション１７１２は、一定程度圧縮することができる弾性を有する材質で実現し得る。例えば、第1パーティション１７２１、第2パーティション１７２２、第3パーティション１７２３、第4パーティション１７１３、第5パーティション１７１４、第6パーティション１７１１、および第7パーティション１７１２は、ポリウレタン（polyurethane）、ポリオレフィン（polyolefin）、およびポリエチレン（polyethylene）材質で構成することができ、これに限定されるものではない。
【０４６９】
第1パーティション１７２１、第2パーティション１７２２、第3パーティション１７２３、第4パーティション１７１３、第5パーティション１７１４、第6パーティション１７１１、および第7パーティション１７１２を配置する際に、第1パーティション１７２１、第2パーティション１７２２、および第3パーティション１７２３を配置した後に、第4パーティション１７１３、第5パーティション１７１４、第6パーティション１７１１、および第7パーティション１７１２を配置することができる。他の例としては、第4パーティション１７１３、第5パーティション１７１４、第6パーティション１７１１、および第7パーティション１７１２を配置した後に、第1パーティション１７２１、第2パーティション１７２２、および第3パーティション１７２３を配置することができ、配置する順序が明細書の内容を限定するものではない。以下の実施例では、第1パーティション１７２１、第2パーティション１７２２、および第3パーティション１７２３を配置した後に、第4パーティション１７１３、第5パーティション１７１４、第6パーティション１７１１、および第7パーティション１７１２を配置することを例に挙げて示したが、本明細書の実施例は、これに限定されるものではない。これに対する内容は、以下の実施例でも同じか類似に適用することができる。
【０４７０】
図32Bを参照すると、第1パーティション１７２１、第2パーティション１７２２、第4パーティション１７１３、第5パーティション１７１４、第6パーティション１７１１、および第7パーティション１７１２を構成し、背面カバー３００と表示パネル１１０との間にパーティション１７５０を配置し得る。例えば、パーティション１７５０は、背面カバー３００の端（または周辺）に配置し得る。例えば、パーティション１７５０は、背面カバー３００の前面の端（または周辺）に配置し得る。パーティション１７５０は、背面カバー３００の前面の外郭の四辺の全体領域であり得る。他の例としては、パーティション１７５０は、表示パネル１１０の背面の端（または周辺）に配置し得る。パーティション１７５０は、表示パネル１１０の背面の外郭の四辺の全体領域であり得る。例えば、パーティション１７５０は、表示パネル１１０の背面または背面カバー全体の領域であることもできる。パーティション１７５０は、表示パネル１１０のウェーブ現象を防止するために、表示パネル１１０の形状に沿って配置し得る。例えば、パーティション１７５０が、図8、図10、および図19〜図21で説明した表示パネルと背面カバーを付着するための接着部材である場合には、図8、図10、および図19〜図21で説明した接着部材を省略し得る。これに限られず、表示パネルと背面カバーを付着するための接着部材を表示パネルの背面または背面カバーに構成することもできる。
【０４７１】
第1パーティション１７２１、第2パーティション１７２２、第4パーティション１７１３、第5パーティション１７１４、第6パーティション１７１１、第7パーティション１７１２、およびパーティション１７５０を配置する際に、第1パーティション１７２１および第2パーティション１７２２を配置し、パーティション１７５０を配置した後に、第4パーティション１７１３、第5パーティション１７１４、第6パーティション１７１１ 、および第7パーティション１７１２を配置することができる。他の例としては、第4パーティション１７１３、第5パーティション１７１４、第6パーティション１７１１、および第7パーティション１７１２を配置し、第1パーティション１７２１および第2パーティション１７２２を配置した後に、パーティション１７５０を配置することができる。パーティションを配置する順序は、本明細書の実施例の説明に限定するものではない。パーティション１７５０は、背面カバー３００の縦方向にまず配置した後、横方向に配置することができる。他の例としては、背面カバー３００の縦方向にまず配置した後、横方向に配置することができる。パーティションを配置する順序は、本明細書の実施例の説明に限定されるものではない。以下の実施例では、第1パーティション１７２１および第2パーティション１７２２を配置し、パーティション１７５０を配置した後に、第4パーティション１７１３、第5パーティション１７１４、第6パーティション１７１１、および第7パーティション１７１２を配置することを例に挙げて示すが、これに限定されるものではない。これに対する説明は、以下の実施例でも同じか類似に適用することができる。
【０４７２】
図32Cを参照すると、第1パーティション１７２１、第2パーティション１７２２、および第3パーティション１７２３の形状を異なって構成することができる。第1パーティション１７２１、第2パーティション１７２２、および第3パーティション１７２３は、表示パネル１１０の形状とは異なる形状で構成することができる。例えば、第1パーティション１７２１、第2パーティション１７２２、および第3パーティション１７２３は、平らでない形状、または線形状ではないことができる。パーティションが平らでない形状、または線形状でない場合、定在波を分散させることができる。例えば、鋸歯形状、三角形形状、および先端が丸い三角形状で実現する場合、鋸歯形状、三角形形状、および先端が丸い三角形形状によって定在波が複数の方向に分散され得るので、音響出力特性をより向上させることができる。例えば、第1パーティション１７２１、第2パーティション１７２２、および第3パーティション１７２３は、鋸歯形状、三角形形状、および先端が丸い三角形形状を有することができる。例えば、パーティションの鋸歯が位置する方向は、音響発生モジュールを向くように配置することができる。第1パーティション１７２１および第2パーティション１７２２は、それぞれ2つのパーティションで構成することができる。これに限られず、第1パーティション１７２１および第2パーティション１７２２中の一つは、2つのパーティションで構成し得る。例えば、第1パーティション１７２１は、第1-1パーティション１７２１aおよび第1-2パーティション１７２１bを含むことができ、先端が丸い三角形形状で構成することができる。第1-1パーティション１７２１aの三角形または先端が丸い三角形形状の先端は、第4音響発生モジュール１５００HL、第5音響発生モジュール１５００HR、第6音響発生モジュール１５００HC、第12音響発生モジュール１５００HLC、および第13音響発生モジュール１５００HRCを向くように構成し得る。第1-2パーティション１７２１bの三角形または先端が丸い三角形形状の先端は、第1音響発生モジュール１５００L、第2音響発生モジュール１５００R、第3音響発生モジュール１５００C、第10音響発生モジュール１５００LC、および第11音響発生モジュール１５００RCを向くように構成し得る。例えば、第2パーティション１７２２は、第2-1パーティション１７２２aおよび第2-2パーティション１７２２bを含むことができ、先端が丸い三角形形状で構成することができる。第2-1パーティション１７２２aの三角形または先端が丸い三角形形状の先端は、第1音響発生モジュール１５００L、第2音響発生モジュール１５００R、第3音響発生モジュール１５００C、第10音響発生モジュール１５００LC、および第11音響発生モジュール１５００RCを向くように構成し得る。第2-2パーティション１７２２bの三角形または先端が丸い三角形形状の先端は、第7音響発生モジュール１５００BL、第8音響発生モジュール１５００BR、第9音響発生モジュール１５００BC、第14音響発生モジュール１５００BLC、および第15音響発生モジュール１５００BRCを向くように構成し得る。第3パーティション１７２３の三角形または先端が丸い三角形形状の先端は、第7音響発生モジュール１５００BL、第8音響発生モジュール１５００BR、第9音響発生モジュール１５００BC、第14音響発生モジュール１５００BLC、および第15音響発生モジュール１５００BRCを向くように構成し得る。これにより、音響発生モジュールの定在波によるピークやディップ現象を制御することができ、表示パネルのウェーブ現象を減らすことができる。これに限られず、第1パーティション１７２１および第2パーティション１７２２は、それぞれ一つで構成することができる。例えば、図32Cの実施例は、図31A〜図31Eのパーティションそれぞれでも同一または類似に適用することができる。図31Eの実施例は、図32A〜図32Eのパーティションそれぞれで同一または類似に適用することができる。
【０４７３】
図32Dを参照すると、第6パーティション１７１１の少なくとも一つの辺に、第1音響発生モジュール１５００L、第4音響発生モジュール１５００HL、および第7音響発生モジュール１５００BLを向くようにパッドを配置することができる。例えば、第6パーティション１７１１の少なくとも一つの辺に、第1音響発生モジュール１５００Lを向くように、第1-3パッド７１３を配置し得る。第1-3パッド７１３と向かい合う辺に、第1-1パッド７１１を配置し得る。第1-1パッド７１１および第1-3パッド７１３は、それぞれ一つで構成することができ、これに限られず、第1-1パッド７１１および第1-3パッド７１３中の一つは、二つ以上で構成することもできる。例えば、第6パーティション１７１１の少なくとも一つの辺に、第4音響発生モジュール１５００HLを向くように、第4-3パッド７２３を配置し得る。第4-3パッド７２３と向かい合う辺に、第4-1パッド７２１を配置し得る。第4-1パッド７２１および第4-3パッド７２３は、それぞれ一つで構成することができ、これに限られず、第4-1パッド７２１および第4-3パッド７２３中の一つは、二つ以上で構成することもできる。例えば、第6パーティション１７１１の少なくとも一つの辺に、第7音響発生モジュール１５００BLを向くように、第7-3パッド７３３を配置し得る。第7-3パッド７３３と向かい合う辺に、第7-1パッド７３１を配置し得る。第7-1パッド７３１および第7-3パッド７３３は、それぞれ一つで構成することができ、これに限られず、第7-1パッド７３１および第7-3パッド７３３中の一つは、二つ以上で構成することもできる。
【０４７４】
第6パーティション１７１１の少なくとも一つの異なる辺に、第10音響発生モジュール１５００LCを向くようにパッドを配置することができる。例えば、第6パーティション１７１１の少なくとも一つの異なる辺に、第10音響発生モジュール１５００LCを向くように、第10-1パッド７４１を配置し得る。第10-1パッド７４１は、一つで構成することができ、これに限られず、二つ以上で構成することもできる。
【０４７５】
第6パーティション１７１１の少なくとも一つの異なる辺に、第12音響発生モジュール１５００HLCを向くようにパッドを配置することができる。例えば、第6パーティション１７１１の少なくとも一つの異なる辺に、第12音響発生モジュール１５００HLCを向くように、第12-1パッド７５１を配置し得る。第12-1パッド７５１は、一つで構成することができ、これに限られず、二つ以上で構成することもできる。
【０４７６】
第6パーティション１７１１の少なくとも一つの異なる辺に、第14音響発生モジュール１５００BLCを向くようにパッドを配置することができる。例えば、第4パーティション１７１３の少なくとも一つの異なる辺に、第14音響発生モジュール１５００BLCを向くように、第14-1パッド７６１を配置し得る。第14-1パッド７６１は、一つで構成することができ、これに限られず、二つ以上で構成することもできる。
【０４７７】
第7パーティション１７１２の少なくとも一つの辺に、第2音響発生モジュール１５００R、第5音響発生モジュール１５００HR、および第8音響発生モジュール１５００BRを向くようにパッドを配置することができる。例えば、第7パーティション１７１２の少なくとも一つの辺に、第2音響発生モジュール１５００Rを向くように、第2-1パッド８１１を配置し得る。第2-1パッド８１１と向かい合う辺に、第2-3パッド８１３を配置し得る。第2-1パッド８１１および第2-3パッド８１３は、それぞれ一つで構成することができ、これに限られず、第2-1パッド８１１および第2-3パッド８１３中の一つは、二つ以上で構成することもできる。例えば、第7パーティション１７１２の少なくとも一つの辺に、第5音響発生モジュール１５００HRを向くように、第5-1パッド８２１を配置し得る。第5-1パッド８２１と向かい合う辺に、第5-3パッド８２３を配置し得る。第5-1パッド８２１および第5-3パッド８２３は、それぞれ一つで構成することができ、これに限られず、第5-1パッド８２１および第5-3パッド８２３中の一つは、二つ以上で構成することもできる。例えば、第7パーティション１７１２の少なくとも一つの辺に、第8音響発生モジュール１５００BRを向くように、第8-1パッド８３１を配置し得る。第8-1パッド８３１と向かい合う辺に、第8-3パッド８３３を配置し得る。第8-1パッド８３１および第8-3パッド８３３は、それぞれ一つで構成することができ、これに限られず、第8-1パッド８３１および第8-3パッド８３３中の一つは、二つ以上で構成することもできる。
【０４７８】
第7パーティション１７１２の少なくとも一つの異なる辺に、第11音響発生モジュール１５００RCを向くようにパッドを配置することができる。例えば、第7パーティション１７１２の少なくとも一つの異なる辺に、第11音響発生モジュール１５００RCを向くように、第11-3パッド８４３を配置し得る。第11-3パッド８４３は、一つで構成することができ、これに限られず、二つ以上で構成することもできる。第7パーティション１７１２の少なくとも一つの異なる辺に、第13音響発生モジュール１５００HRCを向くようにパッドを配置することができる。例えば、第7パーティション１７１２の少なくとも一つの異なる辺に、第13音響発生モジュール１５００HRCを向くように、第13-3パッド８５３を配置し得る。第13-3パッド８５３は、一つで構成することができ、これに限られず、二つ以上で構成することもできる。第7パーティション１７１２の少なくとも一つの異なる辺に、第15音響発生モジュール１５００BRCを向くようにパッドを配置することができる。例えば、第7パーティション１７１２の少なくとも一つの異なる辺に、第15音響発生モジュール１５００BRCを向くように、第15-3パッド８６３を配置し得る。第15-3パッド８６３は、一つで構成することができ、これに限られず、二つ以上で構成することもできる。
【０４７９】
第4パーティション１７１３の少なくとも一つの辺および第5パーティション１７１４の少なくとも一つの辺に、第3音響発生モジュール１５００C、第6音響発生モジュール１５００HC、および第9音響発生モジュール１５００BCを向くようにパッドを配置することができる。例えば、第4パーティション１７１３の少なくとも一つの辺に、第3音響発生モジュール１５００Cを向くように、第3-1パッド９１１を配置し得る。例えば、第5パーティション１７１４の少なくとも一つの辺に、第3音響発生モジュール１５００Cを向くように、第3-3パッド９１３を配置し得る。第3-1パッド９１１は、第3-3パッド９１３と向き合って配置し得る。例えば、第3-1パッド９１１と向かい合う辺に、第3-3パッド９１３を配置し得る。第3-1パッド９１１および第3-3パッド９１３は、それぞれ一つで構成することができ、これに限られず、第3-1パッド９１１および第3-3パッド９１３中の一つは、二つ以上で構成することもできる。例えば、第4パーティション１７１３の少なくとも一つの辺に、第6音響発生モジュール１５００HCを向くように、第6-1パッド９２１を配置し得る。例えば、第5パーティション１７１４の少なくとも一つの辺に、第6音響発生モジュール１５００HCを向くように、第6-3パッド９２３を配置し得る。第6-1パッド９２１は、第6-3パッド９２３と向き合って配置し得る。例えば、第6-1パッド９２１と向かい合う辺に、第6-3パッド９２３を配置し得る。第6-1パッド９２１および第6-3パッド９２３は、それぞれ一つで構成することができ、これに限られず、第6-1パッド９２１および第6-3パッド９２３中の一つは、二つ以上で構成することもできる。例えば、第4パーティション１７１３の少なくとも一つの辺に、第9音響発生モジュール１５００BCを向くように、第9-1パッド９３１を配置し得る。例えば、第5パーティション１７１４の少なくとも一つの辺に、第9音響発生モジュール１５００BCを向くように、第9-3パッド９３３を配置し得る。第9-1パッド９３１は、第9-3パッド９３３と向き合って配置し得る。例えば、第9-1パッド９３１と向かい合う辺に、第9-3パッド９３３を配置し得る。第9-1パッド９３１および第9-3パッド９３３は、それぞれ一つで構成することができ、これに限られず、第9-1パッド９３１および第9-3パッド９３３中の一つは、二つ以上で構成することもできる。
【０４８０】
例えば、第4パーティション１７１３の少なくとも一つの異なる辺に、第10音響発生モジュール１５００LCを向くように、第10-3パッド７４３を配置し得る。例えば、第4パーティション１７１３の少なくとも一つの異なる辺に、第12音響発生モジュール１５００HLCを向くように、第12-3パッド７５３を配置し得る。例えば、第4パーティション１７１３の少なくとも一つの異なる辺に、第14音響発生モジュール１５００BLCを向くように、第14-3パッド７６３を配置し得る。第10-3パッド７４３、第12-3パッド７５３、および第14-3パッド７６３は、それぞれ一つで構成することができ、これに限られず、第10-3パッド７４３、第12-3パッド７５３、および第14-3パッド７６３中の一つは、2つ以上で構成することもできる。
【０４８１】
例えば、第5パーティション１７１４の少なくとも一つの異なる辺に、第11音響発生モジュール１５００RCを向くように、第11-1パッド８４１を配置し得る。例えば、第5パーティション１７１４の少なくとも一つの異なる辺に、第13音響発生モジュール１５００HRCを向くように、第13-1パッド８５１を配置し得る。例えば、第5パーティション１７１４の少なくとも一つの異なる辺に、第15音響発生モジュール１５００BRCを向くように、第15-1パッド８６１を配置し得る。第11-1パッド８４１、第13-1パッド８５１、および第15-1パッド８６１は、それぞれ一つで構成することができ、これに限られず、第11-1パッド８４１、第13-1パッド８５１、および第15-1パッド８６１中の一つは、2つ以上で構成することもできる。
【０４８２】
第1パーティション１７２１の少なくとも一つの辺に、第4音響発生モジュール１５００HL、第5音響発生モジュール１５００HR、第6音響発生モジュール１５００HC、第12音響発生モジュール１５００HLC 、および第13音響発生モジュール１５００HRCを向くようにパッドを配置することができる。例えば、第1パーティション１７２１の少なくとも一つの辺に、第4音響発生モジュール１５００HLを向くように、第4-6パッド７２６を配置し得る。第4-6パッド７２６は、それぞれ一つで構成することができ、これに限られず、第4-6パッド７２６は、2つ以上で構成することもできる。
【０４８３】
例えば、第1パーティション１７２１の少なくとも一つの辺に、第5音響発生モジュール１５００HRを向くように、第5-6パッド８２６を配置し得る。第5-6パッド８２６と向かい合う辺に、第5-5パッド８２５を配置することができ、第5-5パッド８２５は、第5音響発生モジュール１５００HRを向くように配置することができる。第5-5パッド８２５および第5-6パッド８２６は、それぞれ一つで構成することができ、これに限られず、第5-5パッド８２５および第5-6パッド８２６中の一つは、二つ以上で構成することもできる。
【０４８４】
例えば、第1パーティション１７２１の少なくとも一つの辺に、第6音響発生モジュール１５００HCを向くように、第6-6パッド９２６を配置し得る。第6-6パッド９２６と向かい合う辺に、第6-5パッド９２５を配置することができ、第6-5パッド９２５は、第6音響発生モジュール１５００HCを向くように配置することができる。第6-5パッド９２５および第6-6パッド９２６は、それぞれ一つで構成することができ、これに限られず、第6-5パッド９２５および第6-6パッド９２６中の一つは、二つ以上で構成することもできる。
【０４８５】
例えば、第1パーティション１７２１の少なくとも一つの辺に、第12音響発生モジュール１５００HLCを向くように、第12-6パッド７５６を配置し得る。第12-6パッド７５６と向かい合う辺に、第12-5パッド７５５を配置することができ、第12-5パッド７５５は、第12音響発生モジュール１５００HLCを向くように配置することができる。第12-5パッド７５５および第12-6パッド７５６は、一つで構成することができ、これに限られず、第12-5パッド７５５および第12-6パッド７５６中の一つは、二つ以上で構成することもできる。
【０４８６】
例えば、第1パーティション１７２１の少なくとも一つの辺に、第13音響発生モジュール１５００HRCを向くように、第13-6パッド８５６を配置し得る。第13-6パッド８５６と向かい合う辺に、第13-5パッド８５５を配置することができ、第13-5パッド８５５は、第13音響発生モジュール１５００HRCを向くように配置することができる。第13-5パッド８５５および第13-6パッド８５６は、それぞれ一つで構成することができ、これに限られず、第13-5パッド８５５および第13-6パッド８５６中の一つは、二つ以上で構成することもできる。
【０４８７】
例えば、第1パーティション１７２１の少なくとも一つの異なる辺に、第1音響発生モジュール１５００L、第2音響発生モジュール１５００R、第3音響発生モジュール１５００C、第10音響発生モジュール１５００LC、および第11音響発生モジュール１５００RCを向くようにパッドを配置し得る。例えば、第1パーティション１７２１の少なくとも一つの異なる辺に、第1音響発生モジュール１５００Lを向くように、第1-5パッド７１５を配置し得る。例えば、第1パーティション１７２１の少なくとも一つの異なる辺に、第2音響発生モジュール１５００Rを向くように、第2-5パッド８１５を配置し得る。例えば、第1パーティション１７２１の少なくとも一つの異なる辺に、第3音響発生モジュール１５００Cを向くように、第3-5パッド９１５を配置し得る。例えば、第1パーティション１７２１の少なくとも一つの異なる辺に、第10音響発生モジュール１５００LCを向くように、第10-5パッド７４５を配置し得る。例えば、第1パーティション１７２１の少なくとも一つの辺に、第11音響発生モジュール１５００RCを向くように、第11-5パッド８４５を配置し得る。第1-5パッド７１５、第2-5パッド８１５、第3-5パッド９１５、第10-5パッド７４５、および第11-5パッド８４５は、それぞれ一つで構成するすることができ、これに限定されない。例えば、第1-5パッド７１５、第2-5パッド８１５、第3-5パッド９１５、第10-5パッド７４５、および第11-5パッド８４５中の一つは、2つ以上で構成することもできる。
【０４８８】
例えば、第2パーティション１７２２の少なくとも一つの辺に、第1音響発生モジュール１５００L、第2音響発生モジュール１５００R、第3音響発生モジュール１５００C、第10音響発生モジュール１５００LC、および第11音響発生モジュール１５００RCを向くようにパッドを配置し得る。例えば、第2パーティション１７２２の少なくとも一つの辺に、第1音響発生モジュール１５００Lを向くように、第1-6パッド７１６を配置し得る。例えば、第2パーティション１７２２の少なくとも一つの辺に、第2音響発生モジュール１５００Rを向くように、第2-6パッド８１６を配置し得る。例えば、第2パーティション１７２２の少なくとも一つの辺に、第3音響発生モジュール１５００Cを向くように、第3-6パッド９１６を配置し得る。例えば、第2パーティション１７２２の少なくとも一つの辺に、第10音響発生モジュール１５００LCを向くように、第10-6パッド７４６を配置し得る。例えば、第2パーティション１７２２の少なくとも一つの辺に、第11音響発生モジュール１５００RCを向くように、第11-6パッド８４６を配置し得る。第1-6パッド７１６、第2-6パッド８１６、第3-6パッド９１６、第10-6パッド７４６、および第11-6パッド８４６は、それぞれ一つで構成するすることができ、これに限定されない。例えば、第1-6パッド７１６、第2-6パッド８１６、第3-6パッド９１６、第10-6パッド７４６、および第11-6パッド８４６中の一つは、2つ以上で構成することもできる。
【０４８９】
第1-5パッド７１５は、第1-6パッド７１６と向き合って配置し得る。例えば、第1-5パッド７１５と向かい合う第2パーティション１７２２の辺に、第1-6パッド７１６を配置し得る。第2-5パッド８１５は、第2-6パッド８１６と向き合って配置し得る。例えば、第2-5パッド８１５と向かい合う第2パーティション１７２２の辺に、第2-6パッド８１６を配置し得る。第3-5パッド９１５は、第3-6パッド９１６と向き合って配置し得る。例えば、第3-5パッド９１５と向かい合う第2パーティション１７２２の辺に、第3-6パッド９１６を配置し得る。第10-5パッド７４５は、第10-6パッド７４６と向き合って配置し得る。例えば、第10-5パッド７４５と向かい合う第2パーティション１７２２の辺に、第10-6パッド７４６を配置し得る。第11-5パッド７１５は、第11-6パッド７１６と向き合って配置し得る。例えば、第11-5パッド７１５と向かい合う第2パーティション１７２２の辺に、第11-6パッド７１６を配置し得る。
【０４９０】
例えば、第2パーティション１７２２の少なくとも一つの異なる辺に、第7音響発生モジュール１５００BL、第8音響発生モジュール１５００BR、第9音響発生モジュール１５００BC、第14音響発生モジュール１５００BLC、および第15音響発生モジュール１５００BRCを向くようにパッドを配置し得る。例えば、第2パーティション１７２２の少なくとも一つの異なる辺に、第7音響発生モジュール１５００BLを向くように、第7-5パッド７３５を配置し得る。例えば、第2パーティション１７２２の少なくとも一つの異なる辺に、第8音響発生モジュール１５００BRを向くように、第8-5パッド８３５を配置し得る。例えば、第2パーティション１７２２の少なくとも一つの異なる辺に、第9音響発生モジュール１５００BCを向くように、第9-5パッド９３５を配置し得る。例えば、第2パーティション１７２２の少なくとも一つの異なる辺に、第14音響発生モジュール１５００BLCを向くように、第14-5パッド７６５を配置し得る。例えば、第2パーティション１７２２の少なくとも一つの異なる辺に、第15音響発生モジュール１５００BRCを向くように、第15-5パッド８６５を配置し得る。第7-5パッド７３５、第8-5パッド８３５、第9-5パッド９３５、第14-5パッド７６５、および第15-5パッド８６５は、それぞれ一つで構成することができ、これに限られず、第7-5パッド７３５、第8-5パッド８３５、第9-5パッド９３５、第14-5パッド７６５、および第15-5パッド８６５中の一つは、2つ以上で構成することもできる。
【０４９１】
本明細書の他の実施例によると、第1-1パッド７１１および第1-3パッド７１３の大きさは、第1-5パッド７１５および第1-6パッド７１６のそれぞれの大きさよりも小さいか同じであり得る。他のパッドにも同様に適用することができる。
【０４９２】
パーティション１７５０の一つの辺には、1つ以上のパッドを含むことができる。パーティション１７５０の一つの辺には、第4音響発生モジュール１５００HLを向くように、第4-5パッド７２５を配置することができ、第5音響発生モジュール１５００HRを向くように、第5-5パッド８２５を配置することができ、第6音響発生モジュール１５００HCを向くように、第6-5パッド９２５を配置することができる。パーティション１７５０の一つの辺には、第12音響発生モジュール１５００HLCを向くように、第12-5パッド７５５を配置することができ、第13音響発生モジュール１５００HRCを向くように、第13-5パッド８５５を配置することができる。パーティション１７５０のもう一つの辺には、第7音響発生モジュール１５００BLを向くように、第7-6パッド７３６を配置することができ、第8音響発生モジュール１５００BRを向くように、第8-6パッド８３６を配置することができ、第9音響発生モジュール１５００BCを向くように、第9-6パッド９３６を配置することができる。パーティション１７５０のもう一つの辺には、第14音響発生モジュール１５００BLCを向くように、第14-6パッド７６６を配置することができ、第15音響発生モジュール１５００BRCを向くように、第15-6パッド８６６を配置することができる。パーティション１７５０を構成することにより、表示パネル１１０の背面に配置される音響発生モジュールの固定力を向上させることができ、表示パネル１１０の端からの音響の漏れを減少させることができるので、音響出力特性を向上させることができる。
【０４９３】
図32Eを参照すると、第1パーティション１７２１および第2パーティション１７２２は、ベント部を含むことができる。残りの構成は、図32Dと同じか類似しているので、詳細な説明を省略する。第1パーティション１７２１は、一つ以上のベント部を含むことができる。例えば、第1パーティション１７２１は、第1音響発生モジュール１５００Lを向くように、第1ベント部７０１を含むことができ、第10音響発生モジュール１５００LCを向くように、第7ベント部７０７を含むことができる。第1パーティション１７２１は、第2音響発生モジュール１５００Rを向くように、第2ベント部７０２を含むことができ、第11音響発生モジュール１５００RCを向くように、第8ベント部７０８を含むことができる。第1パーティション１７２１は、第3音響発生モジュール１５００Cを向くように、第3ベント部７０３を含むことができる。
【０４９４】
第2パーティション１７２２は、一つ以上のベント部を含むことができる。例えば、第2パーティション１７２２は、第1音響発生モジュール１５００Lを向くように、第4ベント部７０４を含むことができ、第10音響発生モジュール１５００LCを向くように、第9ベント部７０９を含むことができる。第2パーティション１７２２は、第2音響発生モジュール１５００Rを向くように、第5ベント部７０５を含むことができ、第11音響発生モジュール１５００RCを向くように、第10ベント部７１０を含むことができる。第2パーティション１７２２は、第3音響発生モジュール１５００Cを向くように、第6ベント部７０６を含むことができる。
【０４９５】
パーティション１７５０を構成しない場合、第3パーティション１７２３を構成することができる。第3パーティション１７２３は、図30Dで説明したように、パッドを構成することができる。しかし、本明細書の実施例は、これに限られず、第3パーティション１７２３は、第2パーティション１７２２のように一つ以上のベント部を含むことができる。例えば、第3パーティション１７２３は、第2パーティション１７２２の形状に基づくベント部を含むことができる。例えば、図30Eで説明したように、図32Eで第3パーティション１７２３がベント部を含む場合、第7音響発生モジュール１５００BL、第8音響発生モジュール１５００BR、第9音響発生モジュール１５００BC、第14音響発生モジュール１５００BLC、および第15音響発生モジュール１５００BRCを向くようにベント部を含むことができる。
【０４９６】
図29A〜図32Eを参照して説明した実施例において、パーティション、パッド、ベント部などは、相互に互換して適用することができる。例えば、図31Dで第3パーティション１７２３を構成せずに、図32Dのパーティション１７５０およびパッドを構成することができる。
【０４９７】
図33は、本明細書の他の実施例に係る音響発生モジュールを示す図である。図34は、図33に示した線IV-IV’の断面図である。
【０４９８】
図33および図34を参照すると、本明細書の他の実施例に係る音響発生モジュール１９００は、圧電複合層（PCL）、第1電極２３０、および第2電極２４０を含むことができる。
【０４９９】
圧電複合層（PCL）は、複数の第1部分２１０、および複数の第1部分２１０の間にそれぞれ配置された複数の第2部分２２０を含むことができる。例えば、第1方向（X）に沿って交互に繰り返して配置された複数の第1部分２１０のそれぞれと、複数の第2部分２２０を含むことができる。
【０５００】
複数の第1部分２１０のそれぞれは、第1方向（X）と平行な第1幅（d1）を有しながら、第2方向（Y）と平行な長さを有することができる。複数の第2部分２２０のそれぞれは、第1幅（d1）と同じ第2幅（d2）を有しながら、第2方向（Y）と平行な長さを有することができる。例えば、第1部分２１０と第2部分２２０は、互いに同一の大きさを有するライン形状またはストライプ形状を含むことができる。
【０５０１】
複数の第1部分２１０のそれぞれは、多角形態のパターンを含むことができる。例えば、複数の第1部分２１０のそれぞれは、所定の第1幅（d1）を有するラインパターン（line pattern）であり得、第1方向（X）に沿って所定の第2幅（d2）（または間隔）を有するように互いに離隔し、第1方向（X）と交差する第2方向（Y）に並んで配置し得る。複数の第1部分２１０のそれぞれは、製造工程で発生する工程誤差（または許容誤差）の範囲内ですべて同じ大きさ、例えば幅、面積、または体積を有することができる。
【０５０２】
本明細書の実施例に係る複数の第1部分２１０のそれぞれは、電界による圧電効果（piezoelectric effect）（または圧電特性）によって振動する無機物質または圧電物質を含むことができる。例えば、複数の第1部分２１０のそれぞれは、電気活性部、無機物質部、圧電物質部、または振動部などであり得、用語に限定されるものではない。
【０５０３】
本明細書の実施例に係る複数の第1部分２１０のそれぞれは、相対的に高い振動の実現が可能なセラミック系の物質で構成するか、またはペロブスカイト（perovskite）系の結晶構造を有する圧電セラミックスで構成し得る。ペロブスカイト結晶構造は、圧電および逆圧電効果を有し、配向性を有する板形状の構造であり得る。ペロブスカイト結晶構造は、ABO3の化学式で表され、Aは2価の金属元素からなり、Bは4価の金属元素からなり得る。一例としては、ABO3の化学式で、AおよびBはカチオンであり得、Oはアニオンであり得る。例えば、PbTiO3、PbZrO3、BaTiO3、およびSrTiO3の中の少なくとも一つを含むことができ、これに限定されるものではない。
【０５０４】
ペロブスカイト結晶構造は、外部応力または磁場によって中央イオン、例えば、PbTiO3の場合、Tiイオンの位置が変動して分極（polarization）が変化して圧電効果を発生することができる。例えば、ペロブスカイト結晶構造は、外部応力または磁界によって対称的な（symmetric）構造であるキュービック（cubic）形状から対称ではない（unsymmetric）構造の四角形（tetragonal）（例えば、四辺形（quadrilateral））、直方形（orthorhombic）、および菱形（rhombohedral）などの形状に変わることにより、圧電効果を発生することができる。対称ではない構造を有する四角形（tetragonal）（例えば、四辺形（quadrilateral））、および菱形（rhombohedral）の相転移境界領域（Morphotropic Phase Boundary）で分極が高く、分極の再配列が容易なので、高い圧電特性を有することができる。
【０５０５】
一例として、複数の第1部分２１０のそれぞれに構成される無機物質部は、鉛（Pb）、ジルコニウム（Zr）、チタン（Ti）、亜鉛（Zn）、ニッケル（Ni）、およびニオブ（Nb）の中の1種以上を含むことができ、これに限定されるものではない。
【０５０６】
他の例としては、複数の第1部分２１０のそれぞれに構成される無機物質部は、鉛（Pb）、ジルコニウム（Zr）、およびチタン（Ti）を含むPZT（lead zirconate titanate）系物質、または鉛（Pb）、亜鉛（Zn）、ニッケル（Ni）、およびニオブ（Nb）を含むPZNN（lead zirconate nickel niobate）系物質を含むことができ、これに限定されるものではない。また、無機物質部は、鉛（Pb）を含まないCaTiO3、BaTiO3、およびSrTiO3のうちの少なくとも一つを含むことができ、これに限定されるものではない。
【０５０７】
複数の第2部分２２０のそれぞれは、多角形態のパターンを含むことができる。複数の第2部分２２０のそれぞれは、複数の第1部分２１０の間に配置し得る。複数の第1部分２１０と、複数の第2部分２２０のそれぞれは、同一平面（または同じ層）に互いに並んで配置（または配列）し得る。複数の第2部分２２０のそれぞれは、隣接する2つの第1部分２１０の間のギャップを埋めるように構成することにより、隣接した第1部分２１０と連結しまたは接着することができる。例えば、複数の第2部分２２０のそれぞれは、所定の第2幅（d2）を有するラインパターンであり得、第1部分２１０を間に置いて互いに並んで配置し得る。複数の第2部分２２０のそれぞれは、製造工程で発生する工程誤差（または許容誤差）の範囲内ですべて同じ大きさ、例えば幅、面積、または体積を有することができる。
【０５０８】
第2部分２２０の大きさは、第1部分２１０の大きさと同じか異なり得る。例えば、第1部分２１０と第2部分２２０のそれぞれの大きさは、音響発生モジュール１９００の振動特性および/または柔軟性などの要求条件によって設定し得る。
【０５０９】
一例による複数の第2部分２２０のそれぞれは、第1部分２１０に比べ低いモジュラス（modulus）と粘弾性を有することにより、脆性特性により衝撃に弱い第1部分２１０の信頼性を向上させることができる。例えば、表示パネル１１０を振動させるための音響発生モジュール１９００は、耐衝撃性と高剛性を有する場合、最大の振動特性を有することができる。音響発生モジュール１９００が耐衝撃性と高剛性を有するために、複数の第2部分２２０のそれぞれは、相対的に高い減衰ベクトル（damping factor）（tanδ）と相対的に高い剛性（stiffness）特性を有する物質で構成し得る。例えば、複数の第2部分２２０のそれぞれは、0.1〜1[GPa]の減衰ベクトル（tanδ）と0〜10[GPa]の剛性特性を有する物質で構成し得る。また、減衰ベクトル（tanδ）と剛性特性は、損失係数とモジュラスの相関関係でも説明することができるが、例えば、複数の第2部分２２０のそれぞれは、0.01〜1の損失係数と1〜10[GPa]のモジュラスを有する物質で構成し得る。
【０５１０】
複数の第2部分２２０のそれぞれに構成する有機物質部は、第1部分２１０の無機物質部と比較して柔軟な特性を有する有機物質または有機ポリマー（polymer）で構成し得る。例えば、複数の第2部分２２０のそれぞれは、有機物質、有機ポリマー、有機圧電物質、または有機非圧電物質を含むことができる。例えば、複数の第2部分２２０のそれぞれは、フレキシビリティを有する接着部、伸縮部、曲げ部、ダンピング部、または延性部などであり得、用語に限定されるものではない。
【０５１１】
一例による有機物質部の有機圧電物質と有機非圧電物質のうち少なくとも一つを含むことができる。
【０５１２】
有機圧電材料を含む有機物質部無機物質部（または第1部分）に印加される衝撃を吸収することにより、音響発生モジュール１９００全体の耐久性を向上させることができ、一定レベルの圧電特性を提供することができる。本明細書の一実施例に係る有機圧電物質は、電気活性特性を有する有機物質であり得る。例えば、有機圧電物質は、PVDF（Polyvinylidene fluoride）、ベータ-PVDF（β-Polyvinylidene fluoride）およびPVDF-TrFE（Polyvinylidene-trifluoroethylene）のうちの少なくとも一つを含むことができ、これに限定されるものではない。
【０５１３】
有機非圧電物質を含む有機物質部は、硬化性樹脂組成物およびそれを含む接着剤で構成することにより無機物質部（または第1部分）に印加される衝撃を吸収することにより、音響発生モジュール１９００全体の耐久性を向上させることができる。本明細書の一実施例に係る有機非圧電物質は、エポキシ系ポリマー、アクリル系ポリマー、およびシリコン系ポリマーのうちの少なくとも一つを含むことができ、これに限定されるものではない。
【０５１４】
一例として、有機非圧電物質を含む有機物質部は、音響発生モジュール１９００に求められる高剛性の特性のために、エポキシ樹脂または無機物質部との付着性のために付着増進剤を含むことができる。例えば、付着増進剤は、リン酸（phosphate）系などを挙げることができる。有機物質部は、熱硬化および光硬化の中の少なくとも一つの硬化方法により硬化し得る。有機物質部の硬化時、溶剤の揮発による有機物質部の収縮によって音響発生モジュール１９００の厚さの均一性が低下することを防止するために、無溶剤（solvent free）タイプのエポキシ樹脂を使用し得る。
【０５１５】
また、有機非圧電物質を含む有機物質部は、音響発生モジュール１９００の高剛性以外に、ダンピング（damping）特性のために、補強剤をさらに含むことができる。例えば、補強剤は、コアシェル型（core shell type）のMBS（Methylmethacrylate-Butadiene-styrene）などを挙げることができ、補強剤の含有量は、5〜40wt％であり得る。補強剤は、コアシェルタイプの弾性体として、シェル部分はアクリル系ポリマーのようなエポキシ樹脂と高い結合力を有することにより、音響発生モジュール１９００の耐衝撃性またはダンピング特性を向上させることができる。
【０５１６】
したがって、圧電複合層（PCL）は、無機物質からなり圧電特性を有する第1部分２１０と、有機物質からなりフレキシビリティを有する第2部分２２０が交互に繰り返して連結することにより薄いフィルム形態を有することができる。これにより、圧電複合層（PCL）は、表示パネル１１０の形状と対応して曲がることができ、表示パネル１１０と対応する大きさを有するか、表示パネル１１０が振動によって設定された振動特性または音響特性を実現できる大きさを有することができる。例えば、第1部分２１０の大きさおよび第2部分の大きさは、圧電特性および柔軟性によって設定することができる。例えば、柔軟性よりも圧電特性を必要とする表示装置では、第1部分２１０の大きさを第2部分２２０の大きさよりも大きく設定することができる。他の例としては、圧電特性よりも柔軟性を必要とする表示装置では、第2部分２２０の大きさを第1部分２１０の大きさよりも大きく設定することができる。したがって、表示装置に求められる特性によって圧電複合層（PCL）を調節できるので、圧電複合層（PCL）の設計が容易であるという長所がある。
【０５１７】
他の例としては、第1部分２１０および第2部分２２０の両方を無機物質で構成することも可能である。第1部分２１０および第2部分２２０を一つのフィルムで構成して表示装置に適用することができる。
【０５１８】
第1電極２３０は、圧電複合層（PCL）の第1面（または前面）上に配置し得る。
【０５１９】
第1電極２３０は、複数の第1部分２１０のそれぞれの第1面と電気的に接続することができる。一例による第1電極２３０は、透明導電性物質、半透明導電性物質、または不透明導電性物質からなり得る。例えば、本明細書の実施例に係る第1電極２３０は、透明または半透明の導電性物質は、ITO（indium tin oxide）またはIZO（indium zinc oxide）を含むことができ、これに限定されるものではない。不透明導電性物質は、アルミニウム（Al）、銅（Cu）、金（Au）、銀（Ag）、モリブデン（Mo）、またはマグネシウム（Mg）などを含むか、またはこれらの合金からなり得、これに限定されるものでではない。
【０５２０】
第2電極２４０は、圧電複合層（PCL）の第1面とは反対の第2面（または背面）上に配置し得る。第2電極２４０は、複数の第1部分２１０それぞれの第2面と電気的に接続することができる。本明細書の実施例に係る第2電極２４０は、透明導電性物質、半透明導電性物質、または不透明導電性物質からなり得る。例えば、第2電極２４０は、第1電極２３０と同一の物質からなり得、これに限定されるものではない。
【０５２１】
圧電複合層（PCL）は、一定の温度雰囲気または高温から常温に変化する温度雰囲気で、第1電極２３０と第2電極２４０に印加される一定の電圧によって分極し得る。
【０５２２】
本明細書の他の実施例に係る音響発生モジュール１９００は、第1保護層２５０および第2保護層２６０をさらに含むことができる。
【０５２３】
第1保護層２５０は、第1電極２３０上に配置され、圧電複合層（PCL）の第1面または第1電極２３０を保護することができる。例えば、第1保護層２５０は、PI（polyimide）フィルムまたはPET（polyethyleneterephthalate）フィルムであり得、これに限定されるものではない。
【０５２４】
第2保護層２６０は、第2電極２４０上に配置され、圧電複合層（PCL）の第2面または第2電極２４０を保護することができる。例えば、第2保護層２６０は、PI（polyimide）フィルムまたはPET（polyethyleneterephthalate）フィルムであり得、これに限定されるものではない。例えば、音響発生モジュール１９００は、圧電複合体からなる音響発生モジュールであり得る。例えば、本明細書の実施例に係る音響発生モジュールは、第1部分２１０と第2部分２２０が配置された圧電複合体であり得る。他の例としては、本明細書の実施例に係る音響発生モジュールは、第1部分２１０と第2部分２２０が配置され、第1電極２３０および第2電極２４０を含むことができる。他の例としては、本明細書の実施例に係る音響発生モジュールは、第1部分２１０と第2部分２２０が配置され、第1電極２３０および第2電極２４０と、第1保護層２５０および第2保護層２６０を含むことができる。音響発生モジュール１９００は、音響発生ユニット、振動発生モジュールは、または振動発生ユニットなどで表現することができ、用語に限定されるものではない。
【０５２５】
したがって、本明細書の他の実施例による圧電複合層（PCL）は、互いに同一の大きさを有する第1部分２１０と第2部分２２０が同一平面に交互に繰り返して配置（または連結）することにより、単一の薄いフィルム形態を有することができ、振動特性を有する第1部分２１０によって上下方向に振動することができ、柔軟性を有する第2部分２２０によって曲面形態に曲がることができる。本明細書の他の実施例による圧電複合層（PCL）は、第1部分２１０と第2部分２２０の側面結合（または連結）によって所望の大きさまたは長さに拡張することができる。
【０５２６】
図35aは、図33の圧電複合体の両端が上方に曲げられた状態を示した図である。図35bは、図33の圧電複合体の両端が下方に曲げられた状態を示した図である。
【０５２７】
図35Aおよび図35Bを参照すると、本明細書の他の実施例による圧電複合層（PCL）は、ラインパターンを有する複数の第1部分２１０のそれぞれが印加される信号による電界によって振動することにより、第1長さ方向（X）の両端（EP）が上方（+Z）に曲がり、または下方（-Z）に曲がることができる。例えば、複数の第1部分２１０の間に満たされまたは配置された複数の第2部分２２０のそれぞれが、柔軟性を有することにより圧電複合層（PCL）の両端（EP）が上方（+Z）または下方（-Z）に曲がっても、第1部分２１０の無機物質部の破損または劣化が発生しないことが可能となる。したがって、本明細書の他の実施例による圧電複合層（PCL）を含む音響発生モジュール１９００を有する表示装置は、フレキシブル表示装置、例えば、所定の曲率半径で曲がったカーブ・ド・表示装置（curved display apparatus）として用いることができるが、これらに限定されず螺旋形態に巻き取りまたは巻き出す、巻かれるローラーブル表示装置（rollable display apparatus）、ベンダブル表示装置（bendable display apparatus）、または手首に巻くタイプのウェアラブル表示装置（wearable display apparatus）などに用いることができる。ベンダブル表示装置は、エッジ曲げ表示装置、ベゼル曲げ表示装置、またはアクティブ曲げ表示装置であり得、これに限定されるものではない。
【０５２８】
図36は、本明細書の他の実施例に係る圧電複合体を含む音響発生モジュールを示す図である。
【０５２９】
図36を参照すると、本明細書の他の実施例による圧電複合層（PCL）は、円形態を有しながら互いに離隔した複数の第1部分２１０、および複数の第1部分２１０それぞれを囲む第2部分２２０を含むことができる。
【０５３０】
複数の第1部分２１０のそれぞれは、円形の形態を有することができる。例えば、複数の第1部分２１０のそれぞれは、ディスク形状を有することができる。これらの複数の第1部分２１０のそれぞれは、前述のような振動特性を有する無機物質部で構成されるので、これに対する重複説明は省略する。
【０５３１】
第2部分２２０は、複数の第1部分２１０の間に配置するか、または満たして、複数の第1部分２１０のそれぞれの側面を囲む。第2部分２２０は、前述のような柔軟性を有する有機物質部で構成されるので、これに対する重複説明は省略する。第2部分２２０は、複数の第1部分２１０の間に柔軟性を提供することで圧電複合層（PCL）または音響発生モジュール１９００は、複数の第1部分２１０の間と間の変形に対応して2次元または3次元形態の多様な形態に変形することができるようにする。
【０５３２】
複数の第1部分２１０のそれぞれは、ディスク形状に加えて、様々な形態を有することができる。例えば、複数の第1部分２１０のそれぞれは、楕円形態、多角形態、またはドーナツ形態を有することができ、これに限定されるものではない。
【０５３３】
また、複数の第1部分２１０のそれぞれが微細な円形態、楕円形態、多角形態、またはドーナツ形態などを含む点形態を有することができ、これを含む音響発生モジュール１９００を含む表示装置は、表示パネルが複数の第1部分２１０の間に配置された第2部分２２０の柔軟性によって様々な形態に変形することができる。例えば、図33に示した音響発生モジュール１９００を含む表示装置は、表示パネルがライン形態を有する第1部分２１０（または無機物質部）によって凹か、凸の2次元形態にのみ変形することができる。例えば、図36に示した音響発生モジュール１９００を含む表示装置は、表示パネルが点形態を有する第1部分２１０（または無機物質部）によって2次元の形態だけでなく、3次元形態の多様な形態に変形することができる。したがって、本明細書の他の実施例による圧電複合層（PCL）を有する音響発生モジュール１９００は、表示装置の形態によるデザインに対する自由度が向上し得、2次元または3次元形態の多様な形状に変形することができるフレキシブル表示装置に適用することができる。
【０５３４】
図37は、本明細書の他の実施例に係る圧電複合体を含む音響発生モジュールを示す図である。図38は、本明細書の他の実施例に係る圧電複合体を含む音響発生モジュールを示す図である。
【０５３５】
図37を参照すると、本明細書の他の実施例による圧電複合層（PCL）は、三角の形態を有しながら互いに離隔した複数の第1部分２１０、および複数の第1部分２１０それぞれを囲む第2部分２２０を含むことができる。
【０５３６】
複数の第1部分２１０のそれぞれは、三角の形態を有することができる。例えば、複数の第1部分２１０のそれぞれは、三角板形態を有することができる。複数の第1部分２１０のそれぞれは、前述のような振動特性を有する無機物質部で構成されるので、これに対する重複説明は省略する。
【０５３７】
一例として、複数の第1部分２１０のうち、隣接する4つの第1部分２１０は、四角の形態（または正方形の形態や四辺形）をなして隣接するように配置することができる。四角の形態（または四辺形）をなす隣接する4つの第1部分２１０のそれぞれの頂点は、四角の形態の正中央部に隣接して配置することができる。
【０５３８】
別の例として、図38に示すように、複数の第1部分２１０のうち、隣接する6つの第1部分２１０は、六角形態（または正六角形態）をなして隣接するように配置することができる。六角形態をなす隣接する6つの第1部分２１０のそれぞれの頂点は、六角形態の正中央部に隣接して配置することができる。これにより、三角の形態を有する複数の第1部分２１０のうち、隣接する2N（Nは2以上の自然数）個の第1部分２１０は、2N角形態をなすように隣接するように配置することができる。
【０５３９】
第2部分２２０は、複数の第1部分２１０の間に配置するか、または満たして、複数の第1部分２１０のそれぞれの側面を囲むことができる。第2部分２２０は、前述のような柔軟性を有する有機材料部で構成されるので、これに対する重複説明は省略する。第2部分２２０は、複数の第1部分２１０の間に柔軟性を提供することで圧電複合層（PCL）または音響発生モジュール１９００は、複数の第1部分２１０の間と間の変形に対応して2次元の形態だけでなく、3次元形態の多様な形態に変形することができる。
【０５４０】
したがって、本明細書の他の実施例による圧電複合層（PCL）を有する音響発生モジュール１９００を含む表示装置は、表示パネルが音響発生モジュール１９００の様々な3次元形態の変形に対応するように変形することができる。また、三角の形態を有する複数の第1部分２１０は、様々な形状に対応することができる微細パターンであり得、これを含む音響発生モジュール１９００が適用された表示装置は、表示パネルが複数の第1部分２１０の間に配置された第2部分２２０の柔軟性によって様々な形態に変形することができる。また、本明細書の他の実施例による圧電複合層（PCL）を含む表示装置は、図33に示した音響発生モジュール１９００を含む表示装置と同じフレキシブル表示装置に適用することができる。
【０５４１】
図39は、本明細書の他の実施例に係る音響発生モジュールとパーティションを示す図である。
【０５４２】
図39を参照すると、圧電複合体を含む音響発生モジュール１９００は、表示パネル１１０の背面に配置し得る。音響発生モジュール１９００は、表示パネル１１０の横方向を基準に横方向に配置し得る。音響発生モジュール１９００を囲むパーティション１７６０をさらに含むことができる。パーティション１７６０が音響発生モジュール１９００と等間隔を有し配置される場合、音響発生モジュール１９００の定在波によって、特定の周波数にディップ現象が発生することを認識した。そこで、本明細書の発明者らはディープ現象を改善するために、パーティションの配置についていくつかの実験を行った。複数の実験を通じて、パーティション１７６０が音響発生モジュール１９００の一側に偏って配置されるようにした。これに対する音響出力特性は、図40を参照して説明する。
【０５４３】
図40は、本明細書の実施例に係る音響発生モジュールの音響出力特性を示した図である。
【０５４４】
図40の横軸は、周波数（Frequency,Hz）であり、縦軸は、音圧（Sound Pressure Level; SPL,dB）を示す。音響出力特性は、音響分析装置であるB＆K装備を用いて測定することができる。音響分析装備は、制御用PC（Control PC）と音を送受信するサウンドカード、そしてサウンドカードから発生した音を音響発生モジュール１９００に増幅伝達するアンプ（amplifier）、表示パネルの音響発生モジュール１９００を通じて発生する音響を収集するマイクで構成し得る。マイクで収集された音響は、サウンドカードを介して制御用PCに入力され、これを制御プログラムで確認して音響発生モジュール１９００の音響を分析することになる。
【０５４５】
図40を参照すると、実線は、図39に示すように、パーティションを音響発生モジュール１９００の一側に配置したものであり、点線は、パーティションを音響発生モジュール１９００と等間隔に配置したものである。例えば、点線の場合、約1800Hz付近でのディップが現れたが、本明細書の実施例に係るパーティションで構成する場合、ディップ現象が改善されることを知ることができる。例えば、点線の場合、約1800Hz付近での音圧が約76dBであるが、本明細書の実施例に係るパーティションで構成する場合、約1800Hz付近での音圧が約87dBであることを知ることができる。したがって、パーティションを音響発生モジュール１９００の一側に配置することで、特定の周波数でのディープ現象を改善することができる。
【０５４６】
図41A〜図41Cは、本明細書の他の実施例に係る音響発生モジュールを含む表示装置を示す図である。
【０５４７】
図41Aを参照すると、第1領域１〜第11領域１１のうち少なくとも一つの領域には、少なくとも一つの音響発生モジュールを配置し得る。例えば、第1音響発生モジュール１５００Lは、表示パネル１１０の背面の第1領域１に配置することができ、第4音響発生モジュール１９００HLは、表示パネル１１０の背面の第4領域４に配置することができ、第7音響発生モジュール１５００BLは、表示パネル１１０の背面の第7領域７に配置し得る。第2音響発生モジュール１５００Rは、表示パネル１１０の背面の第2領域２に配置することができ、第5音響発生モジュール１９００HRは、表示パネル１１０の背面の第5領域５に配置することができ、第8音響発生モジュール１５００BRは、表示パネル１１０の背面の第8領域８に配置し得る。第3音響発生モジュール１５００Cは、表示パネル１１０の背面の第3領域３に配置することができ、第6音響発生モジュール１９００HCは、表示パネル１１０の背面の第6領域６に配置することができ、第9音響発生モジュール１５００BCは、表示パネル１１０の背面の第9領域９に配置し得る。第10音響発生モジュール１５００LCは、表示パネル１１０の背面の第10領域１０に配置することができ、第11音響発生モジュール１５００RCは、表示パネル１１０の背面の第11領域１１に配置し得る。他の例としては、第1〜第11音響発生モジュールは、図22で説明したように、背面カバーの背面に配置し得る。第1〜第11音響発生モジュールは、モジュール構造物に配置し得る。
【０５４８】
第4音響発生モジュール１９００HL、第5音響発生モジュール１９００HR、および第6音響発生モジュール１９００HCは、図33〜図39で説明した音響発生モジュール１９００を適用し得る。音響発生モジュール１９００は、図3、図6、図12〜図14、図18〜図21で説明したように、モジュール構造物にモジュール化して構成することができる。例えば、少なくとも一つ以上の音響発生モジュールは、モジュール収容部を有する背面カバーの背面に配置することができ、背面カバーのモジュール収容部に収容し得る。他の例としては、図22で説明したように、音響発生モジュール１９００は、背面カバーの背面に配置し、モジュール化して構成し得る。他の例としては、図23A〜図23Dで説明したように、プレートに音響発生モジュール１９００を構成することができる。第4音響発生モジュール１９００HL、第5音響発生モジュール１９００HR、および第6音響発生モジュール１９００HCは、表示パネル１１０の上側に配置し得る。圧電複合体の音響発生モジュールで構成する場合、ボイスコイルの音響発生モジュールより高音域帯の音響がさらに向上し得る。したがって、第4音響発生モジュール１９００HL、第5音響発生モジュール１９００HR、および第6音響発生モジュール１９００HCが表示パネル１１０の上側に配置され、高音域帯の音響がさらに向上した表示装置を提供することができる。例えば、第4音響発生モジュール１９００HL、第5音響発生モジュール１９００HR、および第6音響発生モジュール１９００HCは、150Hz〜40kHzの音響を出力することができる。
【０５４９】
第4音響発生モジュール１９００HL、第5音響発生モジュール１９００HR、および第6音響発生モジュール１９００HCは、表示パネル１１０の横方向を基準に横方向に配置し得る。第4音響発生モジュール１９００HL、第5音響発生モジュール１９００HR、および第6音響発生モジュール１９００HCを表示パネル１１０の横方向を基準に横方向に配置する場合、16：9のアスペクト比で実現するに有利なので、音響発生モジュールの配置によるスペースの確保に有利であり得る。他の例としては、第4音響発生モジュール１９００HL、第5音響発生モジュール１９００HR、および第6音響発生モジュール１９００HCは、表示パネル１１０の縦方向を基準に縦に配置することができる。
【０５５０】
第1音響発生モジュール１５００Lは、表示パネル１１０の左側（Left）チャンネルであり、第4音響発生モジュール１９００HLは、表示パネル１１０の上左側（Height Left）チャンネルであり、第7音響発生モジュール１５００BLは、表示パネル１１０の下左側（Bottom Left）チャンネルであり得る。第10音響発生モジュール１５００LCは、表示パネル１１０の左側中央（Left Center）チャンネルであり得る。第2音響発生モジュール１５００Rは、表示パネル１１０の右側（Right）チャンネルであり、第5音響発生モジュール１９００HRは、表示パネル１１０の上右側（Height Right）チャンネルであり、第8音響発生モジュール１５００BRは、表示パネル１１０の下右側（Bottom Right）チャンネルであり得る。第11音響発生モジュール１５００RCは、表示パネル１１０の右側中央（Right Center）チャンネルであり得る。第3音響発生モジュール１５００Cは、表示パネル１１０の中央（center）チャンネルであり、第6音響発生モジュール１９００HCは、表示パネル１１０の上側中央（Height Center）チャンネルであり、第9音響発生モジュール１５００BCは、表示パネル１１０の下側中央（Bottom Center）チャンネルであり得る。残りの説明は、図27と同一または類似なので、ここでは説明を省略する。
【０５５１】
そして、低音域帯の音響をさらに向上させるためにウーファーを配置し得る。例えば、第7領域７と第8領域８の下側に少なくとも一つのウーファーを配置し得る。例えば、第7音響発生モジュール１５００BLと第8音響発生モジュール１５００BRの下側に少なくとも一つのウーファーをさらに含むことができる。例えば、第1ウーファー（W3）は、表示パネル１１０の第7領域７の下側（または下）に配置することができる。例えば、第1ウーファー（W3）は、第7音響発生モジュール１５００BLの下側（または下）に配置することができる。例えば、第2ウーファー（W4）は、表示パネル１１０の第8領域８の下側（または下）に配置することができる。例えば、第2ウーファー（W4）は、第8音響発生モジュール１５００BRの下側（または下）に配置することができる。したがって、第1ウーファー（W3）および第2ウーファー（W4）は、低音域帯の音響を出力することができる。残りの説明は、図27と同一または類似なので、ここでは説明を省略する。
【０５５２】
他の例としては、第1ウーファー（W3）および第2ウーファー（W4）を構成せずに、第1音響発生モジュール１５００Lおよび第2音響発生モジュール１５００R中の少なくとも1つ以上は、ウーファーを含む音響発生モジュールで構成することができる。例えば、第1領域１に第1ウーファー一体型音響発生モジュール（W1）および第2領域２に第2ウーファー一体型音響発生モジュール（W2）を構成することができる。例えば、第1領域１および第2領域２の一つ以上にウーファーを含む音響発生モジュールを構成することができる。他の例としては、第7音響発生モジュール１５００BLおよび第8音響発生モジュール１５００BR中の少なくとも1つ以上は、ウーファーを含む音響発生モジュールで構成することができる。第1ウーファー一体型音響発生モジュール（W1）および第2ウーファー一体型音響発生モジュール（W2）は、第7領域７および第8領域８に構成することができる。例えば、第7領域７および第8領域８中の一つ以上にウーファーを含む音響発生モジュールを構成することができる。しかし、この例に限定されるものではない。例えば、第1領域１および第2領域２中の一つ以上、または第7領域７および第8領域８中の一つ以上にウーファーを含む音響発生モジュールを配置する場合、表示装置は、11.2チャンネルまたは9.4チャンネルの音響を出力することができる。
【０５５３】
したがって、第4音響発生モジュール１９００HL、第5音響発生モジュール１９００HR、および第6音響発生モジュール１９００HCは、150Hz〜40kHzの音響を出力することができる。第1音響発生モジュール１５００L、第2音響発生モジュール１５００R、第3音響発生モジュール１５００C、第7音響発生モジュール１５００BL、第8音響発生モジュール１５００BR、第9音響発生モジュール１５００BC、第10音響発生モジュール１５００LC、および第11音響発生モジュール１５００RCは、80Hz〜40kHzの音響を出力することができる。第1ウーファー（W3）および第2ウーファー（W4）は、80Hz以下の音響を出力することができる。したがって、表示装置は、11.1チャンネルの音響を出力することができる。
【０５５４】
図41Bを参照すると、第1音響発生モジュール１５００Lは、表示パネル１１０の背面の第1領域１に配置することができ、第4音響発生モジュール１９００HLは、表示パネル１１０の背面の第4領域４に配置することができ、第7音響発生モジュール１９００BLは、表示パネル１１０の背面の第7領域７に配置し得る。第2音響発生モジュール１５００Rは、表示パネル１１０の背面の第2領域２に配置することができ、第5音響発生モジュール１９００HRは、表示パネル１１０の背面の第5領域５に配置することができ、第8音響発生モジュール１９００BRは、表示パネル１１０の背面の第8領域８に配置し得る。第3音響発生モジュール１５００Cは、表示パネル１１０の背面の第3領域３に配置することができ、第6音響発生モジュール１９００HCは、表示パネル１１０の背面の第6領域６に配置することができ、第9音響発生モジュール１９００BCは、表示パネル１１０の背面の第9領域９に配置し得る。第10音響発生モジュール１５００LCは、表示パネル１１０の背面の第10領域１０に配置することができ、第11音響発生モジュール１５００RCは、表示パネルの背面の第11領域１１に配置することができる。
【０５５５】
第4音響発生モジュール１９００HL、第5音響発生モジュール１９００HR、第6音響発生モジュール１９００HC、第7音響発生モジュール１９００BL、第8音響発生モジュール１９００BR、および第9音響発生モジュール１９００BCは、図33〜図39で説明した音響発生モジュール１９００を適用することができる。音響発生モジュール１９００は、図3A〜図3E、図6、図12〜図14、図18〜図21で説明したように、モジュール構造物にモジュール化して構成することができる。例えば、少なくとも一つ以上の音響発生モジュールは、モジュール収容部を有する背面カバーの背面に配置することができ、背面カバーのモジュール収容部に収容し得る。他の例としては、図22で説明したように、音響発生モジュール１９００は、背面カバーの背面に配置され、モジュール化して構成し得る。他の例としては、図23A〜図23Dで説明したように、プレートに音響発生モジュール１９００を構成することができる。第4音響発生モジュール１９００HL、第5音響発生モジュール１９００HR、および第6音響発生モジュール１９００HCは、表示パネル１１０の上側に配置することができ、第7音響発生モジュール１９００BL、第8音響発生モジュール１９００BR、および第9音響発生モジュール１９００BCは、表示パネル１１０の下側（または下）に配置することができる。圧電複合体の音響発生モジュールで構成する場合、ボイスコイルの音響発生モジュールより高音域帯の音響がさらに向上し得る。したがって、第4音響発生モジュール１９００HL、第5音響発生モジュール１９００HR、および第6音響発生モジュール１９００HCが、表示パネル１１０の上側に配置され、第7音響発生モジュール１９００BL、第8音響発生モジュール１９００BR、および第9音響発生モジュール１９００BCは、表示パネル１１０の下側（または下）に配置されるので、高音域帯の音響がさらに向上することができ、指向性が改善された音響発生モジュールによって表示パネル１１０の上側と下側に均一な音響を実現することができるので、立体感が向上した音響を出力する表示装置を提供することができる。
【０５５６】
低音域帯の音響をさらに向上させるためにウーファーを配置し得る。例えば、第7領域７と第8領域８の下側に少なくとも一つのウーファーを配置し得る。他の例としては、第1ウーファー（W3）および第2ウーファー（W4）を構成せずに、第1音響発生モジュール１９００Lおよび第2音響発生モジュール１９００R中の少なくとも1つ以上は、ウーファーを含む音響発生モジュールで構成することができる。例えば、第1領域１に第1ウーファー一体型音響発生モジュール（W1）および第2領域２に第2ウーファー一体型音響発生モジュール（W2）を構成することができる。例えば、第1領域１および第2領域２中の一つ以上にウーファーを含む音響発生モジュールを構成することができる。例えば、第1領域１および第2領域２中の一つ以上にウーファーを含む音響発生モジュールを構成する場合、表示装置は、11.2チャンネルの音響を出力することができる。
【０５５７】
したがって、第1音響発生モジュール１５００L、第2音響発生モジュール１５００R、第3音響発生モジュール１５００C、第4音響発生モジュール１９００HL、第5音響発生モジュール１９００HR、第6音響発生モジュール１９００HC、第7音響発生モジュール１５００BL、第8音響発生モジュール１９００BR、第9音響発生モジュール１９００BC、第10音響発生モジュール１５００LC、および第11音響発生モジュール１５００RCは、150Hz〜40kHzまたは80Hz〜40kHzの音響を出力することができる。第1ウーファー（W3）および第2ウーファー（W4）は、80Hz以下の音響を出力することができる。したがって、表示装置は、11.1チャンネルの音響を出力することができる。
【０５５８】
図41Cを参照すると、第1音響発生モジュール１９００Lは、表示パネル１１０の背面の第1領域１に配置することができ、第4音響発生モジュール１９００HLは、表示パネル１１０の背面の第4領域４に配置することができ、第7音響発生モジュール１９００BLは、表示パネル１１０の背面の第7領域７に配置し得る。第2音響発生モジュール１９００Rは、表示パネル１１０の背面の第2領域２に配置することができ、第5音響発生モジュール１９００HRは、表示パネル１１０の背面の第5領域５に配置することができ、第8音響発生モジュール１９００BRは、表示パネル１１０の背面の第8領域８に配置し得る。第3音響発生モジュール１９００Cは、表示パネル１１０の背面の第3領域３に配置することができ、第6音響発生モジュール１９００HCは、表示パネル１１０の背面の第6領域６に配置することができ、第9音響発生モジュール１９００BCは、表示パネル１１０の背面の第9領域９に配置し得る。第10音響発生モジュール１９００LCは、表示パネル１１０の背面の第10領域１０に配置することができ、第11音響発生モジュール１９００RCは、表示パネルの背面の第11領域１１に配置することができる。
【０５５９】
第1〜第11音響発生モジュールは、図33〜図39で説明した音響発生モジュール１９００を適用し得る。音響発生モジュール１９００は、図3A〜図3E、図6、図12〜図14、図18〜図21で説明したように、モジュール構造物にモジュール化して構成し得る。他の例としては、図22で説明したように、音響発生モジュール１９００は、背面カバーの背面に配置され、モジュール化して構成し得る。他の例としては、図23A〜図23Dで説明したように、プレートに音響発生モジュール１９００を構成することができる。第1〜第11音響発生モジュールを圧電複合体音響発生モジュールで構成する場合、ボイスコイル音響発生モジュールより高音域帯の音響がさらに向上し得る。したがって、第1〜第11音響発生モジュールを配置するので、高音域帯の音響がさらに向上し得、指向性が改善された音響発生モジュールによって表示パネル１１０の上側と下側に均一な音響を実現することができるので、立体感が向上した音響を出力する表示装置を提供することができる。
【０５６０】
したがって、第1音響発生モジュール１９００L、第2音響発生モジュール１９００R、第3音響発生モジュール１９００C、第4音響発生モジュール１９００HL、第5音響発生モジュール１９００HR、第6音響発生モジュール１９００HC、第7音響発生モジュール１９００BL、第8音響発生モジュール１９００BR、第9音響発生モジュール１９００BC、第10音響発生モジュール１９００LC、および第11音響発生モジュール１９００RCは、150Hz〜40kHzまたは80Hz〜40kHzの音響を出力することができる。第1ウーファー（W3）および第2ウーファー（W4）は、80Hz以下の音響を出力することができる。したがって、表示装置は、11.1チャンネルの音響を出力することができる。
【０５６１】
本明細書の他の実施例に係る表示装置は、左右映像および上下映像に対する左右音響および上下音響を実現することができ、使用者に立体的な左右音響および上下音響を含む実際の音響（例えば、リアル（real）サウンド）のリアル立体音響を実現することができるので、仮想（virtual）音響ではなく、リアル（real）サウンドを提供することができる。これにより、使用者に立体的な左右音響および上下音響を含む実際の音響（例えば、リアル（real）サウンド）のリアル立体音響またはサラウンド音響を実現することができるので、臨場感を向上させることができる。したがって、映画館、個人映画館、およびテレビなどの機器でも、使用者に現実と類似または同一にリアルサウンドと映像を一度に感じることができるように、例えば、高音域帯の音響および指向性がさらに改善された実感するAV（Audio Visual）またはドルビー音響システムを感じられるようにすることができる。
【０５６２】
そして、図23A〜図23Dのサウンドプレートに図24Aおよび図24Bのマルチチャンネルを有する音響発生モジュールを実現する場合、使用者に立体的な左右音響および上下音響を含む実際の音響（例えば、リアル（real）サウンド）のリアル立体音響またはサラウンド音響を実現することができるので、臨場感を向上させることができる。図23A〜図23Dのサウンドプレートに図24Aおよび図24Bのマルチチャンネルを有する音響発生モジュールと、プロジェクターまたは映像再生装置をそれぞれ構成する場合、使用者に現実と類似または同一にリアルサウンドと映像を一度に感じることができるように、例えば、実感するAV（Audio Visual）またはドルビー音響システムを提供することができ、没入感と臨場感のある立体音響を提供することができる。そして、図1〜図22を参照して、説明したように、モジュール化された音響発生モジュールを適用することで、音響発生モジュールを配置する際に表示装置または背面カバーに対する設計の自由度が向上し得る。
【０５６３】
図42A〜図42Cは、本明細書の他の実施例に係る音響発生モジュールを含む表示装置を示す図である。
【０５６４】
図42Aを参照すると、第1領域１〜第15領域１５のうち少なくとも一つの領域には、少なくとも一つの音響発生モジュールを配置し得る。例えば、第1音響発生モジュール１５００Lは、表示パネル１１０の背面の第1領域１に配置することができ、第4音響発生モジュール１９００HLは、表示パネル１１０の背面の第4領域４に配置することができ、第7音響発生モジュール１５００BLは、表示パネル１１０の背面の第7領域７に配置し得る。第2音響発生モジュール１５００Rは、表示パネル１１０の背面の第2領域２に配置することができ、第5音響発生モジュール１９００HRは、表示パネル１１０の背面の第5領域５に配置することができ、第8音響発生モジュール１５００BRは、表示パネル１１０の背面の第8領域８に配置し得る。第3音響発生モジュール１５００Cは、表示パネル１１０の背面の第3領域３に配置することができ、第6音響発生モジュール１９００HCは、表示パネル１１０の背面の第6領域６に配置することができ、第9音響発生モジュール１５００BCは、表示パネル１１０の背面の第9領域９に配置し得る。第10音響発生モジュール１５００LCは、表示パネル１１０の背面の第10領域１０に配置することができ、第12音響発生モジュール１９００HLCは、表示パネル１１０の背面の第12領域１２に配置することができ、第14音響発生モジュール１５００BLCは、表示パネル１１０の背面の第14領域１４に配置し得る。第11音響発生モジュール１５００RCは、表示パネル１１０の背面の第11領域１１に配置することができ、第13音響発生モジュール１９００HRCは、表示パネル１１０の背面の第13領域１３に配置することができ、第15音響発生モジュール１５００BRCは、表示パネル１１０の背面の第15領域１５に配置し得る。他の例としては、第1〜第15音響発生モジュールは、図22で説明したように、背面カバーの背面に配置し得る。第1〜第15音響発生モジュールは、モジュール構造物に配置し得る。
【０５６５】
第4音響発生モジュール１９００HL、第5音響発生モジュール１９００HR、第6音響発生モジュール１９００HC、第12音響発生モジュール１９００HLC、および第13音響発生モジュール１９００HRCは、図33〜図39で説明した音響発生モジュール１９００を適用し得る。音響発生モジュール１９００は、図3A〜図3E、図6、図12〜図14、図18〜図21で説明したように、モジュール構造物にモジュール化して構成し得る。例えば、少なくとも一つ以上の音響発生モジュールは、モジュール収容部を有する背面カバーの背面に配置することができ、背面カバーのモジュール収容部に収容し得る。他の例としては、図22で説明したように、音響発生モジュール１９００は、背面カバーの背面に配置され、モジュール化して構成することができる。他の例としては、図23A〜図23Dで説明したように、プレートに音響発生モジュール１９００を構成することができる。第4音響発生モジュール１９００HL、第5音響発生モジュール１９００HR、第6音響発生モジュール１９００HC、第12音響発生モジュール１９００HLC、および第13音響発生モジュール１９００HRCは、表示パネル１１０の上側に配置し得る。圧電複合体の音響発生モジュールで構成する場合、ボイスコイルの音響発生モジュールより高音域帯の音響をさらに向上し得る。したがって、第4音響発生モジュール１９００HL、第5音響発生モジュール１９００HR、第6音響発生モジュール１９００HC、第12音響発生モジュール１９００HLC、および第13音響発生モジュール１９００HRCを表示パネル１１０の上側に配置し、高音域帯の音響および指向性がより改善された音響を出力することができる表示装置を提供することができる。
【０５６６】
第1音響発生モジュール１５００Lは、表示パネル１１０の左側（Left）チャンネルであり、第4音響発生モジュール１９００HLは、表示パネル１１０の上左側（Height Left）チャンネルであり、第7音響発生モジュール１５００BLは、表示パネル１１０の下左側（Bottom Left）チャンネルであり得る。第10音響発生モジュール１５００LCは、表示パネル１１０の左側中央（Left Center）チャンネルであり、第12音響発生モジュール１９００HLCは、表示パネル１１０の上左側中央（Height Left Center）チャンネルであり、第14音響発生モジュール１５００BLCは、表示パネル１１０の下左中央（Bottom Left Center）チャンネルであり得る。第2音響発生モジュール１５００Rは、表示パネル１１０の右側（Right）チャンネルであり、第5音響発生モジュール１９００HRは、表示パネル１１０の上右側（Height Right）チャンネルであり、第8音響発生モジュール１５００BRは、表示パネル１１０の下右側（Bottom Right）チャンネルであり得る。第11音響発生モジュール１５００RCは、表示パネル１１０の右側中央（Right Center）チャンネルであり、第13音響発生モジュール１９００HRCは、表示パネル１１０の上右側中央（Height Right Center）チャンネルであり、第15音響発生モジュール１５００BRCは、表示パネル１１０の下左中央（Bottom Right Center）チャンネルであり得る。第3音響発生モジュール１５００Cは、表示パネル１１０の中央（center）チャンネルであり、第6音響発生モジュール１９００HCは、表示パネル１１０の上側中央（Height Center）チャンネルであり、第9音響発生モジュール１５００BCは、表示パネル１１０の下側中央（Bottom Center）チャンネルであり得る。残りの説明は、図28と同一または類似するので、ここでは説明を省略する。
【０５６７】
そして、低音域帯の音響をさらに向上させるためにウーファーを配置し得る。例えば、第7領域７と第8領域８のうちの少なくとも一つの下側（または下）に少なくとも一つのウーファーを配置し得る。例えば、第7音響発生モジュール１５００BLと第8音響発生モジュール１５００BRのうちの少なくとも一つの下側（または下）に少なくとも一つのウーファーをさらに含むことができる。例えば、第1ウーファー（W3）は、表示パネル１１０の第7領域７の下側（または下）に配置することができる。例えば、第1ウーファー（W3）は、第7音響発生モジュール１５００BLの下側（または下）に配置することができる。例えば、第2ウーファー（W4）は、表示パネル１１０の第8領域８の下側（または下）に配置することができる。例えば、第2ウーファー（W4）は、第8音響発生モジュール１５００BRの下側（または下）に配置することができる。したがって、第1ウーファー（W3）および第2ウーファー（W4）は、低音域帯の音響を出力することができる。残りの説明は、図28と同一または類似するので、ここでは説明を省略する。
【０５６８】
他の例としては、第1ウーファー（W3）および第2ウーファー（W4）を構成せずに、第1音響発生モジュール１５００Lおよび第2音響発生モジュール１５００R中の少なくとも1つは、ウーファーを含む音響発生モジュールで構成することができる。例えば、第1ウーファー一体型音響発生モジュール（W1）および第2ウーファー一体型音響発生モジュール（W2）は、第1領域１および第2領域２に構成することができる。例えば、第1領域１および第2領域２中の一つ以上にウーファーを含む音響発生モジュールを構成することができる。他の例としては、第7音響発生モジュール１５００BLおよび第8音響発生モジュール１５００BR中の少なくとも1つ以上は、ウーファーを含む音響発生モジュールで構成することができる。第1ウーファー一体型音響発生モジュール（W1）および第2ウーファー一体型音響発生モジュール（W2）は、第7領域７および第8領域８に構成することができる。例えば、第7領域７および第8領域８中の一つ以上にウーファーを含む音響発生モジュールを構成することができる。他の例としては、第10音響発生モジュール１５００LCおよび第11音響発生モジュール１５００RC中の少なくとも1つ以上は、ウーファーを含む音響発生モジュールで構成することができる。第1ウーファー一体型音響発生モジュール（W1）および第2ウーファー一体型音響発生モジュール（W2）は、第10領域１０および第11領域１１に構成することができる。例えば、第10領域１０および第11領域１１中の一つ以上にウーファーを含む音響発生モジュールを構成することができる。他の例としては、第14音響発生モジュール１５００BLCおよび第15音響発生モジュール１５００BRC中の少なくとも1つ以上は、ウーファーを含む音響発生モジュールで構成することができる。第1ウーファー一体型音響発生モジュール（W1）および第2ウーファー一体型音響発生モジュール（W2）は、第14領域１４および第15領域１５に構成することができる。例えば、第14領域１４および第15領域１５中の一つ以上にウーファーを含む音響発生モジュールを構成することができる。しかし、この例に限定されるものではない。例えば、第1領域１および第2領域２中の一つ以上、または第7領域７および第8領域８中の一つ以上、または第10領域１０および第11領域１１中の一つ以上、または第14領域１４および第15領域１５中の一つ以上にウーファーを含む音響発生モジュールを配置する場合、表示装置は、15.2チャンネルまたは13.4チャンネルの音響を出力することができる。
【０５６９】
したがって、第1音響発生モジュール１５００L、第2音響発生モジュール１５００R、第3音響発生モジュール１５００C、第7音響発生モジュール１５００BL、第8音響発生モジュール１５００BR、第9音響発生モジュール１５００BC、第10音響発生モジュール１５００LC、第11音響発生モジュール１５００RC、第14音響発生モジュール１５００BLC、および第15音響発生モジュール１５００BRCは、80Hz〜40kHzの音響を出力することができる。第4音響発生モジュール１９００HL、第5音響発生モジュール１９００HR、第6音響発生モジュール１９００HC、第12音響発生モジュール１９００HLC、および第13音響発生モジュール１９００HRCは、150Hz〜40kHzの音響を出力することができる。第1ウーファー（W3）および第2ウーファー（W4）は、80Hz以下の音響を出力することができる。したがって、表示装置は、15.1チャンネルの音響を出力することができる。
【０５７０】
図42Bを参照すると、第1音響発生モジュール１５００Lは、表示パネル１１０の背面の第1領域１に配置することができ、第4音響発生モジュール１９００HLは、表示パネル１１０の背面の第4領域４に配置することができ、第7音響発生モジュール１９００BLは、表示パネル１１０の背面の第7領域７に配置し得る。第2音響発生モジュール１５００Rは、表示パネル１１０の背面の第2領域２に配置することができ、第5音響発生モジュール１９００HRは、表示パネル１１０の背面の第5領域５に配置することができ、第8音響発生モジュール１９００BRは、表示パネル１１０の背面の第8領域８に配置し得る。第3音響発生モジュール１５００Cは、表示パネル１１０の背面の第3領域３に配置することができ、第6音響発生モジュール１９００HCは、表示パネル１１０の背面の第6領域６に配置することができ、第9音響発生モジュール１９００BCは、表示パネル１１０の背面の第9領域９に配置し得る。第10音響発生モジュール１５００LCは、表示パネル１１０の背面の第10領域１０に配置することができ、第12音響発生モジュール１９００HLCは、表示パネル１１０の背面の第12領域１２に配置することができ、第14音響発生モジュール１９００BLCは、表示パネル１１０の背面の第14領域１４に配置し得る。第11音響発生モジュール１５００RCは、表示パネル１１０の背面の第11領域１１に配置することができ、第13音響発生モジュール１９００HRCは、表示パネル１１０の背面の第13領域１３に配置することができ、第15音響発生モジュール１９００BRCは、表示パネル１１０の背面の第15領域１５に配置し得る。他の例としては、第1〜第15音響発生モジュールは、図22で説明したように、背面カバーの背面に配置し得る。第1〜第15音響発生モジュールは、モジュール構造物に配置し得る。
【０５７１】
第4音響発生モジュール１９００HL、第5音響発生モジュール１９００HR、第6音響発生モジュール１９００HC、第7音響発生モジュール１９００BL、第8音響発生モジュール１９００BR、第9音響発生モジュール１９００BC、第12音響発生モジュール１９００HLC、第13音響発生モジュール１９００HRC、第14音響発生モジュール１９００BLC、および第15音響発生モジュール１９００BRCは、図33〜図39で説明した音響発生モジュール１９００を適用し得る。音響発生モジュール１９００は、図3A〜図3E、図6、図12〜図14、図18〜図21で説明したように、モジュール構造物にモジュール化して構成し得る。例えば、少なくとも一つ以上の音響発生モジュールは、モジュール収容部を有する背面カバーの背面に配置することができ、背面カバーのモジュール収容部に収容し得る。他の例としては、図22で説明したように、音響発生モジュール１９００は、背面カバーの背面に配置し、モジュール化して構成し得る。他の例としては、図23A〜図23Dで説明したように、プレートに音響発生モジュール１９００を構成することができる。第4音響発生モジュール１９００HL、第5音響発生モジュール１９００HR、第6音響発生モジュール１９００HC、第12音響発生モジュール１９００HLC、および第13音響発生モジュール１９００HRCは、表示パネル１１０の上側に配置することができ、第7音響発生モジュール１９００BL、第8音響発生モジュール１９００BR、第9音響発生モジュール１９００BC、第14音響発生モジュール１９００BLC、および第15音響発生モジュール１９００BRCは、表示パネル１１０の下側（または下）に配置することができる。圧電複合体の音響発生モジュールで構成する場合、ボイスコイルの音響発生モジュールより高音域帯の音響がさらに向上し得る。したがって、第4音響発生モジュール１９００HL、第5音響発生モジュール１９００HR、第6音響発生モジュール１９００HC、第12音響発生モジュール１９００HLC、および第13音響発生モジュール１９００HRCを表示パネル１１０の上側に配置し、第7音響発生モジュール１９００BL、第8音響発生モジュール１９００BR、第9音響発生モジュール１９００BC、第14音響発生モジュール１９００BLC、および第15音響発生モジュール１９００BRCは、表示パネル１１０の下側（または下）に配置するので、高音域帯の音響および指向性がさらに改善された音響を出力することができる表示装置を提供することができる。
【０５７２】
他の例としては、第1ウーファー（W3）および第2ウーファー（W4）を構成せずに、第1音響発生モジュール１５００Lおよび第2音響発生モジュール１５００R中の少なくとも1つは、ウーファーを含む音響発生モジュールで構成することができる。例えば、第1ウーファー一体型音響発生モジュール（W1）および第2ウーファー一体型音響発生モジュール（W2）は、第1領域１および第2領域２に構成することができる。例えば、第1領域１および第2領域２中の一つ以上にウーファーを含む音響発生モジュールを構成することができる。他の例としては、第10音響発生モジュール１５００LCおよび第11音響発生モジュール１５００RC中の少なくとも1つ以上は、ウーファーを含む音響発生モジュールで構成することができる。第1ウーファー一体型音響発生モジュール（W1）および第2ウーファー一体型音響発生モジュール（W2）は、第10領域１０および第11領域１１に構成することができる。例えば、第10領域１０および第11領域１１中の一つ以上にウーファーを含む音響発生モジュールを構成することができる。しかし、この例に限定されるものではない。例えば、第1領域１および第2領域２中の一つ以上、または第10領域１０および第11領域１１中の一つ以上にウーファーを含む音響発生モジュールを配置する場合、表示装置は、15.2チャンネルまたは13.4チャンネルの音響を出力することができる。
【０５７３】
したがって、第1音響発生モジュール１５００L、第2音響発生モジュール１５００R、第3音響発生モジュール１５００C、第4音響発生モジュール１９００HL、第5音響発生モジュール１９００HR、第6音響発生モジュール１９００HC、第7音響発生モジュール１９００BL、第8音響発生モジュール１９００BR、第9音響発生モジュール１９００BC、第10音響発生モジュール１５００LC、第11音響発生モジュール１５００RC、第12音響発生モジュール１９００HLC、第13音響発生モジュール１９００HRC、第14音響発生モジュール１９００BLC、および第15音響発生モジュール１９００BRCは、150Hz〜40kHzまたは80Hz〜40kHzの音響を出力することができる。第1ウーファー（W3）および第2ウーファー（W4）は、80Hz以下の音響を出力することができる。したがって、表示装置は、15.1チャンネルの音響を出力することができる。
【０５７４】
図42Cを参照すると、第1音響発生モジュール１９００Lは、表示パネル１１０の背面の第1領域１に配置することができ、第4音響発生モジュール１９００HLは、表示パネル１１０の背面の第4領域４に配置することができ、第7音響発生モジュール１９００BLは、表示パネル１１０の背面の第7領域７に配置し得る。第2音響発生モジュール１９００Rは、表示パネル１１０の背面の第2領域２に配置することができ、第5音響発生モジュール１９００HRは、表示パネル１１０の背面の第5領域５に配置することができ、第8音響発生モジュール１９００BRは、表示パネル１１０の背面の第8領域８に配置し得る。第3音響発生モジュール１９００Cは、表示パネル１１０の背面の第3領域３に配置することができ、第6音響発生モジュール１９００HCは、表示パネル１１０の背面の第6領域６に配置することができ、第9音響発生モジュール１９００BCは、表示パネル１１０の背面の第9領域９に配置し得る。第10音響発生モジュール１９００LCは、表示パネル１１０の背面の第10領域１０に配置することができ、第12音響発生モジュール１９００HLCは、表示パネル１１０の背面の第12領域１２に配置することができ、第14音響発生モジュール１９００BLCは、表示パネル１１０の背面の第14領域１４に配置し得る。第11音響発生モジュール１９００RCは、表示パネル１１０の背面の第11領域１１に配置することができ、第13音響発生モジュール１９００HRCは、表示パネル１１０の背面の第13領域１３に配置することができ、第15音響発生モジュール１９００BRCは、表示パネル１１０の背面の第15領域１５に配置し得る。他の例としては、第1〜第15音響発生モジュールは、図22で説明したように、背面カバーの背面に配置し得る。第1〜第15音響発生モジュールは、モジュール構造物に配置し得る。
【０５７５】
第1〜第15音響発生モジュールは、図33〜図39で説明した音響発生モジュール１９００を適用し得る。音響発生モジュール１９００は、図3A〜図3E、図6、図12〜図14、図18〜図21で説明したように、モジュール構造物にモジュール化して構成し得る。例えば、第1〜第15音響発生モジュールの少なくとも一つ以上の音響発生モジュールは、モジュール収容部を有する背面カバーの背面に配置することができ、背面カバーのモジュール収容部に収容し得る。他の例としては、図22で説明したように、音響発生モジュール１９００は、背面カバーの背面に配置され、モジュール化して構成し得る。他の例としては、図23A〜図23Dで説明したように、プレートに音響発生モジュール１９００を構成することができる。第1〜第15音響発生モジュールを圧電複合体の音響発生モジュールで構成する場合、ボイスコイルの音響発生モジュールより高音域帯の音響がさらに向上し得る。したがって、第1〜第15音響発生モジュールを配置することで、高音域帯の音響および指向性がさらに改善された表示装置を提供することができる。
【０５７６】
したがって、第1音響発生モジュール１９００L、第2音響発生モジュール１９００R、第3音響発生モジュール１９００C、第4音響発生モジュール１９００HL、第5音響発生モジュール１９００HR、第6音響発生モジュール１９００HC、第7音響発生モジュール１９００BL、第8音響発生モジュール１９００BR、第9音響発生モジュール１９００BC、第10音響発生モジュール１９００LC、第11音響発生モジュール１９００RC、第12音響発生モジュール１９００HLC、第13音響発生モジュール１９００HRC、第14音響発生モジュール１９００BLC、および第15音響発生モジュール１９００BRCは、150Hz〜40kHzまたは80Hz〜40kHzの音響を出力することができる。第1ウーファー（W3）および第2ウーファー（W4）は、80Hz以下の音響を出力することができる。したがって、表示装置は、15.1チャンネルの音響を出力することができる。
【０５７７】
本明細書の他の実施例に係る表示装置は、左右映像および上下映像に対する左右音響および上下音響を実現することができ、使用者に立体的な左右音響および上下音響を含む実際の音響（例えば、リアル（real）サウンド）のリアル立体音響を実現することができるので、仮想（virtual）音響ではなく、リアル（real）サウンドを提供することができる。これにより、使用者に立体的な左右音響および上下音響を含む実際の音響（例えば、リアル（real）サウンド）のリアル立体音響またはサラウンド音響を実現することができるので、臨場感を向上させることができる。したがって、映画館、個人映画館、およびテレビなどの機器でも、使用者に現実と類似または同一にリアルサウンドと映像を一度に感じることができるように、例えば、高音域帯の音響がさらに強化された実感するAV（Audio Visual）またはドルビー音響システムを感じるようにすることができる。
【０５７８】
そして、図23A〜図23Dのサウンドプレートに図24Aおよび図24Bのマルチチャンネルを有する音響発生モジュールを実現する場合、使用者に立体的な左右音響および上下音響を含む実際の音響（例えば、リアル（real）サウンド）のリアル立体音響またはサラウンド音響を実現することができるので、臨場感を向上させることができる。図23A〜図23Dのサウンドプレートに図24Aおよび図24Bのマルチチャンネルを有する音響発生モジュールと、プロジェクターまたは映像再生装置をそれぞれ構成する場合、使用者に現実と類似または同一にリアルサウンドと映像を一度に感じることができるように、例えば、実感するAV（Audio Visual）またはドルビー音響システムを提供することができ、没入感と臨場感のある立体音響を提供することができる。そして、図1〜図22を参照して、説明したように、モジュール化された音響発生モジュールを適用することで、音響発生モジュールを配置する際に表示装置または背面カバーに対する設計の自由度が向上し得る。
【０５７９】
図43A〜図43Cは、本明細書の他の実施例に係る音響発生モジュールとパーティションを示す図である。
【０５８０】
図43A〜図43Cは、音響発生モジュールとパーティションの実施例を示したもので、これに限定されるものではなく、図31Aで説明した内容と同じなので、ここでは説明を省略する。パーティション、パッド、およびベント部等に対する構造は、図31A〜図32Eで混用して適用することができる。
【０５８１】
図44A〜図44Cは、本明細書の他の実施例に係る音響発生モジュールとパーティションを示す図である。
【０５８２】
図44A〜図44Cは、音響発生モジュールとパーティションの実施例を示したもので、これに限定されるものではなく、図32Aで説明した内容と同じなので、ここでは説明を省略する。パーティション、パッド、およびベント部等の構造は、図31A〜図32Eで混用して適用することができる。
【０５８３】
図45Aおよび図45Bは、本明細書の他の実施例に係る音響発生モジュールをモジュール化した図である。
【０５８４】
図45Aおよび図45Bは、音響発生モジュール２５００およびパーティション２７００をモジュール化した図である。図45Aおよび図45Bを参照すると、音響発生モジュール２５００は、表示パネル１１０の背面または背面カバー３００の背面に配置し得る。音響発生モジュール２５００およびパーティション２７００は、モジュール構造物２５５０上に配置し得る。例えば、パーティション２７００は、音響発生モジュール２５００を囲むように配置し得る。音響発生モジュール２５００は、図5Bの音響発生モジュールで構成することができ、これに限定されるものではない。他の例としては、図5Aの音響発生モジュールで構成することができる。例えば、音響発生モジュール２５００およびパーティション２７００は、モジュール構造物２５５０上に配置してモジュール化して構成し、または単一の部品にモジュール化することができる。音響発生モジュール２５００およびパーティション２７００をモジュール構造物２５５０上に配置してモジュール化することができるので、一定の音質を提供することができる効果がある。また、モジュール構造物２５５０を平坦に構成する場合、外観上のデザインを改善することができる。音響発生モジュール２５００は、接着部材１４５０によって表示パネル１１０または背面カバー３００に付着することができる。例えば、接着部材１４５０は、両面テープ、両面フォームテープ、両面パッド、両面フォームパッド、およびボンド中の1つ以上であり得、これに限定されるものではない。
【０５８５】
図46Aおよび図46Bは、本明細書の他の実施例に係る音響発生モジュールをモジュール化した図である。
【０５８６】
図46Aおよび図46Bは、音響発生モジュール１９００およびパーティション１７６０をモジュール化した図である。
【０５８７】
図46Aおよび図46Bを参照すると、音響発生モジュール１９００は、表示パネル１１０の背面または背面カバー３００の背面に配置し得る。モジュール構造物２５５０は、背面カバー３００に配置し得る。音響発生モジュール１９００およびパーティション１７６０は、モジュール構造物２５５０上に配置し得る。例えば、パーティション１７６０は、音響発生モジュール１９００を囲むように配置し得る。音響発生モジュール１９００は、図33〜図38の音響発生モジュールで構成することができる。例えば、音響発生モジュール１９００およびパーティション１７６０は、モジュール構造物２５５０上に配置してモジュール化して構成し、または単一の部品としてモジュール化することができる。音響発生モジュール１９００およびパーティション１７６０をモジュール構造物２５５０上に配置してモジュール化することができるので、一定の音質を提供することができる効果がある。また、モジュール構造物２５５０を平坦に構成する場合、外観上のデザインを改善することができる。
【０５８８】
音響発生モジュール１９００は、4つの圧電複合体を配列して一つの構造になっており、4つの圧電複合体からなる構造を二個配置することができ、これに限定されるものではない。例えば、音響発生モジュール１９００は、1つの圧電複合体で配置することができる。他の例としては、音響発生モジュール１９００は、二つ以上の圧電複合体が一つの構造で配置され、二つ以上の圧電複合体の一つの構造が二つ以上配置し得る。音響発生モジュール１９００が、二つ以上の圧電複合体が一つの構造で配置される場合、二つ以上の圧電複合体の間で共振が抑制される問題があり得る。これを解決するために、二つ以上の圧電複合体の間には、パッドを配置し得る。
【０５８９】
音響発生モジュール１９００は、接着部材１７７０によって表示パネル１１０または背面カバー３００に付着することができる。例えば、接着部材１７７０は、両面テープ、両面フォームテープ、両面パッド、両面フォームパッド、およびボンド中の1つ以上であり得、これに限定されるものではない。
【０５９０】
本明細書の実施例に係る音響発生モジュールは、表示装置に配置される音響発生モジュールに適用することが可能である。本明細書の実施例に係る表示装置は、モバイルデバイス、映像電話、スマートウォッチ（smart watch）、ウォッチフォン（watch phone）、ウェアラブル機器（wearable apparatus）、フォルダブル機器（foldable apparatus）、ローラーブル機器（rollable apparatus）、ベンダブル機器（bendable apparatus）、フレキシブルデバイス（flexible apparatus）、カーブ・ド・機器（curved apparatus）、電子手帳、電子ブック、PMP（portable multimedia player）、PDA（personal digital assistant）、MP3プレーヤー、モバイル医療機器、デスクトップPC（desktop PC）、ラップトップPC（laptop PC）、ネットブックコンピュータ（netbook computer）、ワークステーション、（workstation）、ナビゲーション、カーナビゲーション、車両用表示装置、車両用装置、劇場用装置、劇場用表示装置、テレビ、ウォールペーパー（wallpaper）機器、サイネージ（signage）機器、ゲーム機器、ノートパソコン、モニター、カメラ、ビデオカメラ、および家電機器などに適用することができる。また、本明細書の音響発生モジュールは、有機発光照明装置または無機発光照明装置に適用することができる。音響発生モジュールを照明装置に適用する場合、照明およびスピーカーの役割をすることができる。また、本明細書の表示装置をモバイルデバイスなどに適用する場合、スピーカーまたはレシーバーであり得、これに限定されるものではない。
【０５９１】
本明細書の実施例に係る表示装置は、以下のように説明することができる。
【０５９２】
本明細書の実施例に係る表示装置は、映像を表示する表示パネルを有する表示モジュール、表示モジュールの背面に配置した背面カバー、および背面カバーに配置した表示モジュールを振動させて音響を発生させる音響発生モジュールを含み、音響発生モジュールの背面は、背面カバーによって覆うことができる。
【０５９３】
本明細書のいくつかの実施例によると、音響発生モジュールは、背面カバーに配置したモジュール構造物、およびモジュール構造物に配置して表示モジュールを振動させる振動装置を含むことができる。
【０５９４】
本明細書のいくつかの実施例によると、音響発生モジュールは、モジュール構造物とディスプレイモジュールとの間の連結部材をさらに含むことができる。
【０５９５】
本明細書のいくつかの実施例によると、モジュール構造物と振動装置は、1つの構成にモジュール化し得る。
【０５９６】
本明細書のいくつかの実施例によると、振動装置は、モジュール構造物に配置したベースプレート、ベースプレート上に配置して表示モジュールを振動させるボビン、ボビンの内部または外部に設けたマグネット、ボビンに巻かれたコイル、ベースプレートの外側に配置したエッジフレーム、およびエッジフレームとボビンとの間を連結したダンパーを含むことができる。
【０５９７】
本明細書のいくつかの実施例によると、表示装置は、振動装置と表示モジュールの間に配置された熱拡散部材をさらに含むことができる。
【０５９８】
本明細書のいくつかの実施例によると、音響発生モジュールは、背面カバーに配置したモジュール構造物、モジュール構造物上に配置して表示モジュールと連結した振動伝達部材、振動伝達部材とモジュール構造物との間に介在する連結部材、およびモジュール構造物に配置し、振動伝達部材を振動させる振動装置を含むことができる。
【０５９９】
本明細書のいくつかの実施例によると、連結部材は、振動装置に向いたベント部および突起部のうちの少なくとも一つを含むことができる。
【０６００】
本明細書のいくつかの実施例によると、音響発生モジュールは、背面カバーに配置したモジュール構造、モジュール構造物上に配置して表示モジュールに配置された振動伝達部材、モジュール構造物に配置し、振動伝達部材を振動させる複数の振動装置、振動伝達部材と、モジュール構造物との間に介在する連結部材、および複数の振動装置間に配置されたパーティションを含むことができる。
【０６０１】
本明細書のいくつかの実施例によると、背面カバーは、少なくとも一つのモジュール収容部を含み、少なくとも一つの音響発生モジュールは、少なくとも一つのモジュール収容部に収容することができる。
【０６０２】
本明細書のいくつかの実施例によると、表示装置は、少なくとも一つの音響発生モジュールを収容しない少なくとも一つのモジュール収容部を覆う少なくとも一つのカバーをさらに含むことができる。
【０６０３】
本明細書のいくつかの実施例によると、背面カバーは、モジュール収容部を有する第1背面カバー、および第1背面カバーの背面に配置された第2背面カバーを含むことができる。
【０６０４】
本明細書のいくつかの実施例によると、背面カバーは、モジュール収容部を有する第1背面カバー、および第1背面カバーの背面に配置された第2背面カバーを含み、音響発生モジュールは、第1背面カバーのモジュール収容部に収容することができる。
【０６０５】
本明細書のいくつかの実施例によると、音響発生モジュールは、第1背面カバーのモジュール収容部に収容されたモジュール構造物、モジュール構造物に配置され表示モジュールを振動させる振動装置、およびモジュール構造物と表示モジュールの間に介在する連結部材を含むことができる。
【０６０６】
本明細書のいくつかの実施例によると、モジュール構造物は、連結部材の下の枠部、および背面カバーの枠部を除く残りの部分から突出して第2背面カバーに配置され、第1背面カバーのモジュール収容部に収容された収納部を含むことができる。
【０６０７】
本明細書のいくつかの実施例によると、背面カバーは、第1背面カバー、および第1背面カバーの背面に配置された第2背面カバーを含み、音響発生モジュールは、第1背面カバーに収容することができる。
【０６０８】
本明細書のいくつかの実施例によると、背面カバーは、第1背面カバー、および第1背面カバーの背面に配置された第2背面カバーを含み、音響発生モジュールは、第1背面カバーと第2背面カバーの間に収容することができる。
【０６０９】
本明細書のいくつかの実施例によると、振動装置は、圧電複合体からなり得る。
【０６１０】
本明細書の実施例に係る表示装置は、映像を表示する表示モジュール、ギャップ空間を間に置いて表示モジュールの背面に配置された背面カバー、およびギャップ空間に配置され表示モジュールを振動させて音響を発生させる音響発生モジュールを含み、音響発生モジュールは、背面カバーに配置されたモジュール構造物、およびモジュール構造物に配置され表示モジュールを振動させる振動装置を含み、モジュール構造物と振動装置は、一つの部品としてモジュール化される。
【０６１１】
本明細書のいくつかの実施例によると、音響発生モジュールは、モジュール構造物上に配置され表示モジュールと連結した振動伝達部材、および振動伝達部材とモジュール構造物との間の連結部材をさらに含み、振動伝達部材を振動させて表示モジュールを振動させることができる。
【０６１２】
本明細書のいくつかの実施例によると、背面カバーは、モジュール収容部を有する第1背面カバー、および第1背面カバーの背面に配置された第2背面カバーを含み、モジュール構造物は、第1背面カバーのモジュール収容部に収容することができる。
【０６１３】
本明細書のいくつかの実施例によると、音響発生モジュールは、モジュール構造物と表示モジュールの間に介在する連結部材をさらに含み、モジュール構造物は、連結部材の下の枠部、および枠部を除いた残りの部分から背面カバーの方に突出して第1背面カバーのモジュール収容部に収容され、第2背面カバーに配置された収納部を含むことができる。
【０６１４】
本明細書のいくつかの実施例によると、表示装置は、映像を表示する表示モジュール、表示モジュールの背面に配置され、複数のモジュール収容部を有する背面カバー、複数のモジュール収容部中の少なくとも一つに収容されて表示さモジュールを振動させて音響を発生させる少なくとも一つの音響発生モジュール、および複数のモジュール収容部中の少なくとも一つを覆う少なくとも一つのカバーを含むことができる。
【０６１５】
本明細書のいくつかの実施例によると、背面カバーは、複数のモジュール収容部を有する第1背面カバー、および第1背面カバーの背面に配置された第2背面カバーを含むことができる。
【０６１６】
本明細書のいくつかの実施例によると、少なくとも一つの音響発生モジュールは、複数のモジュール収容部中の少なくとも一つに収容されたモジュール構造物、モジュール構造物に配置され表示モジュールを振動させる振動装置、およびモジュール構造物と表示モジュール間の連結部材をさらに含み、モジュール構造物は、連結部材を支持する枠部、および枠部を除いた残りの部分から背面カバーの方に突出し、第1背面カバーのモジュール収容部に収容され、第2背面カバーに配置された収納部を含むことができる。
【０６１７】
本明細書のいくつかの実施例によると、少なくとも一つの音響発生モジュールは、複数のモジュール収容部中の少なくとも一つに収容されたモジュール構造、およびモジュール構造物に配置され表示モジュールを振動させる振動装置を含み、モジュール構造物と振動装置は、一つの部品としてモジュール化することができる。
【０６１８】
本明細書のいくつかの実施例によると、背面カバーは、音響発生モジュールと重畳するホールを含むことができる。
【０６１９】
本明細書のいくつかの実施例によると、少なくとも一つの音響発生装置は、背面カバーのホールに収容し得る。
【０６２０】
本明細書のいくつかの実施例によると、振動装置は、中空部をさらに含み、モジュール構造物は、振動装置と重畳する溝を含むことができる。
【０６２１】
本明細書のいくつかの実施例によると、モジュール構造物は、振動装置に連結した信号ケーブルが通過するケーブルホールを含むことができる。
【０６２２】
本明細書の実施例に係る表示装置は、第1領域、第2領域、第3領域、第4領域、および第5領域を含むプレート、プレート背面の左側の領域に対応し、第1領域および第4領域に配置される第1音響発生モジュールおよび第4音響発生モジュール、プレート背面の右側領域に対応し、第2領域および第5領域に配置される第2音響発生モジュールおよび第5音響発生モジュール、およびプレート背面の中央領域に対応し、第3領域に配置される第3音響発生モジュールを含み、第1〜第5音響発生モジュール中の1つ以上の音響発生モジュールは、モジュール構造物を含み、一つ以上の音響発生モジュールは、モジュール構造物に配置される。
【０６２３】
本明細書のいくつかの実施例によると、プレートは、映像を表示する表示パネルを含むかまたは、表示パネルの背面に配置された背面カバーを含むことができる。
【０６２４】
本明細書のいくつかの実施例によると、プレートは、ガラス、木、プラスチック、および金属中のいずれか一つを含むことができる。
【０６２５】
本明細書のいくつかの実施例によると、第1領域〜前記第5領域を含む第2プレートをさらに含み、第2プレートは、ガラス、木材、プラスチック、および金属中のいずれか一つを含むことができる。
【０６２６】
本明細書のいくつかの実施例によると、プレートは映像を表示する表示パネルであり、第2プレートに第1〜第5音響発生モジュールを配置し得る。
【０６２７】
本明細書のいくつかの実施例によると、第1音響発生モジュールおよび第2音響発生モジュール中の一つ以上は、ウーファーを含む音響発生モジュールを含むことができる。
【０６２８】
本明細書のいくつかの実施例によると、第1音響発生モジュールおよび第2音響発生モジュールは、第3音響発生モジュールと非対称または対称に配置することができる。
【０６２９】
本明細書のいくつかの実施例によると、第1〜第5音響発生モジュール中の一つ以上は、ウーファーを含む音響発生モジュールであり得る。
【０６３０】
本明細書のいくつかの実施例によると、第1領域および第2領域のうちの少なくとも一つの下にある少なくとも一つ以上のウーファーをさらに含むことができる。
【０６３１】
本明細書のいくつかの実施例によると、プレートは映像を表示する表示パネルを含み、表示パネルの背面に配置される背面カバーをさらに含み、第1〜第5音響発生モジュールは、表示パネルの背面に配置し、または背面カバーの背面に配置し得る。
【０６３２】
本明細書のいくつかの実施例によると、第4領域と第5領域との間の第6領域にある第6音響発生モジュールは、第1領域の下の第7領域にある第7音響発生モジュール、第2領域の下の第8領域の第8音響発生モジュール、第7領域と第8領域との間の第9領域の第9音響発生モジュール、第1領域と第3領域との間の第10領域にある第10音響発生モジュール、および第2領域と第3領域との間の第11領域にある第11音響発生モジュールを含むことができる。
【０６３３】
本明細書のいくつかの実施例によると、第6〜第11音響発生モジュール中の1つ以上の音響発生モジュールは、モジュール構造物を含み、第6〜第11音響発生モジュール中の一つ以上は、モジュール構造物に配置し得る。
【０６３４】
本明細書のいくつかの実施例によると、第7領域および前記第8領域中の少なくとも一つの下にある少なくとも一つ以上のウーファーをさらに含むことができる。本明細書のいくつかの実施例によると、第7音響発生モジュールと第8音響発生モジュール中の一つ以上、第1音響発生モジュールと第2音響発生モジュール中の一つ以上、または第10音響発生モジュールと第11音響発生モジュール中の一つ以上は、ウーファーを含む音響発生モジュールを含むことができる。
【０６３５】
本明細書のいくつかの実施例によると、第7音響発生モジュールおよび第8音響発生モジュール中の一つ以上は、ウーファーを含む音響発生モジュールであり得る。
【０６３６】
本明細書のいくつかの実施例によると、第1音響発生モジュールおよび第2音響発生モジュール中の一つ以上は、ウーファーを含む音響発生モジュールであり得る。
【０６３７】
本明細書のいくつかの実施例によると、第10音響発生モジュールおよび第11音響発生モジュール中の一つ以上は、ウーファーを含む音響発生モジュールであり得る。
【０６３８】
本明細書のいくつかの実施例によると、第1〜第11音響発生モジュール中の一つ以上は、ウーファーを含む音響発生モジュールであり得る。
【０６３９】
本明細書のいくつかの実施例によると、第4〜第6音響発生モジュール中の一つ以上は、圧電複合体を含む音響発生モジュールを含むことができる。
【０６４０】
本明細書のいくつかの実施例によると、第4〜第9音響発生モジュール中の一つ以上は、圧電複合体からなる音響発生モジュールを含むことができる。
【０６４１】
本明細書のいくつかの実施例によると、第1〜第11音響発生モジュール中の一つ以上は、圧電複合体からなる音響発生モジュールまたは、ボイスコイルを含む音響発生モジュールは、またはウーファーを含む音響発生モジュールを含むことができる。
【０６４２】
本明細書のいくつかの実施例によると、プレートは映像を表示する表示パネルを含み、表示パネルの背面に配置される背面カバーをさらに含み、第1〜第11音響発生モジュールは、表示パネルの背面に配置し、または背面カバーの背面に配置し得る。
【０６４３】
本明細書のいくつかの実施例によると、第4領域と第5領域との間の第12領域にある第12音響発生モジュール、第5領域と第6領域との間の第13領域にある第13音響発生モジュール、第7領域と第9領域の間の第14領域にある第14音響発生モジュール、第8領域と第9領域の間の第15領域にある第15音響発生モジュールを含むことができる。
【０６４４】
本明細書のいくつかの実施例によると、第12〜第15音響発生モジュール中の1つ以上の音響発生モジュールは、モジュール構造物を含み、第12〜第15音響発生モジュール中の一つ以上は、モジュール構造物に配置し得る。
【０６４５】
本明細書のいくつかの実施例によると、第7領域および第8領域中の一つの下にある少なくとも一つ以上のウーファーをさらに含むことができる。
【０６４６】
本明細書のいくつかの実施例によると、第7音響発生モジュールと第8音響発生モジュール中の一つ以上、第1音響発生モジュールと第2音響発生モジュール中の一つ以上、第10音響発生モジュールと第11音響発生モジュール、または第14音響発生モジュールと第15音響発生モジュール中の一つ以上は、ウーファーを含む音響発生モジュールを含むことができる。
【０６４７】
本明細書のいくつかの実施例によると、第7音響発生モジュールおよび第8音響発生モジュール中の一つ以上は、ウーファーを含む音響発生モジュールであり得る。
【０６４８】
本明細書のいくつかの実施例によると、第1音響発生モジュールおよび第2音響発生モジュール中の一つ以上は、ウーファーを含む音響発生モジュールであり得る。
【０６４９】
本明細書のいくつかの実施例によると、第10音響発生モジュールおよび第11音響発生モジュール中の一つ以上は、ウーファーを含む音響発生モジュールであり得る。
【０６５０】
本明細書のいくつかの実施例によると、第14音響発生モジュールおよび第15音響発生モジュール中の一つ以上は、ウーファーを含む音響発生モジュールであり得る。
【０６５１】
本明細書のいくつかの実施例によると、第1〜第15音響発生モジュール中の一つ以上は、ウーファーを含む音響発生モジュールであり得る。
【０６５２】
本明細書のいくつかの実施例によると、第4〜第6音響発生モジュール、第12音響発生モジュール、および第13音響発生モジュール中の一つ以上は、圧電複合体からなる音響発生モジュールを含むことができる。
【０６５３】
本明細書のいくつかの実施例によると、第4〜第9音響発生モジュールおよび第12〜第15音響発生モジュール中の一つ以上は、圧電複合体からなる音響発生モジュールを含むことができる。
【０６５４】
本明細書のいくつかの実施例によると、第1〜第15音響発生モジュール中の一つ以上は、圧電複合体からなる音響発生モジュール、ボイスコイルを含む音響発生モジュール、またはウーファーを含む音響発生モジュールを含むことができる。
【０６５５】
本明細書のいくつかの実施例によると、プレートは映像を表示する表示パネルを含み、表示パネルの背面に配置される背面カバーをさらに含み、第1〜第15音響発生モジュールは、表示パネルの背面に配置し、または背面カバーの背面に配置し得る。
【０６５６】
本明細書のいくつかの実施例によると、第1〜第15音響発生モジュールを囲むパーティションをさらに含み、パーティションおよび第1〜第15音響発生モジュールは、モジュール構造物に配置し得る。
【０６５７】
本明細書のいくつかの実施例によると、プレートは映像を表示する表示パネルを含み、表示装置は、表示パネルの背面に配置し、モジュール収容部を有する背面カバーをさらに含み、一つ以上の音響発生モジュールは背面カバーのモジュール収容部に収容し得る。
【０６５８】
以上で説明した本明細書では、前述した実施例および添付の図に限定されるものではなく、本明細書の技術的事項を逸脱しない範囲内で、一つ以上の置換、変形および変更が可能であることが本明細書の属する技術分野で通常の知識を有する者にとって明らかであろう。したがって、本明細書の範囲は、後述する特許請求の範囲によって示され、特許請求の範囲の意味および範囲、そしてその等価概念から導出されるすべての変更または変形された形態が本明細書の範囲に含まれるものと解釈されなければならない。
【符号説明】
【０６５９】
１００：表示モジュール
１１０：表示パネル
１５０：熱拡散部材
３００：背面カバー
３１０：第１背面カバー
３３０：カバー連結部材
３５０：第２背面カバー
３７０：モジュール収容部
３９０：ケーブル引き出し口
５００、１５００、１８００、１９００：音響発生モジュール
５１０：モジュール構造物
５３０：振動装置
５５０：連結部材
５７０：振動伝達部材
５９０：ボイス信号ケーブル
９００：カバー
１７０１、１７０２、１７１１、１７１２、１７１３、１７１４、１７２１、１７２２、１７２３、１７５０：パーティション
【図１】
2020145674.tif 000003
【図２】
2020145674.tif 000004
【図３Ａ】
2020145674.tif 000005
【図３Ｂ】
2020145674.tif 000006
【図３Ｃ】
2020145674.tif 000007
【図３Ｄ】
2020145674.tif 000008
【図３Ｅ】
2020145674.tif 000009
【図４】
2020145674.tif 000010
【図５Ａ】
2020145674.tif 000011
【図５Ｂ】
2020145674.tif 000012
【図６】
2020145674.tif 000013
【図７】
2020145674.tif 000014
【図８】
2020145674.tif 000015
【図９】
2020145674.tif 000016
【図１０】
2020145674.tif 000017
【図１１】
2020145674.tif 000018
【図１２】
2020145674.tif 000019
【図１３】
2020145674.tif 000020
【図１４】
2020145674.tif 000021
【図１５】
2020145674.tif 000022
【図１６Ａ】
2020145674.tif 000023
【図１６Ｂ】
2020145674.tif 000024
【図１７】
2020145674.tif 000025
【図１８】
2020145674.tif 000026
【図１９】
2020145674.tif 000027
【図２０】
2020145674.tif 000028
【図２１】
2020145674.tif 000029
【図２２】
2020145674.tif 000030
【図２３Ａ】
2020145674.tif 000031
【図２３Ｂ】
2020145674.tif 000032
【図２３Ｃ】
2020145674.tif 000033
【図２３Ｄ】
2020145674.tif 000034
【図２４Ａ】
2020145674.tif 000035
【図２４Ｂ】
2020145674.tif 000036
【図２５Ａ】
2020145674.tif 000037
【図２５Ｂ】
2020145674.tif 000038
【図２６Ａ】
2020145674.tif 000039
【図２６Ｂ】
2020145674.tif 000040
【図２７】
2020145674.tif 000041
【図２８】
2020145674.tif 000042
【図２９Ａ】
2020145674.tif 000043
【図２９Ｂ】
2020145674.tif 000044
【図２９Ｃ】
2020145674.tif 000045
【図２９Ｄ】
2020145674.tif 000046
【図２９Ｅ】
2020145674.tif 000047
【図３０Ａ】
2020145674.tif 000048
【図３０Ｂ】
2020145674.tif 000049
【図３０Ｃ】
2020145674.tif 000050
【図３０Ｄ】
2020145674.tif 000051
【図３０Ｅ】
2020145674.tif 000052
【図３１Ａ】
2020145674.tif 000053
【図３１Ｂ】
2020145674.tif 000054
【図３１Ｃ】
2020145674.tif 000055
【図３１Ｄ】
2020145674.tif 000056
【図３１Ｅ】
2020145674.tif 000057
【図３２Ａ】
2020145674.tif 000058
【図３２Ｂ】
2020145674.tif 000059
【図３２Ｃ】
2020145674.tif 000060
【図３２Ｄ】
2020145674.tif 000061
【図３２Ｅ】
2020145674.tif 000062
【図３３】
2020145674.tif 000063
【図３４】
2020145674.tif 000064
【図３５Ａ】
2020145674.tif 000065
【図３５Ｂ】
2020145674.tif 000066
【図３６】
2020145674.tif 000067
【図３７】
2020145674.tif 000068
【図３８】
2020145674.tif 000069
【図３９】
2020145674.tif 000070
【図４０】
2020145674.tif 000071
【図４１Ａ】
2020145674.tif 000072
【図４１Ｂ】
2020145674.tif 000073
【図４１Ｃ】
2020145674.tif 000074
【図４２Ａ】
2020145674.tif 000075
【図４２Ｂ】
2020145674.tif 000076
【図４２Ｃ】
2020145674.tif 000077
【図４３Ａ】
2020145674.tif 000078
【図４３Ｂ】
2020145674.tif 000079
【図４３Ｃ】
2020145674.tif 000080
【図４４Ａ】
2020145674.tif 000081
【図４４Ｂ】
2020145674.tif 000082
【図４４Ｃ】
2020145674.tif 000083
【図４５Ａ】
2020145674.tif 000084
【図４５Ｂ】
2020145674.tif 000085
【図４６Ａ】
2020145674.tif 000086
【図４６Ｂ】
2020145674.tif 000087
【外国語明細書】
2020145674000001.pdf
2020145674000002.pdf
2020145674000003.pdf
2020145674000004.pdf